(57)【要約】本発明は、カドヘリン様非対称タンパク質−２（「ＣＬＡＳＰ−２」）と呼ばれる細胞表面分子に関する。特に、これは、ＣＬＡＳＰ−２ポリヌクレオチド、ポリペプチド、融合タンパク質、および抗体に関する。本発明はまた、ＣＬＡＳＰ−２機能を妨害することによって免疫応答を調節する方法にも関する。
2004535751.tif 000002
【特許請求の範囲】
【請求項１】
ポリヌクレオチドが以下の（ａ）〜（ｄ）である、単離ＣＬＡＳＰ−２ポリヌクレオチド：
（ａ）  配列番号：１、３、５もしくは９の配列を有するポリヌクレオチド；
（ｂ）  ストリンジェントなハイブリダイゼーション条件下で（ａ）とハイブリダイズし、配列番号：２、４、６、もしくは１０の配列を有するポリペプチド、または配列番号：２、４、６、もしくは１０の配列を有するポリペプチドの対立遺伝子変種もしくは相同体をコードするポリヌクレオチド；
（ｃ）  ストリンジェントなハイブリダイゼーション条件下で（ａ）とハイブリダイズし、配列番号：２、４、６、もしくは１０のポリペプチドの２５個の連続する塩基を有するポリペプチドをコードするポリヌクレオチド；または
（ｄ）  ストリンジェントなハイブリダイゼーション条件下で（ａ）とハイブリダイズし、配列番号：１、３、５、もしくは９と同一である、または正確に相補的である少なくとも１２個の連続する塩基を有するポリヌクレオチド。
【請求項２】
ポリペプチドがＰＳＤ９５、ＤＬＧ１、またはｎｅＤＬＧのＰＤＺドメインに特異的に結合する、請求項１記載のポリヌクレオチド。
【請求項３】
ポリペプチドがＰＳＤ９５、ＤＬＧ１、またはｎｅＤＬＧとの結合に関して少なくとも１０４ Ｍ−１の結合親和性を有する、請求項２記載のポリヌクレオチド。
【請求項４】
配列番号：２、４、６、または１０の完全長の配列を有するポリペプチドをコードする請求項１記載のポリヌクレオチド。
【請求項５】
ＡＴＣＣ寄託番号ＰＴＡ−１５６２およびＰＴＡ−１５６３のｃＤＮＡコード配列を含む、請求項１記載の単離ポリヌクレオチド。
【請求項６】
配列番号：１、３、５または９と少なくとも９０％の同一性を有するヌクレオチド配列を含む単離ＣＬＡＳＰ−２ポリヌクレオチド。
【請求項７】
配列番号：２、４、６もしくは１０と少なくとも９０％の配列同一性を有し、および配列番号：２、４、６もしくは１０と免疫学的に交叉反応するか、または本来のＣＬＡＳＰ−２と生物機能を共有するヌクレオチド配列を含む単離ポリペプチド。
【請求項８】
請求項１記載のポリヌクレオチドを含むベクター。
【請求項９】
ポリヌクレオチドのヌクレオチド配列が、宿主細胞においてポリヌクレオチドの発現を制御する調節配列に機能的に結合している、請求項１記載のポリヌクレオチドを含む発現ベクター。
【請求項１０】
請求項１記載のポリヌクレオチドを含む宿主細胞、またはその細胞の子孫。
【請求項１１】
ポリヌクレオチドのヌクレオチド配列が、宿主細胞または細胞の子孫においてポリヌクレオチドの発現を制御する調節配列に機能的に結合している、請求項１記載のポリヌクレオチドを含む宿主細胞。
【請求項１２】
真核細胞である、請求項１０記載の宿主細胞。
【請求項１３】
長さが約２００塩基未満のアンチセンスポリヌクレオチドである、請求項１記載のポリヌクレオチド。
【請求項１４】
オリゴヌクレオチドがＣＬＡＳＰ−２の発現を阻害する、配列番号：１、３、５または９を含み、ＣＬＡＳＰ−２をコードするメッセンジャーＲＮＡと相補的なアンチセンスオリゴヌクレオチド。
【請求項１５】
配列番号：２、４、６または１０に示されるようなＣＬＡＳＰ−２タンパク質をコードする単離ＤＮＡ。
【請求項１６】
ＲＮＡである、請求項１記載のポリヌクレオチド。
【請求項１７】
以下の段階を含む、ポリペプチドを産生する方法：
（ａ）  ポリペプチドが発現されるような条件下で請求項１０記載の宿主細胞を培養する段階；および
（ｂ）  培養した宿主細胞またはその培養培地からポリペプチドを回収する段階。
【請求項１８】
請求項１記載の（ａ）または（ｂ）のポリヌクレオチドによってコードされる単離ポリペプチド。
【請求項１９】
配列番号：２、４、６もしくは１０のアミノ酸配列またはその断片を有する、請求項１８記載のポリペプチド。
【請求項２０】
ポリペプチドが細胞膜に会合している、請求項１８記載の単離ポリペプチド。
【請求項２１】
ポリペプチドが可溶性である、請求項１８記載の単離ポリペプチド。
【請求項２２】
ポリペプチドが異種ポリペプチドと融合される、請求項１９記載のポリペプチド。
【請求項２３】
配列番号：２、４、６または１０に示されるような配列を有する単離ＣＬＡＳＰ−２タンパク質。
【請求項２４】
配列番号：１に示されるような配列を含むタンパク質、および配列番号：２と少なくとも９５％同一であって、スペクトリンに特異的に結合するその変種。
【請求項２５】
配列番号：２、４、６もしくは１０に示されるようなアミノ酸配列を有するポリペプチドに特異的に結合する単離抗体またはその結合断片。
【請求項２６】
モノクローナル抗体である、請求項２５記載の抗体。
【請求項２７】
請求項２６記載の抗体を分泌することができるハイブリドーマ。
【請求項２８】
以下の段階を含む、ＣＬＡＳＰ−２ポリペプチドに結合する化合物または物質を同定する方法：
ｉ）  化合物とＣＬＡＳＰ−２ポリペプチドとの結合を可能にして複合体を形成させる条件下で、請求項１９記載のＣＬＡＳＰ−２ポリペプチドを化合物または物質と接触させる段階；および
ｉｉ）  複合体の有無を検出する段階。
【請求項２９】
以下の段階を含む、試料中のＣＬＡＳＰ−２ポリペプチドを検出する方法：
（ａ）試料を請求項２６記載の抗体または結合断片と接触させる段階、および（ｂ）抗体とＣＬＡＳＰ−２ポリペプチドとのあいだに複合体が形成されたか否かを決定する段階。
【請求項３０】
以下の段階を含む、試料中のＣＬＡＳＰ−２ポリペプチドを検出する方法：
（ａ）試料を、請求項１記載のポリヌクレオチド、または少なくとも１２ヌクレオチドの配列を含み、請求項１記載の第（ａ）項に記載のポリヌクレオチドの連続する配列と相補的なポリヌクレオチド、と接触させる段階、および（ｂ）ハイブリダイゼーション複合体が形成されたか否かを決定する段階。
【請求項３１】
以下の段階を含む、試料中のＣＬＡＳＰ−２ヌクレオチドを検出する方法：
（ａ）  少なくとも１２ヌクレオチドの配列を含み、請求項１記載の第（ａ）項に記載のポリヌクレオチドの連続する配列と相補的であるポリヌクレオチドを、増幅プロセスにおいて用いる段階；および
（ｂ）  特異的増幅産物が形成されたか否かを決定する段階。
【請求項３２】
請求項１記載のポリヌクレオチド、請求項１８記載のポリペプチド、または請求項２５記載の抗体および薬学的に許容される担体を含む薬学的組成物。
【請求項３３】
以下の段階を含む、被験者における免疫応答を阻害する方法：
（ａ）  ＣＬＡＳＰ−２遺伝子の発現を妨害する段階；
（ｂ）  ＣＬＡＳＰ−２タンパク質ともう一つの細胞との結合能を妨害する段階；
（ｃ）  ＣＬＡＳＰ−２タンパク質ともう一つのタンパク質との結合能を妨害する段階。
【請求項３４】
細胞がＴ細胞またはＢ細胞である、請求項３３記載の方法。
【請求項３５】
配列番号：２、４、６もしくは１０のアミノ酸配列またはその断片を含むポリペプチドの有効量を細胞に接触させる段階を含む、請求項３３記載の方法。
【請求項３６】
配列番号：２、４、６または１０の配列を有するポリペプチドに特異的に結合する抗体の治療的有効量を被験者に投与する段階を含む、被験者における免疫応答を阻害する方法。
【請求項３７】
請求項３２記載の薬学的組成物の治療的有効量をそれを必要とする被験者に投与する段階を含む、ＣＬＡＳＰ−２媒介疾患を予防または治療する方法。
【請求項３８】
ＣＬＡＳＰ−２媒介疾患が自己免疫疾患である、請求項３７記載の方法。
【請求項３９】
請求項３２記載の薬学的組成物の治療的有効量を被験者に投与する段階を含む、ＴＨ１細胞の活性の増加によって引き起こされる、または悪化する被験者における自己免疫疾患を治療する方法。
【発明の詳細な説明】
【０００１】
０．関連出願の相互参照
本出願は、その開示が参照として本明細書に組み入れられる、２０００年２月１４日に出願された米国仮特許出願第６０／１８２，２９６号、２０００年１月１４日に出願された第６０／１７６，１９５号、１９９９年１２月１３日に出願された第６０／１７０，４５３号、１９９９年１０月２９日に出願された第６０／１６２，４９８号、１９９９年１０月２１日に出願された第６０／１６０，８６０号、１９９９年５月１４日に出願された第６０／１３４，１１８号、１９９９年５月１４日に出願された第６０／１３４，１１７号、１９９９年５月１４日に出願された第６０／１３４，１１４号、および１９９９年４月１４日に出願された第６０／１２９，１７１号の恩典を主張するものである。
【０００２】
１．発明の分野
本発明は、免疫系の細胞において発現された分子に関する。特に、本発明は、特定の古典的なカドヘリン特徴を含む膜貫通タンパク質に関する。
【０００３】
２．発明の背景
抗原に対する免疫応答の産生は、特定の抗原に対して協調して作用する多くの明確な免疫細胞タイプによって行われる。ヘルパーＴ細胞（ＴＨ）は、２つのタイプの抗原特異的免疫応答、すなわち、細胞性免疫応答と液性免疫応答を協調させるために中心的な役割を果たしている。Ｔ細胞による抗原認識は、Ｔ細胞と抗原提示細胞（ＡＰＣ）とのあいだに、「免疫学的シナプス」と呼ばれる（ダスティン（Ｄｕｓｔｉｎ）ら、１９９８、Ｃｅｌｌ ９４：６６７〜６７７）特殊な結合の形成を必要とする。免疫シナプスは、まだわかっていないメカニズムによって接触領域からの特異的タンパク質の集合および排除を組織化し、これは、ＭＨＣ分子（抗原）に結合したペプチドのＴ細胞抗原受容体（ＴＣＲ）認識によって開始されると考えられている（モンク（Ｍｏｎｋ）ら、１９９８、Ｎａｔｕｒｅ ３９５：８２）。しかし、抗原に対するＴＣＲの親和性が低いことと共にリガンドの数が限られていることから、ＴＣＲ：抗原相互作用のみでは、免疫シナプスの形成を促進するために十分ではない可能性がある（マツイ（Ｍａｔｓｕｉ）ら、１９９４、Ｐｒｏｃ． Ｎａｔｌ． Ａｃａｄ． Ｓｃｉ． ＵＳＡ ９１：１２８６１〜１２８６６）。
【０００４】
ＣＤ４、ＩＣＡＭ−１、ＬＦＡ−１、ＣＤ２８、ＣＤ２のような共刺激分子は、細胞・細胞接触を安定化させると提唱されている（ダスティン（Ｄｕｓｔｉｎ）ら、１９９９、Ｓｃｉｅｎｃｅ ２８３：６４９）。しかし、これらの分子は、活性化後シナプスに集合するため、Ｔ細胞抗原認識の初期相の際の高い特異性と結合活性を説明することができない。最近の研究は、Ｔ細胞表面の先端部分が、専門化してシナプス形成の初期相を媒介することを証明した（ネグレスク（Ｎｅｇｕｌｅｓｃｕ）ら、１９９６、Ｉｍｍｕｎｉｔｙ ４：４２１〜４３０）。そのような専門化は、ＴＣＲの関与を増強するための細胞表面接着タンパク質（エクトドメイン）と、構造／機能的極性を維持するためにシグナルを伝達して細胞骨格を結合するための細胞質部分（エンドドメイン）とを含む予め形成された構造でなければならない。
【０００５】
予め形成されたシナプスのエクトドメインまたは「免疫の出入口」は、最近発見されて、ＣＬＡＳＰ−１によって一部形成される（１９９９年１０月１日に出願された米国特許出願第０９／４１１，３２８号；ＰＣＴ／ＵＳ第９９／２２９９６号）。カドヘリンモチーフの他に、ＣＬＡＳＰ−１はまた、ＣＲＫ−ＳＨ３結合ドメイン、チロシンリン酸化部位、および多重らせん（ｃｏｉｌｅｄ ｃｏｉｌ）ドメインを含み、細胞骨格との直接相互作用およびＣＲＫのようなアダプター分子による調節を示唆する。ＣＬＡＳＰ−１転写物は、リンパ様臓器および神経組織に存在し、タンパク質は、Ｔ：Ｂ細胞相互作用において重要であることがわかっている領域である、脾臓の辺縁領域のＭＯＭＡ−１亜領域におけるＴおよびＢリンパ球およびマクロファージによって発現される。個々のＴおよびＢ細胞のＣＬＡＳＰ−１染色は、活性化前構造極性を示し、Ｂ細胞では「球状」または「キャップ」構造として構築され、およびＴ細胞では「環状」、「球状」、または「キャップ」構造として構築される。これらの構造の位置は、微小管形成中心（「ＭＴＯＣ」）に隣接する。ＣＬＡＳＰ−１抗体染色によって、ＣＬＡＳＰ−１が、分化が完全に約束されるＴ−Ｂ細胞結合物の境界面に存在することが示されている。ＣＬＡＳＰ−１の細胞外ドメインに対する抗体も同様に、Ｔ−Ｂ細胞結合体形成およびＴ細胞活性化を遮断する。
【０００６】
３．発明の概要
本発明は、カドヘリン様非対称タンパク質（複数）（「ＣＬＡＳＰ（ｓ）」）と呼ばれる新しい多遺伝子ファミリーメンバーである細胞表面分子に関する。特に、これは、ＣＬＡＳＰ−２のコード配列を含むポリヌクレオチド、ＣＬＡＳＰ−２コード配列の相補体と選択的にハイブリダイズするポリヌクレオチド、そのようなポリヌクレオチドを含む発現ベクター、そのようなポリヌクレオチド、ＣＬＡＳＰ−２ポリペプチド、ＣＬＡＳＰ−２融合タンパク質、治療的組成物、ＣＬＡＳＰ−２ドメイン変異体、ＣＬＡＳＰ−２ポリペプチドに対する抗体を含む遺伝子操作宿主細胞、ＣＬＡＳＰ−２の発現を検出する方法、およびＣＬＡＳＰ−２機能を妨害することによって免疫応答を阻害する方法に関する。本発明には、自己免疫疾患および過敏症の治療、移植拒絶反応の予防、および免疫不全状態における免疫応答性の増強を含むが、これらに限定しない、幅広い用途が含まれる。
【０００７】
一つの局面において、本発明は、以下である、単離されたＣＬＡＳＰ−２ポリヌクレオチドを提供する：（ａ）配列番号：１、３、５または９の配列を有するポリヌクレオチド；（ｂ）ストリンジェントなハイブリダイゼーション条件下で（ａ）とハイブリダイズして、配列番号：２、４、６もしくは１０の配列を有するポリペプチド、または配列番号：２、４、６、もしくは１０の配列を有するポリペプチドの対立遺伝子変種もしくは相同体をコードするポリヌクレオチド；（ｃ）ストリンジェントなハイブリダイゼーション条件下で（ａ）とハイブリダイズして、配列番号：２、４、６、もしくは１０のポリペプチドの少なくとも２５個の連続する残基を有するポリペプチドをコードするポリヌクレオチド；または（ｄ）ストリンジェントなハイブリダイゼーション条件下で（ａ）とハイブリダイズして、配列番号：１、３、５もしくは９と同一または正確に相補的な少なくとも１２個の連続する塩基を有するポリヌクレオチド。関連する局面において、本発明は、ポリヌクレオチドがＰＳＤ９５、ＤＬＧ１、またはｎｅＤＬＧ ２のＰＤＺドメインに結合するポリペプチドをコードする、ＣＬＡＳＰ−２ポリヌクレオチドを提供する。もう一つの関連する局面において、本発明は、ポリヌクレオチドが、ＰＳＤ９５、ＤＬＧ１、またはｎｅＤＬＧとの結合に関して少なくとも１０４ Ｍ−１の結合親和性を有するポリペプチドをコードする、ＣＬＡＳＰ−２ポリヌクレオチドを提供する。
【０００８】
一つの局面において、本発明は、配列番号：２、４、６もしくは１０の完全長の配列を有するポリペプチドをコードするＣＬＡＳＰ−２ポリヌクレオチド、またはＡＴＣＣ寄託番号ＰＴＡ−１５６２およびＰＴＡ−１５６３のｃＤＮＡコード配列を提供する。
【０００９】
もう一つの局面において、本発明はさらに、配列間の最高程度のマッチが得られるように配列が配置されるＦＡＳＴＡを用いて計算した場合に、配列番号：１、３、５もしくは９と少なくとも９０％の同一性を有するヌクレオチド配列を含む単離されたＣＬＡＳＰ−２ポリヌクレオチドを提供する。
【００１０】
本発明はさらに、配列番号：２、４、６もしくは１０と少なくとも９０％の配列同一性を有し、および配列番号：２、４、６、もしくは１０と免疫学的に交叉反応性であるか、または本来のＣＬＡＳＰ−２と生物機能を共有するヌクレオチド配列を含む単離ポリペプチドを提供する。
【００１１】
本発明はまた、本発明のポリヌクレオチド配列を含む発現ベクターのようなベクターを提供する。他の態様において、本発明は、本発明のベクターを含む宿主細胞または宿主細胞の子孫を提供する。特定の態様において、宿主細胞は真核細胞である。他の態様において、発現ベクターは、ポリヌクレオチドのヌクレオチド配列が宿主細胞においてポリヌクレオチドの発現を制御する調節配列と機能的に結合している、ＣＬＡＳＰ−２ポリヌクレオチドを含む。特定の態様において、本発明は、ポリヌクレオチドのヌクレオチド配列が宿主細胞、または細胞の子孫においてポリヌクレオチドの発現を制御する調節配列と機能的に結合している、ＣＬＡＳＰ−２ポリヌクレオチドを含む宿主細胞を提供する。
【００１２】
もう一つの局面において、本発明は、アンチセンスポリヌクレオチドであるＣＬＡＳＰ−２ポリヌクレオチドをさらに提供する。好ましい態様において、アンチセンスポリヌクレオチドは、長さが約２００塩基未満である。他の態様において、本発明は、オリゴヌクレオチドがＣＬＡＳＰ−２の発現を阻害する、配列番号：１、３、５または９を含むメッセンジャーＲＮＡと相補的であって、ＣＬＡＳＰ−２をコードするアンチセンスオリゴヌクレオチドを提供する。
【００１３】
もう一つの局面において、本発明は、配列番号：２、４、６または１０に示すようにＣＬＡＳＰ−２タンパク質をコードする単離ＤＮＡを提供する。特定の態様において、ＣＬＡＳＰ−２ポリヌクレオチドはＲＮＡである。
【００１４】
本発明は、以下の段階を含むポリペプチドを産生する方法を提供する：（ａ）ポリペプチドが発現される条件下でＣＬＡＳＰ−２ポリヌクレオチドを含む宿主細胞を培養する段階；および（ｂ）培養宿主細胞またはその培養培地からポリペプチドを回収する段階。
【００１５】
本発明はさらに、ＣＬＡＳＰ−２ポリヌクレオチドによってコードされる単離ＣＬＡＳＰ−２ポリペプチドを提供する。幾つかの態様において、ＣＬＡＳＰ−２ポリペプチドは、配列番号：２、４、６、もしくは１０のアミノ酸配列またはその断片を有する。いくつかの態様において、単離ＣＬＡＳＰ−２ポリペプチドは、細胞膜に会合している。他の態様において、単離ＣＬＡＳＰ−２ポリペプチドは可溶性である。他の態様において、可溶性ＣＬＡＳＰ−２ポリペプチドは、異種ポリペプチドと融合される。
【００１６】
本発明はさらに、配列番号：２、４、６、または１０に示される配列を有する単離ＣＬＡＳＰ−２タンパク質を提供する。いくつかの態様において、本発明は、配列番号：１に示す配列を含むＣＬＡＳＰ−２タンパク質および配列番号：２と少なくとも９５％同一であって、細胞骨格タンパク質を特異的に結合するその変種を提供する。特定の態様において、細胞骨格タンパク質はスペクトリンである。
【００１７】
本発明はさらに、配列番号：２、４、６、もしくは１０に示すアミノ酸配列を有するポリペプチドに特異的に結合する単離された抗体またはその結合断片を提供する。いくつかの態様において、抗体はモノクローナル抗体である。他の態様において、本発明は、抗体を分泌することができるハイブリドーマを提供する。
【００１８】
本発明はさらに、以下の段階を含むＣＬＡＳＰ−２ポリペプチドに結合する化合物または物質を同定する方法を提供する：ｉ） ＣＬＡＳＰ−２ポリペプチドに対する化合物の結合を可能にして複合体を形成させる条件下で、ＣＬＡＳＰ−２ポリペプチドを化合物または物質に接触させる段階、およびｉｉ） 複合体の有無を検出する段階。
【００１９】
本発明はさらに、以下の段階を含む、試料中においてＣＬＡＳＰ−２ポリペプチドを検出する方法を提供する：（ａ）試料をＣＬＡＳＰ−２抗体または結合断片に接触させる段階、および（ｂ）抗体とＣＬＡＳＰ−２ポリペプチドとのあいだに複合体が形成されたか否かを決定する段階。
【００２０】
本発明はさらに、以下の段階を含む、試料中においてＣＬＡＳＰ−２ポリペプチドを検出する方法を提供する：（ａ）ＣＬＡＳＰ−２ポリヌクレオチド、または少なくとも１２ヌクレオチドの配列を含み、ＣＬＡＳＰ−２ポリヌクレオチドの連続する配列と相補的であるポリヌクレオチドに試料を接触させる段階；および（ｂ）ハイブリダイゼーション複合体が形成された否かを決定する段階。
【００２１】
本発明はさらに、以下の段階を含む、試料中においてＣＬＡＳＰ−２ヌクレオチドを検出する方法を提供する：（ａ）少なくとも１２ヌクレオチドの配列を含み、ＣＬＡＳＰ−２ポリヌクレオチドの連続する配列と相補的であるポリヌクレオチドを増幅プロセスにおいて用いる段階；および（ｂ）特異的増幅産物が形成された否かを決定する段階。
【００２２】
本発明はさらに、ＣＬＡＳＰ−２ポリヌクレオチド、ＣＬＡＳＰ−２ポリペプチド、またはＣＬＡＳＰ−２抗体および薬学的に許容される担体を含む、薬学的組成物をさらに提供する。
【００２３】
一つの局面において、本発明は、以下の段階を含む、細胞において免疫応答を阻害する方法を提供する：（ａ）細胞におけるＣＬＡＳＰ−２遺伝子の発現を妨害する段階；（ｂ）ＣＬＡＳＰ−２タンパク質のＣＬＡＳＰ−２と細胞外タンパク質との細胞・細胞相互作用の媒介能を妨害する（例えば、異型および／または同型相互作用を妨害する）段階；（ｃ）ＣＬＡＳＰ−２タンパク質のもう一つのタンパク質との結合能を妨害する段階。いくつかのそのような方法において、細胞はＴ細胞またはＢ細胞である。幾つかのそのような方法は、配列番号：２、４、６もしくは１０のアミノ酸配列またはその断片を含むポリペプチドの有効量を細胞に接触させる段階を含む。
【００２４】
もう一つの局面において、本発明は、配列番号：２、４、６または１０の配列を有するポリペプチドに特異的に結合する抗体の治療的有効量を、被験者に投与する段階を含む、被験者において免疫応答を阻害する方法を提供する。
【００２５】
もう一つの局面において、本発明は、ＣＬＡＳＰ−２薬学的組成物の治療的有効量をそれを必要とする被験者に投与する段階を含む、ＣＬＡＳＰ−２媒介疾患を予防または治療する方法を提供する。幾つかのそのような方法において、ＣＬＡＳＰ−２媒介疾患は自己免疫疾患である。
【００２６】
本発明はさらに、ＣＬＡＳＰ−２薬学的組成物の治療的有効量を被験者に投与する段階からなる、ＴＨ１細胞の活性の増加によって引き起こされるまたは悪化する、被験者における自己免疫疾患を治療する方法を提供する。
【００２７】
５．発明の詳細な説明
５．０  定義
明記している場合を除き、「患者」または「被験者」という用語は、互換的に用いられ、ウサギ、ラットおよびマウスのような実験動物ならびに他の動物と共に、ヒト患者およびヒト以外の霊長類のような哺乳類を意味する。
【００２８】
本明細書において用いられる「生体試料」という用語は、ｈＣＬＡＳＰ−２またはｈＣＬＡＳＰ−２タンパク質をコードする核酸を含む生体組織、体液、または細胞の試料である。そのような試料には、ヒトから単離された組織が含まれるがこれらに限定しない。生体試料はまた、組織学目的のために採取した凍結切片のような組織切片が含まれる。生体試料は典型的に、真核生物から得られ、好ましくは、真菌、植物、昆虫、原虫、鳥類、魚類、爬虫類のような真核生物、好ましくは、ラット、マウス、ウシ、イヌ、モルモット、またはウサギのような哺乳類、および最も好ましくは、チンパンジーまたはヒトのような霊長類から得る。
【００２９】
「治療する」という用語には、疾患の症状の発現、合併症、もしくは生化学指標を予防もしくは遅らせる、症状を軽減する、または疾患、病態、もしくは障害（例えば、自己免疫疾患）のさらなる進行を停止もしくは阻害するために、本発明の化合物もしくは物質を投与することが含まれる。治療は予防的であってもよく（疾患の発症を予防もしくは遅らせるため、またはその臨床もしくは臨床下症状の発現を予防するため）、または疾患の発症後の症状の治療的抑制もしくは緩和であってもよい。
【００３０】
本明細書において用いられる「リンパ球」という用語は、当技術分野における通常の意味を有し、血液、リンパ、およびリンパ様組織に認められる単核球、非貪食白血球の如何なるものも、すなわちＢおよびＴリンパ球を意味する。
【００３１】
「単離」または「精製」という用語は、その本来の状態において認められる場合にそれが通常伴う成分を実質的に含まない材料を意味する（例えば、組み換え的に産生される、またはそれが天然に会合する他の細胞成分を除いて精製される）。純度および均一性は典型的に、ポリアクリルアミドゲル電気泳動または高速液体クロマトグラフィーのような分析化学技術を用いて決定される。「精製した」という用語は、核酸またはタンパク質が電気泳動ゲルにおいて本質的に１つのバンドを生じることを意味する。特にこの用語は、核酸またはタンパク質が少なくとも８５％純粋であり、より好ましくは少なくとも９５％純粋、最も好ましくは少なくとも９９％純粋であることを意味する。
【００３２】
「核酸」または「ポリヌクレオチド」という用語は互換的に用いられ、合成、天然に存在する、および天然に存在しない、参考核酸と類似の結合特性を有し、そして参考ヌクレオチドと類似のように代謝される、既知のヌクレオチド類似体または改変骨格残基もしくは結合を含むＤＮＡ、ＲＮＡ、および核酸ポリマーを意味する。そのような類似体の例には、ホスホロチオネート、ホスホロアミデート、メチルホスホネート、キラルメチルホスホネート、２−Ｏ−メチルリボヌクレオチド、ペプチド核酸（ＰＮＡｓ）が含まれるが、これらに限定しない。
【００３３】
「ポリペプチド」、「ペプチド」および「タンパク質」という用語は、アミノ酸残基のポリマーを意味するために本明細書において互換的に用いられる。アミノ酸は、天然のアミノ酸であってもよく、または対応する天然に存在するアミノ酸の人工的化学模倣体を含んでもよい。
【００３４】
本明細書において用いられるように、「核酸プローブ」という用語は、相補的配列の標的核酸に特異的に結合することができる（例えば、相補的塩基対形成によって）核酸として定義される。本明細書において用いられるように、プローブは、天然の塩基（すなわち、Ａ、Ｇ、Ｃ、またはＴ）または改変塩基（７−デアザグアノシン、イノシン等）を含んでもよい。さらに、プローブにおける塩基は、ハイブリダイゼーションを妨害しない限り（例えば、プローブはペプチド核酸であってもよい）、ホスホジエステル結合以外の結合によって結合してもよい。プローブは、同位体、発色団、発光団、色原体によって直接標識することができ、またはそれに対してストレプトアビジン複合体が後に結合するビオチンを用いる場合のように間接的に標識してもよい。
【００３５】
例えば、細胞、または核酸、タンパク質、もしくはベクターに関して用いられる「組換え型」という用語は、細胞、核酸、タンパク質、もしくはベクターが、異種核酸もしくはタンパク質の導入によって、または本来の核酸もしくはタンパク質の変化によって改変されていることを意味し、または細胞の場合には、そのように改変された細胞の子孫も意味する。このように、例えば、組換え細胞は、細胞の本来の型（非組換え型）には認められない遺伝子を発現する、またはそうでなければ異常発現される、過小発現される、または全く発現されない本来の遺伝子を発現する。
【００３６】
核酸の一部に関連して用いる場合の「異種」という用語は、核酸が、互いに天然において同じ関係で認められない２つまたはそれ以上の小配列を含むことを意味する。例えば、核酸は典型的に組み換えによって産生され、新しい機能的核酸を作製するために配置された無関係な遺伝子から２つまたはそれ以上の配列、例えば１つの起源からプロモーターおよびもう一つの起源からコード領域を有する。同様に、異種タンパク質は、タンパク質が、天然では互いに同じ関係で認められない２つまたはそれ以上の小配列を含むことを示す（例えば、融合タンパク質）。
【００３７】
「配列同一性」という用語は、アミノ酸またはヌクレオチド配列のあいだの類似性の測定を意味し、下記に示す方法のように、当技術分野で既知の方法を用いて測定することができる。
【００３８】
２つまたはそれ以上の核酸またはポリペプチド配列の意味において、「同一」、またはパーセント「同一性」という用語は、以下の配列比較アルゴリズムの一つを用いて、または手動での配置および肉眼での検分によって測定して、比較ウィンドウまたは指定された領域に対して最大の対応が得られるように比較および配置した場合に、同じである２つもしくはそれ以上の配列もしくは小配列、または特定の領域（例えば、配列番号：１を参照のこと）に対して同じである（すなわち６０％同一性、好ましくは６５％、７０％、７５％、８０％、８５％、９０％、または９５％同一性）アミノ酸残基またはヌクレオチドの特定の割合を有する２つもしくはそれ以上の配列もしくは小配列を意味する。
【００３９】
２つの核酸またはポリペプチドに関して「実質的に同一」という句は、以下の配列比較アルゴリズムの一つを用いて、または肉眼での検分によって測定して、最大の対応が得られるように比較および配置した場合に、少なくとも６０％、しばしば少なくとも７０％、好ましくは少なくとも８０％、最も好ましくは少なくとも９０％、または少なくとも９５％のヌクレオチドもしくはアミノ酸残基同一性を有する２つもしくはそれ以上の配列もしくは小配列を意味する。好ましくは、実質的な同一性は、長さが少なくとも約５０塩基または残基の領域に対して、より好ましくは少なくとも約１００塩基または残基の領域に対して存在し、および最も好ましくは配列は少なくとも約１５０塩基または残基に対して実質的に同一である。最も好ましい態様において、配列は、コード領域の長さ全体に対して実質的に同一である。
【００４０】
配列の比較に関して、典型的に、１つの配列が参考配列としての役割を果たし、これに対して試験配列を比較する。配列比較アルゴリズムを用いる場合、試験および参考配列をコンピューターに入力して、必要であれば小配列の整合性を指定して、そして配列アルゴリズムプログラムパラメータを指定する。デフォルト（省略時解釈）プログラムパラメータを用いることができ、または別のパラメータを指定することができる。次に、配列比較アルゴリズムは、プログラムパラメータに基づいて、参考配列と比較して試験配列に関するパーセント配列同一性を計算する。核酸およびタンパク質のＣＬＡＳＰ−２核酸およびタンパク質との配列比較の場合には、ＢＬＡＳＴおよびＢＬＡＳＴ ２．０アルゴリズムおよび下記のデフォルトパラメータを用いる。
【００４１】
本明細書において用いられる「比較ウィンドウ」という用語は、その中で２つの配列を最適に配置した後に、配列が同じ数の連続する位置の参考配列と比較される、２０〜６００、通常約５０〜約２００、より通常約１００〜約１５０個からなる群より選択される連続する位置の数のいずれか１つのセグメントを意味することを含む。比較のために配列を配置する方法は当技術分野で周知である。比較するための配列の最適な配置は、例えば、スミス＆ウォーターマン（Ｓｍｉｔｈ ＆ Ｗａｔｅｒｍａｎ、１９８１、Ａｄｖ． Ａｐｐｌ． Ｍａｔｈ． ２：４８２）の局所相同性アルゴリズム、ニードルマン＆ビュンシュ（Ｎｅｅｄｌｅｍａｎ ＆ Ｗｕｎｓｃｈ、１９７０、Ｊ． Ｍｏｌ． Ｂｉｏｌ． ４８：４４３）の相同性配置アルゴリズム、ペアソン＆リップマン（Ｐｅａｓｏｎ ＆ Ｌｉｐｍａｎ、１９８８、Ｐｒｏｃ． Ｎａｔｌ． Ａｃａｄ． Ｓｃｉ． ＵＳＡ ８５：２４４４）の類似性検索方法、これらのアルゴリズムのコンピューターによる実施（ＦＡＳＴＤＢ（インテリジェネティクス社）、ＢＬＡＳＴ（国立生物医学情報センター）、ウィスコンシンジェネティクスソフトウェアパッケージ（ジェネティクスコンピューターグループ、５７５ サイエンスドライブ、マディソン、ウィスコンシン州）におけるＧＡＰ、ＢＥＳＴＦＩＴ、ＦＡＳＴＡ、およびＴＦＡＳＴＡ）によって、または手動での配置および肉眼での検分（例えば、アウスユベール（Ａｕｓｕｂｅｌ）ら、１９８７（１９９９増刊）「分子生物学の現行プロトコール（Ｃｕｒｒｅｎｔ Ｐｒｏｔｏｃｏｌｓ ｉｎ Ｍｏｌｅｃｕｌａｒ  Ｂｉｏｌｏｇｙ）」、グリーンパブリッシングアソシエーツ＆ウィレーインターサイエンス、ニューヨーク）によって行うことができる。
【００４２】
パーセント配列同一性および配列類似性を決定するために適しているアルゴリズムの好ましい例は、ＦＡＳＴＡアルゴリズムであり、これはペアソン＆リップマン（Ｐｅａｒｓｏｎ， Ｗ．Ｒ． ＆Ｌｉｐｍａｎ， Ｄ．Ｊ．、１９８８、Ｐｒｏｃ． Ｎａｔｌ． Ａｃａｄ． Ｓｃｉ． ＵＳＡ ８５：２４４４）に記載されている。同様にペアソン（Ｗ．Ｒ． Ｐｅａｒｓｏｎ、１９９６、Ｍｅｔｈｏｄｓ ｉｎ Ｅｎｚｙｍｏｌ． ２６６：２２７〜２５８）も参照のこと。パーセント同一性を計算するためにＤＮＡ配列のＦＡＳＴＡ配置において用いられる好ましいパラメータを最適化する、ＢＬ５０マトリクス１５；−５、ｋ−タプル＝２；結合ペナルティ＝４０；最適化＝２８；ギャップペナルティ−１２、ギャップ長ペナルティ＝−２、および幅＝１６。
【００４３】
パーセント配列同一性および配列類似性を決定するために適しているアルゴリズムのもう一つの好ましい例は、ＢＬＡＳＴおよびＢＬＡＳＴ ２．０アルゴリズムであり、これはアルツシュルら（Ａｌｔｓｃｈｕｌ、１９７７、Ｎｕｃ． Ａｃｉｄｓ． Ｒｅｓ． ２５：３３８９〜３４０２）およびアルツシュルら（Ａｌｔｓｃｈｕｌ、１９９０、Ｊ． Ｍｏｌ． Ｂｉｏｌ． ２１５：４０３〜４１０）にそれぞれ記載されている。ＢＬＡＳＴおよびＢＬＡＳＴ ２．０は、本明細書に記載のパラメータを用いて本発明の核酸およびタンパク質のパーセント配列同一性を決定するために用いられる。ＢＬＡＳＴ分析を実施するためのソフトウェアは、国立生物医学情報センター（ｈｔｔｐ：／／ｗｗｗ．ｎｃｂｉ．ｎｌｍ．ｎｉｈ．ｇｏｖ／）を通じて公式に入手できる。このアルゴリズムは、調べる配列において長さＷの短いワードを同定することによって、高いスコア配列対（ＨＳＰｓ）をまず同定することを含み、これはデータベース配列において同じ長さのワードと配置すると、マッチするか、または幾つかの陽性値閾値スコアを満たす。Ｔは隣接ワードスコア閾値と呼ばれる（アルツシュルら（Ａｌｔｓｃｈｕｌ）ら、上記）。これらの最初の隣接ワードヒットは、それらを含むより長いＨＳＰｓを発見する検索を開始するためのシードとして作用する。ワードヒットは、累積配置スコアを増加することができる限り、それぞれの配列に沿って両方向に拡大する。累積スコアは、ヌクレオチド配列に関してパラメータＭ（マッチ残基の対に関する報酬スコア；常に＞０）およびＮ（ミスマッチ残基のペナルティスコア；常に＜０）を用いて計算する。アミノ酸配列に関しては、採点マトリクスを用いて累積スコアを計算する。各方向でのワードヒットの拡大は、累積配置スコアがその最大達成値から量Ｘ低下した場合；１つもしくはそれ以上の陰性スコア残基配置の蓄積により、累積スコアがゼロもしくはゼロ以下になった場合；またはいずれかの配列の末端に達した場合、に停止する。ＢＬＡＳＴアルゴリズムパラメータＷ、Ｔ、およびＸは、配置の感度および速度を決定する。ＢＬＡＳＴＮプログラム（ヌクレオチド配列に関して）は、デフォルトとしてワード長（Ｗ）１１、予想（Ｅ）１０、Ｍ＝５、Ｎ＝４、および両鎖の比較を用いる。アミノ酸配列に関して、ＢＬＡＳＴＰプログラムは、デフォルトとしてワード長３、および予測（Ｅ）１０を用い、そしてＢＬＯＳＵＭ６２採点マトリクス（ヘニコフ＆ヘニコフ（Ｈｅｎｉｋｏｆｆ ＆ Ｈｅｎｉｋｏｆｆ）、１９８９、Ｐｒｏｃ． Ｎａｔｌ． Ａｃａｄ． Ｓｃｉ． ＵＳＡ ８９：１０９１５）は、配置（Ｂ）５０、予測（Ｅ）１０、Ｍ＝５、Ｎ＝４、および双方の鎖の比較を用いる。
【００４４】
ＢＬＡＳＴアルゴリズムはまた、２つの配列間の類似性の統計分析を行う（例えば、カーリン＆アルツシュル（Ｋａｒｌｉｎ ＆ Ａｌｔｓｃｈｕｌ）、１９９３、Ｐｒｏｃ． Ｎａｔｌ． Ａｃａｄ． Ｓｃｉ． ＵＳＡ ９０：５８７３〜５７８７を参照のこと）。ＢＬＡＳＴアルゴリズムによって提供された類似性の一つの測定は、最小総和確率（Ｐ（Ｎ））であり、これは２つのヌクレオチドまたはアミノ酸配列間のマッチが偶然に起こる確率の指標を提供する。例えば、試験核酸を参考核酸と比較した場合の最小総和確率が約０．２未満、より好ましくは約０．０１未満、および最も好ましくは約０．００１未満であれば、核酸は、参考配列と類似であると見なされる。
【００４５】
有用なアルゴリズムのもう一つの例は、ＰＩＬＥＵＰである。ＰＩＬＥＵＰは、関係とパーセント配列同一性を示すために、進行性の対の配置を用いて関連配列の群から多数の配列配置を作製する。これは同様に、配置を作製するために用いられる集合関係を示す樹状図またはデンドグラム（ｄｅｎｄｏｇｒａｍ）をプロットする。ＰＩＬＥＵＰは、フェン＆ドリトル（Ｆｅｎｇ ＆ Ｄｏｏｌｉｔｔｌｅ、１９８７、Ｊ． Ｍｏｌ． Ｅｖｏｌ． ３５：３５１〜３６０）の進行性配置方法を単純にしたものを用いる。用いる方法は、ヒギンス＆シャープ（Ｈｉｇｇｉｎｓ ＆ Ｓｈａｒｐ、１９８９、ＣＡＢＩＯＳ ５：１５１〜１５３）に記載の方法と類似である。プログラムは、３００配列までを配置することができ、各最大長は５，０００ヌクレオチドまたはアミノ酸である。多数の配置技法は、２つの最も類似の配列を対にして配置することによって開始し、２つの配置された配列の集団を形成する。次に、この集団を次に近縁の配列または配置した配列の集合体と配置する。２つの集合体の配列は、２つの個々の配列を対にした配置を単純に拡大することによって配置する。最終的な配置は、一連の進行性の対にした配置によって得られる。プログラムは、配列比較領域に関して、特定の配列、そのアミノ酸またはヌクレオチド整合性を指定することによって、およびプログラムパラメータを指定することによって、実行する。ＰＩＬＥＵＰを用いて、参考配列を他の試験配列と比較して、以下のパラメータを用いてパーセント配列同一性関係を決定する：デフォルトギャップ荷重（３．００）、デフォルトギャップ長荷重（０．１０）、および荷重末端ギャップ。ＰＩＬＥＵＰは、ＧＣＧ配列分析ソフトウェアパッケージ、例えばバージョン７．０（デベリュー（Ｄｅｖｅｒｅａｕｘ）ら、１９８４、Ｎｕｃ． Ａｃｉｄｓ． Ｒｅｓ． １２：３８７〜３９５）から得ることができる。
【００４６】
多数のＤＮＡおよびアミノ酸配列配置に適しているもう一つの好ましいアルゴリズムの例は、ＣＬＵＳＴＡＬＷプログラムである（トンプソン（Ｔｈｏｍｐｓｏｎ， Ｊ．Ｄ．）ら、１９９４、Ｎｕｃｌ． Ａｃｉｄｓ． Ｒｅｓ． ２２：４６７３〜４６８０）。ＣＬＵＳＴＡＬＷは、配列の群間の多数の対の比較を実行し、それらを相同性に基づく多数の配置に組み立てる。ギャップ開口およびギャップ伸長ペナルティはそれぞれ、１０および０．０５であった。アミノ酸を配置する場合、ＢＬＯＳＵＭアルゴリズムをタンパク質荷重マトリクスとして用いることができる（ヘニコフ＆ヘニコフ（Ｈｅｎｉｋｏｆｆ ＆ Ｈｅｎｉｋｏｆｆ）、１９８９、Ｐｒｏｃ． Ｎａｔｌ． Ａｃａｄ． Ｓｃｉ． ＵＳＡ ８９：１０９１５）。
【００４７】
「標識」は、分光的、光化学的、生化学的、免疫化学的、または化学的手段によって検出可能な組成物である。例えば、有用な標識には、３２Ｐ、蛍光色素、電子密度試薬、酵素（例えば、ＥＬＩＳＡにおいて一般的に用いられる）、ビオチン、ジゴキシゲニン、またはハプテン、およびそれに対する抗血清またはモノクローナル抗体が利用できるタンパク質が含まれる（例えば、配列番号：１のポリペプチドは、例えばペプチドに放射標識を組み入れることによって検出可能となりうる、またはペプチドと特異的に反応する抗体を検出するために用いることができる）。
【００４８】
本発明において用いられる「ソーティング」という用語は、例えば、蛍光活性化セルソーターを用いて行うことができる細胞の物理的ソーティングと共に、細胞表面マーカーの発現に基づく細胞分析、例えばソーティングを行わないＦＡＣＳ分析の両者を意味する。
【００４９】
「選択的に（または特異的に）ハイブリダイズする」という句は、ある分子が、その配列が複合混合物（例えば、総細胞またはライブラリＤＮＡまたはＲＮＡ）中に存在する場合に、ストリンジェントなハイブリダイゼーション条件下で特定のヌクレオチド配列に限って結合、二本鎖形成、またはハイブリダイズすることを意味する。
【００５０】
抗体に対して「特異的（または選択的に）結合する」という句は、タンパク質および他の生体物質の異種集団におけるタンパク質の存在を決定する結合反応を意味する。このように、指定されたイムノアッセイ条件下では、特定の抗体は、バックグラウンドの少なくとも２倍で特定のタンパク質に対して結合し、試料中に存在する他のタンパク質に対して有意な量で実質的に結合しない。
【００５１】
ペプチドに関して「特異的に結合する」または「特異的に結合する」という句は、標的分子に対して排他的または主に、中間的または高い結合親和性を有するペプチドを意味する。「特異的に結合する」という句は、タンパク質および他の生体物質の異種集団の存在下で標的タンパク質の存在を決定する結合反応を意味する。このように、指定されたアッセイ条件下では、特定の結合部分が特定の標的タンパク質に選択的に結合して、試験試料中に存在する他の成分に対して有意な量で結合しない。そのような条件での標的タンパク質に対する特異的結合は、特定の標的抗原に対するその特異性のために選択される結合部分を必要とする可能性がある。多様なアッセイフォーマットを用いて、特定のタンパク質と特異的に反応するリガンドを選択してもよい。例えば、固相ＥＬＩＳＡイムノアッセイ法、免疫沈降、バイアコア、およびウェスタンブロットを用いて、ＰＤＺドメイン含有タンパク質と特異的に反応するペプチドを同定する。典型的に、特異的または選択反応は、バックグラウンドシグナルまたはノイズの少なくとも２倍であり、より典型的にはバックグラウンドの１０倍以上である。一価ペプチドとＰＤＺ含有タンパク質との特異的結合は、結合親和性が少なくとも１０４ Ｍ−１であること、好ましくは１０５または１０６ Ｍ−１であることを意味する。
【００５２】
「同型相互作用」という句は、同じタンパク質のもう一つの分子に対する所定のタンパク質の結合を意味する（例えば、ｈＣＬＡＳＰ−２に対するｈＣＬＡＳＰ−２の結合）。「異型相互作用」という句は、異なるタンパク質または他の分子に対する所定のタンパク質の結合を意味する（例えば、ＰＤＺドメイン含有タンパク質に対するｈＣＬＡＳＰ−２の結合、またはＤＮＡに対する転写因子の結合）。
【００５３】
「免疫細胞応答」という句は、免疫細胞の移動、標的細胞の殺細胞、貪食、抗体産生、免疫応答の他の可溶性イフェクター等が起こる、免疫細胞に生化学変化を生じる、外界または内部刺激（例えば、抗原、サイトカイン、ケモカイン、および他の細胞）に対する免疫系細胞の反応を意味する。
【００５４】
「Ｂリンパ球反応」および「Ｂリンパ球活性」という用語は、Ｂリンパ球によって行われる免疫応答の成分を意味するために互換的に用いられる（すなわち、Ｂリンパ球の増殖および成熟、細胞表面免疫グロブリンに対する抗原の結合、抗原のインターアナライゼーション、およびＭＨＣ分子によるＴリンパ球への抗原提示、および抗体の合成と分泌）。
【００５５】
「Ｔリンパ球反応」および「Ｔリンパ球活性」という用語は、Ｔリンパ球に依存的な免疫応答の成分を意味するために互換的に用いられる（すなわち、Ｔリンパ球の増殖および／またはヘルパーＴ細胞、細胞障害性キラーＴ細胞、または抑制性Ｔリンパ球への分化、抗体産生を引き起こすまたは予防するＢリンパ球へのヘルパーＴリンパ球によるシグナルの提供、細胞障害性Ｔリンパ球による特異的標的細胞の殺細胞、および他の免疫細胞の機能を調節するサイトカインのような可溶性因子の放出）。
【００５６】
「免疫応答」という用語は、それによって、侵入する病原体、病原体に感染した細胞もしくは組織、癌様細胞、または自己免疫もしくは病理的炎症の場合には、正常なヒト細胞もしくは組織の選択的障害、破壊、またはヒト体内からの消失が起こる、リンパ球、抗原提示細胞、貪食細胞、顆粒球、および上記の細胞または肝臓によって産生される可溶性高分子の協調作用を意味する。
【００５７】
免疫応答の成分は、当業者に周知である様々な方法によってインビトロで検出してもよい。例えば、（１）細胞障害性Ｔリンパ球を放射活性標識標的細胞と共にインキュベートして、これらの放射活性の放出によってこれらの標的細胞の溶解を検出する、（２）ヘルパーＴリンパ球は、抗原および抗原提示細胞と共にインキュベートして、サイトカインの合成および分泌を標準的な方法によって測定する（ウィンドハーゲン（Ｗｉｎｄｈａｇｅｎ， Ａ．）ら、１９９５、Ｉｍｍｕｎｉｔｙ ２（４）：３７３〜８０）、（３）抗原提示細胞は全タンパク質抗原と共にインキュベートして、ＭＨＣ上の抗原提示をＴリンパ球活性化アッセイ法または生物物理的方法のいずれかによって検出することができる（ハーディング（Ｈａｒｄｉｎｇ）ら、１９８９、Ｐｒｏｃ． Ｎａｔｌ． Ａｃａｄ． Ｓｃｉ． ＵＳＡ ８６：４２３０〜４）、（４）肥満細胞をＦｃ−ε受容体と交叉反応する試薬と共にインキュベートして、ヒスタミン放出を酵素イムノアッセイ法によって測定することができる（シラガニアン（Ｓｉｒａｇａｎｉａｎ）ら、１９８３、ＴＩＰＳ ４：４３２〜４３７）。
【００５８】
同様に、モデル生物（例えば、マウス）またはヒト患者のいずれかにおける免疫応答の産物は、当業者に周知の様々な方法によっても検出することができる。例えば、（１）ワクチン接種に反応した抗体産生は、臨床検査において現在用いられる標準的な方法、例えばＥＬＩＳＡによって容易に検出することができる；（２）擦過部位上の遊走細胞を捕獲するために、皮膚の表面を剥離して、滅菌容器に入れることによって検出することができる（ピータース（Ｐｅｔｅｒｓ）ら、１９８８、Ｂｌｏｏｄ ７２：１３１０〜５）；（３）マイトゲンに対する反応またはリンパ球混合反応における末梢血単核球の増殖を３Ｈ−チミジンを用いて測定することができる；（４）ＰＢＭＣｓにおける顆粒球、マクロファージ、および他の貪食細胞の貪食能は、ＰＢＭＣｓを標識した粒子と共にウェルに加えることによって測定することができる（ピータース（Ｐｅｔｅｒｓ）ら、１９８８）；および（５）ＣＤ４およびＣＤ８のようなＣＤ分子に対する抗体によってＰＢＭＣｓを標識して、これらのマーカーを発現するＰＢＭＣｓの分画を測定することができる。
【００５９】
本明細書において用いられるように、「シグナル伝達経路」、または「シグナル伝達事象」という句は、少なくとも一つの生化学反応、しかしより一般的には、細胞と刺激化合物または物質との相互作用の結果である、一連の生化学反応を意味する。このように、刺激化合物と細胞との相互作用は、「シグナル」を生じ、これがシグナル伝達経路によって伝達されて、最終的に細胞反応、例えば、上記のような免疫応答が起こる。
【００６０】
シグナル伝達経路は、細胞のある部分からのシグナルを細胞の他の部分に伝達するために何らかの役割を果たす多様なシグナル伝達分子の生化学的関係を意味する。本発明のシグナル伝達分子には、例えば、ＣＬＡＳＰ−２の細胞外および細胞内ドメインが含まれる。本明細書において用いられるように、「細胞表面受容体」という句は、シグナルを受領することができ、細胞の細胞質膜を通過してシグナルを伝達することができる分子および分子の複合体を含む。本発明の「細胞表面受容体」の例は、Ｔ細胞受容体（ＴＣＲ）である。本明細書において用いられるように、「細胞内シグナル伝達分子」という句には、細胞の細胞質を通っての細胞の細胞質膜から、および場合によっては細胞の核へのシグナルの伝達を含む分子または分子の複合体が含まれる。本発明において、ＣＬＡＳＰ−２は、「細胞内シグナル伝達分子」と呼ぶことができるが、「シグナル伝達分子」と呼ぶことも可能である。
【００６１】
細胞におけるシグナル伝達経路は、細胞の内部または外部の刺激物質と細胞の相互作用によって開始することができる。外部（すなわち、細胞外）刺激物質（例えば、抗原提示細胞上のＭＨＣ抗原複合体）が、細胞表面受容体（例えば、Ｔ細胞受容体）と相互作用すれば、シグナル伝達経路は、シグナルを、細胞膜を通過させて、細胞の細胞質の中を通過させて、場合によっては核へ伝達することができる。内部（例えば細胞内）刺激物質が細胞内シグナル伝達分子と相互作用すれば、シグナル伝達経路によって、シグナルが細胞の細胞質の中を通過し、そして場合によっては細胞の核への伝達が起こりうる。
【００６２】
シグナル伝達は、例えば、分子のリン酸化；非共有結合アロステリック相互作用；分子の複合体形成；分子のコンフォメーション変化；カルシウム放出；イノシトールリン酸産生；タンパク質分解的切断；環状ヌクレオチド産生、およびジアシルグリセリド産生によって起こりうる。典型的に、シグナル伝達は、シグナル伝達分子をリン酸化することによって起こる。本発明に従って、ＣＬＡＳＰ−２シグナル伝達経路は、一般的にＣＬＡＳＰ−２タンパク質が、関与する受容体、ＰＫＣ基質、Ｇタンパク質、およびその他の分子を含む経路を調節する経路を意味する。
【００６３】
５．１  緒言
本発明は、細胞骨格と免疫の出入口のシグナル伝達装置を構築するために適当な特性を示すエンドドメインを含む、ＣＬＡＳＰファミリーの新しいメンバーである新規膜貫通タンパク質ＣＬＡＳＰ−２に関する。
【００６４】
ＣＬＡＳＰ−２は、免疫系の細胞、例えば、Ｔ細胞およびＢ細胞と共に免疫以外の細胞において機能する。ＣＬＡＳＰ−２タンパク質は、多様な細胞プロセス、特に免疫機能に関係するプロセス、Ｔ細胞およびＢ細胞相互作用の調節、Ｔ細胞活性化、およびシグナル伝達、細胞骨格相互作用、および膜構築を含む「免疫シナプス」の構築、確立および維持において機能する（ダスティン（Ｄｕｓｔｉｎ）ら、１９９９、Ｓｃｉｅｎｃｅ ２８３：６８０〜６８２；ポール（Ｐａｕｌ）ら、１９９４、Ｃｅｌｌ ７６：２４１〜２５１；ダスティン（Ｄｕｓｔｉｎ）ら、１９９６、Ｊ． Ｉｍｍｕｎｏｌ． １５７：２０１４；ダスティン（Ｄｕｓｔｉｎ）ら、１９９８、Ｃｅｌｌ ９４：６６７）。
【００６５】
特定のメカニズムに拘束される、またはいずれにせよ制限されるつもりはないが、ＣＬＡＳＰ−２タンパク質は、抗原提示の際に細胞・細胞接触の結合部位または出入り口を作製する「免疫の出入口」と呼ばれるリンパ球オルガネラの成分であると考えられている。ＣＬＡＳＰ−２の細胞質ドメインは、Ｔ細胞の先端で小片を構築すると考えられている。カルボキシ末端コード配列は、ＰＤＺドメインタンパク質および細胞骨格タンパク質（例えば、スペクトリンまたはアンキリン）との相互作用を媒介して、ＣＬＡＳＰ−２を微小管ネットワークに接続して上記の微小管構築中心（「ＭＯＴＣ」）の真上で分極構造で受容体を保持する。このように、Ｔ細胞がＡＰＣとして作用するＢ細胞と連動すると、ＣＬＡＳＰ−２分子がもう一つの分子と連動して二つの細胞を結合させて、免疫シナプスを構築する。
【００６６】
ＣＬＡＳＰ−２タンパク質の発現の調節、ＣＬＡＳＰ−２タンパク質相互作用の他のタンパク質による妨害または増強は、多くの有益な生理作用、例えば抗原に反応したシグナル伝達の変化、抗原に対するＴおよびＢ細胞応答の変化、およびＴ細胞活性化の調節を有する。一つの局面において、ＣＬＡＳＰ−２細胞外ドメインを標的として（例えば、抗ＣＬＡＳＰ−２抗体、可溶性ＣＬＡＳＰ−２断片等を用いて）Ｔ細胞活性化を調節する（およびこのように、免疫応答を調節する）。ＣＬＡＳＰ−２機能を破壊することによって治療することができる障害には、多発性硬化症、若年性糖尿病、リウマチ性関節炎、天疱瘡、類天疱瘡、後天性表皮水疱症、狼瘡、子宮内膜症、毒血症、または妊娠性高血圧症、そう痒性丘疹状蕁麻疹、および妊娠性溶血斑（ＰＵＰＰＰ）、妊娠性疱疹、疱疹状膿か疹、妊娠痒み、胎盤関連障害、およびＲｈ不適合が含まれるが、これらに限定しない。
【００６７】
もう一つの局面において、本発明は、ＣＬＡＳＰ−２発現およびＣＬＡＳＰ−２発現細胞を検出する方法および試薬を提供する。異常な発現パターンまたは発現レベルは、免疫および他の障害を診断する。例えば、血液中または他の臓器におけるリンパ球の過剰産生または枯渇を特徴とする疾患は、生体試料（例えば、末梢血）中のＣＬＡＳＰ−２ポリペプチドまたはｍＲＮＡのレベル、例えばＣＬＡＳＰ−２発現細胞の数またはパーセントをモニターすることによって検出してもよい。Ｔ細胞の過剰産生を特徴とする疾患には、例えば、白血病（ＡＬＬおよびＣＬＬの両者）、リンパ腫（非ホジキンリンパ腫、バーキットリンパ腫、菌状息肉腫およびセザリー症候群）、ＥＢＶ、ＣＭＶ、トキソプラズマ症、梅毒、腸チフス、ブルセラ症、結核、インフルエンザ、肝炎、血清病、および甲状腺薬中毒症が含まれる。Ｔ細胞の枯渇に関連した疾患には、例えば、ＨＩＶおよび骨髄異形成が含まれる。Ｂ細胞の過剰産生に関連した疾患には、例えば白血病（ＡＬＬとＣＬＬの両者）、非ホジキンリンパ腫、バーキットリンパ腫、骨髄腫、ＥＢＶ、ＣＭＶ、トキソプラズマ症、梅毒、腸チフス、ブルセラ症、結核、インフルエンザ、肝炎、血清病および甲状腺薬中毒症が含まれる。Ｂ細胞枯渇に関連した疾患には、例えば、骨髄異形成が含まれる。
【００６８】
５．２  ＣＬＡＳＰ−２ ｃＤＮＡおよびポリペプチドの構造
ＣＬＡＳＰ−２タンパク質は、もう一つのエキソンを使用することによって生じた（すなわち、スプライシング変種の産生）多数の型を特徴とするＩ型膜貫通糖タンパク質である。天然に存在する一つの型において、ＣＬＡＳＰ−２は、図１に示す構造を有する。しかし、下記に詳細に考察するように、ＣＬＡＳＰ−２遺伝子は、ｍＲＮＡのもう一つのスプライシングによって多様な遺伝子産物をコードする。図２は、ヒトＣＬＡＳＰ−２ポリペプチドのヌクレオチド配列および概念的翻訳を示す。
2004535751.tif 000003
特に言及していなければ、「ヒトＣＬＡＳＰ−２（ｈＣＬＡＳＰ−２）」という句は、本明細書において、ｈＣＬＡＳＰ−２Ａ、ｈＣＬＡＳＰ−２Ｂ、ｈＣＬＡＳＰ−２Ｃ、およびｈＣＬＡＳＰ−２Ｅを意味する。「ｈＣＬＡＳＰ−２Ｄ」ｃＤＮＡはまた、ＫＩＡＡ１０５８としても知られ、これはキクノら（Ｋｉｋｕｎｏ、ＤＮＡ Ｒｅｓ． ６、１９７〜２０５）によって未知機能のタンパク質をコードする脳からのｃＤＮＡとして記述された。
【００６９】
ＣＬＡＳＰ−２ポリペプチドは典型的に、約１２０残基のリーダー配列を含み、その後にカドヘリンタンパク質分解切断シグナルＲＸＸＲ、細胞外ドメイン、膜貫通ドメイン、および細胞内ドメインを含む。本発明は、配列番号：１の配列を有するポリヌクレオチドまたはその断片を提供し、および配列番号：２の配列を有するポリペプチドまたはその断片を提供する。さらに、本発明は、ｈＣＬＡＳＰ−２ゲノム配列を含むポリヌクレオチド、他の種からのＣＬＡＳＰ−２相同体、ｈＣＬＡＳＰ−２の天然に存在する対立遺伝子、および本明細書に記載のｈＣＬＡＳＰ−２変種を含むポリヌクレオチド、ならびにＣＬＡＳＰ−２ポリヌクレオチド、ポリペプチド、抗体およびその他の試薬を用いる方法を提供する。
【００７０】
５．２．１  ＣＬＡＳＰ−２ポリペプチドドメイン
図１に示すように、天然に存在する１つのＣＬＡＳＰ−２ ｃＤＮＡは、幾つかの構造的および機能的ドメインと明確な配列モチーフを特徴とするポリペプチドをコードする。実践者に手引きを提供するために、構造的特徴を下に記述する。しかし、本発明は、これらのドメインまたはモチーフの全てまたは如何なる特定のものも含むポリペプチドに限定されないと理解すべきである。例えば、本発明のＣＬＡＳＰ−２融合タンパク質は、ＣＬＡＳＰ−２の細胞外ドメインのみを含む。同様に、配列番号：２のＣＬＡＳＰ−２Ａポリペプチドは、ＣＬＡＳＰ−２ＢおよびＣＬＡＳＰ−２Ｃポリペプチドに認められるＩＴＡＭモチーフ（下記に考察）を有しない。
【００７１】
ＣＬＡＳＰ−２ポリペプチド（およびｍＲＮＡの対応する領域）の構造的（および機能的）に異なるドメインは、部分的に、ＣＬＡＳＰ−２遺伝子産物の活性または発現に影響を及ぼすために（例えば、免疫応答を調節するために）それらが個々にターゲティングされる、または改変される（例えば、欠失または変異）ことから、重要であると認識される。例えば、ＣＬＡＳＰ−２タンパク質の細胞外ドメインは、ＣＬＡＳＰ−２発現細胞（例えば、Ｔ細胞）と、ＣＬＡＳＰ−２が結合するタンパク質（すなわちＣＬＡＳＰ−２リガンド）を示す第二の細胞（例えば、Ｂ細胞）との相互作用を遮断するためにターゲティングすることができる（例えば、抗ＣＬＡＳＰモノクローナル抗体を用いて）。同様に、細胞内ドメイン（例えば、ＩＴＡＭ、またはＤＯＣＫ、下記参照）は、細胞外リガンド結合を妨害することなく、シグナル伝達を妨害するようにターゲティングすることができる。
【００７２】
一般的に、ＣＬＡＳＰ−２発現またはＣＬＡＳＰ−２ポリペプチド機能を阻害すれば、例えば、免疫シナプスの形成に影響を及ぼすことによってＴ細胞活性化の閾値を変化させることを含む、免疫機能の調節が起こるであろう。免疫機能の調節は、当技術分野で既知で、本明細書に記載の多くのアッセイ法によってスクリーニングおよび定量することができる（第５．１４章も参照のこと）。
【００７３】
５．２．１．１．  シグナルペプチド
図１に示すヒトＣＬＡＳＰ−２配列は、翻訳開始部位の可能性がある部位２個をコードする。第一の予想されるメチオニンは、ヌクレオチド２７８位（ＡＴＧ）に現れる。第二のメチオニンは、ヌクレオチド４７６位に現れる。いずれも、翻訳を開始するために許容されるコンセンサス配列を有する（Ａ／ＧｘｘＡＴＧＧ；コザック（Ｋｏｚａｋ， Ｍ．）、１９９６、Ｍａｍｍ． Ｇｅｎｏｍｅ ７（８）：５６３〜７４）。第二のメチオニンで始まるポリペプチドはまた、シグナル配列予想プログラムであるシグナルＰによってタンパク質を分泌経路に配置することができるシグナルペプチドをコードすると予想される（ニールセン（Ｎｉｅｌｓｅｎ， Ｈ．）ら、１９９７、Ｐｒｏｔｅｉｎ Ｅｎｇ． １０（１）：１〜６）。第一のメチオニンで始まるポリペプチドは、シグナル配列を含まないと予想される；しかし。シグナル予測のコンセンサスは、既知のシグナル配列に関して８０〜９０％正確であるに過ぎない。翻訳開始部位の第三の可能性は、図１に記載したｃＤＮＡが不完全であり、もう一つのメチオニンがインフレームで、図１に示す配列の上流にコードされるという点である。
【００７４】
５．２．１．２．  細胞外ドメイン
ＣＬＡＳＰ−２細胞外ドメインは、１つのカドヘリンＥＣ様モチーフを特徴とする（ピゴット＆パワー（Ｐｉｇｏｔｔ， Ｒ． ＆ Ｐｏｗｅｒ， Ｃ．）、１９９３、「接着分子ファクトブック（ｆａｃｔｂｏｏｋ）」、アカデミック出版、６頁；ジャクソン＆ラッセル（Ｊａｃｋｓｏｎ， Ｒ．Ｍ． ＆ Ｒｕｓｓｅｌｌ， Ｒ． Ｂ．）、２０００、Ｊ． Ｍｏｌ． Ｂｉｏｌ． ２９６：３２５〜３４）。幾つかの非常に保存されたシステインと共に様々なグリコシル化シグナルが、細胞外ドメインに認められる。その細胞外ドメインを通じて、ＣＬＡＳＰ−２は、同型および／または異型的にリガンドと相互作用して、ＴＣＲ、ＭＨＣクラスＩ、ＭＨＣクラスＩＩ、ＣＤ３複合体ならびにＣＤ４、ＣＤ３、ＩＣＡＭ−１、ＬＦＡ−１およびその他のアクセサリ分子のような分子と結合して免疫シナプスを確立する可能性がある。多くのカドヘリンは、細胞質膜に局在する前に除去されるアミノ酸約５０〜１５０個のプロドメインを含む。この切断は、ＲＫＱＲのコンセンサス配列でフリン（ポスタウスら（Ｐｏｓｔｈａｕｓ， Ｈ．）、１９９８、ＦＥＢＳ Ｌｅｔｔ． ４３８：３０６〜１０）によって行われると想定される。フリンは、特定のカドヘリンの成熟に少なくとも部分的に関与しているプロテアーゼである。ＣＬＡＳＰ−２は、ヌクレオチド９４５〜９５７位に配列ＲＮＱＲ配列を有する。相同性によって、この領域は、ｈＣＬＡＳＰ−２Ａの予想タンパク質開始部位の中のアミノ酸約１２０個である。この領域は、プロドメインである可能性があり、ＣＬＡＳＰ−２の機能、またはＣＬＡＳＰ−２機能の局面のためには、切断する必要がある可能性がある。
【００７５】
細胞外ドメインに対して作製された抗体を、ＣＬＡＳＰ−２を発現する細胞に加えることができる。これらの抗体は、ＣＬＡＳＰ−２と可能性があるリガンドとの相互作用を阻害するか、またはこれらの相互作用を安定化させることができる。例えば、本明細書に記載および記述した当技術分野で既知の如何なるイムノアッセイ法も用いて、このアプローチによって生じる免疫機能の調節を評価してもよい。
【００７６】
同様に、ＣＬＡＳＰ−２の細胞外ドメインの一部は、可溶性タンパク質として発現することができる。この可溶性タンパク質は、ＣＬＡＳＰ−２を発現する細胞に加えることができる。これらのタンパク質は、可能性があるリガンドと相互作用して、内因性ＣＬＡＳＰ−２とのその結合を競合的に阻害する可能性がある。これは、本明細書に記載のイムノアッセイ法によってＣＬＡＳＰ−２機能を調節しうる。組換えタンパク質は、ＣＬＡＳＰ−２相互作用を正または負に妨害しうる。
【００７７】
５．２．１．３．  膜貫通ドメイン
ＣＬＡＳＰ−２予想アミノ酸配列は、膜貫通ヘリックスを予測するＰＨＤｈｔｍ分析ソフトウェアを用いて分析した（ロスト（Ｒｏｓｔ， Ｂ）ら、１９９６、Ｐｒｏｔ． Ｓｃｉｅｎｃｅ ７：１７０４〜１７１８）。ＰＰＨＤｈｔｍ分析ソフトウェアを用いて、膜貫通ドメインは、アミノ末端近傍に位置する他の３つの可能性がある膜貫通ドメインと共に、ヌクレオチド２８６１〜２９１７位（図１を参照）に存在することが決定された。
【００７８】
５．２．１．４．  細胞内ドメイン
ＣＬＡＳＰ−２細胞内ドメインは、幾つかのタイプのタンパク質ドメインに対応するモチーフを含む。特異的ＣＬＡＳＰ−２（すなわち、特異的ファミリーメンバーまたはスプライシング変種）に応じて、ドメインの全てまたはごく一部が存在しうる。アミノ末端からカルボキシ末端方向に記載すると、ドメインは：（１）ＩＴＡＭ（チャン（Ｃｈａｎ）ら、１９９４、Ａｎｎａｌ． Ｒｅｖｉｅｗ ｏｆ Ｉｍｍｕｎｏｌｏｇｙ １２：５５５〜５９２）、（２）新たに発見されたＤＯＣＫ／ＣＬＡＳＰ−２モチーフ、（３）多重らせんモチーフ、および（４）Ｃ末端ＰＤＺ結合モチーフ（ＰＢＭ）（ＰＤＺリガンドまたは「ＰＬ」とも呼ばれる）を含む。
【００７９】
５．２．１．５．  ＩＴＡＭ
免疫受容体チロシン骨格活性化モチーフ（ＩＴＡＭモチーフ；ＡＲＡＭ、または抗原認識活性化モチーフとしても知られる）は、ＴおよびＢ細胞の抗原受容体、ならびに他の白血球上のＦｃ受容体の中に含まれるモチーフであり、これらの細胞における適切な活性化およびシグナル伝達にとって必要である。それらは、コンセンサス配列ＹＸＸＬ／Ｉ−Ｘ７／８−ＹＸＸＬ／Ｉを特徴とし（グルクザ（Ｇｒｕｃｚａ）ら、１９９９、Ｂｉｏｃｈｅｍｉｓｔｒｙ ３８：５０２４〜５０３３）、通常、アミノ酸６〜８個離れている（ワトソン（Ｗａｔｓｏｎ）ら、１９９８、Ｉｍｍｕｎｏｌ． Ｔｏｄａｙ １９：２６０〜２６４；イサコフ（Ｉｓａｋｏｖ）、Ｊ． Ｌｅｕｋｏｃ． Ｂｉｏｌ． ６１：６〜１６）。ＩＴＡＭは、白血球のシグナル伝達に関与するＬｙｎのようなｓｒｃファミリーのチロシンキナーゼによるチロシンリン酸化能によって、細胞内調節モチーフとして用いられる。リン酸化されると、ＩＴＡＭはＳＨ２含有タンパク質の高親和性結合部位として作用する。ＺＡＰ−７０、Ｓｙｋ、Ｌｙｎ、Ｓｈｃ、ＰＩ３キナーゼ、およびＧｒｂ２を含むシグナル伝達成分は、ＳＨ２ドメインを含み、ＩＴＡＭｓに結合することが示されている（クレメンツ（Ｃｌｅｍｅｎｔｓ）ら、１９９９、Ａｎｎｕ． Ｒｅｖ． Ｉｍｍｕｎｏｌ． １７：８９〜１０８）。これによって、ＩＴＡＭ含有モチーフは白血球における細胞内シグナル調節の中心的役割を有する。白血球のシグナル伝達におけるＩＴＡＭモチーフは、他のシグナル伝達成分が結合して、伝達を媒介するために適切に配置された場合の一次的な足場として作用することによってシグナル伝達（例えば、チロシンキナーゼシグナル伝達）を促進しうる。ＩＴＡＭモチーフはしばしば、タンパク質において複数現れるが、１セットのＹＸＸＬ／Ｉのみでも、弱いがＰＴＫ経路のシグナルを伝達できることが知られている。
【００８０】
ＣＬＡＳＰ−２タンパク質は典型的に、アミノ酸３または１３個離れてＩＴＡＭ ＹＸＸＬ／Ｉモチーフ（Ｘは如何なるアミノ酸でもよい）を有する。様々な態様において、本発明のＣＬＡＳＰ−２ポリペプチドは、表１に示すモチーフの１つまたはそれ以上を特徴とする。
【００８１】
【表１】
2004535751.tif 000004
【００８２】
ＣＬＡＳＰｓタンパク質に多数のＩＴＡＭモチーフが存在することは、それらが多数のシグナル伝達成分（例えば、ＺＡＰ−７０／Ｓｙｋ、Ｓｈｃ、ＰＩ３キナーゼおよびＧｒｂ２）に関係する可能性があることを示している。一般的に、ＣＬＡＳＰタンパク質におけるＩＴＡＭモチーフは、保存的アミノ酸置換（すなわち、イソロイシンまたはロイシンの代わりにバリン）を有する幾つかのモチーフを有する基準ＩＴＡＭモチーフと同一にマッチする。他のＩＴＡＭｓに関して先に記述したように、ＣＬＡＳＰｓを有するＩＴＡＭはＺＡＰ−７０、Ｓｙｋ、Ｓｈｃ、ＰＩ３キナーゼおよびＧｒｂ２を含むＳＨ２含有タンパク質に結合することができる。ＣＬＡＳＰｓは、細胞外ドメインを有するため、ＣＬＡＳＰｓタンパク質は、その細胞外ドメインの関係を通じてシグナル伝達カスケードを独立して開始することができる。そうでなければ、ＣＬＡＳＰｓは、抗原受容体シグナル伝達複合体（例えば、ＣＤ３／ＴＣＲ、ＢＣＲ、ＦｃＲとの複合体）と協調して、チロシンキナーゼシグナル伝達を促進する可能性がある。
【００８３】
ＩＴＡＭｓは、ＳＨ２ドメインに関して異なる結合特異性および親和性を証明した（クレメンツ（Ｃｌｅｍｅｎｔｓ）ら、１９９９、Ａｎｎ． Ｒｅｖ． Ｉｍｍｕｎｏｌ． １７：８９〜１０８）。例えば、Ｓｈｃ、ＰＩ３キナーゼ、およびＧｒｂ２は二およびモノリン酸化ＩＴＡＭｓに対して異なる親和性で結合する。このように、ＣＬＡＳＰｓにおけるＩＴＡＭｓは、そのリン酸化状態に応じてシグナル伝達における定性的差と共に定量的差を提供すると共に、特異的タンパク質相互作用、したがって白血球における特異的チロシンキナーゼ媒介シグナル伝達経路を阻害または増強すると考えられている。
【００８４】
ＰＴＫ−ＣＬＡＳＰ−２相互作用に拮抗すること（例えば、ＣＬＡＳＰ−２のリン酸化）は、免疫機能を阻害するであろう。一つの態様において、ＩＴＡＭを有するヒトＣＬＡＳＰｓとその結合パートナーとの相互作用は、ＩＴＡＭ依存的リンパ球活性化を負に調節することが示されているシグナル調節タンパク質のαサブタイプ（ＳＩＲＰα）によって拮抗されると考えられている（リーナード（Ｌｉｅｎａｒｄ， Ｈ．）、１９９９、Ｊ． Ｂｉｏｌ． Ｃｈｅｍ． ２７４：３２４９３〜９）。同様に、免疫受容体チロシン骨格阻害モチーフ（ＩＴＡＭ）受容体の最近認識されたファミリーは、免疫コンピテント細胞のＩＴＡＭ誘導活性化を阻害すると考えられており（ジョージリー（Ｇｅｒｇｅｌｙ）ら、１９９９、Ｊ． Ｉｍｍｕｎｏｌ． Ｌｅｔｔ． ６８：３〜１５）、したがって、ＣＬＡＳＰ−パートナー相互作用を阻害する可能性がある。
【００８５】
５．２．１．６．  ＤＯＣＫ
ＣＬＡＳＰ−２ポリペプチドは、これまで科学文献に記載されていない新規「ＤＯＣＫ」モチーフを含む。ＣＬＡＳＰ ＤＯＣＫモチーフには、領域Ａ、Ｂ、Ｃ、Ｄ、およびＧにおいて保存配列に取り囲まれた一連の５個のチロシンが含まれる（図５Ｂ参照）。同様に、アミノ酸９個（Ｐ＋ＥＸＡＩ＋ＸＭ）および（ＬＸＭＸＬ＋ＧＸＶＸＸＸＶＮＸＧ）（Ｘは如何なるアミノ酸でもよい）離れた高度に保存された２つの非チロシン含有領域（ＥおよびＧ）が存在する。
【００８６】
ＩＴＡＭドメインの直後のＣＬＡＳＰ−２の細胞質領域は、いわゆる「ＤＯＣＫ」タンパク質のカルボキシ末端の３分の１と配列類似性を示す。ＤＯＣＫ遺伝子ファミリーは、アポトーシスに関与することが知られているＣ． エレガンス（Ｃ． ｅｌｅｇａｎｓ）のＣＥＤタンパク質のヒト相同体である３つの分子を含む。主要なＣＲＫ結合タンパク質であるＣＥＤ−５（ＤＯＣＫ１８０）は、膜に移動すると細胞の形態を変化させ（清掃細胞が取り囲んだ際に示す膜の運動を媒介する）、死につつある細胞を包み込む；その機能は、ヒトＤＯＣＫ１８０によって部分的に救済することができる（ウ（Ｗｕ）ら、１９９８、Ｎａｔｕｒｅ ３９２：５０１〜５０４）。ショウジョウバエにおける筋原細胞シティ（ＭＢＣ）は、ＤＯＣＫタンパク質ファミリーのもう一つのメンバーであり、筋原細胞融合に関与することが判明した（エリクソン（Ｅｒｉｃｋｓｏｎ）ら、１９９７、Ｊ． Ｃｅｌｌ Ｂｉｏｌ． １３８：５８９）。ＣＬＡＳＰ−２発現は、胎盤、筋肉、および心臓のような合胞体組織に認められるため、ＣＬＡＳＰ−２は、細胞融合の媒介または阻害に関与すると考えられている。
【００８７】
ＤＯＣＫファミリーは、細胞形状の制御に関与している。ＤＯＣＫ１は、紡錘細胞にトランスフェクトさせると、それらを平坦にして多角形にすることができる（タカイ（Ｔａｋａｉ）ら、１９９６、Ｇｅｎｏｍｉｃｓ ３５：４０３〜３０３）。ＤＯＣＫ１発現は、造血細胞を除いて広く存在する。ＤＯＣＫ２は、造血細胞に発現され、紡錘細胞にトランスフェクトすると、それらを丸くすることができる（ニシハラ（Ｎｉｓｈｉｈａｒａ， Ｈ．）、１９９９、Ｈｏｋｋａｉｄｏ Ｉｇａｋｕ Ｚａｓｓｈｉ ７４：１５７〜６６）。ＤＯＣＫ２は、末梢血リンパ球、胸腺、脾臓、および肝臓に発現される。
【００８８】
５．２．１．７．  多重らせん
ＣＬＡＳＰ−２ｓは、２つの多重らせんドメイン（ルーパス（Ｌｕｐａｓ）ら、１９９１、Ｓｃｉｅｎｃｅ ２５２：１１６２〜６４；ルーパス（Ｌｕｐａｓ， Ａ．）、１９９６、Ｍｅｔｈ． Ｅｎｚｙｍｏｌｏｇｙ ２６６：５１３〜５２５）を有する。多重らせんドメインは、細胞骨格と直接相互作用することが知られており、ＣＬＡＳＰ−２タンパク質は細胞骨格と直接相互作用することを示している。このように、ＣＬＡＳＰ−２は細胞骨格タンパク質、例えば、スペクトリン、アンキリン、ｈｓｐ７０、タリン、エズリン、トロポミオシン、ミオシン、プレクチン、シンデカン、パラレミン、バンド３タンパク質、細胞骨格タンパク質４．１、チロシンフォスファターゼＰＴＰ３６、および他の分子に結合すると考えられている。
【００８９】
５．２．１．８．  ＰＤＺリガンド
ＣＬＡＳＰ−２タンパク質は、タンパク質のＣ末端においてＰＤＺリガンドモチーフ（「ＰＢＭ」または「ＰＬ」）を含む。この短い（アミノ酸３〜８個）モチーフは、モチーフのカルボキシ末端で終了するタンパク質（最も一般的にＳ／Ｔ−Ｘ−Ｖ−遊離のカルボキシ末端）と、１つまたはそれ以上の特異的ＰＤＺドメインを含む他のタンパク質との結合を媒介する（ＰＤＺリガンド構造の考察に関しては、ソンヤン（Ｓｏｎｇｙａｎｇ）ら、１９９７、Ｓｃｉｅｎｃｅ ２７５：７２、およびドイル（Ｄｏｙｌｅ）ら、１９９６、Ｃｅｌｌ ８５：１０６７を参照のこと）。
【００９０】
ＰＤＺドメイン含有タンパク質は、神経シナプスでのイオンチャネルと受容体の構築、ならびに膜貫通受容体のＣ末端との結合によって上皮細胞における極性の確立および維持に関与している。ＰＤＺドメイン含有タンパク質は、免疫系の細胞においてタンパク質・タンパク質相互作用を媒介することができる（例えば、ＤＬＧ１は、ヒトＴリンパ球においてリンパ球カリウムチャネルＫＶ１．３に結合する）（ハナダ（Ｈａｎａｄａ）ら、１９９７、Ｊ． Ｂｉｏｌ． Ｃｈｅｍ． ２７２：２６８９９）。
【００９１】
ＣＬＡＳＰ−２が３つの近縁タンパク質のＰＤＺドメインと相互作用するという生化学的証拠を図９Ａ〜Ｄに示す。図９Ａは、ＣＬＡＳＰ−２のＣ末端アミノ酸２０個がＰＳＤ−９５、ＮｅＤＬＧ、およびＤＬＧ１に結合するが、ＴＩＡＭ−１タンパク質のＰＤＺドメインには結合しないことから、相互作用の特異性を示している。図９Ｂは、相互作用の親和性を示す。特に、最高の親和性相互作用は、ＣＬＡＳＰ−２とＮｅＤＬＧのあいだに起こり、特異的結合親和性は少なくとも１０４ Ｍ−１である。マイクロモル範囲の親和性は、他の生物学的に重要なＰＤＺリガンド相互作用においても認められている。図９ＣはＣＬＡＳＰ−２の短い断片（Ｃ末端アミノ酸８個）またはＫＶ１．３のＣ末端のいずれかを用いた、ＣＬＡＳＰ−２・ＰＤＺ相互作用の阻害能を示している。上記のように、ＫＶ１．３は、生存リンパ球においてＤＬＧ１に結合することが知られている。図９Ｄは、ＣＬＡＳＰ−２とＫＶ１．３がＰＤＺ結合を競合することを示している；すなわちＫＶ１．３がＣＬＡＳＰ−２結合を阻害するのみならず、ＣＬＡＳＰ−２も同様にＫＶ１．３結合を阻害する。ＣＬＡＳＰ−２のＣ末端残基８個が、ＣＬＡＳＰ−２とＫＶ１．３の両者と選択されたＰＤＺドメインとの相互作用を阻害することができることは、ＣＬＡＳＰ−２のＣ末端アミノ酸８個に関連する化合物が、細胞に導入されると、リンパ様組織およびこれらのタンパク質を発現する他の組織（心臓、肺、および腎臓を含む）の機能に関係する多数のタンパク質・タンパク質相互作用における変化を媒介することを示唆している。
【００９２】
ＣＬＡＳＰ−２のＣ末端アミノ酸８個を細胞に導入すると、細胞機能に影響を及ぼしうるという証拠は、これらのアミノ酸を細胞に、例えばＨＩＶ由来ＴＡＴ輸送体ペプチド配列との融合体として導入した実験に由来する。ＴＡＴ−ＣＬＡＳＰ−２融合ペプチドをジャーカットＴリンパ球に加えて（ＴＡＴペプチド単独を用いた対照と比較して）、カルシウム指示色素フルオ−４を用いて測定すると、細胞内カルシウム濃度に微妙な時間依存的変化が起こる。これらの結果は、ＴＡＴ−ＣＬＡＳＰ−２融合体がＴ細胞イオン流入を変化させるという仮説と一致する。特に、結果は、ＣＬＡＳＰ−２のＣ末端配列が基礎細胞内カルシウム濃度をわずかに増加させ、抗ＣＤ３抗体による細胞の活性化時のカルシウムのこれに比例した増加をわずかに減少させうることを示している。そのような変化は、Ｔ細胞活性化関連ＣＬＡＳＰ−２タンパク質とＫＶ１．３カリウムチャネルの局在を破壊する化合物に関して予測されるであろう。Ｔ細胞カルシウム流入に小さい変化が起こった結果、細胞の機能的活性に大きい変化が起こりうる（ウルフフィング（Ｗｕｌｆｉｎｇ）ら、１９９７、Ｊ． Ｅｘｐ． Ｍｅｄ． １８５：１８１５）。
【００９３】
５．２．１．９．  免疫応答の調節
上記の通り、ＣＬＡＳＰ−２タンパク質は免疫シナプスの形成に影響を及ぼすことにより、さまざまな様式でさまざまな機序（すなわち、Ｔ細胞の活性化のための閾値の変化）を通じて免疫機能を調節する。免疫シナプスの成立および維持には（Ａ）シグナル伝達、（Ｂ）細胞間相互作用、および（Ｃ）膜構成が関与しうる。
【００９４】
（Ａ）シグナル伝達
上記の考察の通り、ヒトＣＬＡＳＰタンパク質はＳＨ３ドメインおよびチロシンリン酸化部位を含む。これらの領域は、リンパ球を含む種々の細胞においてシグナル伝達に関与することが示されている。このため、ヒトＣＬＡＳＰタンパク質は、免疫応答の調節につながるシグナル伝達事象の際にこれらの領域と相互作用すると考えられている。
【００９５】
ＣＬＡＳＰタンパク質は、Ｔｅｃサブファミリーに属する非受容体型チロシンキナーゼと相互作用しうる。非受容体型チロシンキナーゼのＴｅｃサブファミリーはＴｅｃ、Ｂｔｋ、Ｔｓｋ／Ｉｔｋ／Ｅｍｔ ＩｔｋおよびＢｍｘからなり、触媒ドメインに隣接したＳＨ３およびＳＨ２ドメイン、ならびにプレクストリン相同（ＰＨ）ドメイン、Ｔｅｃ相同（ＴＨ）ドメインおよびプロリンリッチ領域を含むアミノ末端領域の存在によって定義される（Ｍａｎｏ， Ｈ．；１９９９、Ｃｙｔｏｋｉｎｅ Ｇｒｏｗｔｈ Ｆａｃｔｏｒ Ｒｅｖ １０：２６７〜８０）。Ｔ細胞に特異的なＴｓｋ／Ｉｔｋ／Ｅｍｔ、およびＴ細胞以外のほとんどの造血幹細胞で発現されるＢｔｋは、造血幹細胞における抗原受容体シグナル伝達経路の重要な構成要素である。
【００９６】
Ｂｔｋは、マウス伴性免疫不全（ｘｉｄ）およびヒト伴性無γグロブリン血症（ＸＬＡ）で欠陥のある遺伝子として同定されている（Ｎｉｓｉｔａｎｉ， Ｓ．、２０００、Ｐｒｏｃ Ｎａｔｌ Ａｃａｄ Ｓｃｉ Ｕ．Ｓ．Ａ． ９７：２７３７〜４２）。ｘｉｄマウスではＢ細胞数が正常の半分に減少し、特定の免疫グロブリンアイソタイプの力価が著しく低下する。さらに、ｘｉｄ Ｂ細胞は多くの分裂誘発刺激に対して非感受性である。ヒトの方の疾患はさらに重篤であり、Ｂ細胞区画がほぼ完全に消失し、免疫グロブリン値が劇的に低下する。生化学的検討により、ＢｔｋがＢ細胞の活性化において多くの役割を果たすことが裏づけられている。Ｂｔｋのキナーゼ活性およびチロシンリン酸化は、Ｂ細胞上のＢ細胞受容体またはマスト細胞上の高親和性ＩｇＥ受容体ＦｃＲＩとの架橋によって高まる。インターロイキン−５およびインスリン−６処理によってもＢｔｋの活性化がもたらされることが示されている。
【００９７】
ＩｔｋはＢｔｋと同じく、抗原受容体との架橋によってチロシンリン酸化を受ける（Ｍａｎｏ， Ｈ．、１９９９、Ｃｙｔｏｋｉｎｅ Ｇｒｏｗｔｈ Ｆａｃｔｏｒ Ｒｅｖ、１０：２６７〜８０）。加えて、機能的Ｉｔｋを欠失したマウス由来の末梢Ｔ細胞は、ＣＤ３に対する抗体＋抗原提示細胞による刺激に対して不応性である。これらのＩｔｋ欠損Ｔ細胞ではホルボールエステルおよびカルシウムイオノホアによる活性化は可能であり、このことはＩｔｋがシグナル伝達経路においてＴＣＲの上流で作用することを示している。
【００９８】
Ｌｙｎ、Ｌｃｋ、Ｆｙｎ、ＺＡＰ７０、ＳｙＫおよびＣＳＫを含む、類似したＳｒｃファミリーのチロシンキナーゼとは異なり、ＴｅｃファミリーのキナーゼにはＳｒｃファミリーのキナーゼの膜局在のために極めて重要なアミノ末端ミリスチル化部位がなく、その膜局在のためには何らかのアダプタータンパク質が必要であることが示唆される（Ｍａｎｏ， Ｈ．、１９９９、Ｃｙｔｏｋｉｎｅ Ｇｒｏｗｔｈ Ｆａｃｔｏｒ Ｒｅｖ １０：２６７〜８０）。ＴｅｃファミリーのキナーゼはすべてＳＨ３ドメインが結合しうるプロリンリッチ領域を含み、ヒトＣＬＡＳＰはすべてＳＨ３ドメインを含むことから、ヒトＣＬＡＳＰはさまざまな造血細胞においてＴｅｃファミリーのメンバーに対するアダプターとして働く可能性があると考えられている。
【００９９】
ＧＴＰ結合タンパク質は免疫応答において重要な役割を果たす（Ｍａｃｈ， Ｂ．、１９９９、Ｓｃｉｅｎｃｅ ２８５：１３６７）。ＴＣＲ／ＣＤ３によるＴ細胞活性化によって誘発される数多くの生化学的事象は、Ｇタンパク質の作用を変化させる薬剤によって妨げられる。これはコレラ毒素が細胞増殖、およびＴ細胞の抗ＣＤ３抗体処理によって媒介される細胞内Ｃａ２＋動員を阻害しうることに関係がある。Ｇタンパク質の競合阻害物質ＧＤＰＳは、末梢Ｔリンパ球の刺激によって産生されるイノシトールリン酸の程度を抑制しうる。ＧＴＰＳなどのＧＴＰの非加水分解性類似体、または受容体との結合の必要性を回避することによってＧタンパク質を活性化するＡＬＦなどの他の薬剤は、Ｔ細胞を活性化させることが可能である。
【０１００】
ＧＴＰ結合タンパク質のＧαｑ／１１サブファミリー（Ｓｔａｎｎｅｒｓ， Ｊ．、１９９５、Ｊ Ｂｉｏｌ Ｃｈｅｍ ２７０：３０６３５〜４２）およびＲａｐ１（Ｌａｆｏｎｔ， Ｖ．、１９９８、Ｂｉｏｃｈｅｍ Ｐｈａｒｍａｃｏｌ ５５：３１９〜２４）は、ヒトＴ細胞受容体／ＣＤ３を介したシグナル伝達経路に関与することが示されている。また、Ｒｈｏファミリーの低分子量ＧＴＰアーゼであるＣｄｃ４２は、外部刺激に反応して起こるアクチン微小突起の形成に極めて重要な役割を果たすことが知られている（Ｍｉｋｉ， Ｈ．；１９９８、Ｎａｔｕｒｅ、３９１：９３〜６）。興味深いことに、Ｃｄｃ４２結合タンパク質ＷＡＳＰは、すべてのヒトＣＬＡＳＰに存在するＳＨ３ドメインと相互作用しうるプロリンリッチドメインを有する。ヒトＣＬＡＳＰはこれらの ＧＴＰ結合タンパク質と相互作用すると思われる。
【０１０１】
ＮＣＫ、ＣＢＬ（Ｂａｃｈｍａｉｅｒ， Ｋ．、２０００ Ｎａｔｕｒｅ ４０３：２１１〜６）、ＳＨＣ、ＬＮＫ、ＳＬＰ−７６、ＨＳ１、ＳＩＴ、ＶＡＶ、ＧｒＢ２およびＢＲＤＧ１を含むいくつかのアダプタータンパク質、ならびに２種類のチロシンホスファターゼＥＺＲＩＮ、ＳＨＰ−１およびＳＨＰ−２は、ＩＴＡＭまたはＳＨ３ドメインと相互作用することが示されている。これらのタンパク質はＣＬＡＳＰ−２とも相互作用すると考えられる。いくつかのタンパク質はＩＴＡＭまたはＳＨ３ドメインと相互作用することが示されており、ＣＬＡＳＰ−２とも相互作用すると考えられる。これらには、ＮＣＫ、ＣＢＬ（Ｂａｃｈｍａｉｅｒ， Ｋ．、２０００、Ｎａｔｕｒｅ ４０３：２１１〜６）、ＳＨＣ、ＬＡＴ、ＬＮＫ、ＳＬＰ−７６（Ｋｒａｕｓｅ Ｍら、２０００、Ｊ Ｃｅｌｌ Ｂｉｏｌ １４９：１８１〜９４）、ＨＳ１、ＳＩＴ、ＶＡＶ、ＧｒＢ２（Ｚｈａｎｇ Ｗ．およびＳａｍｅｌｓｏｎ， Ｌ．Ｅ．、２０００、Ｓｅｍｉｎ Ｉｍｍｕｎｏｌ １２：３５〜４１）およびＢＲＤＧ１などのアダプタータンパク質、ＳＹＫおよびＬＣＫなどのキナーゼ、ならびにＳＨＰ−１およびＳＨＰ−２などのチロシンホスファターゼが含まれる。これらの相互作用は、インビトロ結合アッセイ法、免疫共沈降アッセイ法、免疫共染色（Ｈａｒｌｏｗ， Ｅ．およびＬａｎｅ， Ｄ．、１９９９、抗体の使用：実験マニュアル（Ｕｓｉｎｇ Ａｎｔｉｂｏｄｉｅｓ：Ａ ｌａｂｏｒａｔｏｒｙ Ｍａｎｕａｌ．）、Ｃｏｌｄ Ｓｐｒｉｎｇ Ｈａｒｂｏｒ Ｐｒｅｓｓ）、またはＣＬＡＳＰ−２タンパク質もしくは断片を「ベイト（ｂａｉｔ）」として用いうる酵母ツーハイブリッドシステムなどの遺伝子アッセイ法（Ｚｅｒｖｏｓら、１９９３、Ｃｅｌｌ ７２：２２３〜２３２；Ｍａｄｕｒａら、１９９３、Ｊ． Ｂｉｏｌ． Ｃｈｅｍ ２６８：１２０４６〜１２０５４）を含む、数多くの異なる生化学的または細胞生物学的な方法によって定義可能である。
【０１０２】
その他のアッセイ法には、インビトロ結合アッセイ法、免疫共沈降アッセイ法、免疫共染色アッセイ法、およびＣＬＡＳＰ−２ドメインまたは断片を「ベイト（ｂａｉｔ）」または「トラップ（ｔｒａｐ）」タンパク質として用いうる酵母ツーハイブリッドシステムによるスクリーニングアッセイ法（Ｚｅｒｖｏｓら．（１９９３）、Ｃｅｌｌ ７２：２２３〜２３２；Ｍａｄｕｒａら．（１９９３）Ｊ． Ｂｉｏｌ． Ｃｈｅｍ． ２６８：１２０４６〜１２０５４）が含まれる。
【０１０３】
その他の態様では、ＣＬＡＳＰポリペプチドのリンパ球へのトランスフェクションが行われる。トランスフェクションの後には、さまざまな標準的アッセイ法を用いて、例えば、ＣＬＡＳＰによるＴ細胞活性化の修飾を評価することができる。これらのアッセイ法には、カルシウム流入アッセイ法、ＮＦ−ＡＴ核移行アッセイ法（例えば、Ｃｅｌｌ、１９９８、９３：８５１〜６１）、ＮＦ−ＡＴ／ルシフェラーゼレポーターアッセイ法（例えば、ＭＣＢ １９９６ １６：７１５１〜７１６０）、ＨＳ１、ＰＬＣ−、ＺＡＰ−７６およびＶａｖなどの初期反応タンパク質のチロシンリン酸化（例えば、Ｊ． Ｂｉｏｌ． Ｃｈｅｍ． １９９７、２７２：１４５６２〜１４５７０）が含まれる。
【０１０４】
（Ｂ）細胞間相互作用
上記の考察の通り、ヒトＣＬＡＳＰタンパク質はＥ−カドヘリンの相同体である。図１に示す通り、ＣＬＡＳＰ−２はカドヘリン切断ドメインおよびカドヘリン外部ドメインをいずれも含む。このため、ＣＬＡＳＰ−２タンパク質はこれらのドメインを介してカドヘリンと相互作用すると考えられる。カドヘリンはカルシウム依存的な細胞間接着にかかわる細胞表面接着分子の１つのファミリーである。ヒトカドヘリンであるＥ−、Ｐ−、Ｎ−およびＶＥ−カドヘリンの組織分布は限局的であり、Ｅ−およびＰ−カドヘリンは上皮組織で発現され、Ｎ−カドヘリンは主として神経細胞で認められ、ＶＥ−カドヘリンは血管内皮上に認められる。これらの組織における強固な細胞間接着の維持には、隣接細胞の表面にあるカドヘリン同士のホモフィリックな結合が不可欠である。例えば、Ｅ−カドヘリンは成熟上皮細胞間の接着結合の形成に必要であるほか、ランゲルハンス細胞のケラチノサイトとの結合に関与し、ＶＥ−カドヘリンは内皮細胞同士の側方結合の維持のために必要である。成熟した哺乳類カドヘリンの細胞外領域は、約１１１０アミノ酸からなる５つの「ＣＡＤ」モジュールから構成される。結晶学的および生化学的な研究から、カドヘリンが細胞表面で二量体を形成しうること、および相対する細胞表面にある二量体型カドヘリンとの相互作用が「ジッパー様」細胞結合の形成をもたらしうることが示されている。
【０１０５】
インテグリンは膜貫通型接着分子の第２のファミリーであり、細胞間相互作用および細胞と基質との相互作用の両方に関与する。少なくとも１５種の連鎖が８種の連鎖と会合して多数のヘテロ二量体型インテグリンが形成され、それらは特定の連鎖が共有する用途に基づいて７つの主要なサブファミリーに分類可能である。３つのサブファミリー、すなわち１、２および７インテグリンのメンバーは白血球上に認められることが一般的である。１インテグリンの発現は広範囲にわたり（例えば、５１、ＣＤ４９ｅ／ＣＤ２９は、Ｔ細胞、顆粒球、血小板、線維芽細胞、内皮および上皮で認められる）、一方、２および７インテグリンの発現は限定的なパターンを有する。
【０１０６】
興味深いことに、ヒト上皮細胞表面のＥ−カドヘリンは粘膜リンパ球インテグリンＥ７のリガンドであることが判明しており、マウスでも同様の相互作用が示されている。Ｅ−カドヘリンまたはＥ７に対するモノクローン抗体はＩＥＬの上皮細胞との接着を阻止し、細胞のＥ７によるトランスフェクションによって、Ｅ−カドヘリンによるトランスフェクションを受けた細胞に対する接着能が付与される。
【０１０７】
Ｌ９２９細胞に対してＣＬＡＳＰ−２およびネオマイシンをトランスフェクトさせることが可能である。抗ＣＬＡＳＰペプチド特異的抗体を用いて、Ｇ４１８耐性クローンをＣＬＡＳＰ発現に関してスクリーニングすることができる。ＣＬＡＳＰ発現クローンは、カドヘリン分子に関して記載されている「細胞凝集アッセイ法」を用いて、ホモティピックおよび／またはヘテロティピックなカルシウム依存的Ｔ細胞接着に関する試験に用いることができる（Ｍｕｒｐｈｙ−Ｅｒｄｏｓｈ， Ｃ．ら、１９９５、Ｊ． Ｃｅｌｌ Ｂｉｏｌ． １２９：１３７９〜１３９０）。
【０１０８】
結合ドメインに関与するアミノ酸を同定するためには、いくつかのアプローチを用いうる。上記のアッセイ法における阻止実験のためには、可溶性融合分子（例えば、ＥＣ１２−ＩｇＧ、ＥＣＣ−ＩｇＧ、ＥＣＭ−ＩｇＧおよびＧＳＴ−ＥＣ１２）、ペプチドおよびペプチド特異的抗ＣＬＡＳＰ抗体が利用可能である。部位特異的変異誘発によって作製されたトランスフェクト体も用いることができる。
【０１０９】
（Ｃ）膜アンカリング／細胞骨格相互作用
興味深いことに、成熟Ｔリンパ球が活性化されると、チロシンリン酸化を受けたＩＴＡＭはアクチン細胞骨格と相互作用する（Ｒｏｚｄｚｉａｌ， Ｍ． Ｍ．、１９９５、Ｉｍｍｕｎｉｔｙ ３：６２３〜６３３）。ヒトＣＬＡＳＰは細胞骨格タンパク質と相互作用することが示されているＩＴＡＭおよび多重らせんドメインの両方を含むため、ＣＬＡＳＰは細胞骨格構造を再構築することによって細胞表面分子の発現調節に重要な役割を果たすと考えられている。
【０１１０】
Ｆアクチンミクロフィラメントによる細胞骨格構築は、細胞表面分子の発現調節に関与することが知られている。ＧＴＰアーゼ結合タンパク質の一つであるＷＡＳＰは、外部刺激に反応して起こるアクチン微小突起の形成に極めて重要な役割を果たし、ＷＡＳＰの異所性発現によって、発現されたＷＡＳＰ自体と一部重複するＦアクチンフィラメントのクラスター形成が誘導される。もう一つのＷＡＳＰファミリータンパク質であるＮ−ＷＡＳＰも、糸状仮足の形成に重要な役割を果たすことが示されている。これらのタンパク質はいずれもアクチン重合を引き起こすが、それらが細胞内で発現される際には異なる特徴がみられる。すなわち、ＷＡＳＰは主として核周囲領域に局在してアクチンのクラスター化を引き起こすが、ほとんどのＮ−ＷＡＳＰは原形質膜に存在し、糸状仮足形成を誘導する（Ｍｉｋｉ， Ｈ．；１９９８、Ｎａｔｕｒｅ ３９１：９３〜６）。ＷＡＳＰおよびＮ−ＷＡＳＰはいずれも、ヒトＣＬＡＳＰのすべてに存在するＳＨ３ドメインと相互作用しうると考えられるプロリンリッチドメインを含む。ＣＬＡＳＰ−２は、ＣＬＡＳＰ−２のＷＡＳＰまたはＷＡＳＰ様タンパク質との結合を介してＦアクチンと相互作用すると考えられる。
【０１１１】
ＣＬＡＳＰタンパク質の細胞骨格タンパク質との相互作用を検出するために標準的なアッセイ法を用いうる。これらのアッセイ法には、共沈降アッセイ法、ファーウエスタンブロット分析（Ｏｈｂａ， Ｔ．、１９９８、Ａｎａｌ． Ｂｉｏｃｈｅｍ． ２６２：１８５〜１９２）、表面プラズモン共鳴、ＣＬＡＳＰをトランスフェクトしたリンパ球におけるファロイジンによるＦアクチン染色（例えば、Ｓｍａｌｌ， Ｊ．ら、１９９９、Ｍｉｃｒｏｓｃ． Ｒｅｓ． Ｔｅｃｈ． ４：３〜１７）、および焦点接着タンパク質（ＣＬＡＳＰをトランスフェクトしたリンパ球におけるパキシリン、テンシン、ビンキュリン、テーリンおよびＦＡＫなど；例えば、Ｒｉｄｙａｒｄ， Ｍ．Ｓ．、１９９８、Ｂｉｏｃｈｅｍ． Ｃｅｌｌ Ｂｉｏｌ． ７６：４５〜５８を参照）の細胞内分布に関する免疫細胞学的分析が含まれる。
【０１１２】
５．２．２．  ＣＬＡＳＰ−２のエクソン構造およびゲノムドメイン
ＲＮＡの非翻訳領域に影響を及ぼす選択的スプライシング変種は、ＲＮＡの安定性を調節する手段となりうる。全体的にみて、選択的スプライシングは、免疫応答におけるＣＬＡＳＰ−２のさまざまな機能を司る調節スイッチである可能性が高い。
【０１１３】
前記の箇所で指摘した通り、ＣＬＡＳＰ−２遺伝子の発現は、選択的なエクソン使用に特徴がある。イントロン／エクソン構造はゲノムＤＮＡのコンピュータ解析によって予想しうるが、スプライス部位および選択的スプライシングはゲノムクローンとｃＤＮＡクローンとの比較のみによって解明可能である。選択的スプライシングおよびＲＮＡ編集は、互いに密接な関係にあるものの構造が異なる可能性があり、このため別個の機能を発揮する可能性のある種々のタンパク質が同じ遺伝子から生じる機構である。極めて少数の遺伝子から数千種もの異なるタンパク質を生み出すために選択的スプライシングがいかに用いられるかの一例は、ニューレキシン遺伝子ファミリーで示されている（ニューレキシンの総説については、Ｍｉｓｓｌｅｒ Ｍ．およびＳｕｅｄｈｏｆ， Ｔ．、１９９８、Ｔｒｅｎｄｓ ｉｎ Ｇｅｎｅｔｉｃｓ、１４：２０〜２５を参照のこと）。ＣＬＡＳＰ−２のゲノムクローンとｃＤＮＡクローンとの比較分析により、ＣＬＡＳＰ−２が多数のエクソンから構成されていて、選択的スプライシングによって別個のＣＬＡＳＰ−２転写物が生じることが明らかになった。ＣＬＡＳＰ−２のタンパク質コード部分は少なくとも１４個のエクソンにわたっている（図６Ａ）。
【０１１４】
エクソンの読み飛ばし（ｓｋｉｐｐｉｎｇ）を引き起こすか、もしくは別の形で切断型タンパク質産物をもたらすスプライス部位の変異に起因する、または起因すると考えられている疾患は数多くある。これらの疾患の一部には、例えば、マルファン症候群（Ｌｉｕ Ｗら、１９９７、Ｎａｔ． Ｇｅｎｅｔ． １６：３２８〜９）、ハンター病（Ｂｏｎｕｃｅｌｌｉ Ｇら、２０００、Ｈｕｍ． Ｍｕｔａｔ．（Ｏｎｌｉｎｅ）２０００ １５（４）：３８９、デュシェンヌ型筋ジストロフィー（Ｗｉｂａｗａ Ｔら、２０００、Ｂｒａｉｎ Ｄｅｖ． ２２（２）：１０７〜１１２）、骨髄単球性白血病（Ｗｕｔｚ Ｄら、１９９９、Ｌｅｕｋ． Ｌｙｍｐｈｏｍａ ３５：４９１〜９．）およびイソ吉草酸血症（Ｖｏｃｋｌｅｙ Ｊ．ら．、２０００、Ａｍ． Ｊ． Ｈｕｍ． Ｇｅｎｅｔ． ６６：３５６〜６７）が含まれる。これは特に、多くのエクソンから構成される遺伝子（ＣＬＡＳＰ−２など）に関して成り立つ。ＣＬＡＳＰ−２のエクソン／イントロン境界周辺のゲノム配列は、スプライス部位の変異に起因する疾患の同定に向けた診断的アプローチのために有用である。当業者は、疾患に罹患した被験者からの細胞におけるＣＬＡＳＰ−２の存在量を健康被験者からの細胞におけるＣＬＡＳＰ−２のレベルと比較することにより、細胞集団（例えば、造血細胞、リンパ球）におけるＣＬＡＳＰ−２アイソフォームの存在量または存在を疾患状態と相関づけることが可能である。これは任意の数のアッセイ法（例えば、ＰＣＲ）を用いて行うことができる。
【０１１５】
選択的スプライシングおよびＲＮＡ編集は、互いに密接な関係にあるものの構造が異なる可能性があり、このため別個の機能を発揮する可能性のある種々のタンパク質が同じ遺伝子から生じる機構である。極めて少数の遺伝子から数千種もの異なるタンパク質を生み出すために選択的スプライシングがいかに用いられるかの一例は、ニューレキシン遺伝子ファミリーで示されている（ニューレキシンの総説については、Ｍｉｓｓｌｅｒ Ｍ．およびＳｕｅｄｈｏｆ， Ｔ．、１９９８、Ｔｒｅｎｄｓ ｉｎ Ｇｅｎｅｔｉｃｓ、１４：２０〜２５を参照のこと）。
【０１１６】
ＣＬＡＳＰ−２イントロン／エクソンスプライス部位とＣＬＡＳＰ−２タンパク質配列との整列化、およびＣＬＡＳＰ遺伝子ファミリーにおいて保存的なエクソン／イントロン境界が見いだされることから（図６）、個々のＣＬＡＳＰ−２エクソンは機能的に異なるタンパク質ドメインをコードすることが示唆される（図６および実施例４を参照）。ＩＴＡＭならびにＤＯＣＫモチーフ１および２はスプライス部位に囲まれている（アミノ酸残基９４６および１０６３）；ＤＯＣＫモチーフ３およびＣＯＩＬＥＤ−ＣＯＩＬモチーフ１および２もスプライス部位に囲まれている（それぞれアミノ酸残基１１０２、１１７０および１２４６）。
【０１１７】
本研究において同定されたＣＬＡＳＰ−２の選択的転写物の概要を図３に示す。簡潔に述べると、ＣＬＡＳＰ−２Ａで欠失している１つの選択的エクソンはＣＬＡＳＰ−２ＢおよびＣＬＡＳＰ−２Ｄには存在する。このエクソンはＩＴＡＭモチーフおよびＤＯＣＫモチーフ１をコードするＤＮＡ部分を含む。ＣＬＡＳＰ−２Ｄタンパク質産物は、ＣＬＡＳＰ−２ＡおよびＣＬＡＳＰ−２ＢのＣ末端の３８アミノ酸を含まない。このため、ＣＬＡＳＰ−２Ａ／Ｂに特異的なＣ末端のみに存在するＰＤＺ結合モチーフ（ＳＳＶＶ；アミノ酸残基１２８６から１２８９まで）は、ＣＬＡＳＰ−２Ｄ遺伝子産物では欠失している。このＰＤＺ結合モチーフの有無は選択的ＲＮＡプロセシングに起因すると考えられる。
【０１１８】
５．２．３．  ＣＬＡＳＰスーパーファミリーのメンバー
図５に示す通り、ＣＬＡＳＰ−２は、類似したモチーフを有する免疫細胞関連タンパク質のスーパーファミリーのメンバーである。ＣＬＡＳＰ−１は、１９９９年１０月１日に出願された米国特許出願第０９／４１１，３２８号に記載されている。ＣＬＡＳＰ−１は、ＳＨ３結合ドメインモチーフを含む既知のＣＬＡＳＰの中でも独特である。ＣＬＡＳＰ−２Ａ、−Ｂ、−Ｃおよび−Ｅポリペプチドには、ＣＬＡＳＰ−１に認められるアダプター結合部位またはＳＨ３結合ドメインがない。ＣＬＡＳＰ−３、ＣＬＡＳＰ−４、ＣＬＡＳＰ−５およびＣＬＡＳＰ−７は２０００年２月１４日に出願された同時継続出願中の米国特許出願第６０／１８２，２９６号に記載されており、その全体がすべての目的に関して参照として本明細書に組み入れられる。
【０１１９】
５．３．  ＣＬＡＳＰ−２ ｍＲＮＡの発現
実施例２に述べる通り、組織および細胞系におけるＣＬＡＳＰ−２ ｍＲＮＡの発現をノーザン分析によってアッセイした。その結果を図４ＡおよびＢに示す。ＣＬＡＳＰ−２の発現およびＣＬＡＳＰファミリーの他のメンバーの発現に関するノーザン分析の結果の概要を表２に示す。
【０１２０】
【表２】
2004535751.tif 000005
１．ジャーカット＝ヒトＴ細胞株；ＭＶ４−１１＝Ｂ骨髄単球；９Ｄ１０＝Ｂ細胞株；ＴＨＰ−１＝単球；３Ａ９＝マウスＴ細胞；ＣＨ２７＝マウスＢ細胞株；ＨＬ６０＝ヒト前骨髄球；２９３＝胚性腎上皮細胞（２９３）
２．表の説明（ノーザンブロットの結果に基づく）：−＝発現せず；−／＋＝低発現；＋＝中程度の発現；＋＋中程度の高発現；＋＋＋高発現。
３． ＣＬＡＳＰ−２ ＥＳＴ（ＥＳＴ ８１５７９５）が骨髄ｃＤＮＡライブラリーから同定された。
４．用いたプローブ（ＨＣ２．２）はＣＬＡＳＰ−２Ａ、−２Ｂ、−２Ｃおよび−２Ｄを区別しなかった。
このプローブはＣＬＡＳＰ−２Ａ ｃＤＮＡのヌクレオチド３９２０〜４６５０位（７３１ｂｐ長）を含む。
５． ９Ｄ１０からのＲＮＡの場合、主要な転写物はジャーカット細胞および２９３細胞に認められた主要な転写物よりもかなり短かった。しかし、９Ｄ１０にはそれよりも長い転写物も存在していた。プローブＨＣ２．２と９Ｄ１０の全ＲＮＡとのハイブリダイゼーションにより、少なくとも３種類の異なる転写物が明らかになった。図４Ｂ参照。
【０１２１】
表２および図４に示す通り、ＣＬＡＳＰ−２は胎盤で最も強く発現され、肺、腎臓および心臓がこれに続く。ＣＬＡＳＰ−３は腎臓および心臓で強く発現され、これよりも弱く胎盤および骨格筋で発現される。ＣＬＡＳＰ−４は末梢血リンパ球のみで発現される。ＣＬＡＳＰ−５は末梢血リンパ球で強く発現され、胎盤、腎臓、脾臓および胸腺に存在し、肺、小腸および肝臓では弱く発現される。これは脳、心臓、骨格筋および大腸では発現されない。ＣＬＡＳＰ−７は肺、心臓、肝臓および腎臓で強く発現されるが、ＰＢＬ、脳および胸腺では発現されない。
【０１２２】
種々のＣＬＡＳＰタンパク質の組織発現パターンの違いは、異なるＣＬＡＳＰに免疫機能における異なる役割があり、このため、異なる機能を実現するように別々の標的に向けられる可能性を示している。例えば、ＣＬＡＳＰタンパク質はＴ細胞受容体（ＴＣＲ）による適切な機能またはシグナル伝達に必要であるため、種々のＣＬＡＳＰの組織特異的分布により、異なる組織における免疫応答を別個に調節することが可能となる。ＣＬＡＳＰ−２は心臓に存在するため、ＣＬＡＳＰ−２の機能または発現を阻止することは心臓における免疫応答を選択的に阻止するため（例えば、心移植拒絶またはＭＩ後炎症などの後に、他の部位の免疫を損なわずに、心臓区画における免疫応答を選択的に停止させるため）に有用である。同様に、ＣＬＡＳＰ−３の阻害により、腎移植後の腎臓の拒絶を阻止することができる。さらに、阻害のレベルを調整することにより、各ＣＬＡＳＰが代表する区画における免疫阻止と免疫応答との相対的な程度を調節することが可能である。
【０１２３】
５．４．  ＣＬＡＳＰ−２ポリヌクレオチドおよび使用方法
本発明は、種々のＣＬＡＳＰ−２ポリヌクレオチドおよびそれらの使用のための方法を提供する。１つの面において、本発明のポリヌクレオチドは、ＣＬＡＳＰ−２タンパク質の少なくとも１つの断片（例えば、免疫原性断片）（例えば、配列番号：２、４、６または１０の少なくとも１つの断片）またはその変異体を含むポリペプチドをコードする。もう１つの面において、ＣＬＡＳＰ−２ポリヌクレオチドを含む分子は、必ずしもＣＬＡＳＰ−２タンパク質または断片をコードせずとも、ＣＬＡＳＰ−２発現を検出するためのプローブまたはプライマーとして、ＣＬＡＳＰ−２発現の阻害のため（例えば、アンチセンスまたはリボザイムを介した阻害）、遺伝子ノックアウトのためなどに有用である。
【０１２４】
５．４．１．  ＣＬＡＳＰ−２ポリヌクレオチド
本発明は、ＣＬＡＳＰ−２配列またはその相補物の少なくとも８ヌクレオチド（すなわち、ハイブリダイズ可能な部分）を有する、単離または精製された核酸も提供する。その他の態様において、本核酸は、ＣＬＡＳＰ−２配列または完全長ＣＬＡＳＰ−２コード配列の少なくとも約２５個の（連続した）ヌクレオチド、約５０ヌクレオチド、約１００ヌクレオチド、約１５０ヌクレオチド、約２００ヌクレオチド、約２５０ヌクレオチド、約５００ヌクレオチド、約５５０ヌクレオチド、約６００ヌクレオチドもしくは約６５０ヌクレオチドまたはそれ以上からなる。もう１つの態様において、本核酸の長さは約３５、約２００または約５００ヌクレオチドよりも短い。ポリヌクレオチドは一本鎖でも二本鎖でもよく、ＤＮＡ、ＲＮＡ、ＰＮＡまたはハイブリッド分子でありうる。
【０１２５】
特定の面においては、ＣＬＡＳＰ−２コード配列の少なくとも約１０、２５、５０、１００、１５０、２００、２５０、５００、５５０、６００もしくは６５０ヌクレオチドまたはコード領域全体に対して相補的な配列を含む核酸が提供される。通常、単離されるポリヌクレオチドの長さは約１００ｋｂｐ未満、一般には約５０ｋｂｐ未満であり、しばしば約２０ｋｂｐ未満、約１０ｋｂｐ未満、約５ｋｂｐ未満または約１０００ヌクレオチド未満である。
【０１２６】
１つの特定の態様においては、ＣＬＡＳＰ−２核酸もしくはその相補物またはＣＬＡＳＰ−２類縁体（ｄｅｒｉｖａｔｉｖｅ）をコードする核酸と、低ストリンジェンシー条件下でハイブリダイズしうる核酸が提供される。考慮対象となるＣＬＡＳＰ−２の類縁体には、ＣＬＡＳＰ−２をコードする遺伝子のスプライシング変種、１つまたは複数のドメインの挿入または欠失がある点で本明細書で開示されるＣＬＡＳＰ−２ヌクレオチドまたはアミノ酸配列の１つと異なるＣＬＡＳＰ−２遺伝子ファミリーの他のメンバーなどが非制限的に含まれる。
【０１２７】
１つの態様において、ＣＬＡＳＰ−２ポリヌクレオチドは、配列番号：１、３、５もしくは９と同一である、もしくは厳密に相補的であるか、または前記の配列と選択的にハイブリダイズする。さまざまな態様において、本ポリヌクレオチドは、ＣＬＡＳＰ−２ ｍＲＮＡまたはゲノム配列の特定のタンパク質ドメインもしくは領域をコードするヌクレオチド配列または特定の遺伝子エクソンと同一である、もしくは厳密に相補的であるか、それと選択的にハイブリダイズする。このようなポリヌクレオチドは、ＣＬＡＳＰ−２の規定種が同定されるように選択しうるため、プローブとして特に有用である。
【０１２８】
本明細書で具体例として挙げるポリペプチドおよびポリヌクレオチド配列に加えて、本発明は、他の種に由来するＣＬＡＳＰ−２相同体、対立遺伝子変異体およびスプライシング変種、ならびに本明細書に開示する他の変異体も考慮の対象とする。ＣＬＡＳＰ−２遺伝子には転写物の選択的スプライシングの証拠が認められる。
【０１２９】
例えば、ＣＬＡＳＰ−２ＡおよびＣＬＡＳＰ−２Ｃは互いに明らかなスプライシング変種として関連しており、ＣＬＡＳＰ−２ＣはＣＬＡＳＰ−２Ａには認められないエクソンを１つ含む。このエクソン配列は、
2004535751.tif 000006
である（ペプチド配列：ＲＤＦＥＲＬＡＨＬＹＤＴＬＨＲＡＹＳＫＶＴＥＶＭＨＳＧＲＲＬＬＧＴＹＦＲＶＡＦＦＧＱＧＦをコードする）。当業者には明らかであると考えられる。上記の核酸配列に対応するポリヌクレオチドプローブもしくはプライマーを用いることにより、または上記のペプチドを特異的に認識する抗体、もしくは以下の表３に示すようなポリヌクレオチドプローブもしくはプライマーを用いることにより、異なるＣＬＡＳＰアイソフォームを区別することが可能である（例えば、差異を伴う発現を検出するために）。
【０１３０】
【表３】
2004535751.tif 000007
【０１３１】
５．４．１．１．  実質的同一性
いくつかの態様において、本発明のＣＬＡＳＰ−２ポリヌクレオチドは、配列番号：１、３、５もしくは９またはそれらの断片と実質的に同一である。
【０１３２】
２つの核酸配列が実質的に同一であるという１つの指標は、２つのポリヌクレオチドが、最適な整列化を行った際に特定領域にわたって特定の配列一致率、例えば、通常は少なくとも約７５％、少なくとも約８０％、少なくとも約８５％、少なくとも約９０％、少なくとも約９５％、または少なくとも約９８％の同一性を有することである。
【０１３３】
２つの核酸配列が実質的に同一であるというもう１つの指標は、以下に述べる通り、第１の核酸によってコードされるポリペプチドが、第２の核酸によってコードされるポリペプチドに対して産生された抗体と免疫学的に交差反応性を有することである。したがって、例えば、２つのペプチドが保存的置換のみの点で異なる場合には、ポリペプチドは第２のポリペプチドと一般に実質的に同一である。２つの核酸配列が実質的に同一であるというもう１つの指標は、２つの分子またはその相補物が以下に述べるストリンジェントな条件下で互いにハイブリダイズすることである。
【０１３４】
２つの核酸配列（例えば、配列番号：１のＣＬＡＳＰ−２配列の天然の対立遺伝子）が実質的に同一であるというさらにもう１つの指標は、同一のプライマーを用いて配列を増幅しうることである。例えば、ＣＬＡＳＰ−２ポリヌクレオチドは、表３に示すプライマー対を用いて、ヒトリンパ球由来のｃＤＮＡからＰＣＲで増幅することができる。
【０１３５】
表３のプライマーは、ＣＬＡＳＰ−２スプライシング変種の増幅のためにも有用である。２つの核酸配列が実質的に同一であるというもう１つの指標は、それらが以下に述べるストリンジェントな条件下で選択的にハイブリダイズすること（すなわち、１つの配列が第２の配列の相補物とハイブリダイズすること）である。
【０１３６】
５．４．１．２．  選択的ハイブリダイゼーション
本発明は、例に挙げたＣＬＡＳＰ−２配列と選択的にハイブリダイズする核酸にも関する（これらの配列の厳密な相補物とハイブリダイズすることを含む）。選択的ハイブリダイゼーションは、高ストリンジェンシー条件（「ストリンジェントなハイブリダイゼーション条件」とも呼ばれる）、中程度のストリンジェンシー条件または低ストリンジェンシー条件の下で起こりうる。
【０１３７】
５．４．１．２．１．  高ストリンジェンシー
「ストリンジェントなハイブリダイゼーション条件」とは、プローブがその標的となる部分配列と典型的には核酸の複合混合物としてハイブリダイズするが、他の配列とはハイブリダイズしないと考えられる条件のことである。ストリンジェントな条件は配列依存的であり、環境が異なれば異なると考えられる。長い配列ほど高温で特異的にハイブリダイズすると考えられる。核酸のハイブリダイズに関する詳細な手引きはティッセン（Ｔｉｊｓｓｅｎ）、生化学および分子生物学における技法―核酸プローブとのハイブリダイゼーション（Ｔｅｃｈｎｉｑｕｅｓ ｉｎ Ｂｉｏｃｈｅｍｉｓｔｒｙ ａｎｄ Ｍｏｌｅｃｕｌａｒ Ｂｉｏｌｏｇｙ−−Ｈｙｂｒｉｄｉｚａｔｉｏｎ ｗｉｔｈ Ｎｕｃｌｅｉｃ Ｐｒｏｂｅ）、「ハイブリゼーションの原理よび核酸アッセイ法の戦略の概観（Ｏｖｅｒｖｉｅｗ ｏｆ ｐｒｉｎｃｉｐｌｅｓ ｏｆ Ｈｙｂｒｉｄｉｚａｔｉｏｎ ａｎｄ ｔｈｅ ｓｔｒａｔｅｇｙ ｏｆ ｎｕｃｌｅｉｃ ａｃｉｄ ａｓｓａｙｓ）」（１９９３）。
一般にストリンジェントな条件は、規定のイオン強度、ｐＨでの特異的配列の融点（Ｔｍ）よりも約５〜１０℃低くなるように選択される。Ｔｍは、標的に対して相補的なプローブの５０％が平衡状態で標的配列とハイブリダイズする温度（規定のイオン強度、ｐＨおよび核酸濃度の下で）である（標的配列が過剰に存在するため、Ｔｍでは平衡状態でプローブの５０％が占有される）。ストリンジェントな条件は、塩濃度がナトリウムイオン（または他の塩の）濃度で約１．０Ｍ未満、典型的には約０．０１〜１．０Ｍであり、ｐＨ ７．０〜８．３であって、温度が短いプローブ（例えば、１０〜５０ヌクレオチド）の場合は少なくとも約３０℃であり、長いプローブ（例えば、５０ヌクレオチドを上回るもの）の場合は少なくとも約６０℃であると考えられる。また、ホルムアミドなどの不安定化剤（ｄｅｓｔａｂｉｌｉｚｉｎｇ ａｇｅｎｔ）を添加してストリンジェントな条件を実現することもできる。高ストリンジェンシーのハイブリダイゼーションのためには、陽性シグナルはバックグラウンドの少なくとも２倍、好ましくはバックグラウンドのハイブリダイゼーションの１０倍である。高ストリンジェンシーまたはストリンジェントなハイブリダイゼーション条件の例には以下のものが含まれる：５０％ホルムアミド、５×ＳＳＣおよび１％ＳＤＳにて４２℃でインキュベート、または５×ＳＳＣおよび１％ＳＤＳにて６５℃でインキュベートし、０．２×ＳＳＣおよび０．１％ＳＤＳ、６５℃中で１回洗浄する。１つの特定の態様においては、以下の高ストリンジェンシー条件下でＣＬＡＳＰ−２核酸とハイブリダイズしうる核酸が提供される：ＤＮＡを含むフィルターのプレハイブリダイゼーションを、６×ＳＳＣ、５０ｍＭ Ｔｒｉｓ−ＨＣｌ（ｐＨ ７．５）、１ｍＭ ＥＤＴＡ、０．０２％ＰＶＰ、０．０２％フィコール、０．０２％ＢＳＡおよび５００μｇ／ｍｌ変性サケ精子ＤＮＡから構成される緩衝液中にて６５℃で８ｈから一晩かけて行う。１００μｇ／ｍｌ変性サケ精子ＤＮＡおよび５〜２０×１０６ｃｐｍの３２Ｐ標識プローブを含むプレハイブリダイゼーション混合液中にて６５℃で８〜１６ｈかけてフィルターをハイブリダイズさせる。フィルターの洗浄は２×ＳＳＣ、０．１％ＳＤＳを含む溶液中にて６５℃で１５〜３０ｈ行う。これに続いて、オートラジオグラフィーの１５〜３０分前に、０．２×ＳＳＣおよび０．１％、５０℃中での洗浄を１回行う。
【０１３８】
５．４．１．２．２．  中程度のストリンジェンシー
もう１つの特定の態様においては、中程度のストリンジェンシー条件下でＣＬＡＳＰ−２核酸とハイブリダイズしうる核酸が提供される。このような中程度のストリンジェンシー条件を用いる手順の例は以下の通りである：ＤＮＡを含むフィルターを、６×ＳＳＣ、５×デンハルト液、０．５％ＳＤＳおよび１００μｇ／ｍｌ変性サケ精子ＤＮＡを含む溶液中にて５５℃で６ｈ前処理する。ハイブリダイゼーションは同じ溶液中で行い、５〜２０×１０６ｃｐｍの３２Ｐ標識プローブを用いる。フィルターをハイブリダイゼーション混合液中にて５５℃で１２〜１６ｈインキュベートした後、１×ＳＳＣおよび０．１％ＳＤＳを含む溶液中にて５０℃で３０分ずつ２回洗浄する。フィルターをブロット状態で乾燥させ、オートラジオグラフィーのために露出させる。用いうる、中程度のストリンジェンシーのその他の条件は当技術分野で周知である。フィルターの洗浄は、０．２×ＳＳＣおよび０．１％ＳＤＳを含む溶液中にて４５℃で１ｈかけて行う。
【０１３９】
５．４．１．２．３．  低ストリンジェンシー
このような低ストリンジェンシー条件を用いる手順の非制限的な例は以下の通りである（ＳｈｉｌｏおよびＷｅｉｎｂｅｒｇ、１９８１、Ｐｒｏｃ． Ｎａｔｌ． Ａｃａｄ． Ｓｃｉ． Ｕ．Ｓ．Ａ． ７８：６７８９〜６７９２も参照されたい）：ＤＮＡを含むフィルターを、３５％ホルムアミド、５×ＳＳＣ、５０ｍＭ Ｔｒｉｓ−ＨＣｌ（ｐＨ ７．５）、５ｍＭ ＥＤＴＡ、０．１％ＰＶＰ、０．１％フィコール、１％ＢＳＡおよび５００μｇ／ｍｌ変性サケ精子ＤＮＡを含む溶液中にて４℃で６ｈ前処理する。ハイブリダイゼーションは、０．０２％ＰＶＰ、０．０２％フィコール、０．２％ＢＳＡ、１００ｇ／ｍｌサケ精子ＤＮＡ、１０％（ｗｔ／ｖｏｌ）硫酸デキストランに変更した上記の溶液中で行い、５〜２０×１０６ｃｐｍの３２Ｐ標識プローブを用いる。フィルターをハイブリダイゼーション混合液中にて４℃で１８〜２０ｈインキュベートした後、２×ＳＳＣおよび０．１％ＳＤＳを含む溶液中にて５５℃で１．５ｈ洗浄する。洗浄液を新たな溶液に交換し、５０〜５５℃でさらに３０分間インキュベートする。フィルターをブロット状態で乾燥させ、オートラジオグラフィーのために露出させる。必要に応じて、フィルターに６０〜６５℃で３回目の洗浄を行い、フィルムに再露出させる。用いうる、低ストリンジェンシーのその他の条件は当技術分野で周知である（例えば、異種間ハイブリダイゼーションに用いられるものなど）。
【０１４０】
５．４．１．３．  ＣＬＡＳＰ−２の変異体および断片
本発明のＣＬＡＳＰ−２変異体は、コード領域、非コード領域またはその両方に変化を含みうる。特に好ましいものは、サイレントな置換、付加または欠失を生じるものの、コードされるポリペプチドの特性または活性は変わらないような変化を含むポリヌクレオチド変異体である。遺伝暗号の縮重性に起因するサイレント置換によって生じるヌクレオチド変異体が好ましい。ＣＬＡＳＰ−２ポリヌクレオチド変異体は、例えば、特定の宿主に関してコドン発現を最適化する（ヒトｍＲＮＡにおけるコドンを大腸菌などの細菌宿主に好ましいものに変更する）ためといった、さまざまな理由で作製することができる。
【０１４１】
例となるＣＬＡＳＰ−２ポリヌクレオチド断片は好ましくは、その長さが少なくとも約１５ヌクレオチドであり、より好ましくは少なくとも約２０ヌクレオチド、さらにより好ましくは少なくとも約３０ヌクレオチド、さらにより好ましくは少なくとも約４０ヌクレオチドである、または５０、１５０、２００、２５０、３００、３５０、４００、４５０、５００、５５０、６００、６５０ヌクレオチドを上回る。断片の例には、配列番号：１のヌクレオチド番号約１〜５０、５１〜１００、１０１〜１５０、１５１〜２００、２０１〜２５０、２５１〜３００、３０１〜３５０、３５１〜４００、４０１〜４５０、４５１〜５００、５０１〜５５０、５５１〜６００から末端までの配列を少なくとも有する断片、または寄託されたクローン中のｃＤＮＡコード配列を含む断片が含まれる。この文脈における「約」には、具体的に列挙した範囲から、一方の末端または両方の末端で、数（５、４、３、２または１）ヌクレオチドだけ長いまたは短い範囲が含まれる。好ましくは、これらの断片は生物活性を有するポリペプチドをコードする。より好ましくは、これらのポリヌクレオチドは本明細書で考察するプローブまたはプライマーとして用いることができる。
【０１４２】
１つの態様において、ＣＬＡＳＰ−２変異体は、例に挙げた配列中に認められるものとは異なるエクソンの組み合わせが組み込まれている点で、配列番号：１、３、５、７または９と異なる。例えば、８１ｇ０１（ゲンバンクアクセッション番号ＡＦ８Ｓ ８６４；Ｌｏｃｕｓ ＨＵＭＹＮ８１ｇ０１；５２６ｂｐ；ＥＳＴ配列はＷａｓｈｉｎｇｔｏｎ Ｕｎｉｖｅｒｓｉｔｙ（Ｓｔ． Ｌｏｕｉｓ）により１９９８年８月２９日に提出；図３Ａおよび図３Ｂ参照）は、配列の特定の連鎖に沿ったＣＬＡＳＰ−２の同一性に基づくｈＣＬＡＳＰ−２の変異体である。５’から３’方向にみると、これはＣＬＡＳＰ−２Ａと同一な３１５ヌクレオチドの連鎖から始まっている。その後にはＣＬＡＳＰ−２Ａからみてギャップがあり、これは別のＣＬＡＳＰ−２アイソフォームであるｈＣＬＡＳＰ−２Ｄ（ＫＩＡＡ１０５８）中のギャップと同一である。そのギャップの代わりに、他のアイソフォームには認められない１６アミノ酸の挿入物（４８ヌクレオチド）が存在し、その後には再びＣＬＡＳＰ−２Ａと同一なほぼ１５０ｂｐのヌクレオチド連鎖が続く。これは、異なるヌクレオチド連鎖の両側に特定の配列同一性があることからみて選択的スプライシングの特徴である。
【０１４３】
既知の蛋白工学および組換えＤＮＡ技術の方法を用いることにより、ＣＬＡＳＰ−２ポリペプチドの特徴が改善または変化するような変異体を作製することができる。例えば、生物機能の実質的な喪失を伴うことなく、ＣＬＡＳＰ−２タンパク質のＮ末端またはＣ末端から１つまたは複数のアミノ酸を除去することが可能である。
【０１４４】
さらに、ポリペプチドのＮ末端またはＣ末端から１つまたは複数のアミノ酸を除去することによって１つまたは複数の生物機能の改変または喪失がもたらされる場合にも、他の生物活性を依然として保つことは可能である。例えば、分泌型の残基の大半には満たない部分がＮ末端またはＣ末端から除去された場合には、分泌型を認識する抗体を誘導する、および／またはそれと結合する欠失変異体の能力は保持される可能性が高いと考えられる。タンパク質のＮｏｒ Ｃ末端残基を欠く特定のポリペプチドがこのような免疫原性活性を保持しているか否かは、本明細書に記載の、およびそれ以外の当技術分野で知られたルーチンの方法によって容易に判断しうる。
【０１４５】
したがって、本発明はさらに、生物活性を示すＣＬＡＳＰ−２ポリペプチド変異体を含む。このような変異体は、活性にほとんど影響を及ぼさないように当技術分野で知られた一般的規則に従って選択された欠失、挿入、逆位、反復および置換を含む。例えば、表現型の上でサイレントなアミノ酸置換の作製の仕方に関する手引きはボウイ（Ｂｏｗｉｅ， Ｊ． Ｕ．）ら、Ｓｃｉｅｎｃｅ ２４７：１３０６〜１３１０（１９９０）に提示されており、そこで著者らはアミノ酸配列の変化に対する耐性を検討するためには主に２通りの戦略があることを示している。
【０１４６】
第１の戦略では、進化の過程における自然淘汰によるアミノ酸置換の耐性を利用する。異なる種におけるアミノ酸配列を比較することにより、保存的なアミノ酸を同定することができる。これらの保存的アミノ酸はタンパク質の機能のために重要である可能性が高い。これに対して、置換が自然淘汰に耐えてきたアミノ酸の位置は、これらの位置がタンパク質の機能に決定的に重要ではないことを示す。このため、アミノ酸置換に耐えうる位置は、タンパク質の生物活性を維持しながら改変することができると考えられる。
【０１４７】
第２の戦略では、タンパク質の機能に決定的に重要な領域を同定するために、遺伝子工学を用いて、クローニングされた遺伝子の特定の３０箇所にアミノ酸変化を導入する。例えば、部位特異的変異誘発法またはアラニンスキャニング変異誘発法（分子中のあらゆる残基への単一のアラニン変異の導入）を用いることができる（ＣｕｎｎｉｎｇｈａｍおよびＷｅｌｌｓ、１９８９、Ｓｃｉｅｎｃｅ ２４４：１０８１〜１０８５）。続いて、その結果得られた変異分子を生物活性に関して試験することができる。
【０１４８】
さまざまな態様において、ＣＬＡＳＰ−２ポリヌクレオチド断片は、前記のＣＬＡＳＰ−２構造ドメインもしくは機能性ドメインに関するコード領域、またはそれとハイブリダイズする領域を含む。図に示す通り、このような好ましい領域には以下のドメイン／モチーフが含まれる：ＩＴＡＭ、ＤＯＣＫ、ＣＯＩＬＥＤ／ＣＯＩＬＥＤおよびＰＢＭ。したがって、例えば、保存的ドメインの範囲に含まれる配列番号：２、４、６または１０のポリペプチド断片は、特に本発明の考慮の対象である（図３参照）。さらに、これらのドメインをコードするポリヌクレオチド断片も考慮の対象である。このようなポリペプチド断片は、例えば、ＣＬＡＳＰ−２発現細胞におけるＣＬＡＳＰ−２の機能の阻害物質としての用途がある。
【０１４９】
５．４．２．  ＣＬＡＳＰ−２ポリヌクレオチドの使用
本発明のＣＬＡＳＰ−２ポリヌクレオチドは、さまざまな用途に有用である。本発明の１つの面において、本発明のポリペプチドをコードするＣＬＡＳＰ−２ポリヌクレオチドは、例えば、抗ＣＬＡＳＰ抗体を産生させるため、または治療用ポリペプチドとして用いるために、ＣＬＡＳＰ−２ポリペプチドを発現させる目的で用いられる（例えば、本明細書に述べるように）。もう１つの面において、ＣＬＡＳＰ−２ポリヌクレオチドまたはその断片は、診断目的に用いることができる（例えば、ＣＬＡＳＰ−２の発現に関するプローブとして）。特に、ＣＬＡＳＰ−２をリンパ球で発現させることができるため、リンパ球マーカーとしてのＣＬＡＳＰ−２の発現を検出するためにＣＬＡＳＰ−２ポリヌクレオチドを用いることが可能である。診断目的には、疾患状態におけるＣＬＡＳＰ−２遺伝子の発現またはＣＬＡＳＰ−２遺伝子の異常発現を検出するためにＣＬＡＳＰ−２ポリヌクレオチドを用いうる。もう１つの面において、ＣＬＡＳＰ−２ポリヌクレオチドまたは断片は治療目的に用いられる。例えば、ＣＬＡＳＰ−２の発現を阻害するように働くアンチセンスＲＮＡおよびＤＮＡ分子ならびにリボザイムなどのオリゴヌクレオチド配列を用いてＣＬＡＳＰ−２発現を阻害するための方法が本発明の範囲に含まれる。もう１つの面において、ＣＬＡＳＰ−２ポリヌクレオチドは、例えば、ＣＬＡＳＰ−２アゴニストおよびアンタゴニストをスクリーニングする目的で、トランスジェニックおよびノックアウト動物を作製するために用いることができる。もう１つの面において、ＣＬＡＳＰ−２ポリヌクレオチドは、ＣＬＡＳＰ−２アゴニストおよびアンタゴニストのスクリーニングのために用いることができる。
【０１５０】
５．４．２．１．  検出、診断および治療のためのＣＬＡＳＰ−２ポリヌクレオチドの使用
本発明のＣＬＡＳＰ−２ポリヌクレオチドは、細胞におけるＣＬＡＳＰ−２発現の検出のため、およびＣＬＡＳＰ−２の異常発現に起因する疾患または障害（例えば、免疫不全状態）の診断において有用である。ＣＬＡＳＰ−２ ｍＲＮＡまたはタンパク質の異常発現とは、健康被験者から採取した対照リンパ球における発現と比べて、リンパ球（例えば、Ｔリンパ球またはＢリンパ球）または他のＣＬＡＳＰ−２発現細胞における発現が少なくとも２倍、好ましくは少なくとも５倍高い、または低いことを意味する。ＣＬＡＳＰ−２ポリペプチドの発現は、本発明の抗ＣＬＡＳＰ−２抗体を用いるＥＬＩＳＡによって容易に測定しうる。ＣＬＡＳＰ−２ ｍＲＮＡの発現（ＣＬＡＳＰ−２の特定の種またはスプライシング変種の発現を含む）は、本発明のプローブおよびプライマーを用いる、定量的ノーザン分析もしくは定量的ＰＣＲ、ＬＣＲまたは他の方法によって測定することができる。
【０１５１】
１つの態様において、本発明のアッセイ法は、ＣＬＡＳＰ−２遺伝子産物の検出のための増幅利用アッセイ法である。増幅利用アッセイ法においては、ＣＬＡＳＰ−２ ｍＲＮＡまたはｃＤＮＡの全体または一部（以下では「標的」とも称する）を増幅した後、増幅産物を直接的または間接的に検出する。テンプレートとして作用する潜在的な遺伝子産物が存在しなければ、増幅産物は全く生成されないか（例えば、予想されるサイズのもの）、または増幅が非特異的であって一般に単一の増幅産物は生成されない。これに対して、潜在的な遺伝子または遺伝子産物が存在する場合には、標的配列が増幅され、潜在する遺伝子またはｍＲＮＡの存在および／または量の指標が得られる。標的増幅利用アッセイ法は当業者には周知である。
【０１５２】
本発明は、ＣＬＡＳＰ−２遺伝子および遺伝子産物を検出するための多岐にわたるプライマーおよびプローブを提供する。このようなプライマーおよびプローブは、標的核酸とハイブリダイズする程度に、ＣＬＡＳＰ−２遺伝子または遺伝子産物に対して十分に相補的である。プライマーは典型的には少なくとも６塩基長、通常は約１０〜約１００塩基長の範囲、典型的には約１２〜約５０塩基長の範囲、しばしば約１４〜約２５塩基長の範囲であり、しばしば１５〜３０（例えば、１８〜２２ヌクレオチド）のＰＣＲプライマーが用いられる。しかし、当業者はプライマーの長さを調整することが可能である。当業者は、本開示を吟味することにより、ルーチンの方法を用いて、ＣＬＡＳＰ−２遺伝子もしくは遺伝子産物の全体もしくは任意の部分を増幅するためのプライマーを選択すること、または変異型遺伝子産物、ＣＬＡＳＰ−２対立遺伝子などを区別することが可能であると考えられる。単一オリゴマー（例えば、米国特許第５，５４５，５２２号）、オリゴマーの入れ子状セット、またはオリゴマーの縮重プールも増幅に用いることができる。
【０１５３】
プライマーまたはプローブの標的を差異を伴って用いられるエクソン（または変異体によって異なるエクソン−エクソン接合部）とすることにより、本開示の手引きに基づいて種およびスプライシング変種が区別されるようにプローブおよびプライマーを選択しうることは理解されると考えられる。
【０１５４】
本方法には、患者から細胞の試料を採取する段階、試料の細胞から核酸を単離する段階（例えば、ゲノム、ｍＲＮＡまたはその両方）、ＣＬＡＳＰ−２遺伝子（存在すれば）のハイブリダイゼーションおよび増幅が起こるような条件下で、核酸試料をＣＬＡＳＰ−２遺伝子と特異的にハイブリダイズする１つまたは複数のプライマーと接触させる段階、ならびに増幅産物の有無を検出する段階、または増幅産物のサイズを検出し、その長さを対照試料と比較する段階が含まれうる。米国特許第４，６８３，１９５号および第４，６８３，２０２号、ランデグラン（Ｌａｎｄｅｇｒａｎ）ら、１９８８、Ｓｃｉｅｎｃｅ ２４１：１０７７〜１０８０；Ｎａｋａｚａｗａら、１９９４、Ｐｒｏｃ． Ｎａｔｌ． Ａｃａｄ． Ｓｃｉ． Ｕ．Ｓ．Ａ． ９１：３６０〜３６４、アブラバヤ（Ａｂｒａｖａｙａ）ら、１９９５、Ｎｕｃｌｅｉｃ Ａｃｉｄｓ Ｒｅｓ． ２３：６７５〜６８２）を参照。
【０１５５】
ＣＬＡＳＰ−２遺伝子産物は免疫系（例えば、Ｔリンパ球、Ｂリンパ球およびマクロファージ）で発現されるため、発現は一般にこれらの細胞においてアッセイされると考えられる。リンパ球、マクロファージなどの単離には、当業者に周知の方法を用いうる（例えば、Ｃｏｌｉｇａｎ， Ｊ． Ｅ．ら（編）、１９９１、免疫学における最新プロトコール（Ｃｕｒｒｅｎｔ Ｐｒｏｔｏｃｏｌｓ ｉｎ Ｉｍｍｕｎｏｌｏｇｙ）、Ｊｏｈｎ Ｗｉｌｅｙ ＆ Ｓｏｎｓ、ＮＹ；この参考文献はすべての目的に関して参照として本明細書に組み入れられる）。１つの態様において、アッセイ法は生検または剖検に由来する組織に対して行われる。
【０１５６】
さまざまな態様において、ＣＬＡＳＰ−２遺伝子の発現は、検出プローブと細胞（例えば、リンパ球）から入手したｍＲＮＡまたはｃＤＮＡとのハイブリダイゼーションによって検出される。核酸ハイブリダイゼーション法を用いる特定のＤＮＡまたはＲＮＡの測定のためのさまざまな方法が当業者に知られている（Ｓａｍｂｒｏｏｋら、前記を参照）。ハイブリダイゼーション利用アッセイ法とは、プローブ核酸を標的核酸とハイブリダイズさせて、ハイブリダイゼーション複合体を形成させるアッセイ法のことを指す。通常、本発明の核酸ハイブリダイゼーションプローブは、ＣＬＡＳＰ−２遺伝子またはＲＮＡ配列の連続配列と完全または実質的に同一である。好ましくは、核酸プローブの長さは少なくとも約５０塩基、しばしば少なくとも約２０塩基、時に少なくとも約２００塩基であり、少なくとも約３００〜５００ヌクレオチドまたはそれ以上である。当技術分野ではさまざまなハイブリダイゼーション法が知られており、それらは実際に多くの市販の診断用キットの基盤となっている。
【０１５７】
核酸ハイブリダイゼーションに用いるための核酸プローブ配列を選択する方法は、サムブルック（Ｓａｍｂｒｏｏｋ）ら、前記に考察されている。いくつかの形式では、標的およびプローブの少なくとも１つを固定する。固定される核酸はＤＮＡ、ＲＮＡまたは別のオリゴ−またはポリ−ヌクレオチドであってよく、天然または非天然型のヌクレオチド、ヌクレオチド類似体または骨格を含みうる。このようなアッセイ法は、以下のものを含むいくつかの形式のいずれであってもよい：サザンブロット、ノーザンブロット、ドットブロットおよびスロットブロット、高密度ポリヌクレオチドもしくはオリゴヌクレオチドアレイ（例えば、ＧｅｎｅＣｈｉｐｓ（登録商標）Ａｆｆｙｍｅｔｒｉｘ）、ディップスティック、ピン、チップ、またはビーズ。これらの技法はすべて当技術分野で周知であり、多くの市販の診断用キットの基盤となっている。ハイブリダイゼーション法の一般的な記載は、ハーメス（Ｈａｍｅｓ）ら編、１９８５、核酸ハイブリダイゼーション、実践的アプローチ（Ｎｕｃｌｅｉｃ Ａｃｉｄ Ｈｙｂｒｉｄｉｚａｔｉｏｎ、Ｐｒａｃｔｉｃａｌ Ａｐｐｒｏａｃｈ）ＩＲＬ Ｐｒｅｓｓ；ＧａｌｌおよびＰａｒｄｕｅ、１９６９、Ｐｒｏｃ． Ｎａｔｌ． Ａｃａｄ． Ｓｃｉ． Ｕ．Ｓ．Ａ．、６３：３７８〜３８３およびＪｏｈｎら、１９６９、Ｎａｔｕｒｅ、２２３：５８２〜５８７）になされている。
【０１５８】
当業者にはさまざまな核酸ハイブリダイゼーションの形式が知られている。例えば、１つの一般的な形式は、標的核酸を標識した相補的プローブとハイブリダイズさせる直接ハイブリダイゼーションである。一般に、ハイブリダイゼーションのためには標識核酸が用いられ、標識によって検出可能なシグナルが得られる。ＣＬＡＳＰ−２ ｍＲＮＡの有無または量を評価するための１つの方法は、試料由来のＲＮＡのノーザンブロット、および標識したＣＬＡＳＰ−２特異的核酸プローブのハイブリダイゼーションである。試料におけるＣＬＡＳＰ−２タンパク質をコードするＤＮＡの有無または量を評価するための１つの有用な方法には、試料由来のＤＮＡのサザンブロット、および標識したＣＬＡＳＰ−２特異的核酸プローブのハイブリダイゼーションが含まれる。
【０１５９】
その他の一般的なハイブリダイゼーション形式には、サンドイッチアッセイ法および競合アッセイ法または置換アッセイ法が含まれる。サンドイッチアッセイ法は、核酸配列の検出または単離のための商業的に有用なハイブリダイゼーションアッセイ法である。このようなアッセイ法では、固体支持体に共有的に固定された「捕捉」核酸および溶液中にある標識した「シグナル」核酸を用いる。標的核酸は生物試料または臨床試料から提供されると考えられる。「捕捉」核酸および「シグナル」核酸プローブは標識核酸とハイブリダイズして「サンドイッチ」型ハイブリダイゼーション複合体を形成する。有効であるためには、シグナル核酸は捕捉核酸とハイブリダイズを行えない必要がある。
【０１６０】
１つの態様において、ＣＬＡＳＰ−２ポリペプチドまたはポリヌクレオチドは、免疫細胞の活性化、分化を活性化または阻害することにより、免疫系の不全症または障害の治療に有用である。免疫細胞は造血と呼ばれる過程によって生じ、多能性幹細胞から骨髄性細胞（血小板、赤血球、好中球およびマクロファージ）およびリンパ系細胞（ＢおよびＴリンパ球）が生じる。これらの免疫不全症または障害の原因は、癌およびいくつかの自己免疫疾患などのように遺伝性、体細胞性でもよく、後天性（例えば、化学療法または毒素による）または感染性でもよい。
【０１６１】
もう１つの態様において、ＣＬＡＳＰ−２ポリヌクレオチドまたはポリペプチドは、造血細胞の欠乏症または障害の治療または検出のために有用である。ＣＬＡＳＰ−２ポリペプチドまたはポリヌクレオチドは、ある特定の（または多くの）種類の造血細胞の減少に伴うような障害を治療するための取り組みにおいて、多能性幹細胞を含む造血細胞の分化および増殖を促進させるために用いうると考えられる。免疫不全症候群の例には、血液蛋白障害（例えば、無ガンマグロブリン血症、異常ガンマグロブリン血症）、血管拡張性失調症、分類不能型免疫不全症、ディジョージ症候群、ＨＩＶ感染症、ＨＴＬＶ−ＢＬＶ感染症、白血球粘着不全症、リンパ球減少症、食細胞殺菌作用機能不全、重症複合免疫不全症（ＳＣＩＤ）、ビスコット・オールドリッチ症、貧血、血小板減少症または血色素尿症が非制限的に含まれる。
【０１６２】
１つの態様において、ＣＬＡＳＰ−２ポリヌクレオチドまたはポリペプチドは、自己免疫疾患の治療または検出に有用である。本明細書で用いる「自己免疫疾患」という用語は、当技術分野における通常の意味を有し、免疫系が哺乳動物の体内の外来性の免疫原性物質および／または自家（「自己」）物質を区別することができず、その結果、自家（「自己」）組織および物質を異物であるかの如くにみなし、それらに対して免疫応答を引き起こすような、哺乳動物免疫系の自然発生性または誘発性の機能障害のことを指す。自己免疫疾患は、自己組織と反応する抗体の産生、および／または内因性自己抗原に対して自己反応性である免疫エフェクターＴ細胞の活性化を特徴とする。主として３つの免疫病理学的機構が自己免疫疾患を媒介するように作用する：１）自己抗体が機能性細胞受容体または他の細胞表面分子を標的とし、特殊化した細胞機能を刺激または阻害する。その際には細胞または組織の破壊を伴うことも伴わないこともある；２）自己抗原−自己抗体免疫複合体が細胞間液中または全身循環中に形成され、最終的に組織障害を媒介する；および３）リンパ球が、サイトカインの遊離または他の破壊性の炎症性細胞種を病変に誘引することによって組織病変を引き起こす。これらの炎症性細胞は続いて、炎症性疾患に関連した脂質メディエーターおよびサイトカインの産生をもたらす。
【０１６３】
自己免疫疾患の多くは、免疫細胞が自己を異物と不適切に認識することに起因する。この不適切な認識は、宿主組織の破壊につながる免疫応答を引き起こす。このため、免疫応答、特にＴ細胞の増殖または分化を阻害しうるＣＬＡＳＰ−２ポリペプチドまたはポリヌクレオチドの投与は、自己免疫疾患の予防に有効な治療法となりうる。
【０１６４】
ＣＬＡＳＰ−２による治療または検出が可能な自己免疫疾患の例には、アジソン病、溶血性貧血、抗リン脂質抗体症候群、慢性関節リウマチ、皮膚炎、アレルギー性脳脊髄炎、糸球体腎炎、グッドパスチャー症候群、グレーブス病、多発性硬化症、重症筋無力症、神経炎、眼炎、水泡性類天疱瘡、天疱瘡、多腺性内分泌障害、紫斑病、ライター病、スティフマン症候群、自己免疫性甲状腺炎、全身性エリテマトーデス、自己免疫性肺炎、ギラン・バレー症候群、インスリン依存性糖尿病および自己免疫性炎症性癌疾患が非制限的に含まれる。
【０１６５】
同様に、喘息（特にアレルギー性喘息）などのアレルギー性の反応および疾患、または他の呼吸器障害も、ＣＬＡＳＰ−２ポリペプチドまたはポリヌクレオチドによって治療しうる。さらに、抗原性分子に対するアナフィラキシーまたは過敏症を治療するためにＣＬＡＳＰ−２を用いることも可能である。
【０１６６】
１つの態様において、ＣＬＡＳＰ−２ポリヌクレオチドまたはポリペプチドは、臓器拒絶反応または移植片対宿主病（ＧＶＨＤ）の治療および／または予防のために用いられる。臓器拒絶反応は、宿主免疫細胞による免疫応答を介した移植組織の破壊によって起こる。同様に、免疫応答はＧＶＨＤにも関与しているが、この場合には、移植された外来性の免疫細胞が宿主組織を破壊する。免疫応答、特にＴ細胞の増殖、分化を阻害するＣＬＡＳＰ−２ポリペプチドまたはポリヌクレオチドの投与は、臓器拒絶反応またはＧＶＨＤの予防に有効な治療法となりうる。
【０１６７】
同様に、もう１つの態様において、ＣＬＡＳＰ−２ポリペプチドまたはポリヌクレオチドは、炎症を修飾するために用いられる。「炎症」という用語は、急性反応（すなわち、炎症過程が活動性である反応）および慢性反応（すなわち、緩徐な進行および新たな結合組織の形成を特徴とする反応）の両方を指す。急性および慢性炎症は、それにかかわる細胞の種類によって区別しうる。急性炎症にはしばしば多形核好中球がかかわり、一方、慢性炎症は通常、リンパ組織球性および／または肉芽種性反応を特徴とする。炎症には特異的防御系および非特異的防御系の両方の反応が含まれる。特異的防御系反応とは、抗原（自己抗原も含まれる可能性がある）に対する特異的な免疫系の反応である。非特異的防御系反応とは、免疫記憶を持てない白血球によって媒介される炎症反応である。このような細胞には顆粒球、マクロファージ、好中球および好酸球が含まれる。
【０１６８】
例えば、ＣＬＡＳＰ−２ポリペプチドまたはポリヌクレオチドは、炎症反応にかかわる細胞の増殖および分化を阻害しうる。これらの分子は、感染に伴う炎症（例えば、敗血症性ショック、敗血症または全身性炎症反応（ＳＩＲＳ））、虚血−再灌流障害、致死性内毒素症、関節炎、補体性超急性拒絶反応、腎炎、サイトカインもしくはケモカイン誘発性の肺損傷、炎症性腸疾患、クローン病、またはサイトカイン（例えば、ＴＮＦまたはＩＬ−１）の過剰産生に起因するものを含む、慢性疾患および急性疾患のいずれの炎症性疾患の治療にも用いることができる。特定の種類の炎症の例には、びまん性炎症、局所性炎症、クループ性炎症、間質性炎症、閉塞性炎症、実質性炎症、反応性炎症、特異性炎症、中毒性炎症および外傷性炎症がある。
【０１６９】
もう１つの態様において、ＣＬＡＳＰ−２ポリペプチドまたはポリヌクレオチドは、感染因子の治療または検出のために用いられる。例えば、免疫応答を高めることにより、特にＢ細胞および／またはＴ細胞の増殖および分化を促進することにより、感染性疾患を治療することができる。免疫応答は、既存の免疫応答を高めること、または新たな免疫応答を惹起することによって高めることができる。ＣＬＡＳＰ−２ポリペプチドまたはポリヌクレオチドは、これらの症候群または疾患の任意のものを治療または検出するために用いうる。
【０１７０】
５．４．２．２．  ＣＬＡＳＰ−２ポリヌクレオチドのスクリーニングにおける使用
生物試料におけるのｈＣＬＡＳＰ−２ヌクレオチドおよびアミノ酸配列の有無は、臨床方針の意思決定を補助するための医学的診断法などのスクリーニングアッセイ法に用いることができる。１つの態様において、ｈＣＬＡＳＰ−２を用いる診断法には、原因不明の膣出血に関するスクリーニングアッセイ法が含まれる。以下に考察するいくつかの例では、膣出血が胎盤成分を含むか否かに関する知見により、出血の原因をある程度鑑別することができる（Ｈａｒｔ ＦＤ編、１９８５、フレンチ鑑別診断インデックス（Ｆｒｅｎｃｈ’ｓ Ｉｎｄｅｘ ｏｆ Ｄｉｆｆｅｒｅｎｔｉａｌ Ｄｉａｇｎｏｓｉｓ）、第１２版． Ｊｏｈｎ Ｗｒｉｇｈｔ ＆ Ｓｏｎｓ、ｐｐ． ５６１〜６３）。これらの場合には、血中での低発現と対比して胎盤ではｈＣＬＡＳＰ−２ヌクレオチド配列が高発現するため（図４Ａ）、ｈＣＬＡＳＰ−２ヌクレオチドまたはタンパク質の存在に基づいて胎盤の存在を検出することが可能と考えられる。このような検出は、定量的ＲＴ−ＰＣＲ、ノーザン分析、ウエスタン分析、ＥＬＩＳＡ、および標識抗ｈＣＬＡＳＰ−２抗体の使用による励起蛍光細胞分取法（ＦＡＣＳ）によって行える（Ｓａｍｂｒｏｏｋら、１９８９、分子クローニング（Ｍｏｌｅｃｕｌａｒ Ｃｌｏｎｉｎｇ）、第２版、Ｃｏｌｄ Ｓｐｒｉｎｇ Ｈａｒｂｏｒ Ｌａｂ． Ｐｒｅｓｓ；Ｈａｒｌｏｗら、１９８８、抗体、実験マニュアル（Ａｎｔｉｂｏｄｉｅｓ， ａ ｌａｂｏｒａｔｏｒｙ ｍａｎｕａｌ）、Ｃｏｌｄ Ｓｐｒｉｎｇ Ｈａｒｂｏｒ Ｌａｂ． Ｐｒｅｓｓ）。
【０１７１】
例えば、ｈＣＬＡＳＰ−２は以下のスクリーニングアッセイ法に用いることができる。
【０１７２】
（１）ある女性が出産して分娩後出血を呈している。この場合には、胎盤組織の存在により、子宮内容の外科的除去術を必要とする「受胎産物残留」と呼ばれる状態であることが示される（ＤｅｃｈｅｍｅｙおよびＰｅｒｎｏｌ編、１９９６、最新産婦人科診療（Ｃｕｒｒｅｎｔ Ｏｂｓｔｅｔｒｉｃ ＆ Ｇｙｎｅｃｏｌｏｇｉｃ Ｄｉａｇｎｏｓｉｓ ＆ Ｔｒｅａｔｍｅｎｔ）、第８版、ＭｃＧｒａｗ Ｈｉｌｌ）。
【０１７３】
（２）ある妊婦が原因不明の膣出血を呈している。この場合には、胎盤組織の存在により、胎児が出産に至る予後が不良であることを意味する「切迫流産」と呼ばれる状態であることが示される（ＤｅｃｈｅｒｎｅｙおよびＰｅｍｏｌ編、１９９６、最新産婦人科診療（Ｃｕｒｒｅｎｔ Ｏｂｓｔｅｔｒｉｃ ＆ Ｇｙｎｅｃｏｌｏｇｉｃ Ｄｉａｇｎｏｓｉｓ ＆ Ｔｒｅａｔｍｅｎｔ）、第８版、ＭｃＧｒａｗ Ｈｉｌｌ）。
【０１７４】
（３）出産可能な年齢の女性が出血を呈し、妊娠検査は陽性であるが子宮内妊娠の所見は認められないことが明らかになった。この場合には、鑑別診断の中で最も重篤なものは医学的緊急事態である子宮外妊娠である。しかし、別の頻度の高い診断として堕胎完了または流産もある。膣出血における受胎産物（すなわち、胎盤）の存在は、堕胎完了の診断の可能性が子宮外妊娠よりも高いことを強く示す（ＤｅｃｈｅｒｎｅｙおよびＰｅｒｎｏｌ編、１９９６、最新産婦人科診療（Ｃｕｒｒｅｎｔ Ｏｂｓｔｅｔｒｉｃ ＆ Ｇｙｎｅｃｏｌｏｇｉｃ Ｄｉａｇｎｏｓｉｓ ＆ Ｔｒｅａｔｍｅｎｔ）、第８版、ＭｃＧｒａｗ Ｈｉｌｌ）。
【０１７５】
もう１つの態様において、ｈＣＬＡＳＰ−２を用いる診断法には、ｈＣＬＡＳＰ−２を高レベルで発現する生命維持に必要な組織への損傷を判断するためのスクリーニングアッセイ法が含まれる。このような組織には、腎臓、心臓および肺が含まれる（図４Ａ）。これらの組織への損傷は、ｈＣＬＡＳＰ−２を含む細胞および細胞成分の周囲の体液（以下に明記する）への漏出をもたらす可能性がある。ウエスタン分析もしくはＥＬＩＳＡによってこれらの周囲体液中に異常に高いレベルのｈＣＬＡＳＰ−２タンパク質が検出されれば、またはＲＴ−ＰＣＲもしくはノーザン分析によってこれらの体液中に異常に高いレベルのｈＣＬＡＳＰ−２ ＲＮＡが検出されれば、組織損傷の診断に助けになると考えられる。
【０１７６】
腎損傷の場合には、ｈＣＬＡＳＰ−２ヌクレオチドもしくはアミノ酸配列またはそれらの断片が尿中に出現することが予想される。異常に高いレベルのｈＣＬＡＳＰ−２が検出されることは、腎炎および尿細管壊死の両方を診断する助けとなり、腎以外の原因による蛋白尿との鑑別が可能となる。腎炎の早期診断は、ループス腎炎の早期診断および治療によって非可逆的な腎障害を予防することが可能な、全身性エリテマトーデスを示唆する臨床徴候および症状を有する患者には特に有意義である（Ｃａｍｅｒｏｎ Ｊ．Ｓ．、１９９９、Ｊ Ｎｅｐｈｒｏｌ １２ Ｓｕｐｐｌ ２：Ｓ２９〜４１）。現時点では尿細管壊死を薬物療法によって改善することはできないが、尿細管壊死を腎前性腎不全から鑑別することは、尿量減少性の入院患者に対する治療計画を立てる上で極めて重要である（Ｂｉｄａｎｉ Ａ．およびＣｈｕｒｃｈｉｌｌ Ｐ．Ｃ．、１９８９、Ｄｉｓ Ｍｏｎ ３５：５７〜１３２）。
【０１７７】
心筋障害の場合には、ｈＣＬＡＳＰ−２核酸もしくはアミノ酸配列またはそれらの断片が血中に出現することが予想される。これは、標準的なＥＬＩＳＡまたは電気泳動法による、心筋梗塞および虚血後の血液中の他の心筋タンパク質（例えば、クレアチンキナーゼ、トロポニン）の高値に関する現在の標準的なモニタリング行為と類似している（Ｆａｕｃｉら（編）、１９９８、ハリソン内科学（Ｈａｒｒｉｓｏｎ’ｓ Ｐｒｉｎｃｉｐｌｅｓ ｏｆ Ｉｎｔｅｒｎａｌ Ｍｅｄｉｃｉｎｅ）、第１４版、ＭｃＧｒａｗ Ｈｉｌｌ、ｐｐ． １３５２〜１３７５）。ｈＣＬＡＳＰ−２が心筋に存在し、骨格筋および血液には存在しないことから、ｈＣＬＡＳＰ−２は心筋障害の診断およびモニタリングのための理想的なマーカーとなる。
【０１７８】
心筋障害とは異なり、肺障害は肺特異的タンパク質に関する血清のアッセイ法によってはルーチンには診断されていない。心筋梗塞と同様に、肺梗塞でも肺特異的なタンパク質および細胞が全身循環中に遊離される。肺塞栓（ＰＥ）または肺炎に起因する肺梗塞では、ｈＣＬＡＳＰ−２を有する細胞またはタンパク質／ペプチドが全身循環中に遊離されると予想される。血清中のｈＣＬＡＳＰ−２タンパク質または血中のＲＮＡが検出されれば、適切な臨床環境では肺梗塞の診断の助けになると考えられる。ＰＥを診断するための現在の方法は、費用がかかるだけでなく、特異性および感度も乏しく、本疾患の誤診は入院患者の予防しうる死亡の主因となっている（Ｒａｓｋｏｂ Ｇ．Ｅ．およびＨｕｌｌ Ｒ．Ｄ．、１９９９、Ｃｕｒｒ Ｏｐｉｎ Ｈｅｍａｔｏｌ． ６（５）：２８０〜４）。
【０１７９】
もう１つの態様において、ｈＣＬＡＳＰ−２を用いる診断法には、造血細胞系列の障害を同定するためのスクリーニングアッセイ法が含まれる。ｈＣＬＡＳＰ−２はヒトＴ細胞、Ｂ細胞では発現されるが、骨髄細胞系列由来の細胞では発現されない。Ｔ細胞およびＢ細胞におけるｈＣＬＡＳＰ−２アイソフォームの違いにより、Ｔ細胞およびＢ細胞系列の癌をさらに鑑別することが可能となる（図４Ｂ）。造血細胞の種類を正確に同定することは、白血病およびリンパ腫の患者の化学療法および放射線療法を進める上で極めて重要である（Ｆａｕｃｉら編、１９９８、ハリソン内科学（Ｈａｒｒｉｓｏｎ’ｓ Ｐｒｉｎｃｉｐｌｅｓ ｏｆ Ｉｎｔｅｒｎａｌ Ｍｅｄｉｃｉｎｅ）、第１４版、ＭｃＧｒａｗ Ｈｉｌｌ、ｐｐ． ６９５〜７１２）。ｈＣＬＡＳＰ−２の発現の差は、ＦＡＣＳ、免疫蛍光法、免疫ペルオキシダーゼ染色法、ＲＴ−ＰＣＲ、インサイチューハイブリダイゼーションまたはＲＮＡブロット分析によって検出可能である（Ｓａｍｂｒｏｏｋ、ＦｒｉｔｓｃｈおよびＭａｎｉａｔａｓ、分子クローニング（Ｍｏｌｅｃｕｌａｒ Ｃｌｏｎｉｎｇ）、第２版、Ｃｏｌｄ Ｓｐｒｉｎｇ Ｈａｒｂｏｒ Ｌａｂ． Ｐｒｅｓｓ、１９８９；Ｗａｒｄ ＭＳ、Ｐａｔｈｏｌｏｇｙ １９９９ Ｎｏｖ；３１（４）：３８２〜９２）。
【０１８０】
もう１つの態様において、ｈＣＬＡＳＰ−２を用いる診断法には、活性化された免疫系細胞を同定するためのスクリーニングアッセイ法が含まれる。ｈＣＬＡＳＰ−２はＰＢＭＣでは一般に極めて低いレベルで発現されるが（これは上記の用途のいくつかには決定的に重要である）、近縁関係にあるマウスＣＬＡＳＰ−１タンパク質の表面発現はリンパ球の活性化の過程で変化することが知られている。ｈＣＬＡＳＰ−２タンパク質についても類似した発現の変化が予想される。細胞集団をｈＣＬＡＳＰ−２の多い集団とｈＣＬＡＳＰ−２の少ない集団に分離するために、特定の抗原に対して特異的なリンパ球のサブタイプ判定を、例えば、ＭＨＣに基づく多量体染色試薬（Ａｌｔｍａｎら、１９９６、Ｓｃｉｅｎｃｅ ２７４：９４〜６）を用いて行うことは、その抗原に対する免疫応答の性質を決定する助けになると考えられる。このような理解は、例えば、Ｂ型肝炎、Ｃ型肝炎およびＨＩＶなどの慢性ウイルス感染症の経過を予測するため、ならびにこれらの感染症に罹患した患者に対する適切な治療方式を設計するために極めて重要である。
【０１８１】
また、ｈＣＬＡＳＰ−２はウィルムス腫瘍に対する治療薬としても役立つ可能性がある。ウィルムス腫瘍は最も頻度の高い小児の原発性腎腫瘍である（Ｃｏｔｒａｎ、ＫｕｍａｒおよびＣｏｌｌｉｎｓ、１９９９、ロビンス・疾患の病理学的基盤（Ｒｏｂｂｉｎｓ Ｐａｔｈｏｌｏｇｉｃ Ｂａｓｉｓ ｏｆ Ｄｉｓｅａｓｅ）、第６版、Ｗ．Ｂ． Ｓａｕｎｄｅｒｓ、ｐｐ． ４８７〜８９）。本明細書における考察の通り、ｈＣＬＡＳＰ−２は胚性腎上皮細胞である２９３細胞で高発現される。このため、ｈＣＬＡＳＰ−２核酸もしくはアミノ酸配列またはそれらの断片は、ウィルムス腫瘍に関する腫瘍マーカーとして役立つと考えられる。ウィルムス腫瘍のみで発現されるｈＣＬＡＳＰ−２変異体を標的とする抗体はウィルムス腫瘍に対する新規治療薬として役立つ可能性があり、抗ｈＣＬＡＳＰ−２抗体と結合させうる他の標的治療薬（例えば、化学療法薬または放射標識）のための送達媒体として働く可能性もある。
【０１８２】
５．４．２．２．１．  ＣＬＡＳＰ−２アンチセンス、リボザイムおよび三重鎖ポリヌクレオチド、ならびに使用の方法
ＣＬＡＳＰ−２ ｍＲＮＡの翻訳阻害に働く、アンチセンスＲＮＡおよびＤＮＡ分子ならびにリボザイムを含むオリゴヌクレオチド配列は、本発明の範囲に含まれる。このような分子は、ＣＬＡＳＰ−２発現のダウンレギュレーションが望ましい場合に有用である。アンチセンスＲＮＡおよびＤＮＡ分子は、標的とするｍＲＮＡと結合してタンパク質翻訳を妨げることにより、ｍＲＮＡの翻訳を直接阻止するように作用する。本発明は、ＣＬＡＳＰ−２遺伝子産物のインビトロまたはインビボでの発現を低下させるために用いうる方法ならびにアンチセンスオリゴヌクレオチドまたはポリヌクレオチド試薬を提供する。本発明のアンチセンス試薬を標的細胞に投与することにより、ＣＬＡＳＰ活性の低下が引き起こされる。当業者には明らかと思われ、前記の箇所でも考察した通り（表３）、個々のＣＬＡＳＰ−２スプライシング変種を阻害のための特異的な標的とすることができる。または、例えばＣＬＡＳＰ−２種のいくつかまたはすべてに認められる配列を認識するアンチセンス分子を設計することにより、全般的な阻害を実現することもできる。
【０１８３】
Ａ．アンチセンス
何らかの特定の機序に限定されることは意図しないが、アンチセンスオリゴヌクレオチドはセンスＣＬＡＳＰ−２ ｍＲＮＡと結合して、その翻訳を妨げると考えられている。または、アンチセンス分子は、ＣＬＡＳＰ−２ ｍＲＮＡにヌクレアーゼ分解に対する感受性を付与し、転写を妨げ、ＲＮＡ前駆体（「プレｍＲＮＡ」）をプロセシング、局在もしくは他の点で妨げ、ＣＬＡＳＰ−２遺伝子からのｍＲＮＡの転写を抑制し、または他の何らかの機序によって作用することが可能である。しかし、アンチセンス分子がＣＬＡＳＰ−２発現を低下させる具体的な機序が何であるかは特に重要ではない。
【０１８４】
本発明のアンチセンスポリヌクレオチドは、ＣＬＡＳＰ−２をコードするｍＲＮＡまたはＣＬＡＳＰ−２遺伝子から転写されるｍＲＮＡからの配列と特異的にハイブリダイズする、少なくとも７〜１０ヌクレオチド、一般には２０個またはそれ以上のヌクレオチドからなるアンチセンス配列を含む。より一般的には、本発明のアンチセンスポリヌクレオチドは約１０〜約５０ヌクレオチド長または約１４〜約３５ヌクレオチド長である。
その他の態様において、アンチセンスポリヌクレオチドは、約１００ヌクレオチド未満または約２００ヌクレオチド未満のポリヌクレオチドである。一般に、本アンチセンスポリヌクレオチドは安定な二本鎖を形成する程度に十分に長く、送達様式に依存するが、必要に応じてインビボに投与しうる程度に十分に短い必要がある。標的配列との特異的ハイブリダイゼーションのために必要なポリヌクレオチドの最小限の長さは、例えば、Ｇ／Ｃ含量、ミスマッチ塩基（あれば）の位置、標的ポリヌクレオチド集団との比較による配列の一意性の程度、およびポリヌクレオチドの化学的性質（例えば、メチルホスホネート骨格、ペプチド核酸、ホスホロチオエート）などのいくつかの要因に依存する。一般に、特異的ハイブリダイゼーションが確実に起こるためには、アンチセンス配列は標的ＣＬＡＳＰ−２ ｍＲＮＡ配列と実質的に相補的である。ある一定の態様において、アンチセンス配列は標的配列に対して厳密に相補的である。しかし、アンチセンスポリヌクレオチドには、ＣＬＡＳＰ−２ ＲＮＡまたはその遺伝子に対応する関連した標的配列との特異的結合がポリヌクレオチドの機能特性として保持される限り、ヌクレオチド置換、付加、欠失、移行、転位もしくは修飾、または他の核酸配列もしくは非核酸部分も含まれうる。
【０１８５】
望ましい特性（例えば、高いヌクレアーゼ耐性、より強固な結合、安定性または望ましいＴＭ）を得るために、本発明のＣＬＡＳＰ−２ポリヌクレオチドおよびオリゴヌクレオチドを、標準的でない塩基（例えば、アデニン、シチジン、グアニン、チミンおよびウリジン以外のもの）または標準的でない骨格構造を用いて作製しうることは理解されると考えられる。オリゴヌクレオチドにヌクレアーゼ耐性を付与するための技法には、ＰＣＴ国際公開公報第９４／１２６３３号に記載されたものが含まれる。ペプチド核酸（ＰＮＡ）骨格を有するオリゴヌクレオチド（Ｎｉｅｌｓｅｎら、１９９１、Ｓｃｉｅｎｃｅ ２５４：１４９７）、または２’−Ｏ−メチルリボヌクレオチド、ホスホロチオエートヌクレオチド、メチルホスホネートヌクレオチド、ホスホトリエステルヌクレオチド、ホスホロチオエートヌクレオチド、ホスホルアミデートが組み込まれたものを含む、多岐にわたる有用な修飾オリゴヌクレオチドを作製することができる。さらに他の有用なオリゴヌクレオチドは、２’位に以下のいずれか１つを含むアルキルおよびハロゲン置換糖部分を含みうる：ＯＨ、ＳＨ、ＳＣＨ３、Ｆ、ＯＣＮ、ＯＣＨ３ＯＣＨ３、ＯＣＨ３Ｏ（ＣＨ２）ｎＣＨ３、Ｏ（ＣＨ２）ｎＮＨ２またはＯ（ＣＨ２）ｎＣＨ３、式中、ｎは１〜約１０である；Ｃ１〜Ｃ１０の低級アルキル、置換低級アルキル、アルカリルもしくはアラルキル；Ｃｌ；Ｂｒ；ＣＮ；ＣＦ３；ＯＣＦ３；Ｏ−、Ｓ−もしくはＮ−アルキル；Ｏ−、Ｓ−もしくはＮ−アルケニル；ＳＯＣＨ３ＳＯ２ＣＨ３；ＯＮＯ２；ＮＯ２；Ｎ３；ＮＨ２；ヘテロシクロアルキル；ヘテロシクロアルカリル；アミノアルキルアミノ；ポリアルキルアミノ；置換シリル；ＲＮＡ切断基；コレステリル基；葉酸基；レポーター基；インターカレーター；オリゴヌクレオチドの薬物動態特性を改善するための基；またはオリゴヌクレオチドの薬力学特性を改善するための基、および類似の特性を有する他の置換基。オリゴヌクレオチドの取り込みを促進させる葉酸、コレステロールまたは脂質類似体などの他の基を、任意のヌクレオシドの２’位または３’末端もしくは５’末端ヌクレオシドのそれぞれ３’位もしくは５’位に直接またはリンカーを介して結合させることもできる。１つまたは複数のこのような結合物を用いうる。また、オリゴヌクレオチドはペントフラノシル基の代わりにシクロブチルなどの糖模倣基（ｓｕｇａｒ ｍｉｍｅｔｉｃｓ）を有してもよい。その他の態様には、内因性エンドヌクレアーゼによって容易には認識されない、少なくとも１つの修飾型塩基もしくはイノシンなどの「普遍的塩基（ｕｎｉｖｅｒｓａｌ ｂａｓｅ）」、またはクエオシンおよびウィブトシン（ｗｙｂｕｔｏｓｉｎｅ）といった他の標準的でない塩基、ならびにアデニン、シチジン、グアニン、チミンおよびウリジンのアセチル−、メチル−、チオ−および同様の修飾形態を包含することが含まれうる。本アンチセンスオリゴヌクレオチドは、５−フルオロウラシル、５−ブロモウラシル、５−クロロウラシル、５−ヨードウラシル、ヒポキサンチン、キサンチン、４−アセチルシトシン、５−（カルボキシヒドロキシメチル）ウラシル、５−カルボキシメチルアミノメチル−２−チオウリジン、５−カルボキシメチルアミノメチルウラシル、ジヒドロウラシル、β−Ｄ−ガラクトシルキューオシン、イノシン、Ｎ６−イソペンテニルアデニン、１−メチルグアニン、１−メチルイノシン、２，２−ジメチルグアニン、２−メチルアデニン、２−メチルグアニン、３−メチルシトシン、５−メチルシトシン、Ｎ６−アデニン、７−メチルグアニン、５−メチルアミノメチルウラシル、５−メトキシアミノメチル−２−チオウラシル、β−Ｄ−マンノシルキューオシン、５’−メトキシカルボキシメチルウラシル、５−メトキシウラシル、２−メチルチオ−Ｎ６−イソペンテニルアデニン、ウラシル−５−オキシ酢酸（ｖ）、ウィブトキソシン（ｗｙｂｕｔｏｘｏｓｉｎｅ）、プソイドウラシル（ｐｓｅｕｄｏｕｒａｃｉｌ）、キューオシン、２−チオシトシン、５−メチル−２−チオウラシル、２−チオウラシル、４−チオウラシル、５−メチルウラシル、ウラシル−５−オキシ酢酸メチルエステル、ウラシル−５−オキシ酢酸（ｖ）、５−メチル−２−チオウラシル、３−（３−アミノ−３−Ｎ−２−カルボキシプロピル）ウラシル、（ａｃｐ３）ｗおよび２，６−ジアミノプリンを非制限的に含む群から選択される、少なくとも１つの修飾塩基部分を含みうる。
【０１８６】
本発明はさらに、ホスホジエステル、ホスホロチオエート、ホスホロジチオエート、メチルホスホネート、ホスホルアミデート、アルキルホスホジエステル、スルファメート、３’−チオアセタール、メチレン（メチルイミノ）、３’ −Ｎ−カルバメート、モルホリノカルバメート、キラル−メチルホスホネート、短鎖アルキルもしくはシクロアルキル糖間結合（ｉｎｔｅｒｓｕｇａｒ ｌｉｎｋａｇｅ）を有するヌクレオチド、短鎖ヘテロ原子もしくは複素環式糖間（「骨格」）結合、もしくはＣＨ２−ＮＨ−Ｏ−ＣＨ２、ＣＨ２−Ｎ（ＣＨ３）−ＯＣＨ２、ＣＨ２−Ｏ−Ｎ（ＣＨ３）−ＣＨ２、ＣＨ２−Ｎ（ＣＨ３）−Ｎ（ＣＨ３）−ＣＨ２およびＯ−Ｎ（ＣＨ３）−ＣＨ２−ＣＨ２骨格（ホスホジエステルがＯ−Ｐ−Ｏ−ＣＨ２の場合）またはそれらの混合物などの骨格類似体を有するオリゴヌクレオチドも提供する。モルホリノ骨格構造を有するオリゴヌクレオチドも有用である（米国特許第５，０３４，５０６号）。
【０１８７】
有用な参考文献には、オリゴヌクレオチドおよびその類似体、実践的アプローチ（Ｏｌｉｇｏｎｕｃｌｅｏｔｉｄｅｓ ａｎｄ Ａｎａｌｏｇｕｅｓ、Ｐｒａｃｔｉｃａｌ Ａｐｐｒｏａｃｈ）、エクスタイン（Ｆ． Ｅｃｋｓｔｅｉｎ）編、ＩＲＬ Ｐｒｅｓｓ、Ｏｘｆｏｒｄ Ｕｎｉｖｅｒｓｉｔｙ Ｐｒｅｓｓ（１９９１）；アンチセンスの手法（Ａｎｔｉｓｅｎｓｅ Ｓｔｒａｔｅｇｉｅｓ）、Ａｎｎａｌｓ ｏｆ ｔｈｅ Ｎｅｗ Ｙｏｒｋ Ａｃａｄｅｍｙ ｏｆ Ｓｃｉｅｎｃｅｓ、Ｖｏｌｕｍｅ ６００、バサーガ（Ｂａｓｅｒｇａ）およびデンハルト（Ｄｅｎｈａｒｄｔ）編（ＮＹＡＳ １９９２）；ミリガン（Ｍｉｌｌｉｇａｎ）ら、９ Ｊｕｌｙ １９９３、Ｊ． Ｍｅｄ． Ｃｈｅｍ． ３６（１４）：１９２３〜１９３７；アンチセンスの研究および応用（Ａｎｔｉｓｅｎｓｅ Ｒｅｓｅａｒｃｈ ａｎｄ Ａｐｐｌｉｃａｔｉｏｎｓ）（１９９３、ＣＲＣ Ｐｒｅｓｓ）の全体および特にサンギ（Ｓａｎｇｈｖｉ）による「核酸における複素環式塩基修飾およびアンチセンスオリゴヌクレオチドにおけるその応用（Ｈｅｔｅｒｏｃｙｃｌｉｃ ｂａｓｅ ｍｏｄｉｆｉｃａｔｉｏｎｓ ｉｎ ｎｕｃｌｅｉｃ ａｃｉｄｓ ａｎｄ ｔｈｅｉｒ ａｐｐｌｉｃａｔｉｏｎｓ ｉｎ ａｎｔｉｓｅｎｓｅ ｏｌｉｇｏｎｕｃｌｅｏｔｉｄｅｓ）」と題する第１５章；ならびにアンチセンス治療薬（Ａｎｔｉｓｅｎｓｅ Ｔｈｅｒａｐｅｕｔｉｃｓ）、スディール・アグラワル（Ｓｕｄｈｉｒ Ａｇｒａｗａｌ）編（Ｈｕｍａｎａ Ｐｒｅｓｓ、Ｔｏｔｏｗａ、Ｎｅｗ Ｊｅｒｓｅｙ、１９９６）が含まれる。
【０１８８】
１つの態様において、本アンチセンス配列は、ＣＬＡＳＰ−２ ｍＲＮＡの相対的に接触可能な配列（例えば、二次構造が相対的に少ないもの）に対して相補的である。これは、予想されるＲＮＡ二次構造を例えばＭＦＯＬＤプログラム（Ｇｅｎｅｔｉｃｓ Ｃｏｍｐｕｔｅｒ Ｇｒｏｕｐ、Ｍａｄｉｓｏｎ ＷＩ）を用いて解析し、当技術分野で知られた通りにインビトロまたはインビボで試験を行うことによって決定しうる。有効なアンチセンス組成物を同定するためのもう１つの有用な方法では、オリゴヌクレオチドのコンビナトリアルアレイを用いる（例えば、Ｍｉｌｎｅｒら、１９９７、Ｎａｔｕｒｅ Ｂｉｏｔｅｃｈｎｏｌｏｇｙ １５：５３７を参照されたい）。ＣＬＡＳＰ−２機能のアンチセンス抑制に関する試験を行いうるオリゴヌクレオチドの例は、配列番号：１のうち以下の位置とハイブリダイズしうる（すなわち、実質的に相補的な）ものである ：
2004535751.tif 000008
（実施例８も参照のこと）
【０１８９】
いくつかの態様において、アンチセンスオリゴヌクレオチドの投与は、アンチセンスホスホロチオエートオリゴヌクレオチドを１μＭ、５μＭ、１０μＭまたは２０μＭの濃度で投与した後にノーザン分析による評価で、ｈＣＬＡＳＰ−ｍＲＮＡの発現を少なくとも約５０％低下させると考えられる。
【０１９０】
また、本発明は、アンチセンス配列に加えて（すなわち、抗ＣＬＡＳＰ−２センス配列に加えて）別の配列を有するアンチセンスポリヌクレオチドも提供する。この場合には、アンチセンス配列はより長い配列のポリヌクレオチドの内部に含まれる。もう１つの態様において、ポリヌクレオチドの配列は、本質的にはアンチセンス配列からなる、またはアンチセンス配列そのものである。
【０１９１】
アンチセンス核酸（ＤＮＡ、ＲＮＡ、修飾物、類似体など）は、本明細書に開示する化学合成法および組換え法などの、核酸を作製するための任意の適した方法を用いて作製することができる。１つの態様においては、例えば、本発明のアンチセンスＲＮＡ分子を、デノボ化学合成またはクローニングによって調製しうる。例えば、ＣＬＡＳＰ−２ ｍＲＮＡとハイブリダイズするアンチセンスＲＮＡは、ＣＬＡＳＰ−２ＤＮＡ配列（例えば、配列番号：１またはその断片）を、ベクター（例えば、プラスミド）中にプロモーターと機能的に結合するように逆方向に挿入（連結）することによって作製しうる。プロモーター、ならびに好ましくは転写終結シグナルおよびポリアデニル化シグナルが適切に配置されれば、非コード鎖に対応する挿入配列のストランドが転写され、本発明のアンチセンスオリゴヌクレオチドとして作用すると考えられる。「機能的に結合した」という用語は、発現調節配列が第２の配列に対応する核酸の転写を指令するような、核酸発現調節配列（プロモーターまたはエンハンサーなど）と第２の核酸配列との間の機能的なつながりのことを指す。
【０１９２】
１つの態様では、ＣＬＡＳＰ−２ヌクレオチド配列の翻訳開始部位、例えば、−１０から＋１０までの領域に由来するアンチセンスＤＮＡオリゴデオキシリボヌクレオチドが用いられる。アンチセンスポリヌクレオチドに関する一般的な方法については、アンチセンスＲＮＡおよびＤＮＡ（Ａｎｔｉｓｅｎｓｅ ＲＮＡ ａｎｄ ＤＮＡ）、１９８８、メルトン（Ｄ．Ａ． Ｍｅｌｔｏｎ）編、Ｃｏｌｄ Ｓｐｒｉｎｇ Ｈａｒｂｏｒ Ｌａｂｏｒａｔｏｒｙ、Ｃｏｌｄ Ｓｐｒｉｎｇ Ｈａｒｂｏｒ、ＮＹを参照のこと。また、ダグル（Ｄａｇｌｅ）ら、１９９１、Ｎｕｃｌｅｉｃ Ａｃｉｄｓ Ｒｅｓｅａｒｃｈ、１９：１８０５も参照されたい。アンチセンス療法の総説については、例えば、ウールマン（Ｕｈｌｍａｎｎ）ら、１９９０、Ｃｈｅｍ． Ｒｅｖｉｅｗｓ、９０：５４３〜５８４を参照されたい。
【０１９３】
Ｂ．リボザイム
リボザイムとは、ＲＮＡを特異的に切断しうる酵素性ＲＮＡ分子のことである。リボザイムの作用機序には、リボザイム分子と相補的な標的ＲＮＡとの配列特異的ハイブリダイゼーションとこれに続くヌクレオチド鎖切断が含まれる。ＣＬＡＳＰ−２ＲＮＡ配列のヌクレオチド鎖切断を特異的および効率的に触媒する、ハンマーヘッド型モチーフを有する組換えリボザイム分子は本発明の範囲に含まれる。
【０１９４】
可能性のある任意のＲＮＡ標的の内部にある特異的なリボザイム切断部位は、配列ＧＵＡ、ＧＵＵおよびＧＵＣを含むリボザイム切断部位に関して標的分子をスキャンすることによってまず同定される。ひとたび同定されれば、切断部位を含む標的遺伝子の領域に対応する１５〜２０リボヌクレオチドの範囲の短いＲＮＡ配列を、オリゴヌクレオチド配列が不適切とされる二次構造などの予想される構造的な特徴に関して評価することができる。標的候補の適切さを、リボヌクレアーゼ保護アッセイ法を用いて相補的オリゴヌクレオチドとのハイブリダイゼーションへの利用可能性を検討することによって評価することもできる。
【０１９５】
Ｃ． 三重鎖
または、標的遺伝子の調節領域（すなわち、標的遺伝子のプロモーターおよび／またはエンハンサー）に対して相補的なデオキシリボヌクレオチド配列によるターゲティングを行い、体内の標的細胞における標的遺伝子の転写を妨げる三重らせん構造を形成させることによって、内因性標的遺伝子の発現を低下させることもできる（概論については、Ｈｅｌｅｎｅ、１９９１、Ａｎｔｉｃａｎｃｅｒ Ｄｒｕｇ Ｄｅｓ．、６（６）：５６９〜５８４；Ｈｅｌｅｎｅら、１９９２、Ａｎｎ． Ｎ．Ｙ． Ａｃａｄ． Ｓｃｉ．、６６０：２７〜３６；およびＭａｈｅｒ、１９９２、ＢｉｏＡｓｓａｙ １４（１２）：８０７〜８１５を参照）。
【０１９６】
転写阻害のための三重らせん形成に用いる核酸分子は、一本鎖であってデオキシヌクレオチドから構成される必要がある。これらのオリゴヌクレオチドの塩基組成は、二本鎖の一方のストランドにプリンまたはピリミジンの安定な連鎖が存在することが一般に必要であるというフーグスティーン型塩基対規則によって三重らせん形成が促されるように設計しなければならない。ヌクレオチド配列はピリミジンを主体とすることができ、その場合には結果として得られる三重らせんの３つの会合鎖の間にＴＡＴおよびＣＧＣ＋トリプレットが生じると考えられる。ピリミジンに富む分子は、二本鎖の単一ストランド中のプリンに富む領域に対して相補的な塩基をそのストランドに平行な方向で提供する。さらに、プリンに富む核酸分子、例えばＧ残基の連鎖を含むものを選択することもできる。これらの分子は、ＧＣ対に富むＤＮＡ二本鎖との間に、プリン残基の大半が標的二本鎖の単一ストランド上に位置し、三重鎖の３つのストランドの間でＧＧＣトリプレットが生じるような三重らせんを形成すると考えられる。
【０１９７】
または、いわゆる「スイッチバック」核酸分子を作製することにより、三重らせん形成のためのターゲティングが可能な標的の候補を増やすこともできる。スイッチバック分子は、それらが二本鎖の最初の１つのストランド、続いて他方のストランドと塩基対を形成し、二本鎖の一方にプリンまたはピリミジンのかなり長い連鎖が存在する必要性がなくなるように、５’→３’、３’→５’の交代様式で合成される。
【０１９８】
Ｄ． 概論
本発明のアンチセンスＲＮＡおよびＤＮＡ分子、リボザイムならびに三重らせん分子は、ＲＮＡ分子の合成のための当技術分野で知られた任意の方法によって調製しうる。これらには、例えば固相ホスホルアミダイト化学合成などの、オリゴデオキシリボヌクレオチドの化学合成のための当技術分野で周知の技法が含まれる。または、アンチセンスＲＮＡ分子をコードするＤＮＡ配列のインビトロおよびインビボでの転写によってＲＮＡ分子を作製することもできる。このようなＤＮＡ配列は、Ｔ７またはＳＰ６ポリメラーゼプロモーターなどの適したＲＮＡポリメラーゼプロモーターを含む、非常にさまざまなベクター中に組み入れることが可能である。または、用いるプロモーターに応じて、アンチセンスＲＮＡを構成性または誘導性に合成するアンチセンスｃＤＮＡ構築物を細胞系に安定的に導入することもできる。
【０１９９】
細胞内での安定性および半減期を向上させる手段として、ＤＮＡ分子にさまざまな修飾を導入することができる。考えられる修飾には、分子の５’および／もしくは３’末端へのリボ−もしくはデオキシ−ヌクレオチドの隣接配列の付加、またはオリゴデオキシリボヌクレオチド骨格の内部にホスホジエステル結合ではなくホスホロチオエートもしくは２’ Ｏ−メチルを用いることが非制限的に含まれる。
【０２００】
このような細胞または組織にポリヌクレオチドを導入するための方法には、裸のポリヌクレオチドのインビトロ導入、すなわち組織への注入によるもの、エクスビボでの細胞へのＣＬＡＳＰ−２ポリヌクレオチドの導入、ウイルス（例えば、レトロウイルス、アデノウイルス、アデノ随伴ウイルスなど）、ファージもしくはプラスミドなどのベクターの使用、または電気穿孔もしくはリン酸カルシウム沈降などの技法などの、ポリヌクレオチドのインビトロ導入のための方法が含まれる。
【０２０１】
５．４．２．２．２  遺伝子治療
細胞に遺伝子配列を導入することによって、細胞が正常なＣＬＡＳＰ−２を発現しない状態または細胞が異常／不活性なＣＬＡＳＰ−２を発現する状態を治療するために遺伝子治療を使用することができる。ＣＬＡＳＰ−２をコードするポリヌクレオチドが、機能欠損した内因性遺伝子と交換するまたは代わりに作用することが意図される場合もある。または、過剰発現によって特徴づけられる異常な状態を以下に記載する遺伝子治療技法を使用して治療することができる。
【０２０２】
具体的な態様において、ＣＬＡＳＰ−２タンパク質またはその機能的な誘導体をコードする配列を含む核酸を遺伝子治療によりＣＬＡＳＰ−２機能を促進するために投与する。遺伝子治療は、被験者に核酸を投与することによって実施される治療をいう。本発明のこの態様において、核酸は、ＣＬＡＳＰ−２機能を促進することによって治療効果を仲介するコードタンパク質を産生する。
【０２０３】
当技術分野において利用可能な遺伝子治療の方法のいずれかを本発明により使用することができる。例示的な方法を以下に記載する。
【０２０４】
遺伝子治療の方法の一般的な総説は、ゴールドスピエル（Ｇｏｌｄｓｐｉｅｌ）ら、１９９３， Ｃｌｉｎｉｃａｌ Ｐｈａｒｍａｃｙ １２： ４８８−５０５；ウ（Ｗｕ）およびウ（Ｗｕ）， １９９１， Ｂｉｏｔｈｅｒａｐｙ ３： ８７−９５；トルストシェフ（Ｔｏｌｓｔｏｓｈｅｖ）， １９９３， Ａｎｎ． Ｒｅｖ． Ｐｈａｒｍａｃｏｌ． Ｔｏｘｉｃｏｌ． ３２： ５７３−５９６；ムリガン（Ｍｕｌｌｉｇａｎ）， １９９３， Ｓｃｉｅｎｃｅ ２６０： ９２６−９３２；ならびにモーガン（Ｍｏｒｇａｎ）およびアンダーソン（Ａｎｄｅｒｓｏｎ）， １９９３， Ａｎｎ． Ｒｅｖ． Ｂｉｏｃｈｅｍ． ６２： １９１−２１７；カン（Ｃａｎ）， １９９３， ＴＩＢＴＥＣＨ １１（５）： １５５−２１５）を参照。使用することができる組換えＤＮＡ技術の分野において通常知られている方法は、アウスベル（Ａｕｓｕｂｅｌ）ら、前記；およびクリエグラー（Ｋｒｏｅｇｌｅｒ）， １９９０、「遺伝子導入および発現：実験マニュアル（Ｇｅｎｅ Ｔｒａｎｓｆｅｒ ａｎｄ Ｅｘｐｒｅｓｓｉｏｎ， Ａ ＬＡｂｏｒａｔｏｒｙ Ｍａｎｎｕａｌ）」、Ｓｔｏｃｋｔｏｎ Ｐｒｅｓｓ， ＮＹに記載されている。
【０２０５】
一局面において、治療用組成物は、好適な宿主内でＣＬＡＳＰ−２タンパク質またはその断片もしくはそのキメラタンパク質をコードする発現ベクターの一部であるＣＬＡＳＰ−２核酸を含む。特に、このような核酸は、ＣＬＡＳＰ−２コード領域に機能的に結合し、誘導性または構成的であり、必要に応じて組織特異的であるプロモーターを有する。別の特定の態様において、ＣＬＡＳＰ−２コード配列および任意の他の望ましい配列に、ゲノム内の望ましい部位における相同組換えを促進し、それによってＣＬＡＳＰ−２核酸を染色体内発現させる領域が隣接する核酸分子が使用される（ＫｏｌｌｅｒおよびＳｍｉｔｈｉｅｓ， １９８９， Ｐｒｏｃ． Ｎａｔｌ． Ａｃａｄ． Ｓｃｉ．，ＵＳＡ． ８６： ８９３２−８９３５； Ｚｉｊｌｓｔｒａら， １９８９， Ｎａｔｕｒｅ ３４２： ４３５−４３８）。
【０２０６】
患者への核酸の送達は直接的であっても、間接的であってもよく、直接的である場合には、患者は核酸または核酸搬送ベクターに直接暴露され、間接的である場合には、最初に細胞をインビトロにおいて核酸で形質転換し、次いで患者に移植する。これら２つの方法は、それぞれ、インビボ遺伝子治療またはエクスビボ遺伝子治療として周知である。
【０２０７】
具体的な態様において、核酸が発現されて、コードタンパク質を産生する場合には、それを直接インビボにおいて投与する。これは、例えば、適当な核酸発現ベクターの一部として構成し、細胞内にあるように、例えば欠損型もしくは弱毒化型レトロウィルスベクターまたは他のウィルスベクター（米国特許第４，９８０，２８６号参照）を使用して感染させることにより、または未処理のＤＮＡを直接注射することにより、または微粒子銃（ｍｉｃｒｏｐａｒｔｉｃｌｅ ｂｏｍｂａｒｄｍｅｎｔ）（例えば、遺伝子銃；Ｂｉｏｌｉｓｔｉｃ、デュポン）、または脂質もしくは細胞表面受容体もしくはトランスフェクト用薬剤によるコーティング、リポソーム、微粒子もしくはマイクロカプセルへの封入を使用することにより、または核に流入することが知られているペプチドに結合した状態で投与することにより、受容体を介するエンドサイトーシスを受けるリガンドに結合した状態で投与すること（例えば、ＷｕおよびＷｕ， １９８７， Ｊ． Ｂｉｏｌ． Ｃｈｅｍ ２６２： ４４２９−４４３２）（特異的に受容体を発現する細胞種を標的にするために使用することができる）等により投与することによって、当技術分野において周知の数多くの方法のいずれかによって実施することができる。別の態様において、リガンドが、エンドソームを破壊するための融合誘導（ｆｕｓｏｇｅｎｉｃ）ウィルスペプチドを含み、核酸にリソソーム分解を受けさせない核酸−リガンド複合体を形成することができる。さらに別の態様において、特異的な受容体を標的化することによって、細胞特異的な取り込みおよび発現のために核酸をインビボにおいて標的化することができる（例えば、１９９２年４月１６日出願の国際公開公報第９２／０６１８０号、１９９２年１２月２３日出願の国際公開公報第９２／２２６３５号、１９９２年１１月２６日出願の国際公開公報第９２／２０３１６号、１９９３年７月２２日出願の国際公開公報第９３／１４１８８号、１９９３年１０月１４日出願の国際公開公報第９３／２０２２１号を参照）。または、核酸を細胞内に導入し、相同組換えによって発現するために宿主細胞ＤＮＡ内に組み込むことができる（ＫｏｌｌｅｒおよびＳｍｉｔｈｉｅｓ， １９８９， Ｐｒｏｃ． Ｎａｔｌ． Ａｃａｄ． Ｓｃｉ．， ＵＳＡ． ８６： ８９３２−８９３５； Ｚｉｊｌｓｔｒａら， １９８９， Ｎａｔｕｒｅ ３４２： ４３５−４３８）。
【０２０８】
具体的な態様において、ＣＬＡＳＰ−２核酸を含有するウィルスベクターが使用される。例えば、レトロウィルスベクターを使用することができる（Ｍｉｌｌｅｒら， １９９３， Ｍｅｔｈ． Ｅｎｚｙｍｏｌ． ２１７： ５８１−５９９）。これらのレトロウィルスベクターは、ウィルスゲノムのパッケージングおよび宿主細胞ＤＮＡへの導入に必要でないレトロウィルス配列を欠損するように改変されている。遺伝子治療に使用されるＣＬＡＳＰ−２核酸を、患者への遺伝子の送達を容易にするベクターにクローニングする。レトロウィルスベクターについてのさらに詳細な記載は、化学療法により抵抗性である幹細胞を作製するために、造血幹細胞にｍｄｒ Ｉ遺伝子を送達するためのレトロウィルスベクターの用途を記載している、ブーセン（Ｂｏｅｓｅｎ）ら、１９９４， Ｂｉｏｔｈｅｒａｐｙ ６： ２９１−３０２に見いだすことができる。遺伝子治療におけるレトロウィルスベクターの用途を例示している他の文献は、クロウズ（Ｃｌｏｗｅｓ）ら、１９９４， Ｊ． Ｃｌｉｎ． Ｉｎｖｅｓｔ． ９３： ６４４−６５１、キーム（Ｋｉｅｍ）ら、１９９４， Ｂｌｏｏｄ ８３： １４６７−１４７３、サーモンズ（Ｓａｌｍｏｎｓ）およびグンズベルグ（Ｇｕｎｚｂｅｒｇ）、１９９３， Ｈｕｍａｎ Ｇｅｎｅ Ｔｈｅｒａｐｙ ４： １２９−１４１並びにグロスマン（Ｇｒｏｓｓｍａｎ）およびウィルソン（Ｗｉｌｓｏｎ）、１９９３， Ｃｕｒｒ． Ｏｐｉｎ． ｉｎ Ｇｅｎｅｔｉｃｓ ａｎｄ Ｄｅｖｅｌ． ３： １１０−１１４である。
【０２０９】
アデノウィルスは、遺伝子治療に使用することができる他のベクターである。
アデノウィルスは、呼吸上皮に遺伝子を送達するのに特に興味深い媒体である。
アデノウィルスは自然な状態で呼吸上皮に感染し、そこに軽度な疾患を生じる。
アデノウィルスに基づいた送達系の他の標的は肝臓、中枢神経系、内皮細胞および筋肉である。アデノウィルスは、非分裂細胞に感染することができるという利点がある。コザルスキー（Ｋｏｚａｒｓｋｙ）およびウィルソン（Ｗｉｌｓｏｎ） １９９３， Ｃｕｒｒｅｎｔ Ｏｐｉｎｉｏｎ ｉｎ Ｇｅｎｅｔｉｃｓ ａｎｄ Ｄｅｖｅｌｏｐｍｅｎｔ ３： ４９９−５０３）はアデノウィルスに基づいた遺伝子治療の総説を提供している。ボウト（Ｂｏｕｔ）ら、１９９４， Ｈｕｍａｎ Ｇｅｎｅ Ｔｒａｎｓｆｅｒ ５： ３−１０は、アカゲザルの呼吸器上皮に遺伝子を導入するためのアデノウィルスベクターの用途を実証した。遺伝子治療におけるアデノウィルスの用途の他の例は、ローゼンフェルド（Ｒｏｓｅｎｆｅｌｄ）ら、１９９１， Ｓｃｉｅｎｃｅ ２５２： ４３１−４３４、ローゼンフェルド（Ｒｏｓｅｎｆｅｌｄ）ら、１９９２， Ｃｅｌｌ ６８： １４３−１５５、およびマストランゲリ（Ｍａｓｔｒａｎｇｅｌｉ）ら、１９９３， Ｊ． Ｃｌｉｎ． Ｉｎｖｅｓｔ． ９１： ２２５−２３４に見いだすことができる。
アデノ関連ウィルス（ＡＡＶ）も遺伝子治療における用途について提案されている（Ｗａｌｓｈら， １９９３， Ｐｒｏｃ． Ｎａｔｌ． Ｓｏｃ． Ｅｘｐ． Ｂｉｏｌ． Ｍｅｄ． ２０４： ２８９−３００）。
【０２１０】
遺伝子治療の別の方法は、エレクトロポレーション、リポフェクション、リン酸カルシウムを介するトランスフェクション、またはウィルス感染などの方法によって組織培養中の細胞に遺伝子を導入することを含む。通常、導入方法には細胞に選択可能なマーカーを導入することが含まれる。次いで、導入された遺伝子を取り込み、それを発現する細胞を単離する選択条件下に細胞をおく。次いで、その細胞を患者に送達する。
【０２１１】
この態様において、得られた組換え細胞をインビボにおいて投与する前に核酸を細胞に導入する。このような導入は、トランスフェクション、エレクトロポレーション、マイクロインジェクション、核酸配列を含有するウィルスもしくはバクテリオファージによる感染、細胞融合、染色体を介する遺伝子移入、マイクロセルを介する遺伝子移入、スフェロプラスト融合等を含むが、それらに限定されることはない当技術分野において周知の任意の方法によって実施することができる。細胞に外来遺伝子を導入するための数多くの技法が当技術分野において周知であり（例えば、ＬｏｅｆｆｌｅｒおよびＢｅｈｒ， １９９３， Ｍｅｔｈ． Ｅｎｚｙｍｏｌ． ２１７： ５９９−６１８； Ｃｏｈｅｎら， １９９３， Ｍｅｔｈ． Ｅｎｚｙｍｏｌ． ２１７： ６１８−６４４； Ｃｌｉｎｅ， １９８５， Ｐｈａｒｍａｃ． Ｔｈｅｒ． ２９： ６９−９２）、本発明により使用することができるが、ただし、レシピエント細胞の必要な発育および生理的な機能は妨害されない。核酸が細胞によって発現可能であり、好ましくはその細胞の子孫に遺伝可能で発現可能であるように、技法は細胞に核酸を安定して導入するべきである。
【０２１２】
得られる組換え細胞は当技術分野において周知の種々の方法によって患者に送達することができる。好ましい態様において、上皮細胞は、例えば皮下に注射される。別の態様において、組換え皮膚細胞は患者に皮膚移植片として適用することができる。組換え血液細胞（例えば、造血幹細胞または始原細胞）は、好ましくは、静脈内に投与される。使用される細胞の量は望ましい効果、患者の状態等に依存し、当業者が決定することができる。
【０２１３】
遺伝子治療の目的のために核酸を導入することができる細胞は任意の望ましい入手可能な細胞種を含み、上皮細胞、内皮細胞、ケラチン細胞、線維芽細胞、筋肉細胞、幹細胞；Ｔリンパ球、Ｂリンパ球、単球、マクロファージ、好中球、好酸球、巨核細胞、顆粒球などの血液細胞；例えば、骨髄、臍帯血、末梢血、胎児肝等から得られるような、種々の幹細胞または始原細胞、特に造血幹細胞または始原細胞を含むが、それらに限定されることはない。好ましい態様において、遺伝子治療に使用される細胞は患者にとって自己由来のものである。
【０２１４】
具体的な態様において、遺伝子治療の目的のために導入される核酸は、核酸の発現が転写の適当なインデューサーの有無を制御することによって制御可能であるように、コード領域に機能的に結合する誘導性プロモーターを含む。
【０２１５】
５．４．２．３．  ノックアウト細胞
本発明の一局面において、内因性標的遺伝子の発現を、標的化された相同組換えを使用して、標的遺伝子またはそのプロモーターを不活性化または「ノックアウトする」ことによって低下することもできる（例えば、各々その全体の内容が参照として本明細書に組み入れられている、Ｓｍｉｔｈｉｅｓら， １９８５， Ｎａｔｕｒｅ ３１７： ２３０−２３４； ＴｈｏｍａｓおよびＣａｐｅｃｃｈｉ， １９８７， Ｃｅｌｌ ５１： ５０３−５１２； Ｔｈｏｍｐｓｏｎら， １９８９， Ｃｅｌｌ ５： ３１３−３２１）。例えば、内因性標的遺伝子（標的遺伝子のコード領域または調節領域）に相同なＤＮＡが隣接する突然変異した非機能的標的遺伝子（または、全く関係のないＤＮＡ配列）を、インビボにおいて標的遺伝子を発現する細胞にトランスフェクトするために、選択可能なマーカーおよび／または負の選択可能なマーカーを用いて、または用いないで、使用することができる。標的化された相同組換えによるＤＮＡ構築物の挿入により標的遺伝子が不活性化される。このような方法は、ＥＳ（胚性幹）細胞の改変を使用して、不活性な標的遺伝子を有する動物の子孫を作製することができる農業分野において特に好適である（例えば、ＴｈｏｍａｓおよびＣａｐｅｃｃｈｉ， １９８７、ならびにＴｈｏｍｐｓｏｎ， １９８９， 前記）。しかし、この方法は、適当なウィルスベクターを使用して組換えＤＮＡ構築物がインビボにおいて必要な部位に直接投与または標的化される場合には、ヒトに対して使用するために適合することができる。
【０２１６】
５．４．２．４  トランスジェニック動物およびノックアウト動物
ＣＬＡＳＰ−２遺伝子産物はまたトランスジェニック動物においても発現することができる。マウス、ラット、ウサギ、モルモット、ブタ、ミニブタ、ヤギ、ヒツジ、およびヒト以外の霊長類、例えば、ヒヒ、サルおよびチンパンジーを含むが、それらに限定されない任意の種の動物を使用してＣＬＡＳＰ−２トランスジェニック動物を作製することができる。本明細書において使用する「トランスジェニック」という用語は、異なる種由来のＣＬＡＳＰ−２遺伝子配列を発現する動物（例えば、ヒトＣＬＡＳＰ−２遺伝子配列を発現するマウス）並びに内因性（すなわち、同一種）ＣＬＡＳＰ−２配列を過剰発現するように遺伝的に操作されている動物、または内因性ＣＬＡＳＰ−２遺伝子配列を発現しないように遺伝的に操作されている動物（すなわち、「ノックアウト」動物）またはそれらの子孫をいう。
【０２１７】
当技術分野において周知の任意の技法を使用して、動物にＣＬＡＳＰ−２導入遺伝子を導入してトランスジェニック動物の子孫系列を作製することができる。このような技法は、前核マイクロインジェクション（ＨｏｐｐｅおよびＷａｇｎｅｒ， １９８９， 米国特許出願第４，８７３，１９１号）、生殖細胞系列へのレトロウィルスを介する遺伝子導入（Ｖａｎ ｄｅｒ Ｐｕｔｔｅｎら， １９８５， Ｐｒｏｃ． Ｎａｔｌ． Ａｃａｄ． Ｓｃｉ．，ＵＳＡ．， ８２： ６１４８−６１５２）、胚性幹細胞への遺伝子標的化（Ｔｈｏｍｐｓｏｎら， １９８９， Ｃｅｌｌ ５６： ３１３−３２１）、胚のエレクトロポレーション（Ｌｏ， １９８３， Ｍｏｌ． Ｃｅｌｌ． Ｂｉｏｌ． ３： １８０３−１８１４）、および精子を介する遺伝子導入（Ｌａｖｉｔａｎｏら， １９８９， Ｃｅｌｌ ５７： ７１７−７２３）を含むが、それらに限定されない（このような技法の総説は、Ｇｏｒｄｏｎ， １９８９， Ｔｒａｎｓｇｅｎｉｃ Ａｎｉｍａｌｓ， Ｉｎｔｌ． Ｒｅｖ． Ｃｙｔｏｌ． １１５， １７１−２２９）。
【０２１８】
例えば、静止期に誘導した培養中の胚、胎児、または成人細胞由来の核の除核卵母細胞への核導入のような、当技術分野において周知の任意の技法を使用して、ＣＬＡＳＰ−２導入遺伝子を含有するトランスジェニック動物クローンを作製することができる（Ｃａｍｐｂｅｌｌら， １９９６， Ｎａｔｕｒｅ ３８０： ６４−６６； Ｗｉｌｍｕｔら， Ｎａｔｕｒｅ ３８５： ８１０−８１３）。
【０２１９】
本発明は、全ての細胞内にＣＬＡＳＰ−２導入遺伝子を保有するトランスジェニック動物、並びに全てではないが、一部の細胞に導入遺伝子を保有する動物、すなわち、モザイク動物を提供する。導入遺伝子は単一の導入遺伝子として、または、例えばヘッドからヘッドへの縦列配列（ｈｅａｄ−ｔｏ−ｈｅａｄ ｔａｎｄｅｍｓ）またはヘッドからテイルへの縦列配列（ｈｅａｄ−ｔｏ−ｔａｉｌ ｔａｎｄｅｍｓ）のようなコンカテマー状態で導入されうる。例えば、ラスコ（Ｌａｓｋｏ）ら、（１９９２， Ｐｒｏｃ． Ｎａｔｌ． Ａｃａｄ． Ｓｃｉ．，ＵＳＡ． ８９： ６２３２−６２３６）の開示内容に従って、導入遺伝子を特定の細胞種に選択的に導入し、活性化することができる。このような細胞種特異的な活性化に必要な調節配列は対象となる特定の細胞種に依存し、当業者にあきらかである。ＣＬＡＳＰ−２導入遺伝子を内因性ＣＬＡＳＰ−２遺伝子の染色体部位に導入することが望ましい場合には、遺伝子標的化が好ましい。簡単に説明すると、このような技法が使用される場合には、染色体配列による相同組換えによって、内因性ＣＬＡＳＰ−２遺伝子のヌクレオチド配列に組み込み、その機能を妨害する目的のために、内因性ＣＬＡＳＰ−２遺伝子に相同ないくつかのヌクレオチド配列を含有するベクターが設計される。例えば、グ（Ｇｕ）ら、（１９９４， Ｓｃｉｅｎｃｅ ２６５： １０３−１０６）の開示内容に従って、導入遺伝子を特定の細胞種に選択的に導入して、その細胞種だけの内因性ＣＬＡＳＰ−２遺伝子を不活性化することもできる。細胞種特異的な不活性化に必要な調節配列は対象となる特定の細胞種に依存し、当業者にあきらかである。
【０２２０】
トランスジェニック動物が一旦作製されたら、組換えＣＬＡＳＰ−２遺伝子の発現を標準的な技法を使用してアッセイすることができる。最初のスクリーニングは、導入遺伝子の導入が生じたかどうかをアッセイするために、動物の組織を分析するためのサザンブロット分析またはＰＣＲ技法によって実施することができる。トランスジェニック動物の組織中の導入遺伝子のｍＲＮＡ発現のレベルも、動物から入手される組織試料ノーザンブロット分析、インサイチューハイブリダイゼーション解析、およびＲＴ−ＰＣＲ（逆転写ＰＣＲ）を含むが、それらに限定されない技法を使用して評価することができる。ＣＬＡＳＰ−２遺伝子を発現する組織の試料も、ＣＬＡＳＰ−２導入遺伝子産物に特異的な抗体を使用して免疫細胞化学的に評価することができる。
【０２２１】
５．４．２．５  ＣＬＡＳＰ−２ポリヌクレオチドの他の用途
新たな染色体マーキング試薬を同定する必要性が絶え間なく存在している。配列番号：１、３、５または９からＰＣＲプライマーを作製することによって、配列を染色体上にマッピングすることができる。これらのプライマーは、鎖長が５０ヌクレオチド未満、一般に４６ヌクレオチド未満、さらに一般に４１ヌクレオチド未満、最も一般に３６ヌクレオチド未満であってもよく、好ましくは鎖長が３１ヌクレオチド未満、さらに好ましくは２６ヌクレオチド未満、最も好ましくは２１ヌクレオチド未満であってもよい。プローブは、鎖長が１６ヌクレオチド未満、鎖長が１３ヌクレオチド未満、鎖長が９ヌクレオチド未満、および鎖長が７ヌクレオチド未満であってもよい。プライマーが、ゲノムＤＮＡの２つ以上の予測されたエクソンに及ばないようにプライマーを選択することができる。次いで、個々のヒト染色体を含有する体細胞ハイブリッドをＰＣＲスクリーニングするためにこれらのプライマーを使用する（すなわち、染色体１３）。配列番号：１、３、５または９に対応するヒトＣＬＡＳＰ−２遺伝子を含有するハイブリッドだけが増幅断片を産生すると考えられる。
【０２２２】
同様に、体細胞ハイブリッドは、特定の染色体にポリヌクレオチドをＰＣＲマッピングする迅速な方法を提供する。ＣＬＡＳＰ−２ポリヌクレオチドの正確な染色体位置づけも、伝播した中期染色体の蛍光インサイチューハイブリダイゼーション（ＦＩＳＨ）を使用して実施することができる。ベルマ（Ｖｅｒｍａ）ら、「ヒト染色体：基礎技術マニュアル（Ｈｕｍａｎ Ｃｈｒｏｍｏｓｏｍｅｓ： Ａ Ｍａｎｕａｌ ｏｆ Ｂａｓｉｃ Ｔｅｃｈｎｉｑｕｅｓ）」， Ｐｅｒｇａｍｏｎ Ｐｒｅｓｓ． ＮＹ， １９８８参照。ポリヌクレオチドが一旦正確な染色体位置にマッピングされたら、ポリヌクレオチドの物理的な位置を連鎖分析に使用することができる。連鎖分析は、染色体位置と特定の疾患の発現との共同遺伝（ｃｏｉｎｈｅｒｉｔａｎｃｅ）を確立する。マククシック（ＭｃＫｕｓｉｃｋ， Ｖ．）， １９９８， 「ヒトにおけるメンデル遺伝：ヒト遺伝子および遺伝疾患のカタログ（Ｍｅｎｄｅｌｉａｎ Ｉｎｈｅｒｉｔａｎｃｅ ｉｎ Ｍａｎ： Ａ Ｃａｔａｌｏｇ ｏｆ Ｈｕｍａｎ Ｇｅｎｅｓ ａｎｄ Ｇｅｎｔｉｃ Ｄｉｓｏｒｄｅｒｓ）， １２ｔｈ Ｅｄ， Ｊｏｈｎｓ Ｈｏｐｋｉｎｓ Ｕｎｉｖｅｒｓｉｔｙ Ｐｒｅｓｓ参照。
【０２２３】
ＣＬＡＳＰ−２ポリヌクレオチドは、制限断片長多型（ＲＦＬＰ）のＤＮＡマーカーとして少量の生物試料から個人を同定するために使用することができる。個人のゲノムＤＮＡを１種以上の制限酵素で消化し、個人を同定するための独自のバンドを生じるＣＬＡＳＰ−２ ＤＮＡマーカーを用いたサザンブロットでプロービングする。
【０２２４】
ＣＬＡＳＰ−２ポリヌクレオチドはまた、法医学的な分析のための多型マーカーとしても使用することができる。一般的には、米国学術研究会議（Ｎａｔｉｏｎａｌ Ｒｅｓｅａｒｃｈ Ｃｏｕｎｃｉｌ）， 法医学的なＤＮＡの評価（Ｔｈｅ Ｅｖａｌｕａｔｉｏｎ ｏｆ Ｆｏｒｅｎｓｉｃ ＤＮＡ Ｅｖｉｄｅｎｃｅ）（Ｅｄｓ． １９９６， Ｐｏｌｌａｒｄら， Ｎａｔｉｏｎａｌ Ａｃａｄｅｍｙ Ｐｒｅｓｓ， Ｗａｓｈｉｎｇｔｏｎ Ｄ．Ｃ．）参照。
個人における識別用または独自の法医学的マーカーセットを識別することができることは法医学的な分析に有用である。例えば、選択した多型部位を占有する多型形態のセットが容疑者および試料において同一であるかどうかを判定することによって、容疑者の血液試料が事件現場の血液または他の組織と一致するかどうかを判定することができる。多型マーカーセットが容疑者と試料とで一致しない場合には、（実験誤差でなければ）容疑者は試料の起源でなかったと結論づけることができる。マーカーセットが一致する場合には、容疑者のＤＮＡは事件現場で見つけられたものと一致すると結論づけることができる。試験した遺伝子座における多型形態の頻度が決定されたら（例えば、好適な個人の集団を分析することによって）、容疑者と事件現場の試料の一致が偶然に生ずる確立を求める統計分析を実施することができる。
【０２２５】
このような識別を実施するために、ＰＣＲ技術を使用して、例えば、事件現場で見つけられた毛髪または皮膚、または例えば血液、唾液もしくは精液のような体液のような組織などのごく少量の生物試料から採取されるＤＮＡ配列を増幅することができる。次いで、増幅された配列を標準品と比較し、それによって生物試料の起源を同定することができる。本発明のＣＬＡＳＰ−２ポリヌクレオチド配列を使用して、例えば別の「識別マーカー」（すなわち、特定の個人に独特の別のＤＮＡ配列）を提供することによって、ＤＮＡに基づいた法医学的識別の信頼性を増加することができるヒトゲノムの特定の遺伝子座に標的化されるポリヌクレオチド試薬、例えばＰＣＲプライマーを提供することができる。上記のように、制限酵素が作製した断片によって形成されるパターンの正確な別法として実際の塩基配列情報を識別に使用することができる。より多数の多型が非コード領域に生ずるので、配列番号：１、３、５または９の非コード領域を標的化する配列はこの用途に特に適当であり、この技法を使用して個人を識別することをより容易にする。ポリヌクレオチド試薬の例にはＣＬＡＳＰ−２ヌクレオチド配列またはその部分、例えば、少なくとも２０塩基、好ましくは少なくとも２５塩基、さらに好ましくは少なくとも３０塩基の鎖長を有する配列番号：１、３、５または９の非コード領域から誘導される断片が含まれる。
【０２２６】
ＣＬＡＳＰ−２ポリヌクレオチドはまた、父子鑑定試験の試薬としても使用することができる。父子鑑定試験の目的は、通常、男性が子供の父親であるかどうかを判定することである。ほとんどの場合、子供の母親はわかっており、従って子供の遺伝子型への母親の寄与は追跡することができる。父子鑑定試験は、母親に帰属しない子供の遺伝子型の一部が父親と推定される人物のものと一致するかどうかを調査する。父子鑑定試験は、父親と推定される人物と子供の多型セットを分析することによって実施することができる。当然のことながら、本発明を、１人の個人が別の個人に関連するかどうかを判定するこの手法の用途に拡大することができる。よりさらに広義には、本発明を使用して、例えば民族または人種間において１人の個人が別の個人とどれくらい関連があるかを判定することができる。
【０２２７】
５．５  ＣＬＡＳＰ−２遺伝子コード配列によってコードされるポリペプチド
本発明によると、ＣＬＡＳＰ−２ポリペプチド、変異型ポリペプチド、ペプチド断片、ＣＬＡＳＰ−２融合タンパク質、またはその機能的等価物をコードするＣＬＡＳＰ−２ポリヌクレオチドを使用して、適当な宿主細胞においてＣＬＡＳＰ−２タンパク質を発現することができる。種々の態様において、発現されるＣＬＡＳＰ−２ポリペプチドは配列番号：２、４、６もしくは１０またはそれらの断片と同一または実質的にほぼ同じである。
【０２２８】
いくつかの態様において、本発明により使用することができる改変されたＤＮＡ配列は、同じまたは機能的に等価な遺伝子産物をコードする配列を生ずる、異なるヌクレオチド残基の欠損、追加または置換を含む。例えば、遺伝コードの固有の縮重により、同一または機能的に等価なアミノ酸配列をコードする他のＤＮＡ配列をＣＬＡＳＰ−２タンパク質の発現のために本発明を実施する際に使用することができる。遺伝コードの縮重のために、多大な数の機能的に同一な核酸が任意の所定のタンパク質をコードする。例えば、コドンＧＣＡ、ＧＣＣ、ＧＣＧおよびＧＣＵは全てアミノ酸アラニンをコードする。従って、アラニンがコドンによって規定される全ての位置において、コードされるポリペプチドを変異させることなく、コドンを記載されている対応するコドンのいずれかに変異させることができる。このような核酸の変異は「サイレント変異（ｓｉｌｅｎｔ ｖａｒｉａｔｉｏｎｓ）」であり、保存的に改変される変異の１つの種である。当業者は、配列番号：１などの核酸配列の各コドン（通常メチオニンの唯一のコドンであるＡＵＧおよび通常トリプトファンの唯一のコドンであるＴＧＧを除いて）を改変して、機能的に同一の分子を生ずることができることを認識している。従って、ポリペプチドをコードする核酸の各サイレント変異は各記載されている配列において暗黙である。従って、例えば、遺伝コードの縮重により、配列番号：２またはその断片の配列を有するポリペプチドは、配列番号：１以外の数多くのポリヌクレオチドによってコードされうる。典型的には、縮重配列は、高度または中程度にストリンジェントな条件下において配列番号：１とハイブリダイゼーションするが、これは厳密には必要ではない（例えば、核酸のコピーが、遺伝コードによって許容される最大コドン縮重を使用して作製される場合。このような場合には、核酸は、典型的には、中程度にストリンジェントなハイブリダイゼーション条件下においてハイブリダイゼーションする。
）
【０２２９】
遺伝子産物自体が、サイレント変異を生じ、それによって機能的に等価なＣＬＡＳＰ−２タンパク質を産生する、ＣＬＡＳＰ−２配列内にアミノ酸残基の欠損、追加または置換を含有することがある。このような保存的アミノ酸置換は、関与する残基の極性、荷電、溶解性、疎水性、親水性、および／または両親媒性の類似性に基づいて実施することができる。例えば、負に荷電したアミノ酸はアスパラギン酸およびグルタミン酸を含み、正に荷電したアミノ酸はリジン、ヒスチジンおよびアルギニンを含み、ほぼ同じ親水性値を有する未荷電の極性ヘッド基を有するアミノ酸は以下を含む：グリシン、アスパラギン、グルタミン、セリン、スレオニン、チロシン；および非極性のヘッド基を有するアミノ酸はアラニン、バリン、イソロイシン、ロイシン、フェニルアラニン、プロリン、メチオニン、トリプトファンを含む。クレイトン（Ｃｒｅｉｇｈｔｏｎ）， １９８４， 「タンパク質（ＰＲＯＴＥＩＮＳ）」は、保存的置換であるアミノ酸を互いに以下のようにグループ分けした：（１）アラニン（Ａ）、グリシン（Ｇ）；（２）アスパラギン酸（Ｄ）、グルタミン酸（Ｅ）；（３）アスパラギン（Ｎ）、グルタミン（Ｑ）；（４）アルギニン（Ｒ）、リジン（Ｋ）；（５）イソロイシン（Ｉ）、ロイシン（Ｌ）、メチオニン（Ｍ）、バリン（Ｖ）；（６）フェニルアラニン（Ｆ）、チロシン（Ｙ）、トリプトファン（Ｗ）；（７）セリン（Ｓ）、スレオニン（Ｔ）；および（８）システイン（Ｃ）、メチオニン（Ｍ）。
【０２３０】
遺伝子産物の処理および発現を改変する変異を含むが、それらに限定されない種々の目的のために、ＣＬＡＳＰ−２コード配列を変更するために、本発明のＤＮＡ配列を操作することができる。例えば、グリコシル化パターン、リン酸化等を変更するために、新たな制限酵素切断部位を挿入するため、例えば部位特異的突然変異のような、当技術分野において周知の技法を使用して突然変異を導入することができる。ＣＬＡＳＰ−２タンパク質のドメイン組織化に基づいて、ＣＬＡＳＰ−２の細胞外、膜貫通および細胞質ドメインをコードするヌクレオチド配列を改変または再配列することによって多大な数のＣＬＡＳＰ−２突然変異ポリペプチドを構築することができる。
【０２３１】
種々の態様において、本発明は、ＣＬＡＳＰ−２アゴニストまたはＣＬＡＳＰ−２アンタゴニストとして機能するＣＬＡＳＰ−２ポリペプチドの相同物を提供する。好ましい態様において、ＣＬＡＳＰ−２アゴニストおよびアンタゴニストは、天然に存在する形態のＣＬＡＳＰ−２ポリペプチドの生物活性のサブセットを、それぞれ、刺激または阻害する。
従って、特定の生物作用を、機能が限定された相同物で処理することによって誘発することができる。一態様において、天然に存在する形態のポリペプチドの生物活性のサブセットを有する相同物で被験者を治療することは、天然に存在する形態のＣＬＡＳＰ−２ポリペプチドで治療することと比較して副作用が少ない。
【０２３２】
本発明は、全長のＣＬＡＳＰ−２ポリペプチドおよび本発明の例示されているＣＬＡＳＰ−２ポリペプチド配列と実質的に同一な、少なくとも約１０、しばしば２０、多くは５０または１００残基を有する断片のような断片を考慮している。タンパク質断片は「独立」していても、または断片が一部もしくは領域を形成するより大きいポリペプチド内にふくまれてもよく、最も好ましくは単一の連続領域として存在する。本発明のポリペプチド断片の代表的な例は、例えば、おおよそのアミノ酸の数１〜２０、２１〜４０、４１〜６０、６１〜８０、８１〜１００、１０２〜１２０、１２１〜１４０、１４１〜１６０、１６１〜１８０、１８１〜２００または２０１からコード領域の末端部までの断片を含む。さらに、ポリペプチド断片は鎖長が約２０、３０、４０、５０、６０、７０、８０、９０、１００、１１０、１２０、１３０、１４０、１５０、２００アミノ酸であってもよい。これに関しては、「約」は、各末端または両末端において数（５、４、３、２または１）アミノ酸だけ大きいまたは小さい特に列挙されている範囲を含む。
【０２３３】
好ましいポリペプチド断片はＣＬＡＳＰ−２タンパク質を含む。さらに好ましいポリペプチド断片は、アミノ末端もしくはカルボキシル末端または両方から欠損した一連の連続した残基を有するＣＬＡＳＰ−２タンパク質を含む。例えば、１〜Ｘの範囲の任意の数のアミノ酸がＣＬＡＳＰ−２ポリペプチドのアミノ末端から欠損することがある。さらに、上記のアミノ末端およびカルボキシル末端欠損の任意の組み合わせが好ましい。同様に、これらのＣＬＡＳＰ−２ポリペプチド断片をコードするポリヌクレオチド断片も好ましい。
【０２３４】
タンパク質のＮ末端から１つ以上のアミノ酸が欠損することにより、タンパク質の１つ以上の生物的機能の損失という改変を生じたとしても、他の生物活性が保持されていることがある。従って、短くなったＣＬＡＳＰ−２突然変異タンパク質が、完全または成熟した形態のポリペプチドを認識する抗体を誘発および／または結合する能力は、完全または成熟ポリペプチドの大多数ほどではない数の残基がＮ末端から除去された場合でも一般に保持される。完全なポリペプチドのＮ末端残基を欠損する特定のポリペプチドがこのような免疫活性を保持するかどうかは、本明細書および別の文献に記載されている当技術分野において周知の通常の方法によって容易に判定することができる。Ｎ末端アミノ酸残基が数多く欠損したＣＬＡＳＰ−２突然変異タンパク質が何らかの生物活性または免疫原性を保持することがあることがないわけではない。実際、４つ程度のＣＬＡＳＰ−２アミノ酸残基を含むペプチドでもしばしば免疫応答を誘発することがある。
【０２３５】
ＣＬＡＳＰ−２ポリペプチドの相同物は、例えば、ＣＬＡＳＰ−２ポリペプチドの別個の点突然変異または切断のような突然変異によって作製することができる。本明細書において使用する「相同物」という用語は、ＣＬＡＳＰ−２ポリペプチドの活性のアゴニストまたはアンタゴニストとして作用するＣＬＡＳＰ−２ポリペプチドの変異型をいう。ＣＬＡＳＰ−２ポリペプチドのアゴニストは、ＣＬＡＳＰ−２ポリペプチドの生物活性の実質的に同一またはサブセットを保持することができる。ＣＬＡＳＰ−２ポリペプチドのアンタゴニストは、例えば、ＣＬＡＳＰ−２ポリペプチドを含むＣＬＡＳＰ−２分子経路の下流または上流のメンバーに競合的に結合することによって、天然に存在する形態のＣＬＡＳＰ−２の活性の１つ以上を阻害することができる。
【０２３６】
改変は、標的遺伝子の発現によって間接的または直接影響される任意のパラメーターを測定することによってアッセイすることができる。このようなパラメーターは、例えば、ＲＮＡまたはタンパク質レベルの変化、タンパク質活性の変化、産物レベルの変化、下流の遺伝子発現の変化、レポーター遺伝子転写の変化（ルシフェラーゼ、ＣＡＴ、−ガラクトシダーゼ、−グルクロニダーゼ、ＧＦＰ（例えば、Ｍｉｓｔｉｌｉ＆Ｓｐｅｃｔｏｒ， １９９７， Ｎａｔｕｒｅ Ｂｉｏｔｅｃｈｎｏｌｏｇｙ １５： ９６１−９６４参照）、シグナル伝達の変化、リン酸化および脱リン酸化、受容体−リガンド相互作用、セカンドメッセンジャー濃度（例えば、ｃＧＭＰ、ｃＡＭＰ、ＩＰ３、およびＣａ２＋等）、ならびに細胞増殖を含む。これらのアッセイ法は、インビトロ、インビボおよびエクスビボであってもよい。このような機能的な影響は、当技術分野において周知の任意の手段、例えばＲＮＡまたはタンパク質レベルの測定、ＲＮＡ安定性の測定、下流またはレポーター遺伝子発現の同定、例えば、化学発光、蛍光、発色反応により、抗体結合、誘導性マーカー、リガンド結合アッセイ法；ｃＧＭＰおよびイノシトール三リン酸（ＩＰ３）などの細胞内セカンドメッセンジャーの変化；細胞内カルシウムレベルの変化；サイトカイン放出等によって測定することができる。
【０２３７】
５．５．１  ＣＬＡＳＰ−２ポリペプチド発現系の合成または発現
生物的に活性なＣＬＡＳＰ−２を発現するために、ＣＬＡＳＰ−２または機能的等価物をコードするヌクレオチド配列を適当な発現ベクターに挿入する。ＣＬＡＳＰ−２遺伝子産物および組換えＣＬＡＳＰ−２発現ベクターをトランスフェクトまたは形質転換した宿主細胞または細胞系列を種々の目的のために使用することができる。これらは、ＣＬＡＳＰ−２タンパク質の活性を競合的に阻害して、その活性を中和する抗体（すなわち、モノクローナル抗体またはポリクローナル抗体）の形成、ＣＬＡＳＰ−２機能を活性化する抗体および細胞表面上または溶液の状態での存在を検出する抗体の形成を含むが、それらに限定されない。リンパ球およびマクロファージなどの細胞および組織中におけるＣＬＡＳＰ−２発現レベルを検出および定量する際並びに細胞混合物からＣＬＡＳＰ−２陽性細胞を単離する際に抗ＣＬＡＳＰ−２抗体を使用することができる。
【０２３８】
当業者に周知の方法を使用して、ＣＬＡＳＰ−２コード配列および適当な転写／翻訳制御シグナルを含有する組換え発現ベクターを構築することができる。これらの方法は、インビトロ組換えＤＮＡ技法、合成技法およびインビボ組み換え／遺伝子組み換えを含む（例えば、Ｓａｍｂｒｏｏｋら， １９８９， 「分子クローニング実験マニュアル（Ｍｏｌｅｃｕｌａｒ Ｃｌｏｎｉｎｇ Ａ Ｌａｂｏｒａｔｏｒｙ Ｍａｎｕａｌ）」， Ｃｏｌｄ Ｓｐｒｉｎｇ Ｈａｒｂｏｒ Ｌａｂｏｒａｔｏｒｙ， Ｎ． Ｙ． および Ａｕｓｂｅｌら， 前記に記載されている技法を参照）。本発明の組換え発現ベクターは、宿主細胞内での核酸の発現に好適な形態の本発明の核酸を含み、これは組換え発現ベクターが、発現される核酸に機能的に結合する、発現に使用される宿主細胞に基づいて選択される１つ以上の調節配列を含むことを意味する。発現ベクターのデザインは形質転換される宿主細胞の選択、望ましいポリペプチド発現レベル等などの要因に依存することがある。本発明の発現ベクターは、本明細書に記載されている核酸によってコードされる、融合ポリペプチドまたはペプチドを含む、ポリペプチドまたはペプチドを産生する宿主細胞に導入することができる（例えば、ＣＬＡＳＰ−２ポリペプチド、ＣＬＡＳＰ−２の突然変異型、融合ポリペプチド等）。
【０２３９】
種々の宿主−発現ベクター系を使用してＣＬＡＳＰ−２コード配列を発現することができる。これらは、ＣＬＡＳＰ−２コード配列を含有する組換えバクテリオファージＤＮＡ、プラスミドＤＮＡまたはコスミドＤＮＡ発現ベクターで形質転換した細菌などの微生物；ＣＬＡＳＰ−２コード配列を含有する組換え酵母発現ベクターで形質転換した酵母；ＣＬＡＳＰ−２コード配列を含有する組換えウィルス発現ベクター（例えば、バキュロウィルス）を感染させた昆虫細胞系；ＣＬＡＳＰ−２コード配列を含有する組換えウィルス発現ベクター（例えば、カリフラワーモザイクウィルス、ＣａＭＶ；タバコモザイクウィルス、ＴＭＶ）を感染させるまたはＣＬＡＳＰ−２コード配列を含有する組換えプラスミド発現ベクター（例えば、Ｔｉプラスミド）で形質転換した植物細胞系含むが、それらに限定されない。これらの系の発現要素は強度および特異性が異なる。
使用する宿主／ベクター系に応じて、構成的および誘導性プロモーターを含む、数多くの好適な転写および翻訳要素のいずれかを発現ベクターに使用することができる。例えば、細菌系にクローニングする場合には、バクテリオファージλのｐＬ、ｐｌａｃ、ｐｔｒｐ、ｐｔａｃ（ｐｔｒｐ−ｌａｃハイブリッドプロモーター；サイトメガロウィルスプロモーター）等などの誘導性プロモーターを使用することができ、昆虫細胞系にクローニングする場合には、バキュロウィルスポリヘドロンプロモーターなどのプロモーターを使用することができ、植物細胞系にクローニングする場合には、植物細胞のゲノムから誘導したプロモーター（例えば、ヒートショックプロモーター；ＲＵＢＩＳＣＯの小サブユニットのプロモーター；クロロフィルα／β結合タンパク質のプロモーター）または植物ウィルスから誘導したプロモーター（例えば、ＣａＭＶの３５Ｓ ＲＮＡプロモーター；ＴＭＶの外皮タンパク質）を使用することができ、哺乳類細胞系にクローニングする場合には、哺乳類細胞のゲノムから誘導したプロモーター（例えば、メタロチオネインプロモーター）または哺乳類ウィルスから誘導したプロモーター（例えば、アデノウィルス後期プロモーター、ワクシニアウィルス７．５Ｋプロモーター）を使用することができ、ＣＬＡＳＰ−２ＤＮＡの多数のコピーを含有する細胞系列を作製する場合には、ＳＶ−４０、ＢＰＶ−およびＥＢＶ−に基づいたベクターを適当な選択可能なマーカーと共に使用することができる。
【０２４０】
細菌系では、有利なことに、発現されるＣＬＡＳＰ−２産物に意図されている用途に応じて数多くの発現ベクターを選択することができる。例えば、抗体を形成するためまたはペプチドライブラリーをスクリーニングするために、大量のＣＬＡＳＰ−２タンパク質を作製しなければならない場合には、容易に精製される高レベルの融合タンパク質産物を発現させるベクターが望ましいことがある。このようなベクターは、ハイブリッドタンパク質が作製されるように、ＣＬＡＳＰ−２コード配列がｌａｘＺコード領域内のベクターにライゲーションされうる大腸菌（Ｅ． ｃｏｌｉ）発現ベクターｐＵＲ２７８（Ｒｕｔｈｅｒら， １９８３， ＥＭＢＯ Ｊ． ２： １７９１）；ｐＩＮベクター（Ｉｎｏｕｙｅ＆Ｉｎｏｕｙｅ， １９８５， Ｎｕｃｌｅｉｃ ａｃｉｄ Ｒｅｓ． １３： ３１０１−３１０９； Ｖａｎ Ｈｅｅｋｅ＆Ｓｃｈｕｓｔｅｒ， １９８９， Ｊ． Ｂｉｏｌ． Ｃｈｅｍ． ２６４： ５５０３−５５０９）等を含むが、それらに限定されない。ｐＧＥＸを使用して、グルタチオンＳ−トランスフェラーゼ（ＧＳＴ）との融合タンパク質として外来ポリペプチドを発現することもできる。一般に、このような融合タンパク質は可溶性であり、グルタチオン−アガロースビーズに吸着させ、次に遊離のグルタチオンの存在下において溶出することによって、融解した細胞から容易に精製することができる。対象となるクローニングされたポリペプチドが任意にＧＳＴ部分から放出されうるように、このような系で作製されるタンパク質は、ヘパリン、スロンビンまたは第ＸＡ因子プロテアーゼ切断部位を含むように設計することができる。
【０２４１】
酵母では、構成的または誘導性プロモーターを含有する数多くのベクターを使用することができる（「分子生物学の最新プロトコール（Ｃｕｒｒｅｎｔ Ｐｒｏｔｏｃｏｌｓ ｉｎ Ｍｏｌｅｃｕｌａｒ Ｂｉｏｌｏｇｙ）」， Ｖｏｌ ２， １９８８（Ｓｕｐｐｌ． １９９９）， Ａｕｓｕｂｅｌら編， Ｇｒｅｅｎｅ Ｐｕｂｌｉｓｈ． Ａｓｓｏｃ． ＆ Ｗｉｌｅｙ Ｉｎｔｅｒｓｃｉｅｎｃｅ， Ｃｈ． １３； Ｇｒａｎｔら， １９８７， 「酵母のための発現・分泌ベクター、酵素学における方法（Ｅｘｐｒｅｓｓｉｏｎ ａｎｄ Ｓｅｃｒｅｔｉｏｎ Ｖｅｃｔｏｒｓ ｆｏｒ Ｙｅａｓｔ， ｉｎ Ｍｅｔｈｏｄｓ ｉｎ Ｅｎｚｙｍｏｌｏｇｙ）， Ｗｕ ＆ Ｇｒｏｓｓｍａｎ編， １９８７， Ａｃａｄ． Ｐｒｅｓｓ， Ｎ． Ｙ．， Ｖｏｌ． １５３， ｐｐ． ５１６−５４４； Ｇｌｏｖｅｒ， １９８６， 「ＤＮＡクローニング（ＤＮＡ Ｃｌｏｎｉｎｇ）」， Ｖｏｌ． ＩＩ， ＩＲＬ Ｐｒｅｓｓ， Ｗａｓｈ．， Ｄ． Ｃ．， Ｃｈ． ３；ならびにＢｉｔｔｅｒ， １９８７， 酵母における異種遺伝子発現、酵素学における方法（Ｈｅｔｅｒｏｌｏｇｏｕｓ Ｇｅｎｅ Ｅｘｐｒｅｓｓｉｏｎ ｉｎ Ｙｅａｓｔ， Ｍｅｔｈｏｄｓ ｉｎ Ｅｎｚｙｍｏｌｏｇｙ）」， Ｂｒｇｅｒ ＆ Ｋｉｍｍｅｌ編， Ａｃａｄ． Ｐｒｅｅｓ． Ｎ． Ｙ．， Ｖｏｌ． １５２， ｐｐ． ６７３−６８４；ならびに「酵母サッカロミセスのための分子生物学（Ｔｈｅ Ｍｏｌｅｃｕｌａｒ Ｂｉｏｌｏｇｙ ｆｏｒ ｔｈｅ Ｙｅａｓｔ Ｓａｃｃｈａｒｏｍｙｃｅｓ）」， １９８２， Ｓｔｒａｔｈｅｎら編， Ｃｏｌｄ Ｓｐｒｉｎｇ Ｈａｒｂｏｒ Ｐｒｅｓｓ， Ｖｏｌｓ． Ｉ ａｎｄ ＩＩ．）
【０２４２】
植物発現ベクターを使用する場合には、ＣＬＡＳＰ−２コード配列の発現は数多くのプロモーターのいすれかによって駆動することができる。例えば、ＣａＭＶの３５Ｓ ＲＮＡおよび１９Ｓ ＲＮＡプロモーターなどのウィルスプロモーター（Ｂｒｉｓｓｏｎら， １９８４， Ｎａｔｕｒｅ ３１０： ５１１−５１４）またはＴＭＶの外皮タンパク質（Ｔａｋａｍａｔｓｕら， １９８７， ＥＭＢＯ Ｊ． ６： ３０７−３１１）を使用することができる。または、ＲＵＢＩＳＣＯの小サブユニットなどの植物プロモーター（Ｃｏｒｕｚｚｉら， １９８４， ＥＭＢＯ Ｊ． ３： １６７１−１６８０； Ｂｒｏｇｌｉｅら， １９８４， Ｓｃｉｅｎｃｅ ２２４： ８３８−８４３）；またはヒートショックプロモーター、例えば大豆ｈｓｐ１７．５−Ｅまたはｈｓｐ１７．３−Ｂ（Ｇｕｒｌｅｙら， １９８６， Ｍｏｌ． Ｃｅｌｌ． Ｂｉｏｌ． ６： ５５９−５６５）を使用することができる。これらの構築物を、Ｔｉプラスミド、Ｒｉプラスミド、植物ウィルスベクター、直接ＤＮＡ形質転換、マイクロインジェクション、エレクトロポレーション等を使用して植物に導入することができる（Ｗｅｉｓｓｂａｃｈ ＆ Ｗｅｉｓｓｂａｃｈ， １９８８， 植物分子生物学の方法（Ｍｅｔｈｏｄ ｆｏｒ Ｐｌａｎｔ Ｍｏｌｅｃｕｌａｒ Ｂｉｏｌｏｇｙ）」， Ａｃａｄｅｍｉｃ Ｐｒｅｓｓ， ＮＹ， Ｓｅｃｔｉｏｎ ＶＩＩＩ， ｐｐ． ４２１−４６３；ならびにＧｒｉｅｒｓｏｎ ＆ Ｃｏｒｅｙ， １９８８， 植物分子生物学（Ｐｌａｎｔ Ｍｏｌｅｃｕｌａｒ Ｂｉｏｌｏｇｙ）」， ２ｄ Ｅｄ．， Ｂｌａｃｋｉｅ， Ｌｏｎｄｏｎ， Ｃｈ． ７−９）
【０２４３】
ＣＬＡＳＰ−２を発現するために使用してもよい別の発現系は昆虫系である。このような系では、オートグラファ・カリフォルニア（Ａｕｔｏｇｒａｐｈａ ｃａｌｉｆｏｒｎｉｃａ）核ポリヘドロンウィルス（ＡｃＮＰＶ）を外来遺伝子を発現するベクターとして使用する。ウィルスはスポドプテラ・フルギペラダ（Ｓｐｏｄｏｐｔｅｒａ ｆｒｕｇｉｐｅｒｄａ）細胞中で増殖する。ＣＬＡＳＰ−２コード配列はウィルスの非必須領域（例えば、ポリヘドロン遺伝子）にクローニングされ、ＡｃＮＰＶプロモーター（例えば、ポリヘドロンプロモーター）の制御下におくことができる。ＣＬＡＳＰ−２コード配列の挿入が成功すると、ポリヘドロン遺伝子が不活性化され、非閉塞組換えウィルス（すなわち、ポリヘドロン遺伝子によってコードされるタンパク質外皮を欠損するウィルス）が作製される。次いで、これらの組換えウィルスを使用して、挿入した遺伝子が発現されるスポドプテラ・フルギペラダ細胞に感染させる。（例えば、Ｓｍｉｔｈら， １９８３， Ｊ． Ｖｉｏｌ． ４６： ５８４； Ｓｍｉｔｈ， 米国特許第４，２１５，０５１号）。
【０２４４】
哺乳類宿主細胞では、数多くのウィルスに基づいた発現系を使用することができる。アデノウィルスを発現ベクターとして使用する場合には、ＣＬＡＳＰ−２コード配列をアデノウィルス転写／翻訳制御複合体、例えば、後期プロモーターおよび三部分リーダー配列にライゲーションすることができる。次いで、このキメラ遺伝子をインビトロまたはインビボ組み換えによってアデノウィルスゲノムに挿入することができる。ウィルスゲノムの非必須領域（例えば、領域Ｅ１またはＥ３）へ挿入することにより、感染された宿主内で生存し、ＣＬＡＳＰ−２を発現することができる組換えウィルスが作製される。（例えば、Ｌｏｇａｎ ＆ Ｓｈｅｎｋ， １９８４， Ｐｒｏｃ． Ｎａｔｌ． Ａｃａｄ． Ｓｃｉ．，ＵＳＡ． ８１： ３６５５−３６５９）。または、ワクシニア７．５Ｋプロモーターを使用してもよい。（例えば、Ｍａｃｋｅｔｔら， １９８２， Ｐｒｏｃ． Ｎａｔｌ． Ａｃａｄ． Ｓｃｉ．，ＵＳＡ． ７９： ７４１５−７４１９； Ｍａｃｋｅｔｔら， １９８４， Ｊ． Ｖｉｒｏｌ． ４９： ８５７−８６４； Ｐａｎｉｃａｌｉら， １９８２， Ｐｒｏｃ． Ｎａｔｌ． Ａｃａｄ． Ｓｃｉ．，ＵＳＡ． ７９： ４９２７−４９３１）。テトラサイクリン抑制性ベクターなどの調節性発現ベクターを使用して、制御的にコード配列を発現することもできる。
【０２４５】
挿入されたＣＬＡＳＰ−２コード配列を効率的に翻訳するために特定の開始シグナルが必要なこともある。これらのシグナルはＡＴＧ開始コドンおよび隣接配列を含む。自身の開始コドンおよび隣接配列を含むＣＬＡＳＰ−２遺伝子全体が適当な発現ベクターに挿入される場合には、追加の翻訳制御シグナルは必要でないことがある。
しかし、ＣＬＡＳＰ−２コード配列の部分のみが挿入される場合には、ＡＴＧ開始コドンを含む外因性翻訳制御シグナルを提供しなければならない。さらに、開始コドンは、挿入物全体を確実に翻訳するために、ＣＬＡＳＰ−２コード配列のリーディングフレーム内になければならない。これらの外因性翻訳制御シグナルおよび開始コドンは、天然および合成の種々の起源であってもよい。発現効率は、適当な転写エンハンサー要素、転写ターミネーター等を加えることによって増強することができる。（Ｂｉｔｔｎｅｒら， １９８７， Ｍｅｔｈｏｄｓ ｉｎ Ｅｎｚｙｍｏｌ． １５３： ５１６−５４４）。
【０２４６】
また、特定の望ましい様式で挿入された配列の発現を調節したり、遺伝子産物を修飾および処理する宿主細胞を選択することができる。タンパク質産物のこのような修飾（例えば、グリコシル化）および処理（例えば、切断）はタンパク質の機能にとって重要である場合がある。ＣＬＡＳＰ−２細胞外ドメインにいくつかのコンセンサスＮ−グリコシル化部位が存在することは、ＣＬＡＳＰ−２機能に液説な修飾がなんらかの役割を果たしている可能性を裏付けている。異なる宿主細胞は、タンパク質の翻訳後処理および修飾のための特徴的で、特定の機序を有する。発現される外来タンパク質の適切な修飾および処理を確実にするために、適当な細胞系列または宿主系を選択することができる。このために、一次転写物の適切な処理、遺伝子産物のグリコシル化、およびリン酸化のための細胞工場を有する真核宿主細胞を使用することができる。このような哺乳類宿主細胞は、ＣＨＯ、ＶＥＲＯ、ＢＨＫ、Ｈｅｌａ、ＣＯＳ、ＭＤＣＫ、２９３、ＷＩ３８等を含むが、それらに限定されない。
【０２４７】
ＣＬＡＳＰ−２をコードするヌクレオチド配列で形質転換した宿主細胞は、可溶性タンパク質を発現させ、細胞培養物から可溶性 タンパク質を回収するのに好適な条件下で培養することができる。当業者に理解されるように、ＣＬＡＳＰ−２をコードするポリヌクレオチドを含有する発現ベクターは、原核または真核細胞膜を介してＣＬＡＳＰ−２を分泌させるシグナル配列を含有するように設計することができる。
可溶性タンパク質の精製を容易にするポリペプチドドメインをコードするヌクレオチド配列にＣＬＡＳＰ−２をコードする配列を結合するために他の構成を使用してもよい。このような精製を容易にするドメインは、固定した金属での精製を可能にするヒスチジン−トリプトファンモジュールなどの金属キレートペプチド、固定した免疫グロブリンでの精製を可能にするプロテインＡドメインを含むが、それらに限定されない。
【０２４８】
組換えタンパク質を長期にわたって高収量で産生するためには、安定な発現が好ましい。例えば、ＣＬＡＳＰ−２タンパク質を安定に発現する細胞系列を操作することができる。ウィルスの複製起点を含有する発現ベクターを使用しないで、宿主細胞を適当な発現制御要素（例えば、プロモーター、エンハンサー、配列、転写ターミネーター、ポリアデニル化部位等）および選択可能なマーカーによって制御されるＣＬＡＳＰ−２ ＤＮＡで形質転換することができる。外来ＤＮＡを導入後に、操作した細胞を強化培地で１〜２日間増殖させ、次いで選択培地に移すことができる。組換えプラスミド中の選択可能なマーカーは選択に抵抗性を示し、細胞の染色体にプラスミドを安定して組み込ませ、増殖してフォーカスを形成し、細胞系列内にクローニングされ、増殖されうる。この方法は、有利なことに、細胞表面にＣＬＡＳＰ−２タンパク質を発現する細胞系列を操作するのに使用することができる。このように操作した細胞系列は、ＣＬＡＳＰ−２機能に影響を与える分子または薬剤をスクリーニングする際に特に有用である。
【０２４９】
それぞれ、ｔｋ−、ｈｇｐｒｔ−またはａｐｒｔ−細胞において使用することができる、単純性疱疹ウイルスチミジンキナーゼ（Ｗｉｇｌｅｒら， １９７７， Ｃｅｌｌ １１： ２２３）、ヒポキサンチン−グアニンホスホリボシルトランスフェラーゼ（Ｓｚｙｂａｌｓｋａ ＆ Ｓｚｙｂａｌｓｋｉ， １９６２， Ｐｒｏｃ． Ｎａｔｌ． Ａｃａｄ． Ｓｃｉ．，Ｕ．Ｓ．Ａ． ４８： ２０２６）、およびアデニンホスホリボシルトランスフェラーゼ（Ｌｏｗｙら， １９８０， Ｃｅｌｌ ２２： ８１７）遺伝子を含むが、それらに限定されない数多くの選択系を使用することができる。また、メトトレキセートに抵抗性を示すｄｈｆｒ（Ｗｉｇｌｅｒら， １９８０， Ｎａｔｌ． Ａｃａｄ． Ｓｃｉ． Ｕ． Ｓ． Ａ． ７７： ３５６７； Ｏ’Ｈａｒｅら， １９８１， Ｐｒｏｃ． Ｎａｔｌ． Ａｃａｄ． Ｓｃｉ．，ＵＳＡ． ７８： １５２７）；ミコフェノール酸に抵抗性を示すｇｐｔ（Ｍｕｌｌｉｇａｎ ＆ Ｂｅｒｇ， １９８１）， Ｐｒｏｃ． Ｎａｔｌ． Ａｃａｄ． Ｓｃｉ．，ＵＳＡ． ７８： ２０７２）；アミノグリゴシドＧ−４１８に抵抗性を示すｎｅｏ（Ｃｏｌｂｅｒｒｅ−Ｇａｒａｐｉｎｅｔら， １９８１， Ｊ． Ｍｏｌ． Ｂｉｏｌ． １５０：１）；ヒグロマイシンに抵抗性を示すｈｙｇｒｏ（Ｓａｎｔｅｒｒｅら， １９８４， Ｇｅｎｅ ３０： １４７）について選択するための基礎として、抗代謝抵抗性を使用することができる。別の選択可能な遺伝子、すなわち、細胞にトリプトファンの代わりにインドールを使用させるｔｒｐＢ、細胞にヒスチジンの代わりにヒスチノールを使用させるｈｉｓＤ（Ｈａｒｔｍａｎ ＆ Ｍｕｌｌｉｇａｎ， １９８８， Ｐｒｏｃ． Ｎａｔｌ． Ａｃａｄ． Ｓｃｉ．，ＵＳＡ． ８５： ８０４７）；オルニチンデカルボキシラーゼ阻害剤、２−（ジフルオロメチル）−ＤＬ−オルニチン、ＤＦＭＯに対する抵抗性を示すＯＤＣ（オルニチンデカルボキシラーゼ）（ＭｃＣｏｎｌｏｇｕｅ Ｌ．， １９８７， 「分子生物学における最新コミュニケーション（Ｃｕｒｒｅｎｔ Ｃｏｍｍｕｎｉｃａｔｉｏｎｓ ｉｎ Ｍｏｌｅｃｕｌａｒ Ｂｉｏｌｏｇｙ）」， Ｃｏｌｄ Ｓｐｒｉｎｇ Ｈａｒｂｏｒ Ｌａｂｏｒａｔｏｒｙ ｅｄ．）およびグルタミンシンテターゼ（Ｂｅｂｂｉｎｇｔｏｎら， １９９２， Ｂｉｏｔｅｃｈ １０： １６９）が記載されている。
【０２５０】
本発明の別の態様において、ＣＬＡＳＰ−２のコード配列を当技術分野において周知の化学的方法を使用して全体的または部分的に合成してもよい（例えば、Ｃａｒｕｔｈｅｒｓら， １９８０， Ｎｕｃ． Ａｃｉｄｓ Ｒｅｓ． Ｓｙｍｐ． Ｓｅｒ． ７： ２１５−２３３； ＣｒｅａおよびＨｏｒｎ， １８０， Ｎｕｃ． Ａｃｉｄｓ Ｒｅｓ． ９（１０）： ２３３１； ＭａｔｔｅｕｃｃｉおよびＣａｒｕｔｈｅｒｓ， １９８０， Ｔｅｔｒａｈｅｄｒｏｎ Ｌｅｔｔｅｒ ２１： ７１９；ならびにＣｈｏｗおよびＫｅｍｐｅ， １９８１， Ｎｕｃ． Ａｃｉｄｓ Ｒｅｓ． ９（１２）：２８０７−２８１７。）または、ＣＬＡＳＰ−２アミノ酸配列を全体的または部分的に合成する化学的方法を使用してタンパク質自体を製造してもよい。例えば、ペプチドは固相技法によって合成され、樹脂から切断され、分取用高速液体クロマトグラフィーによって精製することができる。（Ｃｒｅｉｇｈｔｏｎ， １９８３， タンパク質構造と分子原理（Ｐｒｏｔｅｉｎｓ Ｓｔｒｕｃｔｕｒｅｓ Ａｎｄ Ｍｏｌｅｃｕｌａｒ Ｐｒｉｎｃｉｐｌｅｓ）」， Ｗ． Ｈ． ＦｒｅｅｍａｎおよびＣｏ．，Ｎ． Ｙ． ｐｐ． ５０−６０参照）。合成ポリペプチドの組成はアミノ酸分析または配列決定によって確認することができる（例えば、「エドマン分解法（ｔｈｅ Ｅｄｍａｎ ｄｅｇｒａｄａｔｉｏｎ ｐｒｐｃｅｄｕｒｅ）」； Ｃｒｅｉｇｈｔｏｎ， １９８３， 「タンパク質、構造、および分子原理（Ｐｒｏｔｅｉｎｓ， Ｓｔｒｕｃｔｕｒｅｓ ａｎｄ Ｍｏｌｅｃｕｌａｒ Ｐｒｉｎｃｉｐｌｅｓ）」， Ｗ． Ｈ． ＦｒｅｅｍａｎおよびＣｏ．， Ｎ． Ｙ．， ｐｐ３４−４９）。いくつかの態様において、ＣＬＡＳＰ−２ポリペプチドは天然型でないアミノ酸またはアミノ酸類似体（すなわち、天然型アミノ酸と同じ基本的な化学構造、すなわち、水素、カルボキシル基、アミノ基およびＲ基に結合するα炭素を有する、例えばホモセリン、ノルロイシン、メチオニンスルホキシド、メチオニンメチルスルホニウムのような化合物）を含有する。
【０２５１】
５．５．２  ＣＬＡＳＰ−２を発現する細胞の同定
コード配列を含有し、ＣＬＡＳＰ−２遺伝子産物またはその断片を発現する組換え宿主細胞は少なくとも４つの一般的な方法によって同定することができる；（ａ）ＤＮＡ−ＤＮＡまたはＤＮＡ−ＲＮＡハイブリダイゼーション、（ｂ）「マーカー」遺伝子機能の有無、（ｃ）宿主細胞内のＣＬＡＳＰ−２ｍＲＮＡ転写物の発現によって測定したときの転写レベルの評価、および（ｄ）免疫アッセイ法またはその生物活性によって測定したときの遺伝子産物の欠損。遺伝子の発現を同定する前に、特に少量のＣＬＡＳＰ−２しか産生しない細胞系列において、ＣＬＡＳＰ−２の発現レベルを増加する努力においてまず宿主細胞を突然変異を起こすことができる。
【０２５２】
最初の方法において、発現ベクターに挿入されたＣＬＡＳＰ−２コード配列の存在を、ＣＬＡＳＰ−２コード配列に相同なヌクレオチド配列、それぞれ、それらの一部または誘導体を含むプローブを使用してＤＮＡ−ＤＮＡまたはＤＮＡ−ＲＮＡハイブリダイゼーションによって検出することができる。
【０２５３】
第２の方法において、ある種の「マーカー」遺伝子機能（例えば、チミジンキナーゼ活性、抗生物質に対する抵抗性、メトトレキセートに対する抵抗性、形質転換表現型、バキュロウィルスにおける閉鎖小体の形成等）の有無に基づいて、組換え発現ベクター／宿主系を同定し、選択することができる。例えば、ＣＬＡＳＰ−２コード配列をベクターのマーカー遺伝子配列内に挿入する場合には、マーカー遺伝子機能が存在しないことによってＣＬＡＳＰ−２コード配列を含有する組換え体を同定することができる。または、ＣＬＡＳＰ−２コード配列の発現を制御するために使用する同じまたは異なるプロモーターの制御下においてＣＬＡＳＰ−２配列と縦列にマーカー遺伝子を配置することができる。誘導または選択に応答したマーカーの発現はＣＬＡＳＰ−２コード配列の発現を示す。
【０２５４】
第３の方法において、ＣＬＡＳＰ−２コード領域の転写活性をハイブリダイゼーションアッセイ法によって評価することができる。例えば、ＣＬＡＳＰ−２コード配列またはその特定の一部に相同なプローブを使用して、ＲＮＡを単離し、ノーザンブロットによって分析することができる。または、宿主細胞の総核酸を抽出し、このようなプローブへのハイブリダイゼーションについてアッセイすることができる。また、低レベルの遺伝子発現を検出するために逆転写−ポリメラーゼ連鎖反応を使用することができる。
【０２５５】
第４の方法において、免疫学的に、例えば、ウェスタンブロット、放射免疫−沈降、酵素−結合免疫アッセイ法、蛍光活性化細胞選別（「ＦＡＣＳ」）等などの免疫アッセイ法によってＣＬＡＳＰ−２タンパク質産物の発現を評価することができる。これは、抗ＣＬＡＳＰ−２抗体を使用して実施することができる。または、細胞内での検出を容易にするために、緑色の蛍光タンパク質との融合タンパク質としてＣＬＡＳＰ−２タンパク質を発現することができる（米国特許第５，４９１，０８４号、同第５，８０４，３８７号、同第５，７７７，０７９号）。
【０２５６】
ＣＬＡＳＰタンパク質またはｍＲＮＡ、特にＣＬＡＳＰ−２アイソフォームを発現する細胞または組織の同定は、所定の細胞または組織における正常および異常なＣＬＡＳＰ発現を求めるのに有用となりうる。上記のように、数多くのＣＬＡＳＰ−２アイソフォームが、例えばジャーカット細胞、末梢血および脳において同定されている。種々の細胞種および組織におけるｍＲＮＡまたはタンパク質発現を同定することにより、空間的または時間的に不適切に発現されるアイソフォームを同定することができる。
造血細胞におけるｈＣＬＡＳＰ−２Ｄアイソフォームの発現は、ジャーカットおよび末梢血アイソフォームに見られないＳＨ３ドメインの存在により問題を生じることがある。
【０２５７】
免疫系の他の分子がｈＣＬＡＳＰ２Ｄの一部と相互作用することもある。しかし、ｈＣＬＡＳＰ−２ＤアイソフォームにおいてＰＢＭドメインが存在しないことが、ある種の細胞種または組織における機能に必要な場合がある。同様に、脳におけるＣＬＡＳＰアイソフォーム２Ａ、２Ｂおよび２Ｃの発現は異なる理由のために問題を生ずることがある：これらのアイソフォームに存在するＰＢＭは、神経シナプスの形成に関与する既知のＰＤＺドメインタンパク質のいずれかに結合することによって、特定の機能を妨害することがある。同様に、ＳＨ３ドメインの欠損は、脳のＣＬＡＳＰ−２機能に必要な分子のサブセットだけと相互作用することにより、不適当な応答を生じることがある。
【０２５８】
５．５．３．  ＣＬＡＳＰ−２を操作した宿主細胞の用途
本発明の一つの態様において、ＣＬＡＳＰ−２タンパク質、および／またはＣＬＡＳＰ−２を発現する細胞系列は、抗体、ペプチド、小分子、天然化合物および合成化合物、またはＣＬＡＳＰ−２タンパク質に結合してＣＬＡＳＰ−２機能を促進または阻害する上記以外の細胞結合性分子または可溶性分子のスクリーニングに使用することができる。
例えば抗ＣＬＡＳＰ−２抗体は、ＣＬＡＳＰ−２機能を阻害または促進するために、または、その存在を検出するために使用することができる。一方、組換え型として可溶性ＣＬＡＳＰ−２タンパク質、またはＣＬＡＳＰ−２タンパク質を発現する細胞系列でペプチドライブラリーをスクリーニングすることは、ＣＬＡＳＰ−２の生物学的活性を阻害または促進することで機能する治療的分子の同定に有用な場合がある。以降の小節に記載されたＣＬＡＳＰ−２タンパク質ならびに遺伝子操作した細胞系列の用途は、様々な種において相同なＣＬＡＳＰ−２遺伝子に対して等しく十分に利用できる。
【０２５９】
本発明の特定の態様においては、ＧＳＴなど他の分子に融合させたＣＬＡＳＰの細胞外ドメインまたは細胞内ドメインを発現するように細胞系列を遺伝子操作することができる。またＣＬＡＳＰの細胞外ドメインまたはその細胞内ドメインを免疫グロブリンの不変領域と融合して（ＨｏｌｌｅｎｂａｕｇｈおよびＡｒｕｆｆｏ、１９９２、Ｃｕｒｒｅｎｔ Ｐｒｏｔｏｃｏｌｓ ｉｎ Ｉｍｍｕｎｏｌｏｇｙ、Ｕｎｉｔ １０．１９；Ａｒｕｆｆｏら、１９９０、Ｃｅｌｌ ６１：１３０３）、半減期を長くした可溶性分子を作製することができる。この可溶性タンパク質または融合タンパク質は、結合アッセイ法、アフィニティクロマトグラフィー、免疫沈降、ウエスタンブロットなどに使用することができる。合成化合物、天然産物、および生物学的に活性があると考えられる物質の他の供給源は、当技術分野で周知のアッセイ法でスクリーニング可能である。
【０２６０】
固相支持体に結合するアミノ酸の可能なあらゆる組み合わせからなるランダムペプチドライブラリーを使用して、ＣＬＡＳＰ−２の特異的なドメインに結合可能なペプチドを同定することができる（Ｌａｍ， Ｋ．Ｓ．ら、１９９１、Ｎａｔｕｒｅ ３５４：８２〜８４）。ペプチドライブラリーのスクリーニングは、ＣＬＡＳＰ−２の生物学的活性を促進または阻害する薬物を見極めることから治療上効果があると言える。
【０２６１】
ＣＬＡＳＰ−２タンパク質に結合可能な分子群は、組換え型の可溶性ＣＬＡＳＰ−２タンパク質でペプチドライブラリーをスクリーニングすることで同定できる。ＣＬＡＳＰ−２の発現および精製の方法は既に５．７節に記載されており、組換え型の完全長ＣＬＡＳＰ−２またはＣＬＡＳＰ−２断片を、対象機能ドメインに応じて使用することができる。このようなドメインにはＣＬＡＳＰ−２細胞外ドメイン、膜貫通ドメイン、ＣＬＡＳＰ−２細胞内ドメイン、ＩＴＡＭを含むドメイン、チロシンリン酸化部位を含むドメイン、システインクラスターを含むドメイン、カドヘリンモチーフを含むドメイン、および多重らせんドメインなどがある。
【０２６２】
ＣＬＡＳＰ−２と相互作用して複合体を形成するペプチド／固相支持体を同定および分離するためには、ＣＬＡＳＰ−２分子を標識すること、すなわち「タグをつける」ことが必要である。ＣＬＡＳＰ−２タンパク質は、アルカリホスファターゼまたは西洋ワサビペルオキシダーゼ、またはフルオレセインイソチオシアネート（ＦＩＴＣ）、フィコエリトリン（ＰＥ）またはローダミンを含む蛍光標識などの他の試薬を始めとする酵素と結合させることができる。ＣＬＡＳＰ−２に対する任意の標識は、当技術分野で周知の方法で結合させることができる。またはＣＬＡＳＰ−２発現ベクターを遺伝子作製して、市販の抗体に存在するエピトープを含むキメラＣＬＡＳＰ−２タンパク質を発現させることができる。エピトープに特異的な抗体には、酵素、蛍光色素、または着色ビーズもしくは磁気ビーズを始めとする当技術分野で周知の方法を用いて検出可能な標識のタグをつけることができる。
【０２６３】
「タグのつけられた」ＣＬＡＳＰ−２コンジュゲートを、ランダムペプチドライブラリーと３０分間〜１時間２２℃でインキュベートすることにより、ＣＬＡＳＰ−２と、ライブラリー中のペプチド種との複合体が形成される。次にライブラリーを洗浄して非結合性タンパク質を除去する。アルカリホスファターゼまたは西洋ワサビペルオキシダーゼをあらかじめ結合させたＣＬＡＳＰ−２の場合、すべてのライブラリーをアルカリホスファターゼまたはペルオキシダーゼの各基質、例えばそれぞれ５−ブロモ−４−クロロ−３−インドイルリン酸（ＢＣＩＰ）または、３，３’，４，４”−ジアミノベンジジン（ＤＡＢ）を含むペトリ皿に注ぐ。数分間のインキュベート後にペプチド／固相支持体−ＣＬＡＳＰ−２複合体の色が変わるので、マイクロマニピュレーターを接続した解剖顕微鏡下において容易な同定および物理的な分離が可能となる。蛍光物質のタグをつけたＣＬＡＳＰ−２ 分子を使用した場合は蛍光活性ソーティングで複合体を分離することができる。異種エピトープを発現するキメラＣＬＡＳＰ−２タンパク質を使用した場合は、標識化したエピトープ特異的な抗体を用いてペプチド／ＣＬＡＳＰ−２複合体を検出することができる。分離後は、固相支持体に結合したペプチドをペプチド配列決定により同定することができる。
【０２６４】
可溶性ＣＬＡＳＰ−２分子の使用に加え、別の態様においては、完全な細胞を用いて細胞結合性ＣＬＡＳＰ−２に結合するペプチドを検出することができる。完全細胞の使用は細胞表面分子を使用する上で好ましい。ＣＬＡＳＰ−２を発現する細胞系列を作製する方法は５．８節に記載されている。この方法で使用される細胞は生細胞でも固定細胞のどちらでもよい。細胞をランダムペプチドライブラリーとインキュベートすることで、ライブラリー中の特定のペプチドと結合させて、標的細胞と関連する固相支持体／ペプチドとの間で「ロゼット」を形成させることができる。後にロゼットは、ディファレンシャル遠心法で分離できるほか、解剖顕微鏡下で物理的に除去することもできる。組み合わせライブラリーのスクリーニング法は当技術分野で周知である（Ｇａｌｌｏｐら、１９９４、Ｊ． Ｍｅｄ． Ｃｈｅｍ．、３７：１２３３；Ｇｏｒｄｏｎ、１９９４、Ｊ． Ｍｅｄ． Ｃｈｅｍ．、３７：１３８５）。
【０２６５】
膜結合性の受容体または、細胞膜の脂質ドメインを機能上必要とする受容体を対象とする全細胞アッセイ法に代わる方法として、ＣＬＡＳＰ−２分子を標識または「タグ」の結合が可能なリポソームに再構成することができる。
【０２６６】
５．５．４．  ＣＬＡＳＰ−２融合タンパク質
本発明の別の態様においては、ＣＬＡＳＰ−２または改変型のＣＬＡＳＰ−２配列を、異種配列に連結して融合タンパク質をコードさせることができる。例えばＣＬＡＳＰ−２に結合する分子群を対象としたペプチドライブラリーのスクリーニングでは、市販の抗体で認識される異種エピトープを発現するキメラＣＬＡＳＰ−２タンパク質を作製することために有用でありうる。融合タンパク質はまた、ＣＬＡＳＰ−２配列と異種タンパク質配列の間に切断部位を含むように遺伝子操作することもできる。こうすることでＣＬＡＳＰ−２は異種配列部分から切り離すことができる。一つの態様において本発明の融合タンパク質は、少なくとも約１〜８１６番目の残基を含むＣＬＡＳＰ−２の細胞外ドメイン、またはその断片を含むことができる。別の態様においては、融合タンパク質はＣＬＡＳＰ−２配列の少なくとも約８４３番目の残基から末端配列を含むＣＬＡＳＰ−２細胞内ドメイン、またはその断片を含むことができる。
【０２６７】
５．６．  ＣＬＡＳＰ−２の対立遺伝子、異型、およびホモログ種のクローニング
本明細書に開示されたＣＬＡＳＰ−２ ｃＤＮＡをコードする任意の種に由来する完全長ｃＤＮＡ配列をクローニングする目的で、またはこの分子の異型をクローニングする目的で、本明細書に開示されている任意の部分的ｃＤＮＡに対応する核酸断片から作成された標識化ＤＮＡプローブを使用して、リンパ系細胞または脳細胞に由来するｃＤＮＡライブラリーをスクリーニングすることができる。さらに詳述すると、ｃＤＮＡ配列の５’端または３’端に対応するオリゴヌクレオチドを使用することで、より長いヌクレオチド配列が得られる。手短に説明すると、このライブラリーをプレーティングして、１５０ ｍｍのプレート１枚当たり最大３０，０００ ｐｆｕを得ることができる。
約４０枚のプレートをスクリーニングすることができる。プラークの直径が０．２５ ｍｍになるまで、または、相互に接触し始める直前まで（３〜８時間）プレートを３７℃でインキュベートする。ソフトトップアガロース上にナイロンメンブレンをかぶせて６０秒後にフィルターを剥がし、０．４ Ｎ水酸化ナトリウムを含むＤＮＡ変性溶液上に浮かべる。次にフィルターを１ Ｍ トリス−ＨＣｌ、ｐＨ ７．５を含む中和溶液に浸した後に風乾させる。このフィルターを、１０％ デキストラン硫酸、０．５ Ｍ ＮａＣｌ、５０ ｍＭ トリス−ＨＣｌ、ｐＨ ７．５、０．１％ ピロリン酸ナトリウム、１％ カゼイン、１％ ＳＤＳ、および０．５ ｍｇ／ｍｌの変性サケ精子ＤＮＡを含むカゼイン緩衝液などのハイブリダイゼーション用緩衝液中で６時間６０℃でプレハイブリダイズする。次に、放射性標識プローブを９５℃で２分間加熱して変性させた後に、フィルターを含むプレハイブリダイゼーション溶液に添加する。このフィルターを６０℃で１６時間ハイブリダイズさせる。次にフィルターを１×洗浄用混合液（１０×洗浄用混合液は３ Ｍ ＮａＣｌ、０．６ Ｍ トリス塩基、および０．０２ Ｍ ＥＤＴＡを含む）中で室温で５分間２回洗浄後に、１％ ＳＤＳを含む１×洗浄用混合液中で６０℃で３０分間洗浄し、最後に０．１％ ＳＤＳを含む０．３×洗浄用混合中液で６０℃で３０分間洗浄する。次にフィルターを風乾させて、Ｘ線フィルムを感光させオートラジオグラフィーを行う。現像後のフィルムをフィルターと照合して陽性クローンを選択する。単一の分離した陽性プラークが得られない場合は、複数のプラークを含むアガープラグを除去して、０．１ Ｍ ＮａＣｌ、０．０１ Ｍ 硫酸マグネシウム、０．０３５ Ｍ トリス−ＨＣ１、ｐＨ ７．５、０．０１％ ゼラチンを含むλ希釈緩衝液中に置く。次に、単一で十分分離できる陽性プラークを得るために、ファージを再びプレーティングして再びスクリーニングを行う。陽性プラークを分離できたら、既知ｃＤＮＡ配列を元に作製したプライマーを用いてｃＤＮＡクローンの配列を決定することができる。この段階は完全長ｃＤＮＡが得られるまで反復することができる。
【０２６８】
完全長ｃＤＮＡを得るために、異なる組織に由来する複数のｃＤＮＡライブラリーのスクリーニングが必要となる場合がある。完全な５’端コード領域をコードするｃＤＮＡクローンの同定が困難な場合―ｃＤＮＡクローニングでしばしば遭遇する状況の場合―は、ＲＡＣＥ（ｃＤＮＡ末端の迅速増幅（Ｒａｐｉｄ Ａｍｐｌｉｆｉｃａｔｉｏｎ ｏｆ ｃＤＮＡ Ｅｎｄｓ））法を用いることができる。ＲＡＣＥはＰＣＲ法に基づき、不完全なｃＤＮＡの５’端を増幅する方法で、その有効性が証明済みの手法である。特有のアンカー配列を含むヒト組織から合成された５’−ＲＡＣＥ−Ｒｅａｄｙ ＲＮＡは市販されている（Ｃｌｏｎｔｅｃｈ）。ｃＤＮＡの５’端を得るためには、提供されるアンカープライマーおよび３’プライマーを用いて５’−ＲＡＣＥ−Ｒｅａｄｙ ｃＤＮＡのＰＣＲを行う。次に、アンカーされたプライマーおよび入れ子状態の３’プライマーを用いて、製造業者の指示通りに第２のＰＣＲ反応を行う。完全長ｃＤＮＡ配列が得られたら、これをアミノ酸配列に翻訳して、翻訳の開始部位および終結部位にはさまれた連続読み枠、カドヘリン様ドメイン、ＩＴＡＭドメイン、チロシンリン酸化部位、システインクラスター、膜貫通ドメイン、また本明細書に記載された、ＣＬＡＳＰ−２遺伝子群に対する全体的な構造類似性などの特定の目印を調べることができる。タンパク質のドメインに関する議論については、Ｐｏｎａｓｓｉら、１９９９、Ｍｅｃｈ． Ｄｅｖ． ８０：２０７〜２１２；Ｉｓａｋｏｖ、１９９８、Ｒｅｃｅｐｔｏｒ Ｃｈａｎｎｅｌｓ ５：２４３〜２５３；Ｂｏｒｒｏｔｏら、１９９７、Ｂｉｏｐｏｌｙｍｅｒｓ ４２：７５〜８８；Ｄｉｍｉｔｒａｔｏｓら、１９９７、Ｍｅｃｈ． Ｄｅｖ． ６３：１２７〜１３０；Ａｐｐｅｒｓｏｎら、１９９６、Ｊ． Ｎｅｕｒｏｓｃｉ． １６：６８３９〜６８５２；Ｏｚａｗａら、１９９０、Ｍｅｃｈ． Ｄｅｖ． ３３：４９〜５６を参照されたい。またこれらの文献は参照として本明細書に組み入れられる。
【０２６９】
５．７．  内在性ＣＬＡＳＰ−２遺伝子群の調節発現
または、異種ＤＮＡ調節エレメントを細胞系列のゲノムに挿入し、挿入された調節エレメントを内在性ＣＬＡＳＰ−２遺伝子に動作可能的に連結させることで、細胞集団内における内在性ＣＬＡＳＰ−２遺伝子の発現特性を改変することができる。例えば通常は「転写的にサイレントな」ＣＬＡＳＰ−２遺伝子、すなわち細胞集団内で通常発現しないか、または極めて低いレベルでのみ発現する内在性ＣＬＡＳＰ−２遺伝子は、細胞内で正常に発現する遺伝子産物の発現促進能力がある調節エレメントを挿入することで活性化されることがある。または、転写的にサイレントな内在性ＣＬＡＳＰ−２遺伝子は、多くの細胞種ではたらく宿主非選択性の調節配列を挿入することで活性化することができる。
【０２７０】
異種調節エレメントを細胞系列の集団に挿入して、当業者に周知である標的相同組換え法（ｔａｒｇｅｔｅｄ ｈｏｍｏｌｏｇｏｕｓ ｒｅｃｏｍｂｉｎａｔｉｏｎ）などの方法を用いて、内在性ＣＬＡＳＰ−２遺伝子と動作可能的に連結させることができる（例えば、Ｃｈａｐｐｅｌによる米国特許第５，２７２，０７１号；国際公開公報第９１／０６６６７号、１９９１年１月１６日刊行、を参照）。
【０２７１】
５．８．  抗ＣＬＡＳＰ−２抗体
当技術分野で周知の様々な手順を用いて、天然および組換えで作製されるＣＬＡＳＰ−２タンパク質のエピトープに対する抗体を作製することができる。これらの抗体には、ポリクローナル抗体、モノクローナル抗体、キメラ抗体、単鎖抗体、ヒト抗体またはヒト化抗体のＩｇＧ、ＩｇＭ、ＩｇＡ、ＩｇＤまたはＩｇＥ、相補性決定領域、Ｆａｂ断片、Ｆ（ａｂ’）２および、Ｆａｂ発現ライブラリーにより作製される断片ならびに抗イディオタイプ抗体などがあるが、これらに限定されることはない。ＣＬＡＳＰ−２結合と競合する抗体は診断および治療上、特に好ましい。
【０２７２】
ＣＬＡＳＰ−２に結合するモノクローナル抗体を放射標識することで、注入後の体内における同抗体の位置および分布が追跡可能となる。放射性同位元素でタグをつけた抗体は、ＣＬＡＳＰ−２を発現する新規リンパ腫および転移を画像化するための非浸襲的な診断ツールとして利用可能である。
【０２７３】
免疫毒素また、体内の特異的な部位に対する細胞毒性薬の標的となるように設計することができる。例えば高い親和性を有するＣＬＡＳＰ−２特異的モノクローナル抗体は、ジフテリア毒素またはリシンなどの細菌または植物の毒素と共有結合を介して複合体を形成させることができる。抗体／ハイブリッド分子の一般的な調製法には、抗体上の一級アミノ基を攻撃するＳＰＤＰなどのチオール架橋試薬を使用することができ、また、毒素を抗体に結合させるジスルフィド交換反応を使用することができる。ハイブリッド抗体は、ＣＬＡＳＰ−２を発現するリンパ球を特異的に除去するために使用することができる。
【０２７４】
抗体を作製するためには、様々な宿主動物を対象として組換え型または天然の精製ＣＬＡＳＰ−２タンパク質、融合タンパク質またはペプチドを注入して免疫化することができる。これらには、ヤギ、ウサギ、マウス、ラット、ハムスターなどに由来するものが含まれるがこれらに限定されることはない。様々なアジュバントを使用して、免疫反応を高めることができる。これは宿主に依存し、フロイント（完全および不完全）アジュバント、水酸化アルミニウムなどの無機ゲル、リゾレシチンなどの表面活性物質、プルロニックポリオール、ポリアニオン、ペプチド、油乳濁液、キーホールリンペットヘモシアニン、ジニトロフェノール、およびＢＣＧ（カルメット−ゲラン桿菌）およびコリネバクテリウム・パルバム（Ｃｏｒｙｎｅｂａｃｔｅｒｉｕｍ ｐａｒｖｕｍ）などのヒトで有用と考えられるアジュバントなどが含まれるがこれらに限定されることはない。
【０２７５】
ＣＬＡＳＰ−２に対するモノクローナル抗体は、連続細胞系列培養により抗体分子を産生させる任意の手法で調製できる。このような手法には、当初ケラー（Ｋｏｈｌｅｒ）およびミルシュタイン（Ｍｉｌｓｔｅｉｎ）によって報告されたハイブリドーマ法（Ｎａｔｕｒｅ、１９７５、２５６：４９５〜４９７）、ヒトＢ細胞ハイブリドーマ法（Ｋｏｓｂｏｒら、１９８３、Ｉｍｍｕｎｏｌｏｇｙ Ｔｏｄａｙ、４：７２；Ｃｏｔｅら、１９８３、Ｐｒｏｃ． Ｎａｔｌ． Ａｃａｄ． Ｓｃｉ． Ｕ．Ｓ．Ａ．、８０：２０２６〜２０３０）、およびＥＢＶハイブリドーマ法（Ｃｏｌｅら、１９８５、Ｍｏｎｏｃｌｏｎａｌ Ａｎｔｉｂｏｄｉｅｓ ａｎｄ Ｃａｎｃｅｒ Ｔｈｅｒａｐｙ、Ａｌａｎ Ｒ． Ｌｉｓｓ、Ｉｎｃ．、ｐｐ．７７〜９６）などがあるがこれらに限定されることはない。また、適切な抗原特異性を有するマウス抗体分子由来の遺伝子群と、適切な生物学的活性を有するヒト抗体分子由来の遺伝子群をスプライスすることで「キメラ抗体」作製用に開発された手法（Ｍｏｒｒｉｓｏｎら、１９８４、Ｐｒｏｃ． Ｎａｔｌ． Ａｃａｄ． Ｓｃｉ． Ｕ．Ｓ．Ａ．、８１：６８５１〜６８５５；Ｎｅｕｂｅｒｇｅｒら、１９８４、Ｎａｔｕｒｅ、３１２：６０４〜６０８；Ｔａｋｅｄａら、１９８５、Ｎａｔｕｒｅ、３１４：４５２〜４５４）を用いることができる。または、単鎖抗体の作製に関して記載された方法（米国特許第４，９４６，７７８号）を一部変更して、ＣＬＡＳＰ−２に特異的な単鎖抗体を産生させることができる。いくつかの態様においては、ファージディスプレイ法を用いて、選択された抗体に特異的に結合する抗体およびへテロマーのＦａｂ断片が同定される（例えば、ＭｃＣａｆｆｅｒｔｙら、Ｎａｔｕｒｅ ３４８：５５２〜５５４（１９９０）；Ｍａｒｋｓら、Ｂｉｏｔｅｃｈｎｏｌｏｇｙ １０：７７９〜７８３（１９９２）を参照）。
【０２７６】
ハイブリドーマは、再び折りたたまれた組換え型ＣＬＡＳＰ−２に特異的な抗体を分泌する培養液の検出を目的として、酵素結合免疫吸着検定法（ＥＬＩＳＡ）でスクリーニングすることができる。培養液はまた、哺乳類産生性ＣＬＡＳＰ−２に特異的な抗体を分泌する培養液の同定を目的としてＥＬＩＳＡでスクリーニングすることもできる。抗体特異性は、同じ抗原を用いたウエスタンブロットで確認することができる。続いて行うＥＬＩＳＡ試験では、ＣＬＡＳＰ−２分子とモノクローナル抗体に結合する特定の部分を同定するために組換え型ＣＬＡＳＰ−２断片を使用することができる。組織切片染色、ＣＬＡＳＰ−２の免疫沈降、ＣＬＡＳＰ−２結合の阻害、または、細胞内シグナルを伝達させるＣＬＡＳＰ−２の促進などについて望ましい機能特性を有するモノクローナル抗体を同定するために追加的な試験を行うことができる。モノクローナル抗体のアイソタイプはＥＬＩＳＡで決定することで、精製または機能に関する追加情報が得られる場合がある。
【０２７７】
本発明の一部の抗ＣＬＡＳＰ−２モノクローナル抗体は、対標的親和性を低下させることなく潜在的な抗原性を低下させるために、ヒト化抗体、ヒト抗体、またはキメラ抗体とすることができる。ヒト化抗体については当技術分野で少なからず報告されている。例えば、クィーン（Ｑｕｅｅｎ）ら、１９８９、Ｐｒｏｃ． Ｎａｔｌ． Ａｃａｄ． Ｓｃｉ． Ｕ．Ｓ．Ａ． ８６：１００２９；米国特許第５，５６３，７６２号；第５，６９３，７６１号；第５，５８５，０８９号および第５，５３０，１０１号を参照されたい。ヒト化に用いるヒト抗体配列は、天然ヒト抗体配列とすることができるほか、複数のヒト抗体のコンセンサス配列とすることができる。ケトルボロー（Ｋｅｔｔｌｅｂｏｒｏｕｇｈ）ら、１９９１、Ｐｒｏｔｅｉｎ Ｅｎｇｉｎｅｅｒｉｎｇ ４：７７３；コールビンガー（Ｋｏｌｂｉｎｇｅｒ）ら、１９９３、Ｐｒｏｔｅｉｎ Ｅｎｇｉｎｅｅｒｉｎｇ ６：９７１を参照されたい。ＣＬＡＳＰ−２ペプチドに対するヒト化モノクローナル抗体は、ヒト免疫系因子群を有するトランスジェニック動物を用いることでも作製できる（例えば米国特許第５，５６９，８２５号；第５，５４５，８０６号；第５，６９３，７６２号；第５，６９３，７６１号；および第５，７１２４，３５０号を参照）。
【０２７８】
一部の態様においては、抗ＣＬＡＳＰ−２ポリペプチドモノクローナル抗血清またはポリクローナル抗血清を産生させ、特定のＣＬＡＳＰ−２ポリペプチドに特異的に免疫反応して他の分子群（例えば他のＣＬＡＳＰポリペプチド）に対して低交差反応性を有するように選択され、この交差反応活性はいずれも免疫吸着で除去されてイムノアッセイ法に使用される。モノクローナル抗体の特異性に関するスクリーニングおよび特性解析の方法は当技術分野で周知であり、既に挙げたハーロウ（Ｈａｒｌｏｗ）およびレーン（Ｌａｎｅ）の論文で広く説明されている。例えば、配列番号：１で示されるｈＣＬＡＳＰ−２Ａに対するポリクローナル抗体、またはスプライシング変異体、またはそれらの免疫原性部分は、他のタンパク質ではなく標的タンパク質に特異的な免疫反応性をもつそれらのポリクローナル抗体またはモノクローナル抗体のみを有するように選択することができる。この選択は、分子群と交差反応する抗体を差し引くことで可能となる。様々なイムノアッセイ法のフォーマットを使用することで、特定のタンパク質と特異的に免疫反応する抗体を選択してもよい。例えば固相ＥＬＩＳＡイムノアッセイ法は、任意のタンパク質と特異的に免疫反応する抗体を選択することを目的としてルーチンに使用されている（特異的な免疫反応性の決定に使用できるイムノアッセイ法のフォーマットおよび条件に関する記述については例えばハーロウおよびレーンによる「抗体、実験マニュアル（Ａｎｔｉｂｏｄｉｅｓ、Ａ Ｌａｂｏｒａｔｏｒｙ Ｍａｎｕａｌ）」（１９８８）を参照）。特異的または選択的な反応は典型的には、少なくとも２倍のバックグラウンドのシグナルまたはノイズが生じ、また、より特異的には１０〜１００倍を超えるバックグラウンドが生じる。一方、一部のポリペプチドセットと交差反応する抗体を調製する場合もある。
【０２７９】
Ｖ特異的結合部位を含む抗体断片は既知の手法で作製することができる。例えば、このような断片には抗体分子をペプシンで消化して作製できるＦ（ａｂ’）２断片、およびＦ（ａｂ’）２断片のジスルフィド架橋を還元させて作製できるＦａｂ断片などが含まれるが、これらに限定されることはない。一方、Ｆａｂ発現ライブラリーを構築することで（Ｈｕｓｅら、１９８９、Ｓｃｉｅｎｃｅ、２４６：１２７５〜１２８１）、望ましい対ＣＬＡＳＰ−２特異性を有するモノクローナルのＦａｂ断片の迅速かつ容易な同定が可能となる。
【０２８０】
抗ＣＬＡＳＰ−２抗体を使用することでも、ＣＬＡＳＰ−２発現細胞を同定、単離、阻害または除去することができる。一つの態様において本発明は、免疫機能が正常な被験者のＴ細胞プロフィールに対する免疫不全状態の被験者の異常なＴ細胞プロフィールを同定する方法を含む。この方法には、（ｉ）免疫不全状態の被験者から単離される末梢血単核球細胞（ＰＢＭＣ）の試料の一連のＴ細胞セットへのソーティング、（ｉｉ）各セットにおける細胞総数に対するＣＬＡＳＰ−２＋細胞の比（ＣＬＡＳＰ−２＋：総数）の決定、および、免疫不全状態の被験者におけるＣＬＡＳＰ−２＋：総数比と、免疫機能が正常な被験者における類似のセットのＣＬＡＳＰ−２＋：総数比の比較による免疫不全状態の被験者における異常なＴ細胞プロフィールの同定がある。
【０２８１】
他の態様においては、抗ＣＬＡＳＰ−２抗体を蛍光活性化細胞ソーティング（ＦＡＣＳ）、ＥＬＩＳＡ、蛍光または電子免疫顕微鏡、ウエスタンブロット、ゲルシフト解析などのアッセイ法におけるｈＣＬＡＳＰ−２タンパク質の検出に使用することができる。様々な細胞におけるＣＬＡＳＰ−２発現、細胞内の局在、他のタンパク質との相互作用、およびＣＬＡＳＰ−２アイソフォームの発現との区別は、本明細書に記載された手法を用いることで決定できる。
【０２８２】
５．９．  スクリーニングアッセイ法
本発明では、ＣＬＡＳＰ−２の発現または活性を調節する（すなわち阻害または促進する）化合物または薬剤を同定する方法を提供する。ＣＬＡＳＰ−２の発現または活性の調節物質は、異常なＣＬＡＳＰ−２の発現または活性を特徴とする（または関連する）障害の治療に有用である。ＣＬＡＳＰ−２のｍＲＮＡまたはタンパク質の異常な発現とは、複数のリンパ球（例えばＴリンパ球またはＢリンパ球）、または他のＣＬＡＳＰ−２発現細胞における発現が、健常者から採取される対照リンパ球における発現と比較して、少なくとも２倍、好ましくは少なくとも５倍大きいことを意味する。
【０２８３】
ＣＬＡＳＰ−２発現アッセイ法には、ＣＬＡＳＰ−２発現細胞を化合物または薬剤に接触させる段階および、ＣＬＡＳＰ−２発現をアッセイする段階を含めることができる。ＣＬＡＳＰ−２のポリペプチドの発現は、本発明の抗ＣＬＡＳＰ−２抗体を用いたＥＬＩＳＡで容易に測定される。ＣＬＡＳＰ−２ ｍＲＮＡの発現（ＣＬＡＳＰ−２の特定種すなわちスプライシング変異体の発現を含む）は定量ノーザン解析または定量ＰＣＲで測定することができる。
【０２８４】
ＣＬＡＳＰ−２活性には例えば、ＰＤＺドメインを含む分子に対するＣＬＡＳＰ−２ポリペプチドの結合および、ＣＬＡＳＰ−２ポリペプチドの情報伝達（例えばＴ細胞活性化に至るもの）への関与が含まれる。ＣＬＡＳＰ−２のポリペプチドと標的分子の相互作用を調節する化合物または薬剤、ＣＬＡＳＰ−２の核酸発現を調節する化合物または薬剤、またはＣＬＡＳＰ−２のポリペプチド活性を調節する化合物または薬剤はすべて本発明の方法の対象として適している。
【０２８５】
被験化合物には例えば、１）ペプチド類（例えば、Ｉｇテール融合ペプチド、およびランダムペプチドライブラリーのペプチドを含む可溶性ペプチド類（例えばＬａｍ、Ｋ． Ｓ．ら、１９９１、Ｎａｔｕｒｅ ３５４：８２〜８４；Ｈｏｕｇｈｔｅｎ、Ｒ．ら、１９９１、Ｎａｔｕｒｅ ３５４：８４〜８６を参照）、およびＤ型および／またはＬ型のアミノ酸からなる組み合わせ化学由来の分子ライブラリー；２）ホスホペプチド類（例えば、ランダムおよび部分的に分解された、指向性ホスホペプチドライブラリーのペプチド類。例えばソンヤン（Ｓｏｎｇｙａｎｇ， Ｚ）ら、１９９３、Ｃｅｌｌ ７２：７６７〜７７８を参照。；３）ＣＬＡＳＰ−２抗体（上述）；４）有機小分子および無機小分子（例えば、組み合わせルライブラリーおよび天然物ライブラリーから得られる分子群）；５）アンチセンスＲＮＡ分子およびＤＮＡ分子ならびにリボザイム（上述）。
【０２８６】
ＣＬＡＳＰ調節物質には、天然化合物および合成化合物、有機化合物および無機化合物、および、ポリマー類（例えばオリゴペプチド、ポリペプチド、オリゴヌクレオチド、およびポリヌクレオチド）、小分子、抗体、糖類、脂肪酸、ヌクレオチドおよびヌクレオチド類似体、天然構造物の類似体（例えばレプリカペプチド（ｐｅｐｔｉｄｅ ｍｉｍｅｔｉｃｓ）や核酸類似体など）などの多様な化合物、および他の多くの化合物が含まれる。
【０２８７】
本発明の一つの態様においては、ＣＬＡＳＰ−２ポリペプチドに結合する被験化合物をスクリーニングするアッセイ法を提供する。このアッセイ法は組換え型細胞に基づくアッセイ法でも無細胞アッセイ法でもよい。これらのアッセイ法には、ＣＬＡＳＰ−２ポリペプチドまたはその結合断片を発現する細胞、および化合物または薬剤を、化合物または薬剤がＣＬＡＳＰ−２ポリペプチドに結合して複合体を形成可能な条件下における組み合わせる段階を含めることができる。次に複合体の形成を判定することができる。候補化合物または薬剤の、ＣＬＡＳＰ−２ポリペプチドまたはその断片に対する結合能力は、複合体中の候補化合物の存在により示される。ＣＬＡＳＰ−２のポリペプチドと候補化合物間の複合体の形成は、例えば標準的なイムノアッセイ法で定量できる。
【０２８８】
本発明の別の態様においては、ＣＬＡＳＰ−２ポリペプチドと分子（ＣＬＡＳＰ−２ポリペプチドが通常相互作用する標的分子）間の相互作用（そしてかなりの可能性で同様にＣＬＡＳＰ−２活性）を調節する被験化合物を同定するスクリーニングアッセイ法を提供する。
【０２８９】
一つの態様においては、これらのＣＬＡＳＰ−２標的分子群は、チロシンキナーゼ（例えば、ｌｙｎ、ｌｃｋ、ｆｙｎ、ＺＡＰ−７０ｍ ＳｙＫ、およびＣＳＫ）とすることができる。別の態様においては、ＣＬＡＳＰ−２標的分子群は、チロシンホスファターゼ（例えば、ＥＺＲＩＮ、ＳＨＰ−１、ＳＨＰ−２、およびＰＴＰ３６）とすることができる。別の態様においては、ＣＬＡＳＰ−２標的分子群はアダプタータンパク質（例えば、ＮＣＫ、ＣＢＬ、ＳＨＣ、ＬＮＫ、ＳＬＰ−７６、ＨＳ１、ＳＩＴ、ＶＡＶ、ＧｒＢ２、およびＢＲＤＧ１）とすることができる。別の態様においては、ＣＬＡＳＰ−２標的分子群はアンキュリン、スペクトリン、タリン、エズリン、トロポミオシン、ミオシン、プレクチン、シンデカン、パラレムミン（ｐａｒａｌｅｍｍｉｎ）、バンド３タンパク質、細胞骨格タンパク質４．１、およびＰＴＰ３６）などの細胞骨格結合性タンパク質とすることができる。さらに別の態様においては、ＣＬＡＳＰ−２標的分子群はインテグリンファミリーに属する分子群とすることができる。
【０２９０】
このアッセイ法は通常、組換え細胞に基づくアッセイ法、または無細胞アッセイ法である。これらのアッセイ法には、ＣＬＡＳＰ−２ポリペプチドまたはその結合断片を発現する細胞、ＣＬＡＳＰ−２標的分子（例えばＣＬＡＳＰ−２リガンド）および被験化合物を、候補化合物が存在するがＣＬＡＳＰ−２ポリペプチドまたはその生物学的に活性な部分が標的分子に結合する条件下で混合する段階を含めることができる。ＣＬＡＳＰ−２ポリペプチドまたはその結合断片、ＣＬＡＳＰ−２標的分子、ならびに複合体形成検出用の被験化合物（ＣＬＡＳＰ−２ポリペプチドおよび標的分子を含む）間の複合体形成を検出することができる。複合体形成の検出には例えば、ＣＬＡＳＰ−２ポリペプチドが有するＴ細胞活性化などの誘導作用の測定による複合体の直接定量を含めることができる。候補化合物の存在下（候補化合物の非存在下で検出される化合物に対する）における、ＣＬＡＳＰ−２と標的分子間の相互作用の減弱化などの大きな変化（例えばＣＬＡＳＰ−２と標的分子間の複合体形成における変化）は、ＣＬＡＳＰ−２ポリペプチドと標的分子間における相互作用の調節の指標となる。ＣＬＡＳＰ−２ポリペプチドと標的分子間の複合体形成の調節は、例えばイムノアッセイ法で定量することができる。無細胞薬剤スクリーニングアッセイ法を行うためには、ＣＬＡＳＰ−２またはその標的分子を固定化して、複合体を形成していない状態の一方または両方のポリペプチドと複合体の分離を促すこと、ならびにアッセイ法の自動化を図ることが望ましい。標的分子に対するＣＬＡＳＰ−２の結合は、候補化合物の存在下および非存在下においては、反応体を収容するのに適した任意の容器内で行うことができる。このような容器には例えばマイクロタイタープレート、試験管、および微小遠心用チューブなどがある。
【０２９１】
ある態様においては、マトリックスに対するポリペプチドの結合を可能とするドメインを加える融合ポリペプチドを提供することができる。または上記複合体は、マトリックスから解離させ、ＳＤＳ−ＰＡＧＥで分離し、またビーズフラクションにみられるＣＬＡＳＰ−２結合ポリペプチドのレベルを標準的な電気泳動法でゲルから定量することができる。
【０２９２】
マトリックス上にポリペプチドを固定化する他の手法も、本発明の薬剤スクリーニングアッセイ法に使用することができる。例えばＣＬＡＳＰ−２またはその標的分子のいずれかを、ビオチンとストレプトアビジンの結合を用いて固定化することができる。ビオチン化ＣＬＡＳＰ−２分子は、当技術分野で周知の手法（例えば、ビオチン化キット、Ｐｉｅｒｃｅ Ｃｈｅｍｉｃａｌｓ、ロックフォード、イリノイ州）を用いてビオチン−ＮＨＳ（Ｎ−ヒドロキシル−スクシニミド）から調製し、ストレプトアビジンでコーティングした９６穴プレート（Ｐｉｅｒｃｅ Ｃｈｅｍｉｃａｌ）の各ウェル内に固定化することができる。または、ＣＬＡＳＰ−２には反応するが、ポリペプチドとその標的分子間の結合には干渉しない抗体は、プレートのウェルに対して誘導体化することが可能で、抗体結合によりＣＬＡＳＰ−２をウェル上に捕捉することができる。上述の通り、ＣＬＡＳＰ−２結合ポリペプチドおよび候補化合物の調製物は、プレート上のＣＬＡＳＰ−２が存在するウェル内でインキュベートされることで、ウェルに捕捉された複合体の量が定量される。このような複合体を検出する方法には、ＣＬＡＳＰ−２標的分子に対して、またはＣＬＡＳＰ−２ポリペプチドに対して反応して標的分子と競合する抗体を用いた複合体の免疫学的検出；ならびに、標的分子と結びつく酵素活性の検出に基づく酵素結合アッセイ法などがある。
【０２９３】
薬剤スクリーニングの一つの方法では、ＣＬＡＳＰ−２（例えば、配列番号：２の配列を有するタンパク質）を発現する組換えＤＮＡ分子で安定に形質転換された真核細胞または原核細胞を宿主として利用する。このような細胞は、生細胞または固定細胞のいずれであっても、標準的なリガンド／受容体結合アッセイ法に利用することができる（例えば、細胞応答を検出する高感度の方法について記述したＰａｒｃｅら（１９８９）Ｓｃｉｅｎｃｅ ２４６：２４３〜２４７；およびＯｗｉｃｋｉら（１９９０）Ｐｒｏｃ． Ｎａｔｌ． Ａｃａｄ． Ｓｃｉ． Ｕ．Ｓ．Ａ． ８７：４００７〜４０１１を参照）。被験化合物は標識されることが多く、結合を対象として、または他の結合用リガンドの競合を対象としてアッセイすることができる。生細胞はＣＬＡＳＰ−２を介した機能に及ぼす薬剤作用（例えば、Ｔ細胞の活性化、セカンドメッセンジャーレベルほかの作用）のスクリーニングに使用することもできると考えられる。
【０２９４】
本発明の別の態様においては、異常なＣＬＡＳＰ−２核酸発現またはＣＬＡＳＰ−２ポリペプチド活性を特徴とする（または関連する）障害の治療に使用可能な化合物を同定する方法（例えばスクリーニングアッセイ法）を提供する。この方法は通常、化合物または薬剤が有する、ＣＬＡＳＰ−２の核酸の発現またはＣＬＡＳＰ−２ポリペプチドの活性の調節能力をアッセイすることで、異常なＣＬＡＳＰ−２核酸発現またはＣＬＡＳＰ−２ポリペプチド活性を特徴とする障害を治療する化合物を同定する段階を含む。
【０２９５】
化合物または薬剤が有する、ＣＬＡＳＰ−２核酸の発現またはＣＬＡＳＰ−２ポリペプチド活性の調節能力をアッセイする方法は通常、細胞に基づくアッセイ法である。例えば、ＣＬＡＳＰ−２が関与する経路を介してシグナルを伝達するリガンドに感受性のある細胞は、候補化合物の存在下または非存在下でＣＬＡＳＰ−２ポリペプチドを過剰発現するように誘導されうる。ＣＬＡＳＰ−２依存性の反応に変化を生じる候補化合物を同定することができる。ある態様においては、ＣＬＡＳＰ−２の核酸発現またはＣＬＡＳＰ−２ポリペプチドの活性は細胞で調節されており、対象となる読み出された情報（Ｔ細胞の活性化など）に候補化合物が及ぼす作用が測定される。例えば、ＣＬＡＳＰ−２依存性の情報伝達経路に応じて上方または下方制御される遺伝子群の発現をアッセイすることができる。
【０２９６】
または、ＣＬＡＳＰ−２発現の調節物質は、細胞を候補化合物と接触させる方法で同定して、細胞中におけるＣＬＡＳＰ−２のｍＲＮＡまたはポリペプチドの発現を決定することができる。候補化合物の存在下におけるＣＬＡＳＰ−２のｍＲＮＡまたはポリペプチドの発現レベルは、候補化合物の非存在下におけるＣＬＡＳＰ−２のｍＲＮＡまたはポリペプチドの発現レベルと比較する。次にこの比較に基づき、候補化合物をＣＬＡＳＰ−２核酸発現の調節物質として同定することができる。例えば、ＣＬＡＳＰ−２のｍＲＮＡまたはポリペプチドの発現が、候補化合物の非存在下の場合と比較して存在下の方が高い場合、候補化合物はＣＬＡＳＰ−２核酸発現の刺激因子と同定される。または、ＣＬＡＳＰ−２の核酸発現が、候補化合物の非存在下と比較して存在下の方が低い場合、候補化合物はＣＬＡＳＰ−２核酸発現の阻害剤と同定される。細胞中におけるＣＬＡＳＰ−２の核酸発現のレベルは、ＣＬＡＳＰ−２のｍＲＮＡまたはポリペプチドの検出に関して、本明細書に記載された方法で決定することができる。
【０２９７】
このような薬剤スクリーニングアッセイ法にしたがって同定されるＣＬＡＳＰ−２ポリペプチドの活性およびＣＬＡＳＰ−２核酸の発現の調節物質は、例えば免疫障害などの治療に利用することができる。このような治療法には、ＣＬＡＳＰ−２ポリペプチドの活性または核酸の発現の調節物質を投与する段階が含まれる（例えば５．１０．１節で後述した製剤用組成物中に含まれる因子で、そのような治療法を必要とする被験者―例えば本明細書に記載された障害のある被験者―を対象とするもの）。
【０２９８】
５．１０．  ＣＬＡＳＰ−２調節物質の治療における投与
ＣＬＡＳＰ−２タンパク質はリンパ球で発現し、上述したようにＴ細胞とＢ細胞の相互作用を調節することで、ＣＬＡＳＰ−２活性（例えばＣＬＡＳＰ−２と調節タンパク質との結合）を、免疫障害の診断および治療ならびに免疫機能の調節（例えばＴ細胞の活性化）の標的とする役割を果たす。またＣＬＡＳＰ−２は細胞内シグナルを伝達可能なドメインを含むので、細胞表面のＣＬＡＳＰ−２は、リンパ球の活性化状態を高めるために、抗ＣＬＡＳＰ−２抗体または可溶性ＣＬＡＳＰ−２またはその断片によって誘導される。
【０２９９】
５．１０．１．  投与剤形および投与経路
ＣＬＡＳＰ−２ポリペプチド、その断片、抗ＣＬＡＳＰ−２抗体、ＣＬＡＳＰ−２ポリヌクレオチド（例えばアンチセンスまたはリボザイム）、または小分子アゴニストまたはアンタゴニストは、製剤用組成物または治療的組成物の形状として被験者自ら投与することができる。本発明のタンパク質からなる製剤用組成物は、従来の方法―混合、溶解、顆粒化、糖衣化、すり潰し、乳化、カプセル化、封入、または凍結乾燥の過程―により製造することができる。製剤用組成物は、タンパク質または活性ペプチドを薬剤として使用可能な調製物へと加工しやすくする一つまたは複数の生理学的に許容可能な担体、希釈剤、賦形剤または補助剤を用いた従来の方法で製剤化することができる。製剤化の適切さは、選択する投与経路に左右される。
【０３００】
現在、タンパク質を細胞および動物体に輸送する際に使用されているタンパク質由来の細胞透過ペプチドには３つの主な種類がある（Ｌｉｎｄｇｒｅｎ、Ｍ．ら、２０００、Ｔｒｅｎｄｓ Ｐｈａｒｍａｃｏｌ Ｓｃｉ． ２１：９９〜１０３）。一つの態様においては、ＣＬＡＳＰ−２タンパク質または、（ＣＬＡＳＰ−２の機能ドメインをコードする）断片は、ＡＮＴＰなどのホメオタンパク質の転写因子に由来する輸送タンパク質と結合した融合タンパク質として細胞内に導入することができる。別の態様においては、ＣＬＡＳＰ−２タンパク質または、（ＣＬＡＳＰ−２の機能ドメインをコードする）断片は、ＨＩＶのＴａｔタンパク質および単純ヘルペスウイルス１型（ＨＳＶ−１）のＶＰ２２タンパク質などの他の転写因子と結合した融合タンパク質として細胞内に導入することができる。このファミリーに属するタンパク質は、多様な細胞系または動物で広く使用されている（Ｓｃｈｗａｒｚｅ， Ｓ．ら、２０００、Ｔｒｅｎｄｓ Ｐｈａｎｎａｃｏｌ Ｓｃｉ． ２１：４５〜４８）。別の態様においては、ＣＬＡＳＰ−２タンパク質または（ＣＬＡＳＰ−２の機能ドメインをコードする）断片は、ＨＩＶ−１のｇｐ４１などの複数のタンパク質に含まれるシグナル配列由来のペプチドと結合した融合タンパク質として細胞内に導入することができる。他の態様においては、複数の合成ペプチド、および／またはトランスポータン（ｔｒａｎｓｐｏｒｔａｎ）およびＡｍｐｈｉｐｈｉｌｏｃモデルペプチドなどの細胞透過性のキメラペプチド（Ｌｉｎｄｇｒｅｎ， Ｍ．ら、２０００、Ｔｒｅｎｄｓ Ｐｈａｒｍａｃｏｌ Ｓｃｉ． ２１：９９〜１０３）を利用することができる。別の態様においては、ＣＬＡＳＰ−２タンパク質または断片は抗ＤＮＡ抗体を用いて導入することができる（例えば、Ｚａｃｋ， Ｄ．Ｊ．ら、１９９６、Ｊ． Ｉｍｍｕｎｏｌ． １５７：２０８２〜８を参照）。
【０３０１】
本発明のタンパク質の局所投与では、当技術分野で周知である溶液、ゲル、軟膏、クリーム、懸濁剤などとして製剤化することができる。
【０３０２】
全身投与に用いる製剤には、注射で投与するように設計された製剤が含まれる。例として、皮下注入、静注入、筋肉注入、髄腔内注入、または腹腔内注入、ならびに経皮、経粘膜、経口、または肺を介した投与用に設計されたものが挙げられる。
【０３０３】
注射剤では、本発明のタンパク質は水溶液として、好ましくはハンクス液、リンガー液、および生理食塩水緩衝液などの生理学的に適合性のある緩衝液に溶解して製剤化できる。溶液は、懸濁用、安定化用、および／または分散用の薬剤などの製剤用薬剤を含むことができる。またはタンパク質を、使用の前に適切な溶媒（例えば無菌性で発熱物質を含まない水）で構成するために粉末状にすることができる。
【０３０４】
経粘膜投与では、浸透する際の防御に適した浸透剤（ｐｅｎｅｔｒａｎｔ）が製剤化の工程で使用される。このような浸透剤は一般に当技術分野で周知である。
【０３０５】
経口投与では、当技術分野で周知の薬学的に許容される担体とタンパク質を混合することで、組成物として容易に製剤化することができる。このような担体を加えることで、タンパク質の剤形を、錠剤、丸剤、糖衣丸、カプセル、液状、ゲル、シロップ、スラリー、懸濁液などとして投与対象患者の経口摂取に用いられる。例えば粉剤、カプセルおよび錠剤などの経口用固形製剤に適した賦形剤には、乳糖、ショ糖、マンニトールおよびソルビトールなどの糖などの充填剤；トウモロコシデンプン、コムギデンプン、イネデンプン、ジャガイモデンプン、ゼラチン、ガム、トラガカントガム、メチルセルロース、ヒドロキシプロピルメチルセルロース、カルボキシメチルセルロースナトリウム、および／または、ポリビニルピロリドン（ＰＶＰ）などのセルロース調製物；顆粒化剤；および、結合剤などが含まれる。必要に応じて、架橋ポリビニルピロリドン、寒天、またはアルギニン酸もしくはアルギニン酸ナトリウムなどの塩などの崩壊剤を添加することができる。
【０３０６】
必要に応じて、固形の剤形は標準的な手法で糖衣状または腸溶性とすることができる。
【０３０７】
例えば懸濁液、エリキシルおよび溶液などの経口液体調製物の場合、適切な担体、賦形剤または希釈剤には、水、グリコール、油、アルコールなどが含まれる。この他に、香味料、保存剤、着色剤などを添加することができる。
【０３０８】
頬粘膜投与では、タンパク質は従来の方法で製剤化される錠剤、トローチ剤などの剤形をとりうる。
【０３０９】
吸入投与では、本発明で使用するタンパク質は、エアゾルスプレーの状態で、適切な噴霧剤（例えば、ジクロロジフルオロメタン、トリクロロフルオロメタン、ジクロロテトラフルオロエタン、炭酸ガスほか適切なガス）とともに加圧容器またはネブライザーから容易に投与される。加圧型エアゾルの場合、投与単位は、計量する量を送り込むバルブを供与することで決定することができる。例えば、吸入器または注入器に使用されるゼラチンなどのカプセルおよびカートリッジは、化合物および乳糖またはデンプンなどの適切な粉末基剤からなる粉末混合体を含むように製剤化することができる。。
【０３１０】
タンパク質はまた、坐剤または浣腸剤―例えばカカオ脂または他のグリセリドなどの従来の坐剤基剤を含む―などの腸または膣の組成に適したものとして製剤化することができる。
【０３１１】
既に述べた製剤化に加えて、本発明のタンパク質はデポ剤としても製剤化可能である。デポ剤のような長時間作用性の製剤は、移植（例えば経皮的または筋肉内移植）により、または筋肉注射で投与することができる。したがって例えば、該タンパク質は、適切なポリマーもしくは疎水性材料（例えば、許容される油中の乳濁液として）、またはイオン交換樹脂とともに製剤化することができるほか、可溶性が低い誘導体（例えば可溶性が低い塩）として製剤化することができる。
【０３１２】
一方で、他の薬剤デリバリーシステムを利用することができる。リポソームおよび乳濁液は周知の輸送用溶媒であり、本発明のタンパク質またはペプチドの輸送に使用できる。ジメチルスルフォキシドなどの一部の有機溶媒も利用できるが、一般に毒性が高い。さらに本発明のタンパク質は、治療薬を含む固体ポリマーからなる半透性マトリックスなどの持続放出システムを用いて輸送可能である。
様々な持続放出材料の有効性が確認されており、当業者に周知である。持続放出カプセルは、その化学的性質に応じてタンパク質を数週間から最長１００日にわたって放出する。治療薬の化学的性質および生物学的安定性を考慮して、タンパク質の安定化を図る追加的な方策をとることができる。
【０３１３】
該タンパク質およびペプチドは、電荷を帯びた側鎖または末端を含むことがあるので、上述の任意の剤形中に遊離の酸または塩基として、または薬剤として許容される塩として含めることができる。薬学的に許容される塩とは、遊離塩基の生物学的活性を実質的に保持する塩であって、無機酸との反応で調製される塩を指す。薬理的な塩は対応する遊離塩基状態と比較して、水性およびプロトン性溶媒中への可溶性が大きい傾向がある。
【０３１４】
５．１０．２．  有効量
ＣＬＡＳＰ−２のポリペプチド、ＣＬＡＳＰ−２の断片および抗ＣＬＡＳＰ−２抗体は一般に、意図した目的を達成するための有効な量で使用される。免疫反応を阻害する用途については、本発明のタンパク質または製薬用組成物は、治療的有効量を投与または適用される。治療的有効量とは、投与対象患者の症状を改善もしくは予防するために、または、生存期間を延長するために有効な量を意味する。治療的有効量の決定は、特に本明細書で提供する詳細な開示に鑑み、当業者であれば問題なく実施することができる。
【０３１５】
全身投与では、治療的有効用量はインビトロアッセイ法を元に最初に推定することができる。例えば用量は、動物モデルにおいて細胞培養で検討されるＩＣ５０（すなわちＣＬＡＳＰ−２結合相互作用の５０％を阻害する被験化合物の濃度）を含む循環血中濃度範囲に達することで決定することができる。このような情報は、ヒトにおける有用な用量をより厳密に決定する際に用いることができる。
【０３１６】
初回投与量もまた、当技術分野で周知の方法により、例えば動物モデルのインビボデータを元に推定することができる。当業者であれば動物データを元にヒトへの投与を容易に最適化することができると思われる。
【０３１７】
投与量および投与間隔は、治療効果を十分維持するタンパク質の血漿濃度を得るために個別に調整することができる。注射による通常の患者投与量は概算で０．１〜５ ｍｇ／ｋｇ／日の範囲にあり、好ましくは概算で０．５〜１ ｍｇ／ｋｇ／日である。１日に複数回投与することで治療上有効な血清濃度が得られる。
【０３１８】
局所投与または選択的取り込みの場合、本発明のタンパク質の有効局所濃度は血漿濃度と関連しない。当業者であれば、過度の実験を行うことなく治療上有効な局所投与量を最適化することができると思われる。
【０３１９】
ＣＬＡＳＰ−２の投与量が、投与対象者、対象者の体重、苦痛の強度、投与様式、および処方する医師の判断によって変わることは言うまでもない。
【０３２０】
治療は、症状が検出される間に、またさらには検出されない場合であっても間歇的に繰り返すことができる。治療は単独または他の薬剤と組み合わせて行うことができる。自己免疫疾患の場合、ＣＬＡＳＰ−２またはその断片と組み合わせて使用可能な薬剤には、ステロイド系および非ステロイド系の免疫抑制薬などがあるが、これらに限定されることはない。
【０３２１】
５．１０．３．  毒性
好ましくは、本明細書に記載されたタンパク質の治療的有効用量は、大きな毒性を生じることなく治療上の有益性をもたらすと思われる。
【０３２２】
本明細書に記載されたタンパク質の毒性は、標準的な薬理学的方法により、細胞培養または実験動物を対象に決定することができる。このような方法には例えばＬＤ５０（集団の５０％が致死となる用量）やＬＤ１００（集団の１００％が致死となる用量）の決定がある。毒性作用と治療効果の間の用量比は治療係数と呼ばれる。細胞培養アッセイ法および動物研究から得られるデータは、ヒトにおける使用で毒性を生じない投与量範囲の決定に利用することができる。本発明に記載されたタンパク質の投与量は、毒性が極めて低いかまたは全くない用量に関する有効投与量を含む循環血中濃度の範囲内にあることが好ましい。投与量は用いる剤型ならびに投与経路に応じてこの範囲内で変動することがある。医師は、厳密な処方、投与経路および投与量を患者の状態を考慮した上で選択することができる（例えばＦｉｎｇｌら、１９７５、「治療に関する薬理学的基礎（Ｔｈｅ Ｐｈａｒｍａｃｏｌｏｇｉｃａｌ Ｂａｓｉｓ ｏｆ Ｔｈｅｒａｐｅｕｔｉｃｓ）」の第１章、第１頁を参照）。
【０３２３】
５．１１．  結合アッセイ法
ＣＬＡＳＰ−２のポリペプチドは、ＣＬＡＳＰ−２に結合する分子群、またはＣＬＡＳＰ−２が結合する分子群のスクリーニングに使用することができる。分子のＣＬＡＳＰ−２への結合は、ＣＬＡＳＰ−２または結合分子の活性を、活性化する（アゴニスト）、上昇させる、阻害する（アンタゴニスト）または低下させる場合がある。このような分子には例えば、抗体、オリゴヌクレオチド、タンパク質（例えば受容体）、または小分子などがある。好ましくは、これらの分子はＣＬＡＳＰ−２の天然リガンドに近く、例えばリガンドの断片、または天然物、リガンド、構造または機能上の類似物などがある（Ｃｏｌｉｇａｎら、「免疫学の現行のプロトコール（Ｃｕｒｒｅｎｔ Ｐｒｏｔｏｃｏｌｓ ｉｎ Ｉｍｍｕｎｏｌｏｇｙ）」１（２）：第５章（１９９１）を参照）。同様に、この分子はＣＬＡＳＰ−２が結合する天然の受容体、または少なくともＣＬＡＳＰ−２に対する結合能力がある受容体の断片（例えば活性部位）に密接に関連することがある。いずれの場合においても、同分子は既知の方法で合理的に設計することができる。
【０３２４】
好ましくは、これらの分子のスクリーニングは、ＣＬＡＳＰ−２を分泌型タンパク質として、または細胞膜上に発現する適切な細胞の産生にかかわる。好ましい細胞には哺乳類、酵母、ショウジョウバエの細胞、または大腸菌などがある。次にＣＬＡＳＰ−２を発現する細胞（またはポリペプチドを発現している細胞膜）は、好ましくは被験化合物が上記分子とおそらく接触することで、ＣＬＡＳＰ−２または上記分子のいずれかとの結合、活性の増大または阻害が観察される。
【０３２５】
このアッセイ法は、ＣＬＡＳＰ−２に対する候補化合物の結合を単純に試験することができる。この際、結合は標識で、または標識化競合物質との競合がかかわるアッセイ法で検出される。さらにこのアッセイ法は、候補化合物がＣＬＡＳＰ−２に対する結合によって最終的にシグナルを発生するか否かを試験することができる。
【０３２６】
一方で、このアッセイ法は、無細胞調製物、固相支持体に結合させたポリペプチド、ケミカルライブラリー、または天然産物の混合物を用いて実施することができる。このアッセイ法はまた単に候補化合物をＣＬＡＳＰ−２含有溶液と混合する段階、ＣＬＡＳＰ−２活性または結合を測定する段階、および、ＣＬＡＳＰ−２活性または結合を標準と比較する段階から構成される。好ましくは、ＥＬＩＳＡアッセイ法で、モノクローナル抗体またはポリクローナル抗体を用いて、試料（例えば生物試料）でＣＬＡＳＰ−２の濃度または活性を測定可能である。抗体は、直接または間接的にＣＬＡＳＰ−２に結合させることで、または基質に対してＣＬＡＳＰ−２と競合させることで、ＣＬＡＳＰ−２のレベルまたは活性を測定することができる。
【０３２７】
本発明の別の局面においては、ＣＬＡＳＰ−２のポリペプチドまたはその断片をツーハイブリッド法における「えさタンパク質」として使用することで（例えば米国特許第５，２８３，３１７号；Ｚｅｒｖｏｓら、１９９３、Ｃｅｌｌ ７２：２２３〜２３２；Ｍａｄｕｒａら、１９９３、Ｊ． Ｂｉｏｌ． Ｃｈｅｍ． ２６８：１２０４６〜１２０５４；Ｂａｒｔｅｌら、１９９３、Ｂｉｏｔｅｃｈｎｉｑｕｅｓ １４：９２０〜９２４；Ｉｗａｂｕｃｈｉら、１９９３、Ｏｎｃｏｇｅｎｅ ８：１６９３〜１６９６；およびＢｒｅｎｔによる国際公開公報第９４／１０３００号）、ＣＬＡＳＰ−２と結合または相互作用する他のタンパク質（「ＣＬＡＳＰ−２結合タンパク質」または「ＣＬＡＳＰ−２−ｂｐ」）を同定し、ＣＬＡＳＰ−２のポリペプチド活性を調節することができる。このようなＣＬＡＳＰ−２結合タンパク質はまた、ＣＬＡＳＰ−２のポリペプチド、例えば、ＣＬＡＳＰ−２経路の上流または下流にある因子群のシグナル伝播にかかわる可能性が高い。
【０３２８】
上述のアッセイ法はいずれも、診断または予後のマーカーとして利用できる。これらのアッセイ法を用いて発見される分子は、ＣＬＡＳＰ−２分子を活性化または阻害することで、疾患の治療に、または患者に特異的な結果をもたらすために使用することができる。さらに、これらのアッセイ法では、適切に操作された細胞または組織に由来するＣＬＡＳＰ−２の産生を阻害または促進する薬剤を見出すことができる。
【０３２９】
したがって本発明は、以下の段階からなるＣＬＡＳＰ−２ポリペプチド結合性化合物または薬剤を同定する方法を含む：（ａ）ＣＬＡＳＰ−２ポリペプチドに対して化合物が結合して複合体形成を可能とする条件下におけるＣＬＡＳＰ−２のポリペプチドと化合物または薬剤との接触、および（ｂ）結合が生じているか否かの決定。さらに本発明は、以下の段階からなるアゴニストまたはアンタゴニスト同定法を含む：（ａ）候補化合物とＣＬＡＳＰ−２とのインキュベート、（ｂ）生物学的活性のアッセイ法、および（ｂ）ＣＬＡＳＰ−２の生物学的活性が変化しているか否かの判定。
【０３３０】
アッセイ法を自動化するための複数の方法が近年開発されており、数万種類の化合物を短時間でスクリーニングすることが可能となっている（例えば、Ｆｏｄｏｒら、１９９１、Ｓｃｉｅｎｃｅ ２５１：７６７〜７７３および、複数の化合物による結合親和性の試験法について述べた化学的多様性ライブラリーに関する他の記述を参照）。
【０３３１】
５．１２．  ＣＬＡＳＰ−２のポリヌクレオチドおよびポリペプチドの他の用途
本明細書に記載されたポリヌクレオチド、ポリペプチド、ポリペプチド相同体、調節物質、および抗体は、以下の一つまたは複数の方法で使用することができる：ａ）薬剤スクリーニングアッセイ法、ｂ）特に疾患の同定、対立遺伝子スクリーニングおよび遺伝薬理学的試験；およびｃ）薬理ゲノム科学。本発明のＣＬＡＳＰ−２ポリペプチドは、本明細書に記載された一つまたは複数の活性を有するので、例えばＣＬＡＳＰ−２結合パートナーへの結合させることで天然のＣＬＡＳＰ−２ポリペプチドに対する結合を不可能にすることなどにより免疫細胞における免疫反応を調節する際に利用することができる。
【０３３２】
一つの態様においては、これらのＣＬＡＳＰ−２結合パートナーはチロシンキナーゼ（例えば、ｌｙｎ、ｌｃｋ、ｆｙｎ、ＺＡＰ−７０ｍ ＳｙＫ、およびＣＳＫ）とすることができる。別の態様においては、これらのＣＬＡＳＰ−２結合パートナーはチロシンホスファターゼ（ＥＺＲＩＮ、ＳＨＰ−１、ＳＨＰ−２、およびＰＴＰ３６）とすることができる。別の態様においては、これらのＣＬＡＳＰ−２標的分子群はアダプタータンパク質（例えば、ＮＣＫ、ＣＢＬ、ＳＨＣ、ＬＮＫ、ＳＬＰ−７６、ＨＳ１、ＳＩＴ、ＶＡＶ、ＧｒＢ２、およびＢＲＤＧ１）とすることができる。別の態様においては、これらのＣＬＡＳＰ−２結合パートナーはアンキュリン、スペクトリン、タリン、エズリン、トロポミオシン、ミオシン、プレクチン、シンデカン、パラレムミン（ｐａｒａｌｅｍｍｉｎ）、バンド３タンパク質、細胞骨格タンパク質４．１、およびＰＴＰ３６）などの細胞骨格結合性タンパク質とすることができる。さらに別の態様においては、ＣＬＡＳＰ−２結合パートナーは、インテグリンファミリーに属する分子群とすることができる。
【０３３３】
単離された本発明の核酸分子は、ＣＬＡＳＰ−２ポリペプチドを（例えば、宿主細胞または遺伝子治療における適用において組換え型発現ベクターを介して）発現させ、（例えば生物試料中の）ＣＬＡＳＰ−２ ｍＲＮＡ、または天然のＣＬＡＳＰ−２遺伝子変異もしくは組換えにより生じたＣＬＡＳＰ−２遺伝子変異を検出するために、および、後述するようにＣＬＡＳＰ−２活性を調節するために使用することができる。またＣＬＡＳＰ−２のポリペプチドは、ＣＬＡＳＰ−２ポリペプチド活性を調節する薬剤または化合物のスクリーニングに、ならびにＣＬＡＳＰ−２ポリペプチドの不十分な産生、または野生型ＣＬＡＳＰ−２と比較して低い活性の形のＣＬＡＳＰ−２ポリペプチドの産生を特徴とする障害の治療に使用できる。さらに、本発明の抗ＣＬＡＳＰ−２抗体を使用して、ＣＬＡＳＰ−２ポリペプチド、特に生物試料中に存在するＣＬＡＳＰ−２の断片を検出および単離し、ＣＬＡＳＰ−２ポリペプチドの活性を調節することができる。
【０３３４】
５．１３．  診断アッセイ法
本発明はさらに、生物試料に含まれるＣＬＡＳＰ−２またはその断片の存在を検出する方法を提供する。生物試料は通常リンパ球（例えば血液由来）を含む。この方法には、生物試料とＣＬＡＳＰ−２ポリペプチドまたはｍＲＮＡを検出して生物試料中のＣＬＡＳＰ−２の存在を検出する化合物または薬剤との接触が含まれる。
【０３３５】
ＣＬＡＳＰ−２ ｍＲＮＡ検出用の好ましい薬剤は、ＣＬＡＳＰ−２ ｍＲＮＡとハイブリッドを形成する能力を有する直接または間接に標識化された核酸プローブである。核酸プローブは例えば、配列番号：１に示す完全長ＣＬＡＳＰ−２ ｃＤＮＡ、またはその一部分である少なくとも１５、３０、５０、１００、２５０、または５００ヌクレオチド長で、厳密な条件下でＣＬＡＳＰ−２ ｍＲＮＡに対して特異的にハイブリッドを形成するのに十分なオリゴヌクレオチドとすることができる。
【０３３６】
ＣＬＡＳＰ−２ポリペプチド検出用の好ましい薬剤は、対ＣＬＡＳＰ−２ポリペプチド結合能力を有する直接または間接に標識化された抗体である。抗体はポリクローナルであってもよいし、より好ましくはモノクローナルとすることができる。完全な抗体またはその断片（例えば、ＦａｂまたはＦ（ａｂ）２）を使用することができる。プローブまたは抗体に関して「直接または間接に」という表現は、検出可能な物質をプローブまたは抗体にカップリング（すなわち物理的連結）させることでプローブまたは抗体を直接標識すること、ならびに直接標識される別の試薬との反応性を利用してプローブまたは抗体を間接標識することを意味する。間接標識の例には、蛍光標識した二次抗体による一次抗体の検出、およびビオチンによるＤＮＡプローブの末端標識などがある。後者の場合、ＤＮＡプローブは蛍光標識されたストレプトアビジンで検出することができる。本発明の検出法は、生物試料に含まれるＣＬＡＳＰ−２のｍＲＮＡまたはポリペプチドのインビトロならびにインビボにおける検出に使用することができる。例えばＣＬＡＳＰ−２ ｍＲＮＡのインビトロ検出法には、ノーザンハイブリダイゼーションおよびインサイチューハイブリダイゼーションなどがある。ＣＬＡＳＰ−２ポリペプチドのインビトロ検出法には、酵素結合免疫吸着アッセイ法（ＥＬＩＳＡ）、ウエスタンブロット、免疫沈降法、および免疫蛍光法などがある。一方、ＣＬＡＳＰ−２ポリペプチドは、標識された抗ＣＬＡＳＰ−２抗体を被験者に導入することでインビボで検出することができる。例えば、この抗体を放射性マーカーで標識することで、被験者の体内における存在および位置を標準的な画像法で検出することができる。特に有用な方法は、被験者で発現するＣＬＡＳＰ−２の対立遺伝子異型を検出する方法、および試料に含まれるＣＬＡＳＰ−２ポリペプチドの断片を検出する方法である。
【０３３７】
本発明はまた、生物試料に含まれるＣＬＡＳＰ−２の存在を検出するためのキットを対象とする。例えばこのキットは、生物試料におけるＣＬＡＳＰ−２のポリペプチドまたはｍＲＮＡの検出能力を有する直接または間接に標識された化合物または薬剤；試料に含まれるＣＬＡＳＰ−２の量を決定する方法；および、試料中のＣＬＡＳＰ−２量を標準と比較する方法からなる。化合物または薬剤は適切な容器に収めることができる。このキットにはさらに、キットを使用してＣＬＡＳＰ−２のｍＲＮＡまたはポリペプチドを検出するための説明書を含めることができる。
【０３３８】
本発明の方法はまた、ＣＬＡＳＰ−２遺伝子中の天然の遺伝的変異を検出して、変異遺伝子を有する被験者に、本明細書に記載された容易、異常な（ａｂｅｒｒａｎｔまたはａｂｎｏｒｍａｌ）ＣＬＡＳＰ−２核酸発現またはＣＬＡＳＰ−２ポリペプチド活性を特徴とする障害のリスクがあるか否かを決定するために使用されることがある。好ましい態様においては、この方法には、被験者由来の細胞の試料中にＣＬＡＳＰ−２ポリペプチドをコードする遺伝子の完全性、またはＣＬＡＳＰ−２遺伝子の異所性発現に影響する少なくとも一つの変化を特徴とする遺伝的変異の有無を検出することが含まれる。
【０３３９】
５．１４  ＣＬＡＳＰ−２の生物学的活性
本明細書の記載にあるように、ＣＬＡＳＰ−２はリンパ球その他の細胞で様々な細胞機能を媒介する。本明細書に記載されるように、様々なアッセイ法では、ＣＬＡＳＰ−２の活性（すなわち、生物学的活性、例えば、結合）を検出もしくは定量する、またはＣＬＡＳＰ−２の活性もしくは発現を調整する作用因子（本発明のポリヌクレオチド、ポリペプチド、および抗体を含む）の同定に有用である。このような作用因子は、異常なＣＬＡＳＰ−２の発現または活性に関連した疾患および状態の治療に有用である。さらに、当業者であれば、本明細書に示す指針に従って、下記のような通常用いる測定法により、ＣＬＡＳＰ−２が媒介する他の活性を同定することができる。
【０３４０】
ＣＬＡＳＰ−２の機能（もしくは、機能の調整）の測定法の例としては、インビトロもしくはインビボでの細胞の活性（例えば、下記のサイトカイン産生、カルシウム流入、チロシンリン酸化、初期活性化マーカーの制御、細胞代謝、増殖等）の変化を検出することによるインビトロもしくはインビボでの細胞応答（例えば、リンパ球の活性化、抗体産生、炎症等の免疫応答）の調整に関する測定法があげられる。ある態様においては、細胞はリンパ球である。
【０３４１】
例えば、ある測定法では、組換え体ＣＬＡＳＰ−２タンパク質、ペプチド、もしくはＣＬＡＳＰ−２の細胞外ドメインに対する抗体を、直接Ｔ細胞またはＢ細胞と混合することができる。次に、これらの細胞のサイトカイン産生を測定し、かつ免疫応答の調整の度合いを定量化する。または、抗原提示Ｂ細胞を、トランスフェクションしていないＴ細胞またはＣＬＡＳＰ−２のアイソフォームをトランスフェクションしたＴ細胞と混合する。サイトカイン産生（または５．１４．３節における、カルシウム流入またはその他の測定法）を適当な時間で測定し、免疫応答等に対するＣＬＡＳＰ−２の効果を調べる。同様の測定法において、ＣＬＡＳＰ−２の構築物でトランスフェクションしたＢ細胞が、免疫応答を惹起するようなＴ細胞の刺激を行う能力があるか否かを調べる。これらいずれの場合においても、トランスフェクションする構築物は、例えば、ＣＬＡＳＰ−２配列の全長もしくは一部をコードする、または内在性ＣＬＡＳＰ−２遺伝子の翻訳を阻害するアンチセンスの構築物であってもよい。ＣＬＡＳＰ−２アイソフォームもしくは抗体の存在または非存在下で免疫応答促進すること、およびその結果得られた免疫応答に対する効果を５．１４．３節のリストに示す方法により測定する際には、本明細書の記載するいずれの例をも用いることができる。
【０３４２】
５．１４．１  インビトロで免疫応答を惹起する方法
様々な測定においては、ある作用因子の免疫細胞に対する効果をインビトロ測定で検出する。免疫応答の程度は、下記のような複数の標準的な測定法で測定または定量することができる。
【０３４３】
ある測定法では、ヒトの末梢血単核球（ＰＢＭＣ）、ヒトＴ細胞クローン（例えば、ジャーカット Ｅ６、ＡＴＣＣ ＴＩＢ−１５２）、ＥＢＶでトランスフォームしたＢ細胞クローン（例えば、９Ｄ１０、ＡＴＣＣ ＣＲＬ−８７５２）、抗原特異的Ｔ細胞クローンまたは株を用いて、インビトロでの免疫応答を調べることができる。これらの細胞クローンもしくは細胞株の活性化、活性化の亢進、または活性化の阻害を利用して、潜在的なＣＬＡＳＰ療法を評価することができる。造血系の細胞を刺激し免疫応答に特徴的な活性化を起こす一般的な方法としては、例えば、以下のものがあげられる。
【０３４４】
Ａ）免疫応答の抗原特異的刺激。免疫前、または免疫を行っていないマウスの脾細胞を通常の方法で調製することができる。さらに、これまでに特徴付けが成されている抗原特異的Ｔ細胞クローンおよびハイブリドーマ（例えば、ＭＢＰ特異的）、ならびに多くのＢ細胞リンパ腫細胞株（例えば、ＣＨ２７）が、以下に記載の測定法に関して利用可能である。抗原特異的脾細胞またはＢ細胞を抗原の存在下で特異的Ｔ細胞と混合し、免疫応答を惹起させることができる。ＣＬＡＳＰ−２の存在下または非存在下でこれを行い、５．１４．２節のいずれかの測定法で測定した時にＣＬＡＳＰ−２が免疫応答を調整するか否かを調べることができる。
【０３４５】
Ｂ）Ｔ細胞の非特異的活性化。次のような方法を用いて、抗原の非存在下でＴ細胞を活性化することができる。：１）受容体を活性化する分子（例えば、ＴＣＲ、ＣＤ３、またはＣＤ２）に対する抗体を、共刺激分子に対する抗体（例えば、抗ＣＤ２８）とともに添加することによるＴ細胞受容体（ＴＣＲ）の架橋結合。：２）コンカナバリンＡ（ｃｏｎＡ）およびフィトヘムアグルチニン（ＰＨＡ）等のレクチンを利用した非特異的な方法での細胞表面の受容体の活性化。：３）プロテインキナーゼＣを活性化し（例えば、フォルボールエステル）、または細胞質Ｃａ２＋を増加させる（例えば、イオノマイシン）、薬理学的な作用因子を利用した細胞表面受容体を介する模倣活性化。
【０３４６】
Ｃ）Ｂ細胞の非特異的活性化：１）ＩｇＭ、ＣＤ２０、またはＣＤ２１等の細胞表面分子に対する抗体の使用。：２）リポ多糖（ＬＰＳ）、フォルボールエステル、カルシウムイオノフォアおよびイオノマイシンを用いて、受容体の始動をバイパスすることも可能である。
【０３４７】
Ｄ）混合リンパ球反応（ＭＬＲ）。ドナーのＰＢＭＣとレシピエントのＰＢＭＣを混合し、不適合な組織抗原を提示させることによりリンパ球を活性化する。これは、一卵性双生児を除いて如何なる場合にも起こる。
【０３４８】
Ｅ）特定の抗原を認識する特異的Ｔ細胞クローンまたは株の調製。通常の方法は、破傷風トキシンで最近追加免疫したドナーから破傷風トキシン特異的なＴ細胞を調製するものである。主要組織適合遺伝子複合体（ＭＨＣ）に適合した抗原提示細胞および破傷風トキシンの供給源を利用して、細胞株またはＴ細胞クローンの抗原特異性を維持する（Ｌａｎｚａｖｅｃｃｈｉａ， Ａ．ら、１９８３， Ｅｕｒ． Ｊ． Ｉｍｍｕｎ． １３： ７３３−７３８）。
【０３４９】
ＣＬＡＳＰ−２ポリペプチドまたはポリヌクレオチドの作用に関し予測される機構に従って適当な測定法を定義し、リンパ球活性化の潜在的な促進または阻害を調べるために利用する。例えば、ＣＬＡＳＰ細胞外ドメインを含む可溶性タンパク質は、Ｔ細胞と抗原提示細胞間の相互作用を阻害しうる。このような相互作用は、ＭＬＲにおいて、もしくは抗原特異的Ｔ細胞の活性化においては一定の役割を果たすが、非特異的Ｔ細胞またはＢ細胞の活性化においては機能しない。上記の測定法は、複数の可能な定量的検出法に対し利点を有する。
【０３５０】
５．１４．２  インビボでの免疫応答を惹起する方法
多様な測定法においては、インビボ測定法を利用して免疫細胞に対する作用因子の効果を検出する。免疫応答の程度は、以下に記載の方法を含む複数の標準的な方法によって測定もしくは定量することができる。
【０３５１】
（Ａ）移植拒絶の動物モデル：異所性心臓移植
ある態様においては、移植片対宿主拒絶の標準的な動物モデルは異所性心臓移植である（Ｆｕｌｍｅｒら、１９６３， Ａｍ． Ｊ． Ａｎａｔ． １１３： ２７３−２８１）。この方法は、耳の基底部の耳介動脈を覆う皮膚を切開して、両耳背部に外科的に作製したポケットに心臓組織を植え込むためにＢＡＬＢ／Ｃマウス（性別はいずれでもよく、１〜９ヶ月の月齢のもの）を利用することを含む。緩やかに湾曲したピンセットを切開部に差し入れ、皮膚と軟骨板の間を確実に切る。ドナーの組織を耳の遠位端部付近にあるポケットの基底部に慎重に入れる。ポケットの開口部をふさぐために耳介動脈を用いる。１０〜１４日以内に、移植片の拍動活性が観察されるはずである。移植片全体の外見、移植領域への液胞供給のパターンおよび拍動活性は、透過光を当てることによって容易に観察することができ、ならびに拍動活性は、移植後最初の３週間、透過光を利用して容易に観察することができる。数ヶ月に渡って追跡を行うことができる。
【０３５２】
（Ｂ）自己免疫疾患の動物モデル：コラーゲン誘導性関節炎（ＣＩＡ）の誘導
コラーゲン誘導性関節炎（ＣＩＡ）は進行と免疫を研究するための標準的なモデルである（Ｃｏｕｒｔｎｅｙら、１９８０， Ｎａｔｕｒｅ ２８３： ６６６及びＷｏｏｌｅｙら、１９８１， Ｊ． Ｅｘｐ． Ｍｅｄ． １５４： ６８８）。ＤＢＡ／ａマウスを利用して、インビトロで試験した潜在的な免疫療法におけるＣＬＡＳＰ−２のインビボでの妥当性を測定することができる。インビボ実験を行い、ＣＩＡを予防する潜在的な治療法の可能性を調べる。本発明者らは、１群当たり３〜５匹のマウスを用いて、統計的に結果を評価する。
【０３５３】
ＩＩ型コラーゲン（ＣＩＩ）の効力に関する力価が得られれば、治療法を試験しうる。ある態様においては、３匹のマウスを３種類の異なる濃度、１匹あたり５０、２００、および４００μｇのＣＩＩで免役する（Ｎａｂｏｚｎｙら、１９９６， Ｊ． Ｅｘｐ． Ｍｅｄ．， １８３： ２７−３７）。ＣＩＡを惹起するめに、上記のような適当な濃度のＣＩＩで動物を免役する。抗原：ＣＦＡの比が１：１であるのものの半量を尾の基部に投与して、残りをさらに半分に分け両後足のフットパッドにそれぞれ投与することができる。ＣＩＩでの免疫後１２週間で実験を終了するまでの期間、ＣＩＡの発症及び進行に関して毎日マウスを注意深くモニターする。移植する心臓片のサイズは約３ｘ３ｍｍでよい。関節炎の重症度は、次のような当業者に公知の通常の方法で評価することができる。
【０３５４】
５．１４．３  定量測定
（Ａ）チロシンリン酸化
ＨＳ１、ＰＬＣ−γ、ＺＡＰ−７６、およびＶａｖ等の初期応答タンパク質のチロシンリン酸化は、Ｔ細胞活性化に続いて起こる初期の生化学的事象である。チロシンリン酸化されたタンパク質は、リン酸化したチロシン残基に対する抗体を用いたウエスタンブロットで検出することができる。これら初期応答タンパク質のチロシンリン酸化を用いて、Ｔ細胞活性化の標準的な測定を行うことができる（Ｊ． Ｂｉｏｌ． Ｃｈｅｍ．， １９９７， ２７２（２３）： １４５６２−１４５７０）。ＣＬＡＳＰ−２の存在下で免疫応答が起こった場合の、これらまたは関連するタンパク質のリン酸化パターンの変化はいずれも、ＣＬＡＳＰ−２によるこの応答に関する調整を示唆するものである。
【０３５５】
（Ｂ）細胞内カルシウム流入
細胞内Ｃａ２＋の濃度に関する動力学を、予めカルシウム感受性の色素で前処置してある細胞を刺激した後、経時的に測定する。カルシウム指示薬としての色素、Ｆｌｕｏｒ−４（Ｍｏｌｅｃｕｌａｒ Ｐｒｏｂｅ）の結合によって、フローサイトメトリー、溶液蛍光分析法、および共焦点顕微鏡を利用したとき、この色素は蛍光強度の増加を示す。ＣＬＡＳＰ−２の存在下で免疫応答が起こった場合の、カルシウム流入の量とタイミングの変化はいずれも、ＣＬＡＳＰ−２によるこの応答に関する調整を示唆するものである。
【０３５６】
（Ｃ）初期活性化マーカーの制御
ＣＤ６９、ＩＬ−２Ｒ、ＭＨＣ クラスＩＩ、Ｂ７、およびＴＣＲ等の初期リンパ球活性化マーカーのレベルに関する発現／制御の増加と消失は、通常フローサイトメトリーを利用し蛍光標識した抗体で測定する。いずれの抗体も市販されている。ＣＬＡＳＰ−２の存在下で免疫応答が起こった場合の、リンパ球活性化マーカーの発現レベルにおける変化はいずれも、ＣＬＡＳＰ−２によるこの応答に関する調整を示唆するものである。
【０３５７】
（Ｄ）代謝活性／酸遊離の増加
既知の大部分のシグナル伝達経路における活性化は、酸の代謝を引き起こす。この再現性のある生物学的事象は、マイクロフィジオメーター（Ｍｏｌｅｃｕｌａｒ Ｄｅｖｉｃｅｓ）を利用し、酸遊離速度として測定され、潜在的な生物学的治療薬で細胞を処理したものを比較するときの、初期活性化マーカーとして利用することができる（ＭｃＣｏｎｎｅｌｌ， Ｈ． Ｍ．ら、１９９２， Ｓｃｉｅｎｃｅ ２５７：１９０６−１９１２、およびＭｃＣｏｎｎｅｌｌ， Ｈ． Ｍ．， １９９５， Ｐｒｏｃ． Ｎａｔｌ． Ａｃａｄ． Ｓｃｉ． ９２：２７５０−２７５４）。ＣＬＡＳＰ−２で処理した試料の酸遊離をコントロール試料（未処理）と比較し、統計学的に有意な増加または減少が得られた場合には、ＣＬＡＳＰ−２の生物学的な機能に対する効果を示唆するものである。
【０３５８】
（Ｅ）細胞増殖／細胞生存率の測定
（１）［３Ｈ］チミジンの取り込み
インビトロでリンパ球を抗原もしくはマイトゲンに暴露すると、ＤＮＡ合成と細胞増殖が誘起する。新規に合成されるＤＮＡへの［３Ｈ］チミジンの取り込みによる有糸分裂活性の測定は、定量的なＴ細胞活性化の測定に最も頻繁に用いられるものの一つである。細胞集団もしくはＴ細胞の活性化に用いる刺激の形態に依存して、［３Ｈ］チミジン添加後、インビトロで有糸分裂活性を２４〜７２時間以内に測定することができる（Ｍｉｓｈｅｌｌ， Ｂ． Ｂ． およびＳ． Ｍ． Ｓｈｉｉｇｉ， １９８０， 「細胞免疫学において選択された方法（Ｓｅｌｅｃｔｅｄ Ｍｅｔｈｏｄｓ ｉｎ Ｃｅｌｌｕｌａｒ Ｉｍｍｕｎｏｌｏｇｙ）」， Ｗ． Ｈ． Ｆｒｅｅｍａｎ ａｎｄ Ｃｏｍｐａｎｙ およびＤｕｔｔｏｎ， Ｒ． Ｗ． およびＰｅａｒｃｅ， Ｊ． Ｄ．， １９６２， Ｎａｔｕｒｅ １９４：９３）。ＣＬＡＳＰ−２で処理した試料のＣＰＭをコントロール試料（未処理）と比較し、統計学的に有意な増加または減少が得られた場合にはＣＬＡＳＰ−２の生物学的な機能に対する効果を示唆するものである。
【０３５９】
（２）ＭＳＴ［５−（３−カルボキシメトキシフェニル）−２−（４，５−ジメチルチアゾリル）−３−（４−スルフォフェニル）テトラゾリウム、内部塩］は、増殖もしくは細胞毒性における生細胞数の決定を行う比色法である（Ｂａｒｌｔｒｏｐ， Ｊ． Ａ．ら、１９９１． Ｂｉｏｏｒｇ． ＆ Ｍｅｄ． Ｃｈｅｍ． Ｌｅｔｔ． １：６１１）。リンパ球活性化後１〜５日で、ＭＴＳテトラゾリウム化合物、オーエン試薬を細胞により生物還元し、組織培養培地に可溶性の有色フォルマザン生成物に変える。マイクロプレートレーダーで４９０ｎｍでの色強度から６５０ｎｍでの色強度を減じた色強度を測定する。ＣＬＡＳＰ−２で処理した試料の色強度をコントロール試料（未処理）と比較し、統計学的に有意な増加または減少が得られた場合には、ＣＬＡＳＰ−２の生物学的な機能に対する効果を示唆するものである（Ｍｏｓｍａｎｎ， Ｔ．， １９８３， Ｊ． Ｉｍｍｕｎｏｌ． Ｍｅｔｈｏｄｓ ６５：５５およびＢａｒｌｔｒｏｐ， Ｊ． Ａ．ら、（１９９１））。
【０３６０】
（３）チミジン類縁体であるブロモデオキシウリジン（ＢｒｄＵ）は、ＤＮＡ合成中の細胞に容易に取り込まれる。ＢｒｄＵでパルス標識した細胞を、酵素と結合した抗ＢｒｄＵ抗体で標識する（Ｇｒａｔｚｎｅｒ， Ｈ． Ｇ．， １９８２， Ｓｃｉｅｎｃｅ ２１８：４７４−４７５）。比色性の可溶性物質を用い、ＢｒｄＵを取り込んだ増殖中の細胞を可視化する。硫酸で反応を止め、プレートリーダーを用い、４５０ｎｍでプレートを測定する。ＣＬＡＳＰ−２で処理した試料の色強度をコントロール試料（未処理）と比較し、統計学的に有意な増加または減少が得られた場合には、ＣＬＡＳＰ−２の生物学的な機能に対する効果を示唆するものである。
【０３６１】
（Ｆ）アネキシンＶによるアポトーシス
プログラム細胞死またはアポトーシスは、細胞死に至る異化作用のカスケードにおける初期事象である。細胞膜の統合性が失われると、蛍光標識したフォスファチジルセリンが結合する。染色した細胞を蛍光顕微鏡またはフローサイトメトリーで測定することができる（Ｖｅｒｍｅｓ， Ｉ．， １９９５， Ｊ． Ｉｍｍｕｎｏｌ． Ｍｅｔｈｏｄｓ． １８０：３９−５２）。ある態様においては、ＣＬＡＳＰ−２で処理した試料においてアポプトーシスを起こした細胞数をコントロール試料（未処理）と比較し、統計学的に有意な増加または減少が得られた場合には、ＣＬＡＳＰ−２の生物学的な機能に対する効果を示唆するものである。インサイチューでアポプトーシスを評価するために、組織試料の細胞死を評価する測定法をインビボの試験で用いることもできる。
【０３６２】
（Ｇ）サイトカイン産生の定量
細胞を刺激後１６〜４８時間してから回収した細胞上清を、サイトカイン産生について、測定または直接的な試験を実施するまでの期間、−８０℃で保存する。各試料について複数のサイトカインを測定することができる。ＩＬ−２、ＩＬ−３、ＩＦＮおよび他のサイトカインのＥＬＩＳＡ測定法による測定がマウス、ラットおよびヒトで利用可能である（Ｅｎｄｏｇｅｎ， Ｉｎｃ． およびＢｉｏＳｏｕｒｃｅ）。サイトカイン産生を、製造元が記載する標準的な２抗体サンドイッチＥＬＩＳＡ法のプロトコールで測定する。西洋ワサビペルオキシダーゼの存在を３，３’，５，５’−テトラメチルベンジジン（ＴＭＢ）基質で検出し、かつ反応は硫酸で停止させる。４５０ｎｍでの吸光度をマイクロプレートリーダーで測定する。ＣＬＡＳＰ−２で処理した試料の色強度をコントロール試料（未処理）と比較し、統計学的に有意な増加もしくは減少が得られた場合には、ＣＬＡＳＰ−２の生物学的な機能に対する効果を示唆するものである。
【０３６３】
（Ｈ）ＮＦ−ＡＴは免疫染色法で可視化できる
Ｔ細胞の活性化には、活性化Ｔ細胞の核内因子（ＮＦＡＴ）の核への移入が必要となる。ＮＦ−ＡＴの移入は抗ＮＦ−ＡＴ抗体を用いた免疫染色法で可視化できる（Ｃｅｌｌ １９９８，９３：８５１−８６１）。それゆえ、ＮＦ−ＡＴの核内移行はＴ細胞の活性化の測定に利用されてきたのである。同様に、ＮＦ−ＡＴ／ルシフェラーゼレポーターアッセイ法がＴ細胞の活性化の一般的な測定法として用いられてきた（ＭＣＢ １９９６， １２：７１５１−７１６０）。
【０３６４】
（Ｉ）ＩＩ型コラーゲン（ＣＩＩ）特異的抗体によるＥＬＩＳＡ測定法（上記の関連するインビボ測定法を参照のこと）
ＣＬＡＳＰ−２ で免疫した動物の血清におけるＣ（ＩＩ）の力価を測定および比較することができる。ＣＩＩ特異的抗体のアイソタイプである、ＴＨ１依存性のＩｇＧ２ならびにＴＨ２依存性のＩｇＧ１およびＩｇＥの双方は、ＥＬＩＳＡ測定法で測定する。マウスの血液は、ＣＩＩで免疫後、１〜２ヶ月後に眼窩から得る。試料を凝固させ遠心して、血清を得る。およびこれを、ＥＬＩＳＡ測定法で測定するまで−８０℃で保存する。ＥＬＩＳＡプレートをＣＩＩおよび希釈した血清でコーティングする。ＨＲＰ標識したヤギの、アイソタイプ特異的抗体。次にプレートをＴＭＢ基質と接触させ、マイクロプレートレーダーを用い４５０ｎｍで測定する（Ｎａｂｏｚｎｙら、１９９６， Ｊ． Ｅｘｐ． Ｍｅｄ． １８３：２７−３７）。ＣＬＡＳＰ−２の存在下で免疫応答を惹起させた場合、比色試験によるコラーゲン特異的抗体のレベルにおけるいずれの変化もこの応答のＣＬＡＳＰ−２による調整を示唆するものである。
【０３６５】
（Ｊ）ＥＬＩＳＰＯＴ測定法による抗体産生
アイソタイプ特異的抗体分泌性細胞の定量のための固相酵素結合イムノスポット（ＥＬＩＳＰＯＴ）測定法（Ｃｚｅｒｋｉｎｓｋｙら、１９８３， Ｊ． Ｉｍｍｕｎｏｌ． Ｍｅｔｈｏｄｓ． ６５：１０９−１２１）。ヒトおよびマウスのＢ細胞の双方について、アイソタイプおよび抗原特異的抗体産生の試験を行うことができる。この技術は標準的なＥＬＩＳＡ測定法に基づくものであるが、単一細胞からの抗体分泌の検出によってより高感度になっている。ＣＬＡＳＰ−２の存在下で免疫応答を惹起させた場合、ＥＬＩＳＰＯＴ法のレベルにおけるいずれの変化もこの応答のＣＬＡＳＰ−２による調整を示唆するものである。
【０３６６】
（Ｋ）ＩｇＥ架橋結合に伴う細胞の脱顆粒
２種類の細胞株（ＭＥＧ０１およびＨＥＬ−１７．９２）をＡＴＣＣ（Ａｍｅｒｉｃａｎ Ｔｙｐｅ Ｃｕｌｔｕｒｅ Ｃｏｌｌｅｃｔｉｏｎ， ＡＴＣＣ）から入手している。これらはいずれもヒトＦＣ Ｒ１受容体を発現している。ＦＣ Ｒ１受容体はＩｇＥ複合体に対し高親和性を示す受容体であり、ビオチンと結合させるとアビジンと架橋結合し、リンパ球の脱顆粒およびヒスタミンの遊離を惹起する。試料をアシル化した後に、酵素免疫競合測定法（Ｉｍｍｕｎｏｔｅｃｈ）でヒスタミンを定量する。ヒスタミン遊離。ＣＬＡＳＰ−２で処理した試料のヒスタミン濃度をコントロール試料（未処理）と比較し、統計学的に有意な増加または減少が得られた場合には、ＣＬＡＳＰ−２の生物学的な機能に対する効果を示唆するものである。ＣＬＡＳＰ−２の存在下で免疫応答を惹起させた場合、脱顆粒の頻度またはヒスタミンのレベルにおけるいずれの変化もこの応答のＣＬＡＳＰ−２による調整を示唆するものである。
【０３６７】
（Ｌ）フローサイトメトリーおよび免疫組織化学によるリンパ球の細胞の形質決定
病理学的障害後のリンパ球の組織分布を決定することによって、免疫応答に関与する特定の臓器、組織、およびリンパ球の同定を行うことができる。リンパ球移動の細胞形質決定は通常、フローサイトメトリーおよび免疫組織化学で実施する。形質、活性化の動態、および細胞の制御に関する事象の同定に通常利用するクラスター決定（ＣＤ）分子には複数のものが存在する。ＣＬＡＳＰ−２の存在下で免疫応答を惹起させた場合、ＣＤ分子のレベルおよび分布におけるいずれの変化もこの応答のＣＬＡＳＰ−２による調整を示唆するものである。
【０３６８】
（Ｍ）構造／機能測定：同型および／または異型性のカルシウム依存性細胞の接着
Ｌ９２９細胞をＣＬＡＳＰ−２とネオマイシンでトランスフェクトすることができる。ＣＬＡＳＰ−２発現に関して抗ＣＬＡＳＰペプチド特異抗体でＧ４１８耐性クローンをスクリーニングする。次に、これらＣＬＡＳＰ発現クローンを用い、カドヘリン分子について記載されている「細胞会合測定法」（Ｍｕｒｐｈｙ−Ｅｒｄｏｓｈ， Ｃ．ら、１９９５， Ｊ． Ｃｅｌｌ． Ｂｉｏｌ． １２９： １３７９−１３９０）を利用して、同型および／または異型性のカルシウム依存性細胞接着に関する試験を行う。ＣＬＡＳＰ−２の存在下で免疫応答を惹起させた場合、細胞会合のレベルにおけるいずれの変化もこの応答のＣＬＡＳＰ−２による調整を示唆するものである。
【０３６９】
本明細書に記載され、さらに下記の実施例に記載される以下のｃＤＮＡクローンは、ブダペスト条約のもとで、２０００年３月２４日付けでＡＴＣＣ（Ａｍｅｒｉｃａｎ Ｔｙｐｅ Ｃｅｌｌ Ｃｏｌｌｅｃｔｉｏｎ， ＡＴＣＣ）（１０８０１ Ｕｎｉｖｅｒｓｉｔｙ Ｂｏｕｌｅｖａｒｄ， Ｍａｎａｓｓａｓ， ＶＡ ２０１１０−２２０９）に寄託されており、そのアクセッション番号は、
ｈＣＬＡＳＰ−２Ａ ３’クローン（ＡＶＣ−ＰＤ１）  ＡＴＣＣアクセッション番号ＰＴＡ−１５６３
ｈＣＬＡＳＰ−２Ａ ５’クローン（ＡＶＣ−ＰＤ２）  ＡＴＣＣアクセッション番号ＰＴＡ−１５６２
ｈＣＬＡＳＰ−２Ｂ クローン（ＡＶＣ−ＰＤ１２）  ＡＴＣＣアクセッション番号
である。
【０３７０】
６．  実施例
実施例１
ＣＬＡＳＰ−２のクローニング
ＣＬＡＳＰ−２は次のようにしてクローン化した：ヒトジェンバンク（ＧｅｎＢａｎｋ）のヒト発現遺伝子配列断片（ＥＳＴ）データベースの相同性検索（ＢＬＡＳＴ）により、ＣＬＡＳＰ−１配列を用いて、発現遺伝子配列タグもしくは発現遺伝子配列断片（ＥＳＴ）クローン（ヒト前駆Ｂ細胞由来のイメージ（ＩＭＡＧＥ）クローン８１５７９５）を同定した。イメージ（ＩＭＡＧＥ）クローン８１５７９５の配列決定は全長について実施した。８１５７９５配列から調製したポリヌクレオチドプローブを［３２Ｐ］−ｄＣＴＰで標識し、これを用いてジャーカット細胞（Ｓｔｒａｔａｇｅｎｅ） およびラモスＢ細胞のｃＤＮＡライブラリー（Ｊａｍｅｓ Ｂｏｕｌｔｅｒ， ＵＣＬＡ）を含むヒトのｃＤＮＡライブラリーをスクリーニングした。用いたスクリーニング法は、マニアティスら（Ｍａｎｉａｔｉｓら、１９８９， Ｍｏｌｅｃｕｌａｒ Ｃｌｏｎｉｎｇ Ａ Ｌａｂｏｒａｔｏｒｙ Ｍａｎｕａｌ， Ｃｏｌｄ Ｓｐｒｉｎｇ Ｈａｒｂｏｒ Ｌａｂｏｒａｔｏｒｙ， Ｎｅｗ Ｙｏｒｋ）が記載している方法であった。複数のクローンを同定し、３，７５２塩基対のインサートを有するクローンＣ９の配列を決定した（ＡＢＩ ｄｙｅ−ｓｅｑｕｅｎｃｉｎｇ ｓｙｓｔｅｍ， ＰＥ Ａｐｐｌｉｅｄ Ｂｉｏｓｙｓｔｅｍｓ， Ｐｅｒｋｉｎ−Ｅｌｍｅｒ Ｃｏｒｐｏｒａｔｉｏｎ， ７６１ Ｍａｉｎ Ａｖｅｎｕｅ， Ｎｏｒｗａｌｋ， ＣＴ， Ｕ．Ｓ．Ａ）。Ｃ９の配列からヌクレオチド１２１８〜１６１４に相当する５’プローブを調製し、ｃＤＮＡライブラリーの再スクリーニングに用いた。複数のクローンを単離したが、インサートを欠失せずにファージ（Ｓｔｒａｔａｇｅｎｅ， ＣＡ）から切り出すことができなかった。この問題を克服するために、Ｍ１３ＦプライマーとＣＬＡＳＰ−２プライマー（Ｃ９６ＡＳ； ヌクレオチド１４４１〜１４６０）を用いたアンカーＰＣＲを実施した。ｐＧＥＭ−Ｔシステム（Ｐｒｏｍｅｇａ）を用いてＰＣＲ断片をクローン化した。この配列はＣＬＡＳＰ−２翻訳領域の５’末端を含み、さらに３９９ｂｐの５’末端非翻訳領域を含むものであった。予備的なＣＬＡＳＰ−２の塩基配列を図１０に示す。ＣＬＡＳＰ−２のｃＤＮＡの配列は図１に示す。
【０３７１】
実施例２
ＣＬＡＳＰ−２の組織および細胞株での発現
複数組織のノーザンブロット法をクローンテック（Ｃｌｏｎｔｅｃｈ）から購入した。ハイブリダイゼーション法の方法は製造元の推奨する方法に従った。ヒトＴ細胞株（ジャーカット細胞）、ヒト骨髄性単核球細胞（ＭＶ４−１１）、Ｂ細胞（９Ｄ１０）、単球（ＴＨＰ−１）、マウスＴ細胞（３Ａ９）、マウスＢ細胞（ＣＨ２７）、ヒト前骨髄球（ＨＬ６０）およびヒト腎上皮細胞（２９３細胞株）は、培養細胞株として維持した。複数細胞のノーザン分析のために、ギブコビーアールエル（ＧＩＢＣＯ−ＢＲＬ）のトリアゾールシステムを用いて細胞懸濁液からＲＮＡを調製した。製造元の推奨する方法に従って、各工程を実施した。ＲＮＡ溶液の２６０ｎｍ／２８０ｎｍにおける吸光度をもとにＲＮＡの濃度を決定した。２０μｇのＲＮＡをエタノール沈殿し、フォルムアミド／フォルムアルデヒド緩衝液に懸濁し、とりうる二次構造を排除するために６５℃で１５分間インキュベートした。１．５％のフォルムアルデヒドを含む１．１％のアガロースゲルでＲＮＡ試料を一晩泳動（ゲルおよび泳動用の緩衝液は、いずれも２０ｍＭリン酸ナトリウム、ｐＨ７．５）した。ゲルの泳動後にＲＮＡを可視化するため、泳動前に約０．５μｇの臭化エチジウムをＲＮＡローディング緩衝液とともに各試料に添加した。次に、２６０ｎｍの波長の光でゲル中のＲＮＡを可視化した。脱イオン水中に１５分間ゲルを浸して、ゲル中の臭化エチジウムの濃度を減少させた後、２０ＸＳＳＣ緩衝液中、キャピラリーブロット法でＲＮＡをアマシャムハイボンドＮプラスメンブレンに５時間転写した。ブロッティングに続いて、メンブレンを５ＸＳＳＣで３時間洗い、ＲＮＡをＵＶ 光（Ｓｔｒａｔａｇｅｎｅ Ｓｔｒａｔａｌｉｎｋｅｒ）で膜に固定した。
【０３７２】
ＣＬＡＳＰ−２のアイソフォームＡ、Ｂ、ＣおよびＤを認識するプローブ（プローブＨＣ２．２）を用いた。プローブＨＣ２．２はＣＬＡＳＰ−２Ａ翻訳領域のヌクレオチド３９２０〜４６５０（７３１ｂｐの長さ）を含む。通常のラベリングキットを用いて、プローブＨＣ２．２を調製し、パスツールピペット製のＧ５０セファデックスカラムを用いてＴＥＮ（１０ｍＭ Ｔｒｉｓ−ＨＣｌ、ｐＨ８．０、１ｍＭ ＥＤＴＡ、および１００ｍＭ ＮａＣｌ）中で脱塩を行った。
【０３７３】
ＲＮＡ（複数組織および複数細胞）の結合した膜に対する［３２Ｐ］−ｄＣＴＰ標識ＤＮＡプローブによるハイブリダイゼーション法は、クロンテックエクスプレスハイブ（ＣＬＯＮＴＥＣＨ ＥＸＰＲＲＥＳＳＨＹＢ）溶液中で、６８℃、１〜２時間行った。ブロットは２ＸＳＳＣ／０．１％ＳＤＳ中で、２回１０分間それぞれ５０℃で洗い、次に０．２ＸＳＳＣ／０．１％ＳＤＳ中で２回１０分間それぞれ５０℃で洗った後、２ｘＳＳＣ中で５０℃で洗う。コダックバイオマックス（ＢＩＯＭＡＸ）ＭＳフィルムへの露光は、増感紙を用いて−８０℃で行った。通常の露光時間は、１０〜３６時間であった。
【０３７４】
実施例３
ＣＬＡＳＰ−２のサザン分析
ＢＡＣ ＤＮＡは、キアゲンＤＮＡ調製システムを用いて一晩培養した大腸菌から調製した。調製は、低コピー数ＤＮＡ構築物に対する改変を含むが、すべて製造元の方法に従って行った。ゲノムＤＮＡは、サムブロック、フリッチおよびマニアティス（Ｓａｍｂｒｏｏｋ、Ｆｉｔｓｃｈ およびＭａｎｉａｔｉｓ）（１９８９）が記載した方法で ヒーラー（ＨｅＬａ）細胞（ＡＴＣＣ番号 ＣＣＬ−１７）から調製した。ＤＮＡ濃度はＤＮＡ 溶液の２６０ｎｍでの吸光度で決定した。 また、２０マイクログラム（μｇ）に相当するのゲノムＤＮＡまたは２μｇのＢＡＣ ＤＮＡを用い、ＥｃｏＲＩ またはＨｉｎｄ ＩＩＩ （ゲノムＤＮＡ）もしくはＥｃｏＲＩおよび Ｐｓｔ Ｉ （ＢＡＣ ＤＮＡ）で制限酵素処理による切断をした。切断は１５０マイクロリットルの容量において３７℃で４時間行った。切断したＤＮＡをエタノールで沈殿させ、ペレットを２０マイクロリットルの脱イオン水に再懸濁した後に、１．２％ アガロースゲル中、３５ボルトで一晩泳動を行った。泳動用緩衝液はＴＡＥであり、かつゲルは１ｍｌ当たり０．１μｇの臭化エチジウムを含み、ＤＮＡの可視化を行った。
【０３７５】
ゲルによる分離後に、ＤＮＡを２６０ｎｍの波長の光で可視化させた。次に、ゲルを変性緩衝液（０．５Ｍ  ＮａＣｌ、０．４Ｎ ＮａＯＨ）で２０分間２回洗い、中和緩衝液（１．５ Ｍ ＮａＣＩ、 ０．５ Ｍ トリス ｐＨ ８．０）で２回洗った。２０ｘＳＳＣ中でＤＮＡをゲルからアマシャムハイボンドＮメンブレンにキャピラリーブロット法で５時間転写した。ストラタジーン（Ｓｔｒａｔａｇｅｎｅ）のストラタリンカー（Ｓｔｒａｔａｌｉｎｋｅｒ）を用いて、ＤＮＡをＵＶ 光でメンブレンに固定した。
【０３７６】
ＣＬＡＳＰ−２を認識するプローブＨＣ２．１を用いた。プローブＨＣ２．１は、ＣＬＡＳＰ−２Ａの３２５〜１１２６ヌクレオチド（８０２ ｂｐ の長さ）を含む。通常のラベリングキットを用いて、プローブＨＣ２．１を調製し、パスツールピペット製のＧ５０セファデックスカラムを用いてＴＥＮ（１０ｍＭ トリスＨＣｌ、ｐＨ８．０、１ｍＭ ＥＤＴＡ、および１００ｍＭ ＮａＣｌ）中で脱塩を行った。ＤＮＡを固定化した膜に対する［３２Ｐ］−ｄＣＴＰ標識したＤＮＡによるハイブリダイゼーション法は、改変 チャーチ（ＣＨＵＲＣＨ）ハイブリダイゼーション溶液 （７％ ＳＤＳ、０．５ Ｍ リン酸ナトリウム、１ｍＭ ＥＤＴＡ）中で一晩６５℃で実施した。次に、−８０℃でメンブレンをコダックバイオマックス（ＢＩＯＭＡＸ）ＭＳフィルムに露光した。通常の露光時間は、ゲノムＤＮＡサザン分析では１２時間であり、ＢＡＣ ＤＮＡサザン分析では３時間であった。
【０３７７】
ゲノムＤＮＡのサザン分析によって、ＥｃｏＲＩで切断したＤＮＡでは２つの断片（約４．５ ｋｂ以下、および １．８５ ｋｂ）が見いだされたが、ＢＡＣの第４および第６ＤＮＡでは３つの断片が見いだされた。主要な２つのバンドは、ゲノムおよびＢＡＣ ＤＮＡの双方で同一のものであった（図 ７）。
【０３７８】
実施例４
ＣＬＡＳＰ−２のゲノム・クローニング
ヒト ＣＬＡＳＰ−２のゲノムクローンはゲノムシステム社のリリースＩ 高密度フィルター（カタログ番号 ＦＢＡＣ−４４３４）を用いて得た。２回のスクリーニングで終了した。第１回目のスクリーニングは、ヒト ＣＬＡＳＰ−２ ｃＤＮＡのヌクレオチド３８３０〜４５５８に相当するプローブを用いて、ゲノムシステムによる標準的なプロトコールで実施した。このスクリーニングによって、２つのゲノムクローンを同定し、これらをＡＶＣ ＢＡＣ４および ＡＶＣ ＢＡＣ７と命名した。ヒト ＣＬＡＳＰ−２ ｃＤＮＡ のヌクレオチド１２０８〜１６０４に対応するプローブを用いた第２回目のスクリーニングでは、クローン ＡＶＣ ＢＡＣ２６を同定した。これらが確かに ＣＬＡＳＰ−２ ゲノムクローンであることを確証するために、全クローンの部分配列を調べ、エキソン配列を確認し、エキソンとイントロンの境界を同定した。ＢＡＣのシークエンシングに用いたオリゴヌクレオチドは、ヒト ＣＬＡＳＰ−２ ｃＤＮＡ配列に基づくものであった。センスおよびアンチセンスのシークエンシング用オリゴヌクレオチドは、対応するゲノム領域をカバーするように高密度にほぼ２００ヌクレオチド毎の間隔でヒト ＣＬＡＳＰ−２ ｃＤＮＡの鎖長に沿って設計した。プライマーとＢＡＣ ＤＮＡを用いたシークエンシング反応は、ビッグダイターミネーションシークエンシングミックス（Ｂｉｇ Ｄｙｅ ｔｅｒｍｉｎａｔｉｏｎ ｓｅｑｕｅｎｃｉｎｇ ｍｉｘ）（ＡＢＩ）を用いて標準的なＰＣＲシークエンシング法で行った。シークエンス反応の結果は、シークエンチャーＳｅｑｕｅｎｃｈｅｒ ソフトウェア （Ｇｅｎｅｃｏｄｅｓ）で解析した。この結果を図６に示す。
【０３７９】
実施例５
バクテリア細胞における組換え体ＣＬＡＳＰ−２Ａポリペプチドの発現
ｈＣＬＡＳＰ−２ の一部をＧＳＴ発現ベクターｐＧＥＸ（ファルマシア）にクローニングした。これらは２００アミノ酸からなる予測される細胞外ドメイン（ヌクレオチド８６６〜１４５９； ＧＳＴ−ＥＣ１２； ５５ｋＤ 融合物）および細胞内ドメインの一部（ヌクレオチド３２３０〜４０６５； ＧＳＴ−ｃｙｔｏ； ５７ｋＤ 融合物）の潜在的なカドヘリン・プロセシング部位を含む領域を含む。ｃＤＮＡクローンまたはジャーカットもしくはヒトの末梢血の ＲＮＡに由来するｃＤＮＡのいずれかのこれらの配列に特異的なプライマーを用いて、これらの領域を増幅した。ＧＳＴ 発現ベクターへのクローニング・フレームに合わせて、増幅したＤＮＡ配列を制限酵素で消化した。ＤＨ５α中で融合タンパク質をＩＰＴＧで誘導し発現させ、グルタチオン・セファロース（ファルマシア）を用いファルマシアの説明書に従って精製した。ＳＤＳ−ＰＡＧＥ ゲルをクーマシーブルーで染色し、図８に示すＧＳＴ−ＣＬＡＳＰ−２−ｃｙｔｏ構築物の誘導および非誘導発現を調べた。これら組換え体タンパク質をＤＨ５αで発現させ、グルタチオン・セファロースを用いファルマシアの説明書に従って精製した。このような組換えタンパク質を用い、ＡＶＣ 急速免疫プロトコールを利用して抗体（Ｊｏｓｍａｎ ｌａｂｏｒａｔｏｒｉｅｓ）を作製した。
【０３８０】
完全長の ＣＬＡＳＰ では、ｈＣＬＡＳＰ−２ 配列（ヌクレオチド２にフレームの合った）の最初から、または第１もしくは第２のメチオニン（ヌクレオチド２７８またはヌクレオチド４７６；図１で下線付けしてある）のいずれかから停止コドン（ヌクレオチド４０５８）までを容易に発現させることができる。ＧＳＴ部分が２６ｋＤの分子量であるとして、予測される合計サイズはそれぞれ１８０ ｋＤ、１６８ ｋＤ、および１６４．５ ｋＤである。または、６ＣＬＡＳＰ ＨＩＳタグカルモジュリン結合タンパク質、マルトース結合タンパク質等の他のバクテリア発現系を同様に用いることができる。
【０３８１】
実施例６
哺乳動物細胞における組換え体 ＣＬＡＳＰ−２Ａ ポリペプチドの発現
実施例６Ａ 選択的融合
予測される細胞外ドメインの複数部分を、ＣＤ５γ−１ 発現ベクター（ハーバード大学Ｂ． Ｓｅｅｄ氏より提供された）を利用し、ｈＩｇＧ融合物として構築した。融合タンパク質を分泌経路にのせられようにＣＤ５リーダー配列とフレームを合わせ、またＣ末端 ｈＩｇＧ（Ｆｃ） タンパク質とフレームを合わせて、ポリペプチドをこのベクターにクローン化した。この融合物は、２９３（Ｈｓｉｅｈ， Ｊ−Ｃ．． １９９９， Ｎａｔｕｒｅ ３９８： ４３１−４３６）等の細胞株で分泌させることができる。このベクターへの挿入を目的として、ヌクレオチド８６６から始まるｈＣＬＡＳＰ−２ 配列を含むセンスプライマーおよびヌクレオチド１４５９（ＥＣ１２−ＩｇＧ）、ヌクレオチド２３８９（ＥＣＣ−ＩｇＧ）およびヌクレオチド２８５７（ＥＣＭ−ＩｇＧ）のアンチセンスプライマーを用いて、細胞外ドメインの一部を増幅した。組換え体ベクターは、マキシプレップ（Ｍａｘｉｐｒｅｐ）（キアゲン）で精製し、２９３ ＥＢＮＡ−Ｔ細胞（ハーバード大学Ｂ． Ｓｅｅｄ氏より提供された）に、リン酸カルシウム法 （Ｓａｍｂｒｏｏｋ および Ｍａｎｉａｔｉｓ）でトランスフェクションした。２〜７日後に、ヤギ Ｆ（ａｂ’）２抗ヒト ＩｇＧ（Ｆｃ）抗体（Ｊａｃｋｓｏｎ Ｉｍｍｕｎｏｌａｂｓ）およびＨＲＰを結合したタンパク質Ａ（Ｐｉｅｒｃｅ）を用いた ｈＩｇＧ 融合物に対するＥＬＩＳＡ測定法で、分泌発現を 分析した。細胞内発現は、ＦＩＴＣ標識したヤギ抗ヒトＩｇＧ（Ｆｃ）抗体（Ｃａｌｔａｇ）を用いた免疫蛍光顕微鏡法でモニターした。
【０３８２】
実施例６Ｂ 細胞内融合物
同様の方法を用いて、完全長の ｈＣＬＡＳＰ−２ アイソフォームおよび欠失を含むＣ末端型のものをジャーカット等の他の細胞系で発現させるための融合物を構築した。組換え体 ｈＣＬＡＳＰ−２ 断片は、ｃＤＮＡ クローンの消化によって単離するか、または特異的領域（幾つかの特異的領域を与える）を挟むプライマーで増幅した。これらをｐＢＪ１−ｎｅｏ （スタンフォード大学、Ｍａｒｋ Ｄａｖｉｓ）、Ｐｅａｋｌ２ （ハーバード大学、Ｂ． Ｓｅｅｄ）、および ｐＤｓＲｅｄｌ−Ｎｌ （クローンテック）等の発現ベクターにクローニングすることができる。ｐＢＪ１−ｎｅｏ および Ｐｅａｋ１２ では、組換えタンパク質のタグを付けない発現が可能であり、ｐＤｓＲｅｄｌ−Ｎｌ では、タグを付けないもしくはＣ末端赤色蛍光タンパク質のタグを付けた発現のいずれかが可能となる。これらを用いて、タンパク質を精製させる、または機能的な解析のための多様な形態の発現を行うことができる。
【０３８３】
実施例７
ＣＬＡＳＰ−２発現のアンチセンスによる阻害
実施例７Ａ インビトロＣＬＡＳＰ−２発現の阻害
本実施例では、インビトロの無細胞発現系を用いてＣＬＡＳＰ−２発現の阻害を調べる。有用なアンチセンスオリゴヌクレオチドを同定する目的で、ＣＬＡＳＰ−２ 配列の一部を含む一連のアンチセンスフォスフォロチオエート・オリゴヌクレオチド（ＰＳ−ＯＤＮｓ）を、系統的にアッセイして、インビトロでＣＬＡＳＰ−２ 発現をブロックする能力があるか否かを調べることができる。
【０３８４】
ＣＬＡＳＰ−２発現のインビトロ阻害を行うために、センスＣＬＡＳＰ−２  ＲＮＡのインビトロ転写および翻訳を行う標準的な方法に従って、ＣＬＡＳＰ−２ 転写／発現プラスミドを利用することができる。転写・翻訳の共役反応を標準的な条件下で網状赤血球のライセートシステム（Ｐｒｏｍｅｇａ ＴＮＴＴＭ）を用いて行うことができる。それぞれの転写／翻訳の共役反応は、発現プラスミドから転写されたＣＬＡＳＰ−２ ＲＮＡ、および標準的な試験濃度の被検アンチセンスポリヌクレオチド、さらに各反応を規格化するための転写／翻訳の内在性コントロールとしてのルシフェラーゼ（例えば、上記のＳａｍｂｒｏｏｋら；上記のＡｕｓｕｂｅｌらを参照のこと）を含むことができる。翻訳反応は、別の反応でインビトロ合成し、その後、翻訳反応に添加するセンスＣＬＡＳＰ−２ ＲＮＡを用いて行うこともできる。翻訳産物の標識のために、この反応は［３５Ｓ］−Ｍｅｔを含む。陰性 コントロールは、ＰＳ−ＯＤＮを添加せずに、またはセンス ＰＳ−ＯＤＮを添加せずに行う。
【０３８５】
標識した翻訳産物は、ゲル電気泳動で分離し、蛍光体イメージスクリーンにゲルを露光した後定量することができる。ＣＬＡＳＰ−２ 特異的 ＰＳ−ＯＤＮの存在下で発現したＣＬＡＳＰ−２ タンパク質の量を、同時発現させたルシフェラーゼのコントロールに対して規格化することができる。
【０３８６】
実施例７Ｂ エクスビボでの ＣＬＡＳＰ−２発現の阻害
Ａ．試薬
細胞： ジャーカット、クローンＥ６−１ ＡＴＣＣ ＴＩＢ−１５２； ９Ｄ１０、ＡＴＣＣ ＣＲＬ８７５２； その他の細胞は、ＡＴＣＣもしくはＮＣＩから得る。
【０３８７】
培地と溶液： ＲＰＭＩ １６４０ 培地、バイオホワイタッカー（ＢｉｏＷｈｉｔａｋｅｒ）； ＤＭＥＭ／Ｍ１９９培地、バイオホワイタッカー（ＢｉｏＷｈｉｔａｋｅｒ）； ＥＭＥＭ，バイオホワイタッカー（ＢｉｏＷｈｉｔａｋｅｒ）；ウシ胎仔血清、サミット（Ｓｕｍｍｉｔ）（−２０℃で冷凍保存、保存物は、４℃で解凍）；トリプシン−ＥＤＴＡ、ＧＩＢＣＯ （カタログ番号：２５３００−０５４）（−２０℃で冷凍保存、保存物は、４℃で解凍；  Ｉｓｏｔｏｎ ＩＩ （室温保存）； ＤＭＳＯ （室温保存）；オリゴヌクレオチド （表 １および 図３を参照、−２０℃で溶液状態で保存）； ＰＢＳ（Ｃａ２＋／Ｍｇ２＋ を含まない）； ＴＥ；１０ ｍＭトリスＨＣｌ、ｐＨ ８．０；  １ ｍＭ ＥＤＴＡ。
【０３８８】
オリゴヌクレオチドのストックの調製：オリゴヌクレオチド（ＰＳ−ＯＤＮｓ）  は、適当量のＴＥに溶解して、濃縮ストック溶液（１〜２０ ｍＭ）とすることができる。
【０３８９】
Ｂ．アンチセンスＣＬＡＳＰ−２ オリゴヌクレオチドによる細胞のエクスビボでの処理  増殖相の細胞の培養ストック（Ｔ７５フラスコ中）を用いることができる。この測定にはジャーカット、および９Ｄ１０ 細胞を用いる。ジャーカット および ９Ｄ１０を懸濁培養し、培地で希釈する。細胞密度は、コールターカウンターもしくは血球計算板を用いて測定する。
【０３９０】
６ウェル・シャーレに、ウェル当たり総数１．１ ｘ １０５の細胞を２ ｍｌ／ウェルで添加する。１２ウェル、１００ｍｍもしくは１５０ｍｍのシャーレの場合には、細胞の量を比例計算で増加もしくは減少させることができる。例えば、１２ウェル・シャーレでは、２ｍｌ 培地に４．６ ｘ １０４ 細胞を用いる。１００ｍｍシャーレでは、１０ｍｌの培地で６ ｘ １０５ 細胞を用いる。１５０ｍｍシャーレでは、３５ｍｌの培地で１．７ ｘ １０６ 細胞を用いる。
【０３９１】
適当数の細胞（上記の工程２の記載を参照）を集め、遠心して様々な濃度のＯＤＮ含む培地に再懸濁する。細胞を単一、２つ、もしくは３つのウェルで処理する。コントロールウェルはＴＥもしくは培地で希釈したセンス ＯＤＮで処理する。
【０３９２】
懸濁培養物を洗し、ＰＳ−ＯＤＮ 培地で毎日再懸濁する。
【０３９３】
懸濁培養物を２〜４日増殖させる。細胞をＰＢＳで洗し、密度をコールターカウンターもしくは血球計算板を用いて測定する。必要に応じて、ウェル当たり１．１ ｘ １０５ 細胞で、ウェル当たり ２ ｍｌ 培地で細胞をプレートに蒔き、かつ上記のＰＳ−ＯＤＮ で培養する。
【０３９４】
ＣＬＡＳＰ−２ アンチセンス ＯＤＮの効果を決定する分析のために細胞試料を回収することもできる。試料を回収し、ＣＬＡＳＰ−２ ｍＲＮＡの存在を調べるためにＲＮＡをノーザン分析もしくはＲＴ−ＰＣＲのいずれかで分析する。ＣＬＡＳＰ−２ のアンチセンス ＯＤＮ  の機能性は、ジャーカットおよび９Ｄ１０ 細胞の活性化能を測定することによって分析できる。抗ＣＤ３および抗ＣＤ２８架橋抗体に接触させることによって、ジャーカット細胞を活性化し、また抗ＩｇＭ 架橋抗体もしくはＰ．エルギノーザ（Ｐ． ａｅｒｕｇｉｎｏｓａ）のリポ多糖に接触させて、９Ｄ１０細胞を活性化する。活性化の目安であるカルシウム流入はフローサイトメトリーで測定することができる。さらに、 ＥＬＩＳＡ 測定法を用いて、ジャーカット細胞からのインターロイキン−２の産生を測定することができ、ＩｇＭ分泌は９Ｄ１０から標準的な測定法を用いて測定することができる。
【０３９５】
下記の表４には、例示としてこの測定法のオリゴヌクレオチドを示す：
【０３９６】
【表４】
2004535751.tif 000009
表４の説明：ヌクレオチドの番号付けはいずれも、ヒト ＣＬＡＳＰ−２Ａ （ＨＣ２Ａ）を基準として行った。 図２Ａを参照。
【０３９７】
実施例８
実施例８Ａ ＰＤＺリガンドペプチドのＣ末端合成
標準的な方法でＧＳＴ−ＰＤＺ 融合タンパク質を作製する。例としては、 ＧＳＴ−ＰＤＺ 融合タンパク質を次のように構築した。ヒト ｎｅＤＬＧ 遺伝子（Ｇｅｎｂａｎｋアクセッション番号：Ｕ４９０８９．１）の２つのＰＤＺドメインをコードする５７２ｂｐ の断片を、標準的なプロトコールに従い （Ｓａｍｂｒｏｏｋ， Ｆｒｉｔｓｃｈ， ａｎｄ Ｍａｎｉａｔｉｓ， １９８９， Ｍｏｌｅｃｕｌａｒ Ｃｌｏｎｉｎｇ  − Ａ Ｌａｂｏｒａｔｏｒｙ Ｍａｎｕａｌ． Ｃｏｌｄ Ｓｐｒｉｎｇ Ｈａｒｂｏｒ Ｐｒｅｓｓ．）、ジャーカット由来のトータル ＲＮＡ からクローニング用の制限酵素部位を挟むプライマーを利用して ＲＴ−ＰＣＲで増幅した。断片はセファグラス（Ｓｅｐｈａｇｌａｓ）（ファルマシア）で精製し、適当な酵素で消化して、同一の酵素で切ったＧＳＴ発現ベクターｐＧＥＸ−３Ｘ（ファルマシア）にライゲーションした。組換え体構築物をシークエンシングで確認した。ＤＨ５αにおいてＩＰＴＧ誘導によって融合タンパク質を発現させ、ファルマシアの説明書に従ってグルタチオン−セファロース（ファルマシア）で精製した。過剰のグルタチオンをＰＤ１０脱塩カラム（ファルマシア）で除去し、タンパク質を透析チューブ（カットオフ値が、１４，０００ ＭＷ のもの）に入れて体積がほぼ５０％減少するまでポリエチレングリコール（３３５０； シグマ）上に置き、試料を濃縮した。次に、最終濃度３５％となるようにグリセロールを添加し、試料を−２０℃で保存した。これら組換えタンパク質を用いて、標準的なプロトコールで抗体（Ｊｏｓｍａｎ ｌａｂｏｒａｔｏｒｉｅｓ）を作製し、また本明細書に記載の生化学的な試験を行った。
【０３９８】
目的のタンパク質のカルボキシル末端に相当する合成ペプチドを標準的な樹脂を用いた化学（例えば、ＦＭＯＣ）により合成し、記載があるものについてはアミノ末端をビオチンで標識し、ハロゲン化物を含む酸（例えば、トリフルオロ酢酸）を用いて樹脂から切り出した。次に合成ペプチドを逆相高速液体クロマトグラフィー（ＨＰＬＣ）で精製し、ペプチドの同定を質量分析法で行った。
【０３９９】
実施例８Ｂ ＣＬＡＳＰ−２ ペプチドのＰＤＺ ドメインを含むタンパク質への結合測定
ビオチン化カルボキシル末端ペプチドのＧＳＴ−ＰＤＺ 融合タンパク質への結合を次のようにして測定する。
（１）タンパク質結合表面を単一もしくは複数のＰＤＺ ドメインを含む ＧＳＴ 融合タンパク質でコートした。タンパク質結合表面は、ポリスチレンプレートの表面であり、ある場合には５μｇ／ｍｌのヤギ抗ＧＳＴ ポリクローナル抗体でのコーティングにより前処理後、過剰のウシ血清アルブミン（ＢＳＡ）でブロッキングしたものである。用いるＧＳＴ融合タンパク質の濃度は、５〜１０μｇ／ｍｌであり、ＧＳＴ融合タンパク質とプレートとの反応は、ＰＢＳを用い４℃で１〜１６時間実施する。ブロックがまだ成されていない場合には、プレートをＢＳＡ（ＰＢＳ中で２％ 、２時間、４℃）でブロックする。
（２）プレートをＰＢＳで洗う。
（３）次に、ビオチン化ペプチド（通常０．２〜２０μＭ）をプレートに添加し、ＰＢＳ／２％ＢＳＡ緩衝液でＧＳＴ融合タンパク質と１０分間４℃で反応させ、つぎに２０分間２５℃で反応させる。標識（ビオチン化）ペプチドと未標識（未ビオチン化）ペプチド間での競合を行う場合には、 標識ペプチドの添加直前に即座に未標識ペプチドを添加する。
（４）プレートをＰＢＳで洗う。
（５） ０．５μｇ／ｍｌ のＨＲＰを結合したストレプトアビジンをＰＢＳ／２％ＢＳＡ緩衝液を含むプレートに添加し、４℃で２０分間反応させる。
（６）プレートを界面活性剤（ツイーン２０）を含む溶液で５回洗う。
（７）プレートにＨＲＰ基質溶液を添加し、室温で２０分間置き、発色させる。
（８）１Ｍ硫酸を添加してＨＲＰと基質の反応を止める。
（９）プレートの各ウェルの光学密度を４５０ｎｍで測定する。
【０４００】
ＰＤＺリガンド相互作用の見かけの親和性に関する測定が要求されるような場合には、単一の実験で用いる標識ペプチドを複数の濃度で用いて、上記の方法を実施する。次に、結合のプロット対添加したペプチド濃度を次式に当てはめる。
結合［ペプチド］ ＝ 飽和結合 ｘ （［ペプチド］ ／（［ペプチド］ ＋Ｋｄ））
式中、「結合［ペプチド］」とは、与えられたペプチド濃度でのＧＳＴ−ＰＤＺ 融合タンパク質への結合からコントロールとしてのＧＳＴのみのものへの結合を引いたものであり、「Ｋｄ」とは結合反応の見かけの親和性であり、かつこのデータが上記式へ最適フィットするように「飽和結合」を計算する。結合反応中に反応が平衡に至らず、その場合、見かけの親和性は実際の親和性を低く見積もっている （すなわち、実際のＫｄ＜ 観察されたＫｄ）ために、「見かけの親和性」なる用語を用いるのである。
【０４０１】
本発明は、発明の一局面を例示する目的で示した態様、およびクローン、発明の範囲内で機能的に同等のＤＮＡまたはアミノ酸配列の範囲に限定されるものではない。実際のところ、本明細書に記載されているもの以外にも本発明は多様に改変できることは、当業者であれば前記および添付の図面から理解できる。このような改変は、本請求の範囲に含まれるものである。また、ヌクレオチドについて示されている塩基対のサイズはいずれも大まかな値であり、説明の目的で用いるものであることも理解される。
【０４０２】
上記に引用の文献および特許書類はいずれも、各々が個別に示されるものとして同様の範囲でその全文が参照として本明細書に組み入れられものとする。
【０４０３】
ＣＬＡＳＰ−１ についての補遺
【０４０４】
カドヘリン様アシンメトリータンパク質−１、およびこれを用いる方法
本発明は免疫系において細胞と細胞との相互作用に関与する分子に関する。特に、本発明は古典的カドヘリンの特徴を含むが、リンパ球表面で頂端的分布パターンを示す細胞表面のタンパク質に関する。この分子の膜局在は、Ｔ細胞とＢ細胞の接触面と相関し、このタンパク質の細胞外ドメインに対する抗体はＴ細胞／Ｂ細胞の相互作用を破壊する。
【０４０５】
発明の背景
抗原に対する免疫応答の惹起は、特定の抗原に関連して協調的に働く複数の異なるタイプの免疫担当細胞によって起こる。免疫系に入り込んだ抗原はまず抗原提示細胞に出会う。抗原提示細胞は抗原を処理し、抗原性断片をヘルパーＴ細胞（ＴＨ）に提示する。次に、これが２種類の免疫応答を促進する。すなわち、細胞免疫応答と液性免疫応答である。免疫系における他のタイプのエフェクター細胞を「助ける」もしくは活性化するリンフォカイン産生によって、ＴＨが抗原刺激に応答する。ＴＨはＢ細胞を活性化し、Ｂ細胞は液性免疫応答の主要なエフェクター分子として機能する抗体を分泌する。抗体は、外来性抗原を中和し、抗体依存性の細胞障害を媒介する他のエフェクター細胞と協調する。 さらに、ＴＨは、別のＴ細胞のサブセットを刺激して、抗原を発現する標的細胞を直接死滅させる細胞障害性で抗原特異的なエフェクター細胞を発達させて、細胞性免疫応答を 制御する。
【０４０６】
ＴＨは、ＣＤ４と呼ばれる細胞表面の糖タンパク質マーカーの発現によって、細胞障害性Ｔリンパ球 （ＣＴＬ）およびＢ細胞とは異なる。マウスでは、抗原提示細胞による活性化で、１型ヘルパーＴ細胞（ＴＨ１）が、インターロイキン−２（ＩＬ−２）およびγ−インターフェロン（γ−ＩＦＮ）を産生し、２型ヘルパーＴ細胞（ＴＨ２）はＩＬ−４およびＩＬ−５を産生する。リンフォカイン産生のプロフィールに基づいてＴＨ１は、活性化の亢進とＣＴＬ等の他のＴ細胞サブセットの増殖に関与すると考えられ、一方でＴＨ２はＢ細胞の増殖および分化、抗体の合成、および抗体のクラススイッチを特異的に制御する。
【０４０７】
ＣＴＬはＣＤ８表面マーカーを発現する。通常のＴＨと異なり、これらの細胞は特定のリンフォカイン産生も可能であるが、標的細胞との直接的接触により細胞溶解活性を示す。インビボでは、これらの細胞は抗体応答のみでは不十分であるような状況で、特に重要である。細胞性免疫応答がウイルス感染および癌に対する防御において中心的な役割を演じていることを示す実験的証拠が数多くある。
【０４０８】
免疫系では、免疫担当細胞は表面タンパク質を介した直接的接触、および表面受容体に結合する分泌性サイトカインによって互いに情報交換を行う。多くの場合、細胞表面の分子は、細胞膜に均一に分布する。しかし、特定の細胞表面タンパク質がリンパ球の活性化後にクラスター形成を示す。例えば、抗原提示細胞が提示する抗原性断片は、Ｔ細胞受容体（ＴＣＲ）を集合させ、または他の共役受容体と複合体を形成させる。
【０４０９】
細胞極性は、細胞がその環境を迅速に評価し、かつ応答できるような細胞表面膜のドメインへの特殊化を反映する（Ｄｒｕｂｉｎ ａｎｄ Ｎｅｌｓｏｎ， １９９６， Ｃｅｌｌ ８４： ３３５−４４）。免疫系では、移動性のＴリンパ球は、機能的極性を示す（Ｎｅｇｕｌｅｓｃｕら、１９９６． Ｉｍｍｕｎｉｔｙ ４：４２１−３０）。先端で抗原と出会った細胞は容易に活性化するが、後方で抗原と出会ったものは、非常に活性化しづらい。
【０４１０】
抗原活性化前では、ＴＣＲ密度は細胞の先端ではより高くは見えないので、この固有極性に重要なものは他の分子であると考えられる。リンパ球において、抗原活性化の前では、複数の細胞質内分子が、極性分布を示す。例えば、細胞間カップリング後のシグナル伝達分子の方向性送達に重要性が示唆されているＴ細胞において、スペクトリン、アンキリン、および微小管重合中心（「ＭＴＯＣ」）は、構造的極の境界となっている（Ｇｅｉｇｅｒら、１９８２． Ｊ． Ｃｅｌｌ． Ｂｉｏｌ． ９５：１３７−４３； Ｇｒｅｇｏｒｉｏら、１９９４． Ｊ． Ｃｅｌｌ Ｂｉｏｌ． １２５：３４５−５８； Ｋｕｐｆｅｒら、１９８６． Ｊ． Ｅｘｐ． Ｍｅｄ． １６３：４８９−９８； Ｋｕｐｆｅｒら、１９９４． Ｊ． Ｅｘｐ． Ｍｏｄ． １７９： １５０７−１５； Ｌｅｅら、１９８８． Ｃｅｌｌ ５５：８０７−１６）。 しかし、本発明以前には、抗原活性化前にリンパ球で極性分布を有することが同定された細胞表面分子は存在しなかった。
【０４１１】
発明の概要
哺乳動物の新規の細胞表面分子が得られ、カドヘリン様アシンメトリータンパク質−１（Ｃｌａｓｐ−１）と命名した。特に、Ｃｌａｓｐ−１のコード配列からなるポリヌクレオチド、 Ｃｌａｓｐ−１コード配列に選択的にハイブリダイズするポリヌクレオチド、このようなポリヌクレオチドを含む発現ベクター、このようなポリヌクレオチドを含む遺伝子工学的宿主細胞、Ｃｌａｓｐ−１ ポリペプチド、 Ｃｌａｓｐ−１ 融合タンパク質、治療薬組成物、Ｃｌａｓｐ−１ ドメインの変異体、 Ｃｌａｓｐ−１特異抗体、Ｃｌａｓｐ−１発現の検出法、およびＣｌａｓｐ−１ 機能の阻害による免疫応答阻害法。本発明は、自己免疫疾患および過敏症の治療、移植拒絶反応の予防、および免疫不全状態における免疫応答性の強化を含む広汎な用途を含むが、これらのみに限定されるものではない。
【０４１２】
本発明は、部分的には、出願者による特定のカドヘリンドメインと他のシグナル伝達に関与する既知のタンパク質ドメインを含む１型膜貫通性タンパク質である Ｃｌａｓｐ−１ の発見に基づくものである。Ｃｌａｓｐ−１はリンパ系組織および脳で発現しているが、成人の多くの主要な臓器では検出されない。特に、Ｃｌａｓｐ−１ は、マクロファージならびにＴおよびＢ細胞の双方で発現している。リンパ球における細胞表面のＣｌａｓｐ−１分布パターンは、頂端的であり、細胞先端の極に局在している。さらに重要なことは、Ｔ細胞／Ｂ細胞クラスターの境界面にＣｌａｓｐ−１ が濃縮しており、この細胞外ドメインに対する抗体はＴ細胞／Ｂ細胞の相互作用を阻害することである。
【０４１３】
図面の簡単な説明
図１ａ： Ｃｌａｓｐ−１ アミノ酸配列 （配列番号：１）。 ３．９ ｋｂ オープンリーディングフレーム （ＯＲＦ） は、３つの読み枠いずれにおいても複数の停止コドンで挟まれ、翻訳停止コドンの６２０ ｂｐ 下流にポリアデニル化シグナル（ＡＡＴＡＡＡ）が位置する。最初の縮重ＰＣＲプライマーに相当する配列を矢印で示した。前駆ペプチドは、アミノ酸残基１〜１２０であり、推定カドヘリン・プロセシング・シグナル ＲＡＱＲ で終止する（ＰｉｇｏｔｔおよびＰｏｗｅｒ， １９９３． Ｔｈｅ Ａｄｈｅｓｉｏｎ Ｍｏｌｅｃｕｌｅ Ｆａｃｔｓ Ｂｏｏｋ， Ａｃａｄｅｍｉｃ Ｐｒｅｓｓ Ｌｉｍｉｔｅｄ）（三角形）。細胞外ドメインは、古典的カドヘリン（ＨｏｆｍａｎおよびＳｔｏｆｆｅｌ． １９９３， Ｂｉｏｌ． Ｃｈｅｍ． Ｈｏｐｐｅ−Ｓｅｙｌｅｒ ３７４：１６６）に典型的な２０アミノ酸残基からなる膜貫通ドメイン（斜線および二重下線）の前に４つの潜在的なＮ糖付加部位（六角形）およびシステインのクラスター（二重下線）を含む。細胞質ドメインはＣＲＫ−ＳＨ３結合ドメイン（Ｋｎｕｄｓｅｎら、１９９４， Ｊ． Ｂｉｏｌ． Ｃｈｅｍ． ２６９： ３２７８１−８７）（斜線および二重下線， 残基 ８５０−８５６）、４つのカドヘリン配列モチーフ（下線）、チロシン・リン酸化部位（丸）、および多重らせんドメイン（ボックス） （Ｌｕｐａｓら、１９９１， Ｓｃｉｅｎｃｅ ２５２： １１６２−６４）を含む。ＳＨ２／ＳＨ３結合部位の組み合わせによって相互作用とアダプタータンパク質を介した制御が可能となり、多重らせんドメインによって、細胞骨格との直接的な結合が可能となる。
【０４１４】
図１ｂ： Ｃｌａｓｐ−１のドメイン構造の模式図。Ｃｌａｓｐ−１はアミノ酸残基番号１２０のカドヘリンのタンパク質切断プロセシング・シグナルで終止するシグナルペプチド含む。細胞外ドメイン（ＥＣ）は４つの糖付加部位（六角形）およびカドヘリンに特徴的なシステインのクラスター（「Ｃ’ｓ」）を有する。膜貫通ドメイン（ＴＭ）の後にはＣＲＫ−ＳＨ３結合ドメイン（五角形）およびチロシン・リン酸化部位（星形） を含むカドヘリン様ドメイン（ＣＡＤ）ならびに多重らせんドメイン （「Ｃ／Ｃ」）がある。
【０４１５】
図２：カドヘリン配列モチーフ。カドヘリン配列モチーフは、ほぼ同一数のアミノ酸で隔てられている（括弧内）４つの保存されたカドヘリンアミノ酸配列（Ａ〜Ｄ）部分からなる。モチーフＡはＣＲＫ−ＳＨ３結合ドメインでもあり、Ｅカドヘリン配列と類似している。
【０４１６】
図３ａ： Ｃｌａｓｐ−１ は主にリンパ系組織および脳で発現している。１０μｇのトータルＲＮＡを用いてＣｌａｓｐ−１ ｃＤＮＡ配列 で調べると、１３ｋｂ のバンドが見いだされ、このことは５’ 非翻訳領域が非常に長い、もしくはポリシストロニックなメッセージであることを示唆している。開始メチオニンはコザックのコンセンサス配列で予測される。レーン：１） 胸腺、 ２） 脾臓、 ３） 小腸、 ４） 皮膚、 ５）筋肉、 ６） リンパ節、 ７） 肺、 ８） 肝臓、 ９） 腎臓、 １０） 心臓、 １１） 大腸、 １２） 骨髄、 １３） 脳。Ｃｌａｓｐ−１ は 胸腺、脾臓、リンパ節および脳で検出される。
【０４１７】
図３ｂ： Ｃｌａｓｐ−１ はＴおよびＢリンパ球の双方で発現する。各レーン１０μｇ のトータルＲＮＡを用いた。 レーン：  １） Ｓ１９４（ＩｇＡプラスマ細胞腫）、２） ＮＦＳ４０（前Ｂ細胞）、３） Ｊ５５８Ｌ （ＩｇＡプラスマ細胞腫）、４） ＨＳＩＣ ５ （前Ｂ細胞）、５） ＨＡＦＴＬＪ （前顆粒球マクロファージ細胞）、６） Ｂａｌ １７ （成熟Ｂ細胞）、７） ＢＡＣ １４ （前Ｂ細胞）、８）５ＣＣ７ （ＣＤ４ Ｔ細胞）。調べた多くの細胞株Ｃｌａｓｐ−１ が発現している。Ｊ５５８ には存在せず、Ｓ１９４では低レベルである。これらはいずれもプラスマ細胞腫である。
【０４１８】
図３ｃ： Ｃｌａｓｐ−１ タンパク質は、ＴおよびＢ細胞のいずれにおいても分子量が約１３０ｋｄ である。２Ｂ４の細胞質／膜（レーン１）もしくは核（レーン２）およびＣＨ２７の細胞質／膜（レーン３）もしくは核（レーン４）のウエスタンブロットをＣｌａｓｐ−１の細胞内ドメインに対するヤギ抗血清で調べた。Ｃｌａｓｐ−１の１３０ｋｄバンドが、ＴおよびＢ細胞のいずれにおいても細胞質／膜分画に見られた。Ｃｌａｓｐ−１の推定細胞外ドメインに対する抗血清で同一の１３０ｋバンドが検出された。副次的な５５Ｋｄのバンドは、Ｃｌａｓｐ−１ の分解産物もしくは交叉反応性タンパク質を表している。
【０４１９】
図４ａ−４ｆ： Ｃｌａｓｐ−１ はＭＯＭＡ−１ 境界領域に局在し、ＴおよびＢリンパ球において焦点的分布をしている。マウスは灌流固定した。脾臓を取り出し、凍結包埋した。凍結切片（７ミクロン）を作製して、Ｃｌａｓｐ−１−ｃｙｔｏに対するウサギ抗血清を添加し、ローダミン標識した ヤギ抗ウサギ（赤色）で調べた。第２のＦＩＴＣによる染色（緑色）は、ＣＤ３（図４ａ、 ４ｄ）、 Ｂ２２０（図４ｂ、４ｅ）、もしくは ＭＯＭＡ−１ （図４ｃ、４ｆ）に対して用いた。図４ａ−４ｃ は、低倍の視野（１６Ｘ 対物レンズ）および図４ｄ−４ｆ は高倍の視野（６３Ｘ 対物レンズ）である。低倍の視野では、細動脈周囲のリンパ球鞘（ＰＡＬＳ）の細胞が抗Ｃｌａｓｐ−１ 抗血清で染色されることを示している。Ｔ細胞領域、Ｂ細胞領域、境界領域、および中心細動脈はそれぞれＴ−Ｂ、ＭおよびＣで示した。Ｔ細胞領域では、散在する樹枝状形態を示す細胞を除いて点状の染色が見られた。Ｂ細胞領域では、主要な染色は樹枝状であり、境界領域では濃染した（図４ｅ、矢印）。マクロファージのマーカーとの同時染色では、ＭＯＭＡ−１ メタロマクロファージ領域に局在が認められた。高倍の視野では、Ｔ（図４ｄ）およびＢ（図４ｅ） 細胞におけるＣｌａｓｐ−１ は、原形質膜 （図 ４ｄ、矢印）に結合した「キャップ」状、もしくは細胞質（図４ｅ、矢印）における「ボール」状の形態で構成されているのが認められた。さらに、Ｔ細胞では、 非対称的に存在する Ｃｌａｓｐ−１ がＢ細胞領域に侵入する（図４ｄ、矢印）Ｔ細胞クラスターの周辺部で濃縮していた。ＭＯＭＡ−１ 領域では、ＭＯＭＡ−１とは異なるがＭＯＭＡ−１ マクロファージ（図４ｅ および４ｆ、矢印）に接触すると考えられるマクロファージ様細胞で、抗Ｃｌａｓｐ−１ 抗血清による染色が見られた。
【０４２０】
図４ｇ： Ｃｌａｓｐ−１はＢ２２０陽性脾臓Ｂ細胞の表面で先端キャップを形成する。脾細胞の懸濁液をポリ−Ｌ−リジンコートしたスライドガラス（過ヨウ素酸−リジン−パラホルムアルデヒドで固定した）上でサイトスピンし（ＭｃＬｅａｎおよびＮａｋａｎｅ． １９７４． Ｊ． Ｈｉｓｔｏｃｈｅｍ． Ｃｙｔｏｃｈｅｍ． ２２：１０７７−８３）、ヤギ抗Ｃｌａｓｐ−ＥＣ １２Ａ （およびビオチンを結合したマウス抗ヤギモノクローナル抗体、さらにその次にＰＥ標識ストレプトアビジンを含む）および抗Ｂ２２０−ＦＩＴＣで染色した。多くのＢ細胞がＣｌａｓｐ−１ 陰性であったが、Ｃｌａｓｐ−１ が存在する場合には、膜表面の先端ドメインを構成していた。
【０４２１】
図４ｈ： Ｃｌａｓｐ−１はＣＤ３陽性脾Ｔ細胞において先端キャップもしくはリングを形成する。脾細胞の懸濁液をポリ−Ｌ−リジンコートしたスライドガラス（過ヨウ素酸−リジン−パラホルムアルデヒドで固定した）上でサイトスピンし、ＣＳＫ （Ｇｒｅｅｎｂｅｒｇ ａｎｄ Ｅｄｅｌｍａｎ， １９８３ Ｃｅｌｌ ３３：７６７−７９）中で浸透性を高め、 ブロッキングを行い、ウサギ抗Ｃｌａｓｐ−ｃｙｔｏ （およびローダミン結合した抗ウサギ Ｆａｂ’２を含む）、および 抗ＣＤ３−ＦＩＴＣで染色した。Ｃｌａｓｐ−１ はキャップもしくはリングを構成していた。
【０４２２】
図４ｉ： Ｃｌａｓｐ−１は、Ｄ１０ Ｔ細胞表面において先端キャップを形成する。Ｄ１０ Ｔ細胞は上記図３ｇに記載のように調製し、ヤギ抗Ｃｌａｓｐ−ＥＣ１２Ａ（およびビオチンを結合したマウス抗ヤギモノクローナル、さらにその次にＰＥ標識ストレプトアビジンを含む）および抗ＣＤ３−ＦＩＴＣで染色した。Ｃｌａｓｐ−１は膜先端ドメインを形成した。
【０４２３】
図４ｊ： Ｃｌａｓｐ−１ は細胞のＭＴＯＣと同一側に位置する。Ｄ１０および ２Ｂ４ Ｔ細胞を、上記図４ｈの下に記載のように調製し、ウサギ 抗Ｃｌａｓｐ−ｃｙｔｏ（およびローダミン結合した抗ウサギ Ｆａｂ’２を含む）、ラット抗α−チューブリンモノクローナル抗体（ＹＯＬ １／３４とＦＩＴＣ標識したマウス抗ラットＦａｂ’２）で染色し、ＤＡＰＩでカウンター染色した。ＭＴＯＣ （緑色）は常に、Ｃｌａｓｐ−１ 表面と核との間に位置していた。
【０４２４】
図５ａ：生産性および非生産性Ｔ−Ｂ細胞相互作用におけるＣｌａｓｐ−１。３Ａ９ および ５ｂ ＨＥＬ ＴＣＲ トランスジェニック脾細胞をＨＥＬ ペプチドの存在下で１０時間培養した。細胞をサイトスピンし、固定し、浸透性を高めた。これをＣｌａｓｐ−１ （赤色）およびＣＤ３（緑色）に関して染色した。対応する位相差顕微鏡（ＰＣ）像を各々のセットに沿って示した。 図 ５ａ： 生産性Ｔ−Ｂ細胞の接着後にＴ細胞の芽球化転換が起こる（Ｔ細胞の位相差顕微鏡像ではクロマチンおよび核境界部の消失が見られることに注意する）。いずれの対においても細胞と細胞の境界にＣｌａｓｐ−１ の蓄積がある。図５ｂ： 非生産性Ｔ−Ｂ相互作用（Ｔ細胞は芽球化転換を起こさなかった）では、Ｃｌａｓｐ−１は細胞と細胞の境界に面してはいなかった。
【０４２５】
図６ａ： ヤギ抗Ｃｌａｓｐ−ＥＣ １２ はＴ−Ｂ細胞カップリングを阻害する。１−Ｅκに関連して蛾シトクロムＣ（ＭＣＣ）に特異性を有する２Ｂ４ Ｔ細胞ハイブリドーマを、ＭＣＣペプチドを負荷させたＣＨ２７ Ｂ細胞と混合した。γ−結合（ファルマシア、ＮＪ）で精製したヤギ抗Ｃｌａｓｐ−ＥＣ１２、もしくは免疫前血清を、０、５０、１５０、および３００μｇ／ｍｌの濃度で添加した。１５０μｇ／ｍｌのヤギ抗Ｃｌａｓｐ−ＥＣ１２ が最大に細胞の会合形成を阻害したが、免疫前血清では４５０μｇ／ｍｌまで上げても最小の効果しか示さなかった。試料当たり１００以上の細胞凝集物を計数した。
【０４２６】
図６ｂ： ヤギ抗Ｃｌａｓｐ−ＥＣ１２はＴ細胞活性化を阻害する。１−Ｅκに関連して蛾シトクロムＣ（ＭＣＣ）に特異性を有する２Ｂ４ Ｔ細胞を、ＭＭＣペプチドを負荷したＣＨ２７ Ｂ細胞と混合した。γ−結合（ファルマシア、ＮＪ）で精製したヤギ抗Ｃｌａｓｐ−ＥＣ１２、もしくは免疫前血清を、０、１２５、５００、および１０００μｇ／ｍｌの濃度で添加した。同時インキュベーションを行った４８時間後に、ＩＬ−２ レベルを測定し、用量依存的に減少することが判明した。ＩＬ−２ 刺激で測定した場合に、免疫前血清では、Ｔ細胞活性化を阻害しなかった。試料は３重検定で行った。
【０４２７】
配列表の簡単な説明
マウス ＣＬＡＳＰ−１ のアミノ酸配列を配列番号：１に示した。マウス ＣＬＡＳＰ−１ ｃＤＮＡのヌクレオチド配列を配列番号：２に示した。翻訳の開始および停止位置ならびにコードされるポリペプチドも示した。ヒト ＣＬＡＳＰ−１のヌクレオチド配列を配列番号：３に示し、コードされるポリペプチドを配列番号：４に示す。
【０４２８】
発明の詳細な説明
哺乳動物の Ｃｌａｓｐ−１コード配列からなる核酸分子および該配列にコードされるポリペプチドが提供される。例示されるある特定の態様においては、マウスおよびヒト Ｃｌａｓｐ−１ ｃＤＮＡ 分子を単離し、ヌクレオチドおよび推定アミノ酸配列の特徴付けを行った。Ｃｌａｓｐ−１ は異なる種由来のカドヘリンをコードする遺伝子と相同性配列を共有しているが、Ｃｌａｓｐ−１のヌクレオチドコード配列および推定アミノ酸配列の双方とも独特なものである。
【０４２９】
本発明にしたがって、Ｃｌａｓｐ−１ 遺伝子産物のアミノ酸配列をコードするいかなるヌクレオチド配列も、Ｃｌａｓｐ−１ ポリペプチドの発現を司令する組換え体分子の作製に用いることができる。
【０４３０】
本発明はまた、Ｃｌａｓｐ−１ 配列の少なくとも８ヌクレオチド（すなわちハイブリダイズできる部分）もしくはその相補体から成る単離された核酸、または精製された核酸を提供する。他の態様においては、該核酸は Ｃｌａｓｐ−１ 配列の少なくとも２５（連続的な）ヌクレオチド、５０ヌクレオチド、１００ヌクレオチド、１５０ヌクレオチドもしくは２００ヌクレオチド、または完全長の Ｃｌａｓｐ−１コード 配列からなる。別の態様においては、核酸はその長さが３５，２００もしくは５００ヌクレオチドより小さい。核酸は一本鎖でも二本鎖でもよい。本発明はまた、前述の配列に選択的にハイブリダイズする核酸または相補的な核酸に関する。特定の局面においては、Ｃｌａｓｐ−１コード配列の少なくとも１０、２５、５０、１００、もしくは２００ヌクレオチドまたは全コード領域に相補的な配列からなる核酸を提供する。
【０４３１】
特定の態様においては、Ｃｌａｓｐ−１ 核酸（例えば、配列番号：２、配列番号：３を有する）もしくはその相補体、またはＣｌａｓｐ−１の派生体をコードする核酸にハイブリダイズする核酸を提供する。所望の結果に応じて、低、中程度もしくは高いストリンジェンシーの条件下でハイブリダイゼーションを実施する。新規の配列にハイブリダイズする場合には、提供された配列の５’領域をハイブリダイゼーションに利用する。例えば、核酸は、ストリンジェントな条件で配列番号：３のヌクレオチド１〜約３９９０から選択されるプローブにハイブリダイズするように決定してもよい。
【０４３２】
このような低ストリンジェンシー条件を用いる方法としては次のようなものがあるが、これらは例示であって、これらに限定されるものではない（ＳｈｉｌｏおよびＷｅｉｎｂｅｒｇ， １９８１， Ｐｒｏｃ． Ｎａｔｌ． Ａｃａｄ． Ｓｃｉ． ＵＳＡ ７８：６７８９−６７９２等も参照のこと）。ＤＮＡを含むフィルターを、３５％ フォルムアミド、５ＸＳＳＣ、５０ ｍＭトリスＨＣｌ （ｐＨ ７．５）、５ｍＭ ＥＤＴＡ． ０．１％ＰＶＰ、０．１％ フィコール、１％ＢＳＡおよび５００μｇ／ｍｌ 変性サケ精液ＤＮＡを含む溶液中において６時間４０℃で前処理する。次のような調整を行った同溶液でハイブリダイゼーションを実施する。０．０２％ ＰＶＰ、０．０２％ フィコール、０．２％ＢＳＡ、１００μｇ／ｍｌ サケ精液ＤＮＡ、１０％ （ｗｔ／ｖｏｌ） デキストラン硫酸、および５〜２０Ｘ１０６ ｃｐｍの［３２Ｐ］標識したプローブを用いる。フィルターをハイブリダイゼーション混液中で、４０℃で１８〜２０時間インキュベートし、次に、２ＸＳＳＣ、２５ ｍＭトリスＨＣｌ （ｐＨ ７．４）、５ｍＭ ＥＤＴＡおよび ０．１％ＳＤＳを含む溶液中で、１．５時間５５℃で洗う。洗浄溶液を新たなものと交換し、さらに１．５時間６０℃でインキュベートする。フィルターをブロットで乾かし、オートラジオグラフィーで露光する。必要に応じて、 フィルターを６５〜６８℃で３回目の洗いを行い、フィルムに再び露光する。用いられる他の低ストリンジェンシー条件は、当技術分野で公知である（例えば、交叉種ハイブリダイゼーションに用いられる）。
【０４３３】
このような高ストリンジェンシー条件を用いる方法としては次のようなものがあるが、これらは例示であって、これらに限定されるものではない。ＤＮＡを含むフィルターのプレハイブリダイゼーションを、６Ｘ ＳＳＣ、５０ ｍＭトリスＨＣｌ （ｐＨ ７．５）、１ｍＭ ＥＤＴＡ、 ０．０２％ ＰＶＰ、０．０２％ フィコール、０．０２％ＢＳＡ、および ５００μｇ／ｍｌ 変性サケ精液ＤＮＡを含む緩衝液で、８時間〜一晩６５℃で実施する。フィルターを１００μｇ／ｍｌ 変性サケ精液ＤＮＡ および５〜２０ Ｘ １０６ ｃｐｍ の［３２Ｐ］−標識したプローブを含むプレハイブリダイゼーション混合液で、６５℃で４８時間ハイブリダイズする。フィルターの洗浄は、２Ｘ ＳＳＣ、０．０１％ ＰＶＰ、０．０１％フィコール、および ０．０１％ＢＳＡを含む溶液中で、３７℃で１時間実施する。この後オートラジオグラフィー前に、０．１Ｘ ＳＳＣを用い５０℃で４５分間洗浄を行う。用いられる他の高ストリンジェンシー条件は、当技術分野で公知である
【０４３４】
このような中程度のストリンジェンシー条件を用いる方法の例には次のようなものがある。ＤＮＡを含むフィルターを、６Ｘ ＳＳＣ、５Ｘ デンハルト溶液、０．５％ ＳＤＳ および １００μｇ／ｍｌ 変性サケ精液ＤＮＡ含む溶液で、６時間５５℃で前処理する。同溶液と５〜２０Ｘ １０６ ｃｐｍの［３２Ｐ］標識したプローブを用い、ハイブリダイゼーションを実施する。フィルターをハイブリダイゼーション混合溶液中で、５５℃で１８〜２０時間インキュベートし、次に、１Ｘ ＳＳＣおよび ０．１％ＳＤＳ含む溶液中で、６０℃３０分間で二回洗う。フィルターをブロットで乾かし、オートラジオグラフィーで露光する。用いられる他の中程度ストリンジェンシー条件は、当技術分野で公知である。  フィルターの洗浄は、２Ｘ ＳＳＣ、０．１％ ＳＤＳを含む溶液中で、３７℃で１時間実施する。
【０４３５】
全 Ｃｌａｓｐ−１ ｃＤＮＡをコードする種のいずれかから完全長 ｃＤＮＡ配列 をクローン化する、もしくは該分子の変種をクローン化するために、本明細書に開示する部分ｃＤＮＡのいずれかに対応する核酸断片から標識したＤＮＡプローブを作製し、これを用いてリンパ球系細胞もしくは脳細胞に由来するｃＤＮＡライブラリーをスクリーニングする。さらに具体的には、該ｃＤＮＡ配列の５’ もしくは３’末端のいずれかに相当するオリゴヌクレオチドを用いて、より長いヌクレオチド配列を得る。簡単に説明すると、各１５０ｍｍプレートに最大３０，０００ｐｆｕ得られるようにライブラリーを蒔く。約４０プレートをスクリーニングする。該プレートを各プラークの直径が０．２５ｍｍになり互いにプラークが接触し始めるまで３７℃でインキュベートする（３〜８時間）。ナイロンフィルターを軟寒天上層の上に置き、６０秒後にフィルターをはがして０．４Ｎの水酸化ナトリウムからなるＤＮＡ変性溶液に浮かせる。次に、にフィルターを１Ｍ トリスＨＣｌ（ｐＨ ７．５）から成る中和溶液に浸した後、風乾する。フィルターを、１０％デキストラン硫酸、０．５Ｍ ＮａＣｌ， ５０ｍＭトリスＨＣｌ（ｐＨ ７．５）、０．１％ リン酸ナトリウム、１％ カゼイン、１％ＳＤＳ、および０．５ ｍｇ／ｍｌ変性サケ精液ＤＮＡを含むカゼイン緩衝液等のハイブリダイゼーション緩衝液中で、６０℃で６時間プレハイブリダイズする。次に、９５℃で２分間熱して放射線標識したプローブを変性させた後、フィルターを含むプレハイブリダイゼーション溶液に添加する。フィルターを６０℃で１６時間ハイブリダイズする。次に、フィルターを１Ｘ 洗浄混合溶液（１０Ｘ洗浄混合溶液は３Ｍ ＮａＣｌ、０．６Ｍ トリス塩基および ０．０２Ｍ ＥＤＴＡを含む）で、各々５分間室温で２回洗い、次に１％ＳＤＳを含む１Ｘ 洗浄混合溶液で、６０℃３０分間洗い、最後に０．１％ＳＤＳを含む０．３Ｘ洗浄混液で、６０℃で３０分間洗う。次に、フィルターを乾燥し、Ｘ線フィルムに感光させてオートラジオグラフィーを行う。現像後に、フィルムをフィルターと重ね陽性プラークを単離する。単一に単離される陽性プラークが得られない場合には、プラークを含む寒天断片を取り出し、０．１Ｍ ＮａＣｌ、０．０１Ｍ 硫酸マグネシウム、０．０３５Ｍトリス ＨＣｌ（ｐＨ ７．５）、０．０１％ ゼラチンを含むラムダ希釈緩衝液に入れる。次に、ファージを再びプレートに蒔き、明確に単一に単離される陽性プラークを得るためにスクリーニングを実施する。陽性プラークを単離し、既知のｃＤＮＡ配列に基づくプライマーを利用してＤＮＡクローンの配列を調べる。この工程を完全長 ｃＤＮＡが得られるまで繰り返す。
【０４３６】
完全長 ｃＤＮＡを得るために複数の異なる組織から複数のｃＤＮＡライブラリーをスクリーニングすることが必要である。ｃＤＮＡ クローニングではよく出くわす状況なのであるが、完全な５’末端を有するコード領域をコードするｃＤＮＡ クローンの同定が困難な場合には、ＲＡＣＥ （Ｒａｐｉｄ Ａｍｐｌｉｆｉｃａｔｉｏｎ ｏｆ ｃＤＮＡ Ｅｎｄｓ：ｃＤＮＡ端の迅速増幅 法）の技術を用いる。ＲＡＣＥ は不完全なｃＤＮＡの５’末端を増幅するＰＣＲを用いた確実な方法である。ユニークなアンカー配列を含み、ヒト組織から合成した５’−ＲＡＣＥ−Ｒｅａｄｙ ＲＮＡ が市販されている（クロンテック）。ｃＤＮＡの５’端を得るために、提供されるアンカープライマーおよび３’ プライマーを用いて５’−ＲＡＣＥ−Ｒｅａｄｙ ｃＤＮＡについてＰＣＲを行う。次に、アンカープライマーおよびネステッド３’ プライマーを用い、製造元の説明書に従って第２のＰＣＲ反応を行う。完全長 ｃＤＮＡ配列が得られれば、アミノ酸配列に翻訳した後、翻訳開始および終結部位で挟まれる連続的オープンリーディングフレーム、カドヘリン様ドメイン、ＳＨ３結合ドメイン、および最後に本明細書に開示するＣｌａｓｐ−１ 遺伝子に対する全体的な構造類似性等の特定の手がかりを調べることができる。
【０４３７】
Ｃｌａｓｐ−１コード配列がコードするポリペプチド
本発明にしたがって、Ｃｌａｓｐ−１ ポリペプチド、変異体ポリペプチド、Ｃｌａｓｐ−１のペプチド断片、Ｃｌａｓｐ−１ 融合タンパク質もしくはその機能的な同等物をコードする Ｃｌａｓｐ−１ ポリヌクレオチドを用いて、Ｃｌａｓｐ−１ タンパク質、Ｃｌａｓｐ−１ ペプチド断片、融合タンパク質もしくはその機能的な同等物を適当な宿主細胞で発現する組換え体ＤＮＡ分子を作製することができる。このような Ｃｌａｓｐ−１ ポリヌクレオチド配列、ならびに少なくともこのようなＣｌａｓｐ−１ ポリヌクレオチドの一部もしくはその相補体に選択的にハイブリダイズする他のポリヌクレオチドも、核酸ハイブリダイゼーション測定、サザンブロット解析およびノーザンブロット解析等に用いることができる。
【０４３８】
遺伝コードの内在的縮重により、実質的に同一のもしくは機能的に同等のアミノ酸配列をコードする他のＤＮＡ配列は、Ｃｌａｓｐ−１ タンパク質発現のための本発明の実施に用いることができる。このようなＤＮＡ配列 は、上記の低、中程度もしくは高いストリンジェンシー条件でマウス Ｃｌａｓｐ−１ 配列もしくはその相補的配列にハイブリダイズできるものを含む。
【０４３９】
本発明に用いる、異なるＤＮＡ配列は、異なるヌクレオチド残基の欠失、付加、もしくは置換を含み、その結果、同一もしくは機能的に同等の遺伝子産物をコードする配列を与える。遺伝子産物それ自体が、Ｃｌａｓｐ−１ 配列中のアミノ酸残基の欠失、付加、もしくは置換であって、その結果、サイレントな変化を与え、従って機能的に同等の Ｃｌａｓｐ−１ タンパク質を産生するものを含んでいてもよい。このような保存的なアミノ酸置換は、含まれる残基の極性、電荷、溶解度、疎水性、親水性、および／もしくは両親媒性の性質における類似性に依拠している。例えば、陰性電荷を帯びたアミノ酸としては、アスパラギン酸およびグルタミン酸、陽性電荷を帯びたアミノ酸としては、リジン、ヒスチジンおよびアルギニン、同等の親水性の値を示す非荷電で極性側鎖を有するアミノ酸は、グリシン、アスパラギン、グルタミン、セリン、トレオニン、チロシンであり、および非極性側鎖を有するアミノ酸はアラニン、バリン、イソロイシン、ロイシン、フェニルアラニン、プロリン、メチオニン、トリプトファンを含む。
【０４４０】
多様な末端を含むようにＣｌａｓｐ−１コード配列を変化させて、本発明のＤＮＡ配列を設計することができる。これには遺伝子産物のプロセシングおよび発現を修飾する変化が含まれるが、これらのみに限定されるものではない。例えば、当技術分野で既知の技術（例えば、部位特異的変異導入法を用い、新たな制限酵素部位を挿入する、もしくは糖付加、リン酸化等のパターンを変化させるなど）を使用して変位を導入することができる。Ｃｌａｓｐ−１ タンパク質のドメインの構成に基づき、Ｃｌａｓｐ−１ の細胞外、膜貫通および細胞質ドメインをコードするヌクレオチド配列を再構成して多数の Ｃｌａｓｐ−１ 変異体ポリペプチドを構築することができる。
【０４４１】
本発明の別の態様においては、Ｃｌａｓｐ−１ もしくは改変 Ｃｌａｓｐ−１ 配列を異種配列と連結して融合タンパク質をコードするようにする。例えば、Ｃｌａｓｐ−１に結合する分子を得るためにペプチドライブラリーをスクリーニングする目的では、市販の抗体が認識する異種エピトープを発現するキメラ Ｃｌａｓｐ−１ タンパク質を作製することが有用である可能性がある。Ｃｌａｓｐ−１ 配列と異種タンパク質配列の間に開裂部位を含むように融合タンパク質を設計することもでき、異種部分からＣｌａｓｐ−１を切り離すこともできる。
【０４４２】
または、挿入制御要素を内在性Ｃｌａｓｐ−１遺伝子に有効に連結できるような細胞株のゲノムに異種ＤＮＡ制御要素を挿入して、細胞集団中における内在性Ｃｌａｓｐ−１遺伝子の発現の特徴を改変することもできる。例えば、通常「転写に関してサイレントな」内在性Ｃｌａｓｐ−１遺伝子、すなわち、細胞集団において通常発現していないもしくは非常に低いレベルでしか発現していない Ｃｌａｓｐ−１ 遺伝子を、通常細胞で発現する遺伝子産物の発現を促進可能である制御要素を挿入することによって活性化する。または、異なった種類の細胞にわたって働く非特異的制御要素を挿入することによって、転写に関してサイレントな内在性Ｃｌａｓｐ−１遺伝子を活性化してもよい。
【０４４３】
当業者に既知の標的相同組換え等の技術を利用して、異種制御要素を、内在性Ｃｌａｓｐ−１遺伝子に有効に連結できるような細胞株集団に導入することができる（例えば、Ｃｈａｐｐｅｌの米国特許第５，２７２，０７１号；１９９１年、５月１６日に公開された国際公開公報第９１／０６６６７号を参照のこと）。
【０４４４】
本発明の別の態様においては、当技術分野で既知の化学的方法を用いて、Ｃｌａｓｐ−１をコードする配列の全体または一部を合成することができる（例えば、Ｃａｒｕｔｈｅｒｓら、１９８０， Ｎｕｃ． Ａｃｉｄｓ Ｒｅｓ． Ｓｙｍｐ． Ｓｅｒ． ７：２１５−２３３； ＣｒｅａおよびＨｏｒｎ． １８０． Ｎｕｃ． Ａｃｉｄｓ Ｒｅｓ． ９（１０）：２３３１； Ｍａｔｔｅｕｃｃｉ ａｎｄ Ｃａｒｕｔｈｅｒｓ． １９８０． Ｔｅｔｒａｈｅｄｒｏｎ Ｌｅｔｔｅｒ ２１：７１９； ならびにＣｈｏｗおよびＫｅｍｐｅ． １９８１． Ｎｕｃ． Ａｃｉｄｓ Ｒｅｓ． ９（１２）：２８０７−２８１７を参照のこと）。 または、全体もしくは一部のＣｌａｓｐ−１ アミノ酸配列を合成する化学的方法でタンパク質自体を作製することもできる。例えば、固相技術でペプチドを合成し、樹脂から切り出し、調製用の高速液体クロマトグラフィーで精製することができる（Ｃｒｅｉｇｈｔｏｎ， １９８３， Ｐｒｏｔｅｉｎｓ Ｓｔｒｕｃｔｕｒｅｓ Ａｎｄ Ｍｏｌｅｃｕｌａｒ Ｐｒｉｎｃｉｐｌｅｓ，  Ｗ．Ｈ． Ｆｒｅｅｍａｎ ａｎｄ Ｃｏ．， Ｎ．Ｙ． ｐｐ． ５０−６０を参照のこと）。合成ポリペプチドの組成はアミノ酸分析もしくはシークエンシングで確認する（例えば、エドマン分解法：Ｃｒｅｉｇｈｔｏｎ， １９８３， Ｐｒｏｔｅｉｎｓ， Ｓｔｒｕｃｔｕｒｅｓ ａｎｄ Ｍｏｌｅｃｕｌａｒ Ｐｒｉｎｃｉｐｌｅｓ， Ｗ．Ｈ． Ｆｒｅｅｍａｎ ａｎｄ Ｃｏ．， Ｎ．Ｙ．， ｐｐ． ３４−４９を参照のこと）。
【０４４５】
発現系
生物学的に活性のある Ｃｌａｓｐ−１の発現させるために、Ｃｌａｓｐ−１もしくは機能的に同等なものをコードするヌクレオチド配列を適当な発現ベクター（すなわち、挿入コード配列の転写・翻訳に必要な要素を含むベクター）に挿入する。Ｃｌａｓｐ−１ 遺伝子産物ならびに Ｃｌａｓｐ−１ 発現ベクターでトランスフェクションした、もしくは組換え体で形質転換した宿主細胞または細胞株は多様な目的に用いることができる。これらには、Ｃｌａｓｐ−１ タンパク質活性を競争的に阻害するおよびこの活性を中和する抗体（すなわち、モノクローナルもしくはポリクローナル）の作製、Ｃｌａｓｐ−１ 機能を活性化する抗体および細胞表面もしくは溶液中のＣｌａｓｐ−１の存在を検出する抗体の作製があげられるが、これらのみに限定されるものではない。リンパ球およびマクロファージ等の細胞および組織中の Ｃｌａｓｐ−１レベルの発現を検出および定量する、ならびに細胞混合物からＣｌａｓｐ−１陽性細胞を単離する際に、抗Ｃｌａｓｐ−１ 抗体を用いることができる。
【０４４６】
当業者に既知の方法を用い、Ｃｌａｓｐ−１コード配列および適当な転写／翻訳調節シグナルを含む発現ベクターを構築することができる。これらの方法はインビトロＤＮＡ組換え技術、合成技術およびインビボ組換え／遺伝子組換えを含む（例えば、Ｓａｍｂｒｏｏｋら、１９８９． Ｍｏｌｅｃｕｌａｒ Ｃｌｏｎｉｎｇ Ａ Ｌａｂｏｒａｔｏｒｙ Ｍａｎｕａｌ， Ｃｏｌｄ Ｓｐｒｉｎｇ Ｈａｒｂｏｒ Ｌａｂｏｒａｔｏｒｙ， Ｎ．Ｙ． ａｎｄ Ａｕｓｕｂｅｌら、 １９８９， Ｃｕｒｒｅｎｔ Ｐｒｏｔｏｃｏｌｓ ｉｎ Ｍｏｌｅｃｕｌａｒ Ｂｉｏｌｏｇｙ， Ｇｒｅｅｎｅ Ｐｕｂｌｉｓｈｉｎｇ Ａｓｓｏｃｉａｔｅｓ ａｎｄ Ｗｉｌｅｙ Ｉｎｔｅｌ−ｓｃｉｅｎｃｅ． Ｎ．Ｙ．等に記載の技術を参照のこと）。
【０４４７】
多様な宿主発現ベクターシステムを用いて、Ｃｌａｓｐ−１ コード配列を発現させることができる。これらは、Ｃｌａｓｐ−１コード配列を含む組換え体バクテリオファージＤＮＡ、プラスミドＤＮＡもしくはコスミドＤＮＡの発現ベクターで形質転換したバクテリア、Ｃｌａｓｐ−１コード配列を含む組換え体酵母発現ベクターで形質転換した酵母等の微生物；Ｃｌａｓｐ−１コード配列を含む組換え体ウイルス発現ベクター（例えば、バキュロウイルス）で感染させた昆虫細胞系；組換え体ウイルス発現ベクター（例えば、カリフラワーモザイクウイルス、ＣａＭＶ； タバコモザイクウイルス、ＴＭＶ）を感染させた、もしくはＣｌａｓｐ−１コード配列を含む組換え体プラスミド発現ベクター（例えば、Ｔｉ プラスミド）で形質転換した植物細胞系；または動物細胞系を含むが、これらのみに限定されるものではない。これらの系における発現要素は、その強度と特異性が異なる。利用する宿主／ベクター系に応じて、構成的および誘導性プロモーターを含む複数の好適な転写および翻訳要素のいずれもが発現ベクターで用いられる。例えば、バクテリアの系におけるクローニングでは、ラムダバクテリオファージのｐＬ、ｐｌａｃ、ｐｔｒｐ、ｐｔａｃ （ｐｔｒｐ−ｌａｃ ハイブリッドプロモーター；サイトメガロウイルスプロモーター）等の誘導性プロモーターが用いられる。昆虫細胞系におけるクローニングでは、バキュウロウイルス多角体プロモーター等のプロモーターが用いられる。植物細胞系におけるクローニングでは、植物細胞のゲノム由来（例えば、熱ショック・プロモーター； ＲＵＢＩＳＣＯの小サブユニットのプロモーター；クロロフィルα／β 結合タンパク質のプロモーター）もしくは植物ウイルス由来（例えば、ＣａＭＶの３５Ｓ ＲＮＡ プロモーター； ＴＭＶのコートタンパク質プロモーター）のプロモーターが用いられる。哺乳動物細胞系におけるクローニングでは、哺乳動物細胞のゲノム由来（例えば、メタロチオネインのプロモーター）もしくは哺乳動物ウイルス由来 （例えば、アデノウィルス後期プロモーター；ワクシニアウイルス ７．５Ｋ プロモーター）のプロモーターが用いられる。Ｃｌａｓｐ−１ ＤＮＡを複数コピー含む細胞株を作製する場合には、ＳＶ４０、ＢＰＶ、および ＥＢＶに基づくベクターを適当な選択可能マーカーとともに用いる。
【０４４８】
バクテリア系で、Ｃｌａｓｐ−１産物を発現に利用する場合には、複数の好適な発現ベクターが選択できる。例えば、抗体を生産するため、もしくはペプチドライブラリーをスクリーニングするために、大量の Ｃｌａｓｐ−１ タンパク質を作製する場合には、容易に精製できる融合タンパク質産物を高レベルで発現するベクターが必要となる。このようなベクター としては、Ｃｌａｓｐ−１コード配列のフレームをｌａｃＺ をコードする領域と合わせてベクターにつなぎハイブリッドタンパク質を生産する大腸菌発現ベクターｐＵＲ２７８ （Ｒｕｔｈｅｒら、１９８３． ＥＭＢＯ Ｊ． ２：１７９１）；ｐＩＮ ベクター （Ｉｎｏｕｙｅ ＆ Ｉｎｏｕｙｅ． １９８５， Ｎｕｃｌｅｉｃ ａｃｉｄｓ Ｒｅｓ． １３：３１０１−３１０９； Ｖａｎ Ｈｅｅｋｅ ＆ Ｓｃｈｕｓｔｅｒ， １９８９． Ｊ． Ｂｉｏｌ． Ｃｈｅｍ． ２６４：５５０３−５５０９）等があげられるが、これらのみに限定されるものではない。グルタチオンＳ−トランスフェラーゼ（ＧＳＴ）との融合タンパク質として外来性ポリペプチドを発現させるために、ｐＧＥＸ ベクターも用いることができる。一般的に、このような融合タンパク質は可溶性で、グルタチオンアガロースビーズに吸着させた後、遊離のグルタチオンの存在下で溶出することによって、溶解した細胞から容易に精製できる。トロンビンもしくはファクターＸａプロテアーゼの開裂部位を含み、クローン化した目的のポリペプチドがＧＳＴ部分から遊離できるようにｐＧＥＸ ベクターを設計する。
【０４４９】
酵母では、構成的もしくは誘導性プロモーターを含む複数のベクターが用いられる（Ｃｕｒｒｅｎｔ Ｐｒｏｔｏｃｏｌｓ ｉｎ Ｍｏｌｅｃｕｌａｒ Ｂｉｏｌｏｇｙ． Ｖｏｌ． ２． １９８８． Ｅｄ． Ａｕｓｕｂｅｌら、Ｇｒｅｅｎｅ Ｐｕｂｌｉｓｈ． Ａｓｓｏｃ． ＆ Ｗｉｌｅｙ Ｉｎｔｅｒｓｃｉｅｎｃｅ． Ｃｈ． １３； Ｇｒａｎｔら、１９８７． Ｅｘｐｒｅｓｓｉｏｎ ａｎｄ Ｓｅｃｒｅｔｉｏｎ Ｖｅｃｔｏｒｓ ｆｏｒ Ｙｅａｓｔ， ｉｎ Ｍｅｔｈｏｄｓ ｉｎ Ｅｎｚｙｍｏｌｏｇｙ， Ｅｄｓ． Ｗｕ ＆ Ｇｒｏｓｓｍａｎ． １９８７． Ａｃａｄ． Ｐｒｅｓｓ． Ｎ．Ｙ．， Ｖｏｌ． １５３． ｐｐ． ５１６−５４４； Ｇｌｏｖｅｒ． １９８６， ＤＮＡ Ｃｌｏｎｉｎｇ， Ｖｏｌ． ＩＩ， ＩＲＬ Ｐｒｅｓｓ． Ｗａｓｈ．， Ｄ．Ｃ．， Ｃｈ． ３； ａｎｄ Ｂｉｔｔｅｒ， １９８７， Ｈｅｔｅｒｏｌｏｇｏｕｓ Ｇｅｎｅ Ｅｘｐｒｅｓｓｉｏｎ ｉｎ Ｙｅａｓｔ． Ｍｅｔｈｏｄｓ ｉｎ Ｅｎｚｙｍｏｌｏｇｙ， Ｅｄｓ． Ｂｅｒｇｅｒ ＆ Ｋｉｍｍｅｌ． Ａｃａｄ． Ｐｒｅｓｓ． Ｎ．Ｙ． Ｖｏｌ．１５２ ｐｐ ６７３−６８４；およびＴｈｅ Ｍｏｌｅｃｕｌａｒ Ｂｉｏｌｏｇｙ ｏｆ ｔｈｅ Ｙｅａｓｔ Ｓａｃｃｈａｒｏｍｙｃｅｓ． １９８２， Ｅｄｓ． Ｓｔｒａｔｈｅｒｎら、Ｃｏｌｄ Ｓｐｒｉｎｇ Ｈａｒｂｏｒ Ｐｒｅｓｓ， Ｖｏｌｓ． Ｉ ａｎｄ ＩＩ．）。
【０４５０】
植物発現ベクターを用いる場合には、Ｃｌａｓｐ−１ コード配列の発現 は、複数のプロモーターのいずれによっても制御できる。例えば、ＣａＭＶ の３５Ｓ ＲＮＡ および１９Ｓ ＲＮＡ プロモーター（Ｂｒｉｓｓｏｎら、１９８４． Ｎａｔｕｒｅ ３１０：５１１−５１４）等のウイルスプロモーターもしくはＴＭＶのコートタンパク質プロモーター（Ｔａｋａｍａｔｓｕら、１９８７． ＥＭＢＯ Ｊ． ６：３０７−３１１）が用いられる。または、ＲＵＢＩＳＣＯの小サブユニット （Ｃｏｒｕｚｚｉら、 １９８４． ＥＭＢＯ Ｊ． ３：１６７１−１６８０； Ｂｒｏｇｌｉｅら、１９８４． Ｓｃｉｅｎｃｅ ２２４：８３８−８４３）もしくは熱ショック・プロモーター（例えば、大豆 ｈｓｐ１７．５−Ｅ もしくは ｈｓｐ１７．３−Ｂ （Ｇｕｒｅｙら、１９８６． Ｍｏｌ． Ｃｅｌｌ． Ｂｉｏｌ． ６：５５９−５６５））等の植物プロモーターを用ることができる。Ｔｉ プラスミド、Ｒｉ プラスミド、植物ウイルスベクター、直接的ＤＮＡ形質転換、マイクロインジェクション、エレクトロポレーション等 （Ｗｅｉｓｓｂａｃｈ ＆ Ｗｅｉｓｓｂａｃｈ． １９８８． Ｍｅｔｈｏｄｓ ｆｏｒ Ｐｌａｎｔ Ｍｏｌｅｃｕｌａｒ Ｂｉｏｌｏｇｙ． Ａｃａｄｅｍｉｃ Ｐｒｅｓｓ． ＮＹ． Ｓｅｃｔｉｏｎ ＶＩＩＩ． ｐｐ． ４２１−４６３；ならびにＧｒｉｅｒｓｏｎ ＆ Ｃｏｒｅｙ． １９８８， Ｐｌａｎｔ Ｍｏｌｅｃｕｌａｒ Ｂｉｏｌｏｇｙ． ２ｄ Ｅｄ．， Ｂｌａｃｋｉｅ． Ｌｏｎｄｏｎ． Ｃｈ． ７−９．）を用いて、これらの構築物を植物細胞に導入できる。
【０４５１】
Ｃｌａｓｐ−１ の発現に用いられる別の発現システムには昆虫の系がある。このような系では、オートグラファカリフォルニカ（Ａｕｔｏｇｒａｐｈａ ｃａｌｉｆｏｒｎｉｃａ）多角体ウイルス（ＡｃＮＰＶ）を外来性遺伝子発現ベクターとして用いる。ソドプテラ・フーギペディラ（Ｓｐｏｄｏｐｔｅｒａ ｆｒｕｇｉｐｅｒｄａ）細胞でウイルスを増殖させる。Ｃｌａｓｐ−１コード配列をウイルスの非必須領域（例えば、多角体遺伝子）にクローニングし、ＡｃＮＰＶ プロモーター （例えば、多角体プロモーター）の 制御下に置く。Ｃｌａｓｐ−１コード配列の挿入が成功すれば、多角体遺伝子の不活性化と非閉塞組換え体ウイルス（すなわち、多角体遺伝子がコードするコートタンパク質を欠損したウイルス）の産生が起こる。次に、これらの組換え体ウイルスを用いて、挿入遺伝子を発現する ソドプテラ・フーギペディラ細胞に感染させる（例えば、Ｓｍｉｔｈら、１９８３， Ｊ． Ｖｉｏｌ． ４６：５８４； Ｓｍｉｔｈ， 米国特許第４，２１５，０５１号を参照のこと）。
【０４５２】
哺乳動物の宿主細胞では、複数のウイルスによる発現系を利用できる。アデノウィルスを発現ベクターとして用いる場合、Ｃｌａｓｐ−１コード 配列をアデノウィルスの転写／翻訳制御複合体（例えば、後期プロモーターおよび３つの要素からなるリーダー配列）につなぐことができる。次に、このキメラ遺伝子をアデノウィルスゲノムにインビトロもしくはインビボ組換えで挿入することができる。ウイルスゲノム非必須領域（例えば、領域 Ｅ１ もしくは Ｅ３）への挿入によって、感染宿主において生存可能で Ｃｌａｓｐ−１を発現できる組換え体ウイルスを生じる（例えば、Ｌｏｇａｎ ＆ Ｓｈｅｎｋ， １９８４． Ｐｒｏｃ． Ｎａｔｌ． Ａｃａｄ． Ｓｃｉ． ＵＳＡ ８１：３６５５−３６５９を参照のこと）。または、ワクシニア ７．５Ｋ プロモーターを用いる（例えば、Ｍａｃｋｅｔｔら、１９８２． Ｐｒｏｃ． Ｎａｔｌ． Ａｃａｄ． Ｓｃｉ． ＵＳＡ ７９：７４１５−７４１９； Ｍａｃｋｅｔｔら、１９８４． Ｊ． Ｖｉｒｏｌ． ４９：８５７−８６４； Ｐａｎｉｃａｌｉら、１９８２． Ｐｒｏｃ． Ｎａｔｌ． Ａｃａｄ． Ｓｃｉ． ＵＳＡ ７９：４９２７−４９３１を参照のこと）。テトラサイクリン抑制性ベクター等の制御可能な発現ベクターを制御下で用いることもできる。
【０４５３】
挿入Ｃｌａｓｐ−１コード配列の効率よい翻訳には、特異的開始シグナルも必要であることがある。これらのシグナルは、ＡＴＧ開始コドンとその近傍の配列を含む。開始コドンとその近傍の配列を含むＣｌａｓｐ−１ 遺伝子の全長の場合には、適当な発現ベクターに挿入するが、付加的な翻訳調節シグナルは必要としない。しかし、Ｃｌａｓｐ−１コード配列の一部のみが挿入されている場合には、ＡＴＧ開始コドンを含む外来性翻訳調節シグナルが必要となる。さらに、インサート全体の翻訳を行うためには、Ｃｌａｓｐ−１コード配列の読み枠と適合する開始コドンが必要となる。これらの外来性翻訳調節シグナルおよび開始コドンの由来は天然もしくは合成の双方を含む多様なものであり得る。適当な転写のエンハンサー要素、転写ターミネーター等を含むことによって、発現効率を高めることができる（Ｂｉｔｔｎｅｒら、１９８７． Ｍｅｔｈｏｄｓ ｉｎ Ｅｎｚｙｍｏｌ． １５３：５１６−５４４を参照のこと）。
【０４５４】
さらに、所望の特異的方法で挿入配列の発現を調節する、もしくは遺伝子産物を修飾するもしくはプロセスする宿主細胞株を選択する。このような修飾（例えば、糖付加） およびタンパク質産物のプロセシンは、該タンパク質の機能にとって重要であることがある。Ｃｌａｓｐ−１ 細胞外ドメインにおける複数のコンセンサスＮ糖付加部位の存在は、適切な修飾がＣｌａｓｐ−１ 機能にとって重要である可能性を支持する。異なる宿主細胞は、翻訳後プロセシングとタンパク質修飾について特徴的で特異的な機構を有する。適当な細胞株もしくは宿主系を選ぶことによって、発現した外来性タンパク質の修飾およびプロセシングが正しく起こる。この目的のために、１次転写産物の適当なプロセシング、糖付加、遺伝子産物のリン酸化等の細胞機構が働く真核宿主細胞を用いる。このような哺乳動物宿主細胞としては、ＣＨＯ、ＶＥＲＯ、ＢＨＫ、ＨｅＬａ、ＣＯＳ、ＭＤＣＫ、２９３、Ｗ１３８等があげられるが、これらのみに限定されるものではない。
【０４５５】
長期間かかる組換えタンパク質の大量産生には安定な発現が好ましい。例えば、Ｃｌａｓｐ−１を安定に発現する細胞株を作製することができる。ウイルスの複製起点を含む発現ベクターを使わずに、適当な発現制御要素 （例えば、プロモーター、エンハンサー、配列、転写ターミネーター、ポリアデニル化部位等）および選択可能マーカーで制御されたＣｌａｓｐ−１ ＤＮＡを用いて、宿主細胞を形質転換することができる。外来性ＤＮＡの導入後に、作製した細胞を栄養価の高い培地で１〜２日増殖させ、次に選択培地に交換することができる。組換え体プラスミド中の選択可能マーカーは、選択に対し耐性を付与し、プラスミドが安定に細胞の染色体に組み込まれ、増殖してフォーカスを形成することを可能にする。次に、クローン化して細胞株を殖やすことが可能となる。この方法はＣｌａｓｐ−１ タンパク質を細胞表面に発現する細胞株の作製に好適に用いられる。このように作製した細胞株は、Ｃｌａｓｐ−１ 機能に影響を与える分子もしくは薬剤のスクリーニングに特に有用である。
【０４５６】
複数の選択システムを用いることができる。このようなものとしては、単純ヘルペスウイルスにチミジンキナーゼ（Ｗｉｇｌｅｒ，ら、１９７７， Ｃｅｌｌ １１：２２３）、ヒポキサンチン−グアニン・ホスホリボシルトランスフェラーゼ（Ｓｚｙｂａｌｓｋａ ＆ Ｓｚｙｂａｌｓｋｉ， １９６２． Ｐｒｏｃ． Ｎａｔｌ． Ａｃａｄ． Ｓｃｉ． ＵＳＡ ４８：２０２６）およびアデニン・ホスホリボシルトランスフェラーゼ遺伝子（Ｌｏｗｙ，ら、１９８０， Ｃｅｌｌ ２２：８１７）（これらは、それぞれ ｔｋ−、ｈｇｐｒｔ−もしくは ａｐｒｔ−細胞で用いることができる）遺伝子があげられるが、これらのみに限定されるものではない。また、ｄｈｆｒに関する選択に抗代謝産物抵抗性を用いることもできる。ｄｈｆｒはメトトレキサートに対する耐性を付与する（Ｗｉｇｌｅｒ．ら、１９８０． Ｎａｔｌ． Ａｃａｄ． Ｓｃｉ． ＵＳＡ ７７：３５６７； Ｏ’Ｈａｒｅ，ら、１９８１， Ｐｒｏｃ． Ｎａｔｌ． Ａｃａｄ． Ｓｃｉ． ＵＳＡ ７８：１５２７）。 ｇｐｔはミコフェノール酸に対する耐性を付与する（Ｍｕｌｌｉｇａｎ ＆ Ｂｅｒｇ． １９８１， Ｐｒｏｃ． Ｎａｔｌ． Ａｃａｄ． Ｓｃｉ． ＵＳＡ ７８：２０７２）。ｎｅｏは アミノグリコシドＧ−４１８に対する耐性を付与する（Ｃｏｌｂｅｒｒｅ−Ｇａｒａｐｉｎ，ら、１９８１， Ｊ． Ｍｏｌ． Ｂｉｏｌ． １５０：１）。 またｈｙｇｒｏは、ハイグロマイシンに対する耐性を付与する（Ｓａｎｔｅｒｒｅ．ら、１９８４． Ｇｅｎｅ ３０：１４７）。そのほかの選択可能な遺伝子についても記載がある。すなわち、ｆｒｐＢは、細胞がトリプトファンの代わりにインドールを利用できるようにする。ｈｉｓＤは、細胞がヒスチジンの代わりにヒスチノールを利用できるようにする（Ｈａｒｔｍａｎ ＆ Ｍｕｌｌｉｇａｎ． １９８８． Ｐｒｏｃ． Ｎａｔｌ． Ａｃａｄ． Ｓｃｉ． ＵＳＡ ８５：８０４７）。ＯＤＣ （オルニチン脱炭酸酵素）は、オルニチン脱炭酸酵素阻害剤２−（ジフルオロメチル）−ＤＬ−オルニチン、ＤＦＭＯ （ＭｃＣｏｎｌｏｇｕｅ Ｌ， １９８７， Ｉｎ： Ｃｕｒｒｅｎｔ Ｃｏｍｍｕｎｉｃａｔｉｏｎｓ ｉｎ Ｍｏｌｅｃｕｌａｒ Ｂｉｏｌｏｇｙ， Ｃｏｌｄ Ｓｐｒｉｎｇ Ｈａｒｂｏｒ Ｌａｂｏｒａｔｏｒｙ ｅｄ．）およびグルタミン合成酵素（Ｂｅｂｂｉｎｇｔｏｎら、１９９２， Ｂｉｏｔｅｃｈ １０：１６９）に対する耐性を付与する。
【０４５７】
Ｃｌａｓｐ−１を発現する細胞の同定
コード配列を含み、生物学的に活性なＣｌａｓｐ−１遺伝子産物またはその断片を発現する宿主細胞は、少なくとも４つの一般的なアプローチ、即ち（ａ）ＤＮＡ−ＤＮＡまたはＤＮＡ−ＲＮＡハイブリダイゼーション、（ｂ）「マーカー」遺伝子機能の有無、（ｃ）宿主細胞におけるＣｌａｓｐ−１のｍＲＮＡ転写物の発現によって測定されるような転写レベルの評価、及び（ｄ）免疫検定法またはその生物学的活性によって測定されるような遺伝子産物の検出によって同定できる。遺伝子発現を同定する前に、宿主細胞はまず、特にＣｌａｓｐ−１の産生量が小さい細胞系でＣｌａｓｐ−１の発現レベルを増加させるように突然変異誘発されうる。
【０４５８】
最初のアプローチでは、発現ベクターに挿入されたＣｌａｓｐ−１配列が存在することが、Ｃｌａｓｐ−１コード配列に相同的なそれぞれのヌクレオチド配列、またはその一部もしくは誘導体を含むプローブを用いるＤＮＡ−ＤＮＡまたはＤＮＡ−ＲＮＡハイブリダイゼーションによって検出できる。
【０４５９】
２番目のアプローチでは、組換え発現ベクター／宿主系を、ある種の「マーカー」遺伝子機能（例えば、チミジンキナーゼ作用、抗体に対する耐性、メトトレキセートに対する耐性、形質転換表現型、バキュロウイルスの封入体の形成など）の有無に基づいて同定し、選択できる。例えばＣｌａｓｐ−１をコードする配列がベクターのマーカー遺伝子配列に挿入されていると、そのＣｌａｓｐ−１コード配列を含む組換え体はそのマーカー遺伝子機能がないことによって同定できるであろう。または、マーカー遺伝子は、Ｃｌａｓｐ−１のコード配列の発現を調節するために用いられる同じプロモーターまたは別のプロモーターの調節下でＣｌａｓｐ−１配列とともにタンデムに位置づけられていてもよい。誘導または選択に応答するマーカーの発現は、Ｃｌａｓｐ−１コード配列の発現を示している。
【０４６０】
３番目のアプローチでは、Ｃｌａｓｐ−１コード配列領域に対する転写活性をハイブリダイゼーションアッセイによって評価できる。例えばＲＮＡをＣｌａｓｐ−１コード配列またはその特定の部分に相同的なプローブを用いてノーザンブロットを行うことによって単離でき、かつ分析できる。また宿主細胞の全核酸は、このようなプローブへのハイブリダイゼーションについて抽出され、評価されうる。さらに逆転写ポリメラーゼ連鎖反応を用いることによって、低レベルの遺伝子発現を検出できる。
【０４６１】
４番目のアプローチでは、Ｃｌａｓｐ−１タンパク質産物の発現を、免疫学的に、例えばウエスタンブロット法や、放射線免疫検定法、酵素結合型免疫検定法などの免疫検定法によって評価できる。これは抗Ｃｌａｓｐ−１抗体を用いることによって達成されうる。またＣｌａｓｐ−１タンパク質は、緑色蛍光タンパク質を用いて融合タンパク質として発現されうり、細胞における検出を容易にする（米国特許第５，４９１，０８４号、米国特許第５，８０４，３８７号、米国特許第５，７７７，０７９号）。
【０４６２】
Ｃｌａｓｐ−１で操作した宿主細胞の利用
本発明の一態様では、Ｃｌａｓｐ−１タンパク質及び／またはＣｌａｓｐ−１を発現する細胞系を用いることによって、Ｃｌａｓｐ−１タンパク質に結合してＣｌａｓｐ−１機能を刺激するか阻害することになる抗体、ペプチド、小分子、天然及び合成の化合物、または他の細胞結合性もしくは可溶性の分子をスクリーニングできる。例えば抗Ｃｌａｓｐ−１抗体は、Ｃｌａｓｐ−１機能を刺激したり抑制したりするため、またその存在を検出するために用いることができる。また組み換えて発現させた可溶性Ｃｌａｓｐ−１タンパク質またはＣｌａｓｐ−１タンパク質を発現する細胞系を持つペプチドライブラリーのスクリーニングは、Ｃｌａｓｐ−１の生物活性を阻害したり刺激したりすることで機能する治療用分子を同定するために利用できる。下記の小さな段落に記載されているＣｌａｓｐ−１タンパク質及び操作された細胞系は、さまざまな種で相同的なＣｌａｓｐ−１と十分同等に用いることができる。
【０４６３】
本発明の特定の態様では、細胞系はＧＳＴのような他の分子に融合したＣｌａｓｐ−１の細胞外ドメインを発現するように操作された。さらにＣｌａｓｐ−１またはその細胞外ドメインは、免疫グロブリンの定常領域に融合する（Ｈｏｌｌｅｎｂａｕｇｈ及びＡｒｕｆｆｏ， １９９２， 「免疫学における現在のプロトコール（Ｃｕｒｒｅｎｔ Ｐｒｏｔｏｃｏｌｓ ｉｎ Ｉｍｍｕｎｏｌｏｇｙ）」， Ｕｎｉｔ １０．１９、Ａｒｕｆｆｏら、１９９０， Ｃｅｌｌ ６１： １３０３）ことで半減期が増加した可溶性分子を作成できるであろう。その可溶性タンパク質または融合タンパク質は、結合アッセイ、親和性クロマトグラフィー、免疫沈降法、ウエスタンブロット法などで用いられうる。合成化合物、天然の産物、及び潜在的な生物学的活性物質の他の供給源は、当技術分野で周知のアッセイ法でスクリーニングされうる。
【０４６４】
固相支持体に結合した全ての可能な組み合わせのアミノ酸からなるランダムペプチドライブラリーは、Ｃｌａｓｐ−１の特定のドメインに結合できるペプチドを同定するために用いることができる（Ｌａｍ， Ｋ．Ｓ．ら、１９９１， Ｎａｔｕｒｅ ３５４： ８２−８４）。Ｃｌａｓｐ−１の生物学的作用を刺激したり阻害したりする薬学的物質の発見において、ペプチドライブラリーのスクリーニングは治療的価値を持ちうる。
【０４６５】
Ｃｌａｓｐ−１タンパク質に結合できる分子の同定は、組換え可溶性Ｃｌａｓｐ−１タンパク質のペプチドライブラリーをスクリーニングすることによって達成できるであろう。Ｃｌａｓｐ−１の発現方法及び精製方法を用いることによって、完全長の組換えＣｒａｓｐ−１、または対象となる機能的ドメインに依存するＣｌａｓｐ−１の断片を発現できる。そのようなドメインには、Ｃｌａｓｐ−１細胞外ドメイン、膜貫通ドメイン、細胞質ドメイン、ＳＨ２ドメイン、ＳＨ３ドメイン、及び渦巻き状／コイルドメインが含まれる。特定の態様では、１３１アミノ酸残基−３２７アミノ酸残基に対応するＣｌａｓｐ−１細胞概ドメインの部分は、それ自体か他のタンパク質と相互作用する結合部位を含むことがわかっている。
【０４６６】
Ｃｌａｓｐ−１と相互作用して複合体を形成するペプチド／固相支持体を同定して単離するために、Ｃｌａｓｐ−１分子を標識する、又は「タグ」付けする必要がある。Ｃｌａｓｐ−１タンパク質を、アルカリホスファターゼ又は西洋ワサビペルオキシダーゼのような酵素に接合させてもよいし、またフルオレセインイソチオシアネート（ＦＩＴＣ）、フィコエリスリン（ＰＥ）またはロダミンを含む蛍光標識のような他の試薬に接合させてもよい。任意の所与の標識のＣｌａｓｐ−１への接合は、当技術分野で周知の方法を用いて行うことが出来る。またＣｌａｓｐ−１の発現ベクターを、市販の抗体が存在するエピトープを含むキメラのＣｌａｓｐ−１タンパク質を発現するように操作してもよい。このエピトープ特異的抗体は、酵素、蛍光性色素、または着色性もしくは磁気性のビーズなどの当技術分野で周知の方法を用いて、検出可能な標識でタグ付けされうる。
【０４６７】
「タグ付けされた」Ｃｌａｓｐ−１複合体を、ランダムペプチドライブラリーとともに３０分間から１時間、２２℃でインキュベートすることにより、Ｃｌａｓｐ−１とライブラリーに含まれるペプチド種との間で複合体を形成させる。続いてそのライブラリーを洗浄して、結合しなかったタンパク質を除去する。Ｃｌａｓｐ−１がアルカリホスファターゼ又は西洋ワサビペルオキシダーゼに接合されたら、そのライブラリー全体を、アルカリホスファターゼまたはペルオキシダーゼのいずれか、例えばそれぞれ５−ブロモ−４−クロロ−３−インドリルホスフェート（ＢＣＩＰ）または３，３’，４，４”−ジアミノベンジジン（ＤＡＢ）のいずれかに対する基質を含むペトリ皿に注入する。数分間インキュベートするとペプチド／固相−Ｃｌａｓｐ−１複合体の色が変化し、ミクロマニュピュレータを備えた解剖型顕微鏡で物理的に容易に同定して単離できる。蛍光標識したＣｌａｓｐ−１分子が用いられた場合は、複合体は蛍光活性化分離法によって単離すればよい。異型のエピトープを発現するキメラＣｌａｓｐ−１タンパク質を用いたのであれば、ペプチド／Ｃｌａｓｐ−１複合体の検出は標識されたエピトープ特異的抗体を用いて達成できるであろう。一旦単離すると、固相支持体に結合したペプチドの同定は、ペプチド配列シークエンシング法によって決定できる。
【０４６８】
可溶性Ｃｌａｓｐ−１分子の使用に加えて、別の態様では、無傷の細胞を用いて細胞関連型Ｃｌａｓｐ−１に結合するペプチドを検出することが可能である。無傷の細胞の利用では、細胞表面の分子とともに利用することが好ましい。Ｃｌａｓｐ−１を発現する細胞系を発生させる方法は上記に記載されている。この方法で用いられる細胞は、生存細胞であってもよいし固定化細胞であってもよい。この細胞はランダムペプチドライブラリーとともにインキュベートされ、ライブラリー内のあるペプチドと結合して標的細胞と適切な固相支持体／ペプチドとの間で「ロゼット」を形成できる。その後ロゼットを示差（ｄｉｆｆｅｒｅｎｔｉａｌ）遠心分離によって単離してもよいし、また解剖型顕微鏡下で物理的に除去してもよい。コンビナトリアルライブラリーをスクリーニングする方法は当技術分野では既知である（Ｇａｌｌｏｐら、１９９４， Ｊ．Ｍｅｄ．Ｃｈｅｍ．， ３７： １２３３、Ｇｏｒｄｏｎ， １９９４， Ｊ．Ｍｅｄ．Ｃｈｅｍ．， ３７： １３８５）。
【０４６９】
膜結合受容体または、細胞膜の脂質ドメインが機能的であることが必要な受容体についての全細胞アッセイ法の別法として、Ｃｌａｓｐ−１分子は、標識、又は「タグ」が結合できるリポソームに再構築されうる。
【０４７０】
抗Ｃｌａｓｐ−１抗体
当技術分野で既知の種々の方法が、天然や組換えて産生されたＣｌａｓｐ−１タンパク質のエピトープに対する抗体を産生するのに利用できる。このような抗体には、抗イディオタイプの抗体同様、ポリクローナル抗体、モノクローナル抗体、キメラ、単鎖、ヒト化、相補性決定領域、Ｆａｂ断片、Ｆ（ａｂ’）２、及びＦａｂ発現ライブラリーによって産生された断片が含まれるが、これらに限定されるわけではない。完全にＣｌａｓｐ−１と結合する抗体が診断用、及び治療用として特に好ましい。
【０４７１】
Ｃｌａｓｐ−１に結合するモノクローナル抗体は、注入後の体内におけるそれらの位置と分布を人が追跡できるように放射活性で標識されうる。放射性同位元素でタグ付けされた抗体は、Ｃｌａｓｐ−１を発現する新規リンパ腫瘍及び転移を画像化する非侵襲性の診断ツールとして用いることができる。
【０４７２】
また体内の特定の部位に対する細胞毒性物質を標的化する免疫毒性も設計されうる。例えば親和性の高いＣｌａｓｐ−１特異的モノクローナル抗体は、ジフテリア毒素又はリシンなどの細菌性または植物性の毒素に共有的に複合化されうる。抗体／ハイブリッド分子の一般的調製法にはＳＰＤＰのようなチオール架橋試薬の利用が関与しうり、それは抗体にある第一のアミノ基を攻撃しジスルフィド交換により抗体に毒素を結合させる。ハイブリッド抗体を用いることによって、Ｃｌａｓｐ−１発現リンパ球を特異的に減少させることができる。
【０４７３】
抗体を産生するためには、さまざまな宿主の動物を組換えたＣｌａｓｐ−１タンパク質か天然の精製されたＣｌａｓｐ−１タンパク質、融合タンパク質またはペプチドを注入して免疫感作するとよく、限定されるわけでないが、ヤギ、ウサギ、マウス、ラット、ハムスターなどが含まれる。宿主の種類に応じてさまざまなアジュバントを用いることによって免疫学的応答を増加させることができ、限定するわけでないが、フロイント（完全あるいは不完全）、水酸化アルミニウムのようなミネラルゲル、リソレシチンのような界面活性物質、多イオン性の（ｐｌｕｒｏｎｉｃ）ポリオール、ポリアニオン、ペプチド、オイル乳濁剤、キーホールリンペットヘモシアニン、ジニトロフェノール、並びにＢＣＧ（ｂａｃｉｌｌｉ Ｃａｌｍｅｔｔｅ−Ｇｕｅｒｉｎ）及びコリネバクテリウムパルバム（Ｃｏｒｙｎｅｂａｃｔｅｒｉｕｍ ｐａｒｖｕｍ）のような潜在的に有用性なヒトアジュバントが含まれる。
【０４７４】
Ｃｌａｓｐ−１に対するモノクローナル抗体は、培養中の継続的細胞系によって抗体分子を産生させるために提供される方法を用いて調製できる。これらには、Ｋｏｈｌｅｒ及びＭｉｌｓｔｅｉｎ（Ｎａｔｕｒｅ， １９７５， ２５６： ４９５−４９７）によって最初に記載されたハイブリドーマ法、ヒトＢ−細胞ハイブリドーマ法（Ｋｏｓｂｏｒら、１９８３， Ｉｍｍｕｎｏｌｏｇｙ Ｔｏｄａｙ， ４： ７２、Ｃｏｔｅら、１９８３， Ｐｒｏｃ．Ｎａｔｌ．Ａｃａｄ．Ｓｃｉ．ＵＳＡ， ８０： ２０２６−２０３０）及びＥＢＶ−ハイブリドーマ法（Ｃｏｌｅら、１９８５， 「モノクローナル抗体と癌治療（Ｍｏｎｏｃｌｏｎａｌ Ａｎｔｉｂｏｄｉｅｓ ａｎｄ Ｃａｎｃｅｒ Ｔｈｅｒａｐｙ）」， Ａｌａｎ Ｒ．Ｌｉｓｓ， Ｉｎｃ．， ｐｐ．７７−９６）が挙げられるが、限定するわけではない。さらに、適当な生物活性のヒト抗体分子由来の遺伝子とともに適当な抗原特異性のマウスの抗体分子由来の遺伝子をスプライシングすることによって「キメラ抗体」産生のために開発された方法（Ｍｏｒｒｉｓｏｎら、１９８４， Ｐｒｏｃ．Ｎａｔｌ．Ａｃａｄ．Ｓｃｉ．ＵＳＡ， ８１： ６８５１−６８５５、Ｎｅｕｂｅｒｇｅｒら、１９８４， Ｎａｔｕｒｅ， ３１２： ６０４−６０８、Ｔａｋｅｄａら、１９８５， Ｎａｔｕｒｅ， ３１４： ４５２−４５４）も用いることができる。また、単鎖抗体の産生について記載された方法（米国特許第４，９４６，７７８号）も、Ｃｌａｓｐ−１特異的単鎖抗体を産生させるために適用できる。
【０４７５】
ハイブリドーマは、再生した組換えＣｌａｓｐ−１に特異的な抗体を分泌する培養物を検出するために、酵素結合免疫ソルベント検定法（ＥＬＩＳＡ）を用いてスクリーニングされうる。また培養物をＥＬＩＳＡによってスクリーニングして、哺乳動物産生型Ｃｌａｓｐ−１に特異的な抗体を分泌する培養物を同定できる。抗体特異性の確認は、同じ抗原を用いたウエスタンブロット法によって行われうる。続くＥＬＩＳＡ試験では、組換えＣｌａｓｐ−１断片を用いることでモノクローナル抗体が結合するＣｌａｓｐ−１分子の特定の部分を同定できる。組織学的断片染色法、Ｃｌａｓｐ−１の免疫沈降法、Ｃｌａｓｐ−１結合性の阻害または細胞内のシグナルを伝達するＣｌａｓｐ−１の刺激といった更なる試験を行って、所望の機能的特徴を持つモノクローナル抗体を同定できる。モノクローナル抗体のイソタイプの検出はＥＬＩＳＡによって達成され、それによって精製または機能に関する別の情報がもたらされる。
【０４７６】
Ｃｌａｓｐ−１の特異的結合部位を含む抗体断片は、既知の方法によって生じさせることができる。例えばそのような断片には限定するわけではないが、抗体分子のペプシン消化によって作成されうるＦ（ａｂ’）２断片やＦ（ａｂ’）２断片のジスルフィド架橋を還元することによって作成されうるＦａｂ断片が含まれる。またＦａｂ発現ライブラリーを構築し（Ｈｕｓｅら、１９８９， Ｓｃｉｅｎｃｅ， ２４６： １２７５−１２８１）、Ｃｌａｓｐ−１に対して所望の特異性を持つモノクローナルＦａｂ断片を迅速かつ容易に同定できる。抗Ｃｌａｓｐ−１抗体は、Ｃｌａｓｐ−１発現細胞を同定したり、単離したり、阻害したり、あるいは減少させたりするために利用できる。
【０４７７】
Ｃｌａｓｐ−１ポリヌクレオチドの利用
Ｃｌａｓｐ−１ポリヌクレオチドまたはその断片は、診断及び／または治療の目的で利用できる。特定して言うと、Ｃｌａｓｐ−１はリンパ球で発現するため、Ｃｌａｓｐ−１ポリヌクレオチドを用いることによってリンパ球マーカーとしてのＣｌａｓｐ−１の発現を検出できる。診断のために、疾患状態におけるＣｌａｓｐ−１遺伝子の発現、又は異常なＣｌａｓｐ−１遺伝子の発現を検出するために、Ｃｌａｓｐ−１ポリヌクレオチドが用いられうる。本発明の範囲には、Ｃｌａｓｐ−１の発現を阻害するように機能するアンチセンスＲＮＡ及びＤＮＡ分子ならびにリボザイムのようなオリゴヌクレオチド配列が含まれる。Ｃｌａｓｐ−１ポリヌクレオチドを用いることによって、Ｃｌａｓｐ−１の作動薬や拮抗薬をスクリーニングするためのトランスジェニック動物やノックアウト動物を構築できる。
【０４７８】
トランスジェニック及びノックアウト動物
Ｃｌａｓｐ−１遺伝子産物は、トランスジェニック動物においても発現できる。限定するわけではないがマウス、ラット、ウサギ、ギニアピッグ、ブタ、ミクロピッグ、ヤギ、ヒツジ、並びに非ヒトの霊長類である例えばヒヒ、サル、及びチンパンジーを含むどれかの種類の動物を、Ｃｌａｓｐ−１トランスジェニック動物を作成するために用いることができる。ここで用いた「トランスジェニック」という用語は、内在性（即ち同一種）のＣｌａｓｐ−１配列を過剰発現させるために遺伝的に操作された動物や内在性のＣｌａｓｐ−１遺伝子配列（即ち「ノックアウト」動物）をそれ以上発現しないように遺伝的に操作された動物はもちろん、異なる種（例えばヒトＣｌａｓｐ−１遺伝子配列を発現するマウス）由来のＣｌａｓｐ−１遺伝子配列を発現する動物、そしてそれらの子孫のことを指す。
【０４７９】
当技術分野で既知の方法を用いれば、トランスジェニック動物の創始系を作成するために動物にＣｌａｓｐ−１導入遺伝子を組み入れることができる。このような方法には、限定するわけでないが、前核マイクロインジェクション法（Ｈｏｐｐｅ及びＷａｇｎｅｒ， １９８９， 米国特許第４，８７３，１９１号）、生殖系列へのレトロウイルス媒介性遺伝子移入（Ｖａｎ ｄｅｒ Ｐｕｔｔｅｎら、１９８５， Ｐｒｏｃ．Ｎａｔｌ．Ａｃａｄ．Ｓｃｉ．， ＵＳＡ ８２： ６１４８−６１５２）、胚の幹細胞における遺伝子標的化（Ｔｈｏｍｐｓｏｎら、１９８９， Ｃｅｌｌ ５６： ３１３−３２１）、胚のエレクトロポレーション法（Ｌｏ， １９８３， Ｍｏｌ．Ｃｅｌｌ．Ｂｉｏｌ．３： １８０３−１８１４）、及び精液媒介性遺伝子移入（Ｌａｖｉｔｒａｎｏら、１９８９， Ｃｅｌｌ ５７： ７１７−７２３）（このような方法の概論については、Ｇｏｒｄｏｎ， １９８９， Ｔｒａｎｇｅｎｉｃ Ａｎｉｍａｌｓ， Ｉｎｔｌ．Ｒｅｖ．Ｃｙｔｏｌ．１１５， １７１−２２９参照）が含まれる。
【０４８０】
当技術分野で既知の何らかの方法、例えば静止期に誘導して培養された胚の胎児または成熟細胞から得られる核の除核された卵母細胞への核移入（Ｃａｍｐｂｅｌｌら、１９９６， Ｎａｔｕｒｅ ３８０： ６４−６６、ＷｉｌｍｕｔらのＮａｔｕｒｅ ３８５： ８１０−８１３）を用いれば、Ｃｌａｓｐ−１を含むトランスジェニック動物のクローンを作成できる。
【０４８１】
本発明は、その全ての細胞ではないがいくつかの細胞がＣｌａｓｐ−１導入遺伝子を有する動物、即ちモザイク動物だけでなく、その全ての細胞がＣｌａｓｐ−１導入遺伝子を有するトランスジェニック動物を提供する。この導入遺伝子は、一個の導入遺伝子として、即ち例えばヘッド−ヘッド縦列配列またはヘッド−テイル縦列配列といったコンカテマーで統合されているであろう。また導入遺伝子は、例えばＬａｓｋｏら（Ｌａｓｋｏら、１９９２， Ｐｒｏｃ．Ｎａｔｌ．Ａｃａｄ．Ｓｃｉ．ＵＳＡ ８９： ６２３２−６２３６）の教示にしたがって特定の細胞型に選択的に導入されて活性化される。このような細胞型特異的な活性化を行うのに必要な調節配列は対象となる特定の細胞型に依存しうり、またそれは当業者には明らかでありうる。Ｃｌａｓｐ−１導入遺伝子が内在性のＣｌａｓｐ−１遺伝子の染色体部位に統合されることが望まれる場合、遺伝子標的法が好ましい。概略すると、そのような技術が用いられるためには、染色体配列と相同的に組み合わせて統合する目的で、また内在性のＣｌａｓｐ−１遺伝子のヌクレオチド配列の機能を妨害する目的で、内在性のＣｌａｓｐ−１遺伝子に相同性のいくつかのヌクレオチド配列を含むベクターが設計される。またこの導入遺伝子は、例えばＧｕら（１９９４， Ｓｃｉｅｎｃｅ ２６５： １０３−１０６）の教示により特定の細胞型に選択的に導入されてもよく、それによってその細胞型のみにある内在性のＣｌａｓｐ−１遺伝子が不活性化される。このような細胞型特異性の不活性化を行うのに必要とされる調節配列は対象となる特定の細胞型に依存するであろうし、それは当業者には明らかでありうる。
【０４８２】
トランスジェニック動物が作製されたら、組換えＣｌａｓｐ−１遺伝子の発現は、標準的な方法を用いてアッセイされうる。最初のスクリーニングは、導入遺伝子の統合がなされたかどうかを検定するための動物組織を分析するサザンブロット分析法またはＰＣＲ法によって行われうる。トランスジェニック動物の組織に含まれる導入遺伝子のｍＲＮＡ発現レベルも、限定するわけではないが、動物から得られる組織試料のノーザンブロット分析法、インサイチューハイブリダイゼーション分析法、及びＲＴ−ＰＣＲ法（逆転写ＰＣＲ法）といった方法を用いて評価できる。Ｃｌａｓｐ−１遺伝子発現組織の試料をまた、Ｃｌａｓｐ−１導入遺伝子産物に特異的な抗体を用いて免疫細胞化学的に評価することもできる。
【０４８３】
Ｃｌａｓｐ−１ポリヌクレオチドの診断的利用
Ｃｌａｓｐ−１ポリヌクレオチドは、免疫不全状態のようなＣｌａｓｐ−１の異常な発現から起こる疾患または異常を診断する際に多くの利用法があろう。例えばＣｌａｓｐ−１のＤＮＡ配列は、生検または解剖検のハイブリダイゼーション検定で、例えばインサイチューハイブリダイゼーションアッセイとＰＣＲを含むサザンまたはノーザン分析法で用いることによって、Ｃｌａｓｐ−１発現の異常を検出できる。これに関連して１５ヌクレオチド〜３０ヌクレオチドからなるＰＣＲプライマーを用いるとよい。ＰＣＲプライマーの好ましい長さは約１８ヌクレオチド〜２２ヌクレオチドである。しかしながらプライマーの長さは当業者によって調節されうる。Ｃｌａｓｐ−１プローブに関しては３００ヌクレオチド〜５００ヌクレオチドのポリヌクレオチドが好ましい。種々のハイブリダイゼーション法が当技術分野で周知であり、それらは実際、多くの市販の診断用キットの基礎となっている。
【０４８４】
Ｃｌａｓｐ−１ポリヌクレオチドの治療的利用
Ｃｌａｓｐ−１ポリヌクレオチドをさまざまな異常状態を治療するのに利用できる。細胞に遺伝子配列を導入することによって遺伝子治療を行うと、細胞が正常のＣｌａｓｐ−１を発現しなかったり、異常な／不活性のＣｌａｓｐ−１を発現したりする状態を治療できる。いくつかの例ではＣｌａｓｐ−１をコードするポリヌクレオチドは、機能不全の内在性遺伝子と入れ替わり、即ちそこで作用することが意図されている。また過剰発現に特徴付けられる異常な状態は、下記に記載されたような遺伝子治療法を用いて治療されうる。
【０４８５】
特定の態様では、Ｃｌａｓｐ−１タンパク質またはその機能的誘導体をコードする配列を含む核酸が、遺伝子治療の様式でＣｌａｓｐ−１機能を促進するために投与される。遺伝子治療とは、患者に核酸を投与することによって行われる治療法を指す。本発明のこの態様では核酸は、Ｃｌａｓｐ−１機能を促進することによって治療効果を仲介する、それが投与されたタンパク質を産生する。当技術分野で利用可能な任意の遺伝子治療法のどれかを、本発明によって用いることができる。例示的な方法が下記に記載されている。
【０４８６】
遺伝子治療法についての一般的な概論として、Ｇｏｌｄｓｐｉｅｌら、１９９３， Ｃｌｉｎｉｃａｌ Ｐｈａｒｍａｃｙ １２： ４８８−５０５、Ｗｕ及びＷｕ， １９９１， Ｂｉｏｔｈｅｒａｐｙ ３： ８７−９５、Ｔｏｌｓｔｏｓｈｅｖ， １９９３， Ａｎｎ．Ｒｅｖ．Ｐｈａｒｍａｃｏｌ．Ｔｘｉｃｏｌ．３２： ５７３−５９６、Ｍｕｌｌｉｇａｎ， １９９３， Ｓｃｉｅｎｃｅ ２６０： ９２６−９３２、ならびにＭｏｒｇａｎ及びＡｎｄｅｒｓｏｎ， １９９３， Ａｎｎ．Ｒｅｖ．Ｂｉｏｃｈｅｍ．６２： １９１−２１７、１９９３年５月、ＴＩＢＴＥＣＨ １１ （５）： １５５−２１５を参照できる。利用できる組換えＤＮＡ技術についての当技術分野で一般的に知られた方法は、Ａｕｓｕｂｅｌら（編）， １９９３、「分子生物学における現在のプロトコール（Ｃｕｒｒｅｎｔ Ｐｒｏｔｏｃｏｌｓ ｉｎ Ｍｏｌｅｃｕｌａｒ Ｂｉｏｌｏｇｙ）」、Ｊｏｈｎ Ｗｉｌｅｙ ＆ Ｓｏｎｓ， ＮＹ、及びＫｒｉｅｇｌｅｒ， １９９０， 「遺伝子の伝達と発現、実験マニュアル（Ｇｅｎｅ Ｔｒａｎｓｆｅｒ ａｎｄ Ｅｘｐｒｅｓｓｉｏｎ，Ａ Ｌａｂｏｒａｔｏｒｙ Ｍａｎｕａｌ）」， Ｓｔｏｃｋｔｏｎ Ｐｒｅｓｓ， ＮＹに記載されている。
【０４８７】
好ましい局面における治療用組成物には、好適な宿主でＣｌａｓｐ−１のタンパク質またはその断片もしくはキメラタンパク質をコードする発現ベクターの部分であるＣｌａｓｐ−１核酸が含まれる。特に、このような核酸はＣｌａｓｐ−１コード領域に機能的に結合するプロモーターを持っており、該プロモーターは誘導性または構成性であって、かつ任意に組織特異性である。別の特定の態様では、Ｃｌａｓｐ−１のコード配列と何らかの他の望ましい配列とがＣｌａｓｐ−１ ゲノムの望ましい部位で相同性の組換えを促進する領域に隣接していて、そのためＣｌａｓｐ−１核酸の染色体内での発現を起こさせる核酸分子が用いられる（Ｋｏｌｌｅｒ及びＳｍｉｔｈｉｅｓ， １９８９， Ｐｒｏｃ．Ｎａｔｌ．Ａｃａｄ．Ｓｃｉ．ＵＳＡ ８６： ８９３２−８９３５、Ｚｉｊｌｓｔｒａら、１９８９， Ｎａｔｕｒｅ ３４２： ４３５−４３８）。
【０４８８】
患者への核酸の送達は、患者が核酸または核酸運搬ベクターに直接的に曝露される場合には直接的、または、細胞がまずインビトロで核酸を用いて形質転換され、続いて患者に移植される場合には非直接的のいずれかでありうる。これらの二つのアプローチはそれぞれ、インビボ（ｉｎ ｖｉｖｏ）またはエキソビボ（ｅｘ ｖｉｖｏ）の遺伝子治療として既知である。
【０４８９】
特定の態様において、核酸はインビボで直接的に投与され、コードされた生成物が産生するように発現する。これは以下のような当技術分野で既知の任意の数多くの方法によって達成されうる：例えば、適当な核酸発現ベクターの一部としてそれを構築し、それが細胞内性になるように、例えば欠陥性もしくは弱毒性のレトロウイルスまたは他のウイルスのベクター（米国特許第４，９８０，２８６号参照）を用いた感染などによりそれを投与することによって、あるいはそのままのＤＮＡを直接注入することによって、あるいは微粒子照射（例えば、遺伝子銃、Ｂｉｏｌｉｓｔｉｃ， Ｄｕｐｏｎｔ）を利用することによって、又は脂質や細胞表面受容体やトランスフェクト剤を用いて被覆したり、リポソーム、微粒子、もしくはミクロカプセルにカプセル化したりすることによって、あるいは核に入ることがわかっているペプチドに結合内のそれを投与することによって、即ち結合内のそれをリガンドに投与して受容体媒介性エンドサイトーシスさせることによって（例えば、Ｗｕ及びＷｕ， １９８７， Ｊ．Ｂｉｏｌ．Ｃｈｅｍ．２６２： ４４２９−４４３２参照）（それは受容体を特異的に発現する細胞型を標的化するために用いることができる）などで成し遂げることができる。別の態様では、リガンドがエンドソームを妨害するための融合誘導性ウイルスペプチドを含むように核酸リガンド複合体が形成されており、核酸がリソソーム性分解を回避できるようになっている。さらに別の態様では、特異的な受容体を標的化することによって、核酸は細胞特異的取り込みと発現についてインビボで標的化されうる（例えば、１９９２年４月１６日付けの国際公開公報第９２／０６１８０号、１９９２年１２月２３日付けの国際公開公報第９２／２２６３５号、１９９２年１１月２６日付けの国際公開公報第９２／２０３１６号、１９９３年７月２２日付けの国際公開公報９３／１４１８８号、１９９３年１０月１４日付けの国際公開公報第９３／２０２２１号参照）。また、相同的組換え法によって核酸を細胞内に導入し、発現させるために宿主細胞のＤＮＡに組み込むこともできる（Ｋｏｌｌｅｒ及びＳｍｉｔｈｉｅｓ， １９８９， Ｐｒｏｃ．Ｎａｔｌ．Ａｃａｄ．Ｓｃｉ．ＵＳＡ ８６： ８９３２−８９３５、Ｚｉｊｌｓｔｒａら、１９８９， Ｎａｔｕｒｅ ３４２： ４３５−４３８）。
【０４９０】
特定の態様では、Ｃｌａｓｐ−１核酸を含むウイルスベクターが用いられる。例えばレトロウイルスベクターを用いることができる（Ｍｉｌｌｅｒら、１９９３， Ｍｅｔｈ．Ｅｎｚｙｍｏｌ．２１７： ５８１−５９９参照）。これらのレトロウイルスベクターは、ウイルスゲノムのパッケージング及び宿主細胞のＤＮＡへの統合に必須でないレトロウイルス配列を欠失するように修飾されている。患者への遺伝子の送達を容易にするように、遺伝子治療で用いるべきＣｌａｓｐ−１核酸をベクターにクローニングする。レトロウイルスベクターについての更なる詳細はＢｏｅｓｅｎら、１９９４， Ｂｉｏｔｈｅｒａｐｙ ６： ２９１−３０２において見出すことができるが、そこには幹細胞を化学療法に対してより抵抗性にするためにｍｄｒ１遺伝子を造血性の幹細胞に供給するレトロウイルスベクターの利用法が記載されている。遺伝子治療でレトロウイルスベクターを利用することについて説明している他の参照文献は、Ｃｌｏｗｅｓら、１９９４， Ｊ．Ｃｌｉｎ．Ｉｎｖｅｓｔ．９３： ６４４−６５１、Ｋｉｅｍら、１９９４， Ｂｌｏｏｄ ８３： １４６７−１４７３、Ｓａｌｍｏｎｓ及びＧｕｎｚｂｅｒｇ， １９９３， Ｈｕｍａｎ Ｇｅｎｅ Ｔｈｅｒａｐｙ ４： １２９−１４１、並びにＧｒｏｓｓｍａｎ及びＷｉｌｓｏｎ， １９９３， Ｃｕｒｒ．Ｏｐｉｎ． ｉｎ Ｇｅｎｅｔｉｃｓ ａｎｄ Ｄｅｖｅｌ．３： １１０−１１４である。
【０４９１】
アデノウイルスは、遺伝子治療で用いることのできる他のウイルスベクターである。アデノウイルスは、呼吸器上皮に遺伝子を供給するための特に魅力あるビヒクルである。アデノウイルスは、それらが軽い疾患を引き起こす呼吸器上皮に自然に感染する。アデノウイルスに基づく送達システムの他の標的は肝臓、中枢神経系、内皮細胞、及び筋肉である。アデノウイルスは、非分割細胞を感染させることができるという利点を持つ。Ｋｏｚａｒｓｋｙ及びＷｉｌｓｏｎ（１９９３， Ｃｕｒｒｅｎｔ Ｏｐｉｎｉｏｎ ｉｎ Ｇｅｎｅｔｉｃｓ ａｎｄ Ｄｅｖｅｌｏｐｍｅｎｔ ３： ４９９−５０３）は、アデノウイルスに基づく遺伝子治療についての概論を示した。Ｂｏｕｔら（１９９４， Ｈｕｍａｎ Ｇｅｎｅ Ｔｈｅｒａｐｙ ５： ３−１０）は、アカゲザルの呼吸器上皮に遺伝子を伝達するためのアデノウイルスベクターの利用法を証明した。遺伝子治療でアデノウイルスを利用する他の例は、Ｒｏｓｅｎｆｅｌｄら、１９９１， Ｓｃｉｅｎｃｅ ２５２： ４３１−４３４、Ｒｏｓｅｎｆｅｌｄら、１９９２， Ｃｅｌｌ ６８： １４３−１５５、及びＭａｓｔｒａｎｇｅｌｉら、１９９３， Ｊ．Ｃｌｉｎ．Ｉｎｖｅｓｔ．９１： ２２５−２３４に記載されている。また遺伝子治療におけるアデノ関連ウイルス（ＡＡＶ）の使用もまた提案されている（Ｗａｌｓｈら、１９９３， Ｐｒｏｃ．Ｓｏｃ．Ｅｘｐ．Ｂｉｏｌ．Ｍｅｄ．２０４： ２８９−３００）。
【０４９２】
遺伝子治療の別のアプローチは、エレクトロポレーション、リポフェクション、リン酸カルシウム媒介性トランスフェクション、またはウイルス感染のような方法による組織培養物中の細胞への遺伝子の移入を伴う。通常、移入には細胞への選択可能なマーカーの移入も含まれる。続いてその細胞は、移入された遺伝子を発現している対象の細胞を単離するための選択下に置かれる。次にこれらの細胞は患者に送達される。
【０４９３】
この態様では、得られる組換え細胞をインビボで投与する前に核酸が細胞に導入される。このような導入を、トランスフェクション、エレクトロポレーション、マイクロインジェクション、核酸配列を含むウイルスまたはバクテリオファージベクターによる感染、細胞融合、染色体媒介性遺伝子移入、微小細胞媒介性遺伝子移入、スフェロプラスト融合などを含む、当技術分野で既知の何らかの方法によって行うことができるがこれらに限られるわけではない。細胞に外来遺伝子を導入するための数多くの方法が当技術分野では既知であって（例えば、Ｌｏｅｆｆｌｅｒ及びＢｅｈｒ， １９９３， Ｍｅｔｈ．Ｅｎｚｙｍｏｌ．２１７： ５９９−６１８、Ｃｏｈｅｎら、１９９３， Ｍｅｔｈ．Ｅｎｚｙｍｏｌ．２１７： ６１８−６４４、Ｃｌｉｎｅ， １９８５， Ｐｈａｒｍａｃ．Ｔｈｅｒ．２９： ６９−９２参照）、受容細胞の持つ必須の発達上の生理学的機能を妨害することなく本発明によって用いられうる。この方法は、核酸が細胞に安定に伝達されることをもたらすべきであって、その核酸がその細胞によって発現でき、そして好ましくはその細胞の子孫によっても受け継がれて発現可能であるようになっている。
【０４９４】
得られる組換え細胞は、当技術分野で既知のさまざまな方法によって患者に投与できる。好ましい態様では上皮細胞が例えば皮下に注入される。別の態様では組換え皮膚細胞が患者に皮膚移植片として適用できる。組換え血液細胞（例えば造血性の幹細胞または前駆細胞）は好ましくは静脈内に投与される。使用のために考えられる細胞の量は、望まれる効果、患者の状態などに依存しており、当業者によって決定できる。
【０４９５】
遺伝子治療の目的で核酸が導入される細胞には、何らかの望ましい、入手可能な細胞型が含まれ、限定するわけでないが、上皮細胞、内皮細胞、角質細胞、繊維芽細胞、筋肉細胞、肝細胞；Ｔリンパ球、Ｂリンパ球、単球、マクロファージ、好中球、好酸球、巨核球、顆粒球などの血球；例えば骨髄、臍帯血、末梢血、胎児の肝臓などから得られるような種々の幹細胞または前駆細胞、特に造血性の幹細胞または前駆細胞が含まれる。好ましい態様では遺伝子治療のために用いられる細胞は患者にとって自家移植片である。
【０４９６】
特定の態様では、遺伝子治療の目的で導入すべき核酸は、その核酸の発現が適当な転写誘発物質が存在するか存在しないかを調節することによって調節されうるように、そのコード領域に機能的に結合した誘導性のプロモーターを含んでいる。
【０４９７】
アンチセンスＲＮＡ及びＤＮＡ分子と、Ｃｌａｓｐ−１のｍＲＮＡの転写を阻害するように機能するリボザイムとを含むオリゴヌクレオチド配列は本発明の範囲内である。このような分子はＣｌａｓｐ−１発現の下流調節が望ましい場合に有用である。アンチセンスＲＮＡ及びＤＮＡ分子は、標的とされるｍＲＮＡに結合してタンパク質の翻訳を阻止することによってｍＲＮＡの翻訳を直接的に遮断すべく機能する。アンチセンスＤＮＡに関しては、翻訳開始部位、例えばＣｌａｓｐ−１のヌクレオチド配列の−１０と＋１０の間の領域から誘導されるオリゴデオキシリボヌクレオチドが好ましい。
【０４９８】
このアンチセンスオリゴヌクレオチドは少なくとも一つの修飾された塩基部分を含んでいて、それは限定するわけでないが、５−フルオロウラシル、５−ブロモウラシル、５−クロロウラシル、５−ヨードウラシル、ヒポキサンチン、キサンチン、４−アセチルシトシン、５−（カルボキシヒドロキシルメチル）ウラシル、５−カルボキシメチルアミノメチル−２−チオウリジン、５−カルボキシメチルアミノメチルウラシル、ジヒドロウラシル、β−Ｄ−ガラクトシルクエオシン、イノシン、Ｎ６−イソペンテニルアデニン、１−メチルグアニン、１−メチルイノシン、２，２−ジメチルグアニン、２−メチルアデニン、２−メチルグアニン、３−メチルシトシン、５−メチルシトシン、Ｎ６−アデニン、７−メチルグアニン、５−メチルアミノメチルウラシル、５−メトキシアミノメチル−２−チオウラシル、β−Ｄ−マンノシルクエオシン、５’−メトキシカルボキシメチルウラシル、５−メトキシウラシル、２−メチルチオ−Ｎ６−イソペンテニルアデニン、ウラシル−５−オキシ酢酸（ｖ）、ワイブトキソシン、プソイドウラシル、クエオシン、２−チオシトシン、５−メチル−２−チオウラシル、２−チオウラシル、４−チオウラシル、５−メチルウラシル、ウラシル−５−オキシ酢酸メチルエステル、ウラシル−５−オキシ酢酸（ｖ）、５−メチル−２−チオウラシル、３−（３−アミノ−３−Ｎ−２カルボキシプロピル）ウラシル、（ａｃｐ３）ｗ、及び２，６−ジアミノプリンからなるグループより選択される。
【０４９９】
リボザイムは、ＲＮＡの特異的開裂を触媒する能力のある酵素的なＲＮＡ分子である。リボザイムの作用機構には、リボザイム分子が相補的な標的ＲＮＡに配列特異的にハイブリダイズし、その後でエンドヌクレオ分解的開裂が起こることが関与する。本発明の範囲には、Ｃｌａｓｐ−１のＲＮＡ配列のエンドヌクレオ分解的開裂を特異的に、かつ効率的に触媒する操作されたハンマーヘッド型モチーフのリボザイム分子が存在する。
【０５００】
ある潜在的なＲＮＡ標的にある特異的なリボザイム開裂部位は、次の配列、即ちＧＵＡ、ＧＵＵ及びＧＵＣを含むリボザイム開裂部位に対する標的分子をスクリーニングすることによってまず同定される。同定したら、開裂部位を含む標的遺伝子の領域に対応する１５リボヌクレオチドと２０リボヌクレオチドの間からなる短いＲＮＡ配列を、オリゴヌクレオチド配列を不適切なものにする可能性のある二次構造のような予測された構造的特徴について評価できる。候補となる標的の適切性は、相補的なオリゴヌクレオチドとハイブリダイゼーションする受け入れ能力を、リボヌクレアーゼ保護アッセイを用いて試験することによって評価することもできる。
【０５０１】
また内在性の標的遺伝子の発現を、標的遺伝子またはそのプロモーターを、標的を定めた相同性組換え法（例えば、それぞれが全体が参考として本明細書に組み入れられている、Ｓｍｉｔｈｉｅｓら、１９８５， Ｎａｔｕｒｅ ３１７： ２３０−２３４、Ｔｈｏｍａｓ及びＣａｐｅｃｃｈｉ， １９８７， Ｃｅｌｌ ５１： ５０３−５１２、Ｔｈｏｍｐｓｏｎら、１９８９， Ｃｅｌｌ ５： ３１３−３２１を参照されたい）を用いて不活性化する、即ち「ノックアウトする」ことによっても減少させることができる。例えば突然変異体、即ち内在性標的遺伝子（標的遺伝子のコード領域または調節領域のいずれか）に相同的なＤＮＡに隣接する非機能的な標的遺伝子（即ち完全に関連しないＤＮＡ配列）を、選択可能なマーカー及び／または陰性選択可能なマーカーを用いて、あるいは用いないで利用することによって、インビボで標的遺伝子を発現する細胞をトランスフェクトできる。標的を定めた相同的組換えによってＤＮＡ構築物を挿入すると、標的遺伝子が結果的に不活性化する。このようなアプローチは、ＥＳ（胚幹）細胞に対する改変を利用して不活性な標的遺伝子を持つ動物子孫を作製すること（例えば、Ｔｈｏｍａｓ並びにＣａｐｅｃｃｈｉ， １９８７及びＴｈｏｍｐｓｏｎ， １９８９， 上記）の可能な農場において特に適している。しかしながらこのアプローチは、直接的に投与されるか、標的化された適当なウイルスベクターを用いてインビボで必要とされる部位に組換えＤＮＡ構築物が供給された、ヒトにおける使用の際にも適合しうる。
【０５０２】
また内在性の標的遺伝子の発現は、標的遺伝子の調節領域（即ち標的遺伝子のプロモーター及び／またはエンハンサー）に相補的なデオキシリボヌクレオチド配列を標的として体内の標的細胞に含まれる標的遺伝子の転写を抑制する三重らせん構造を形成することによって減少させることができる。（一般的に、Ｈｅｌｅｎｅ， １９９１， Ａｎｔｉｃａｎｃｅｒ Ｄｒｕｇ Ｄｅｓ．， ６（６）：５６９−５８４、Ｈｅｌｅｎｅら、１９９２， Ａｎｎ．Ｎ．Ｔ．Ａｃａｄ．Ｓｃｉ．， ６６０： ２７−３６、及びＭａｈｅｒ， １９９２， Ｂｉｏａｓｓａｙｓ １４ （１２）： ８０７−８１５参照）。
【０５０３】
転写の阻害のための三重らせん形成において利用される核酸分子は、デオキシヌクレオチドからなる一本鎖である。これらのオリゴヌクレオチドの塩基組成はＨｏｏｇｓｔｅｅｎ塩基対ルールによって三重らせんの形成を助長するように設計されるべきであって、それは二本鎖の一本に存在するプリンまたはピリミジンのいずれかからなる相当な大きさの伸長を一般に必要とする。ヌクレオチド配列はピリミジンをベースとしていてもよく、それは得られる三重らせんの三本の関連する鎖を横切って結果的にＴＡＴ及びＣＧＣトリプレットを形成する。ピリミジンに富む分子は、その鎖に対して平行方向の二本鎖のうちの一本鎖にあるプリンに富む領域に塩基相補性をもたらす。さらに、例えばＧ残基の伸長を含む、プリンに富む核酸分子が選択されうる。プリン残基の大部分が標的化された二本鎖のうちの一本鎖に存在しているような、これらの分子はＧＣ対がリッチのＤＮＡ二本鎖を持つ三重らせんを形成できる、結果的に三重らせんの三本の鎖を横切るＧＧＣトリプレットを形成する。
【０５０４】
また、三重らせんの形成のために標的となりうる能力のある配列は、いわゆる「スイッチバック」核酸分子を作成することによって増加させることができる。スイッチバック分子は５’−３’、３’−５’が交互になっている様式に合成されることで、それらが二本鎖の一本目の鎖と塩基対を形成でき、そしてさらにもう一方の鎖と塩基対を形成できるため、二本鎖のうちの一本の鎖に存在するはずのプリンまたはピリミジンのいずれかに相当な大きさの伸長がかかる必然が減少する。
【０５０５】
本発明のアンチセンスＲＮＡとＤＮＡ分子、リボザイム及び三重らせん分子は、ＲＮＡ分子の合成のための当技術分野で既知の何らかの方法によって調製できる。これらには、例えば固相ホスホールアミダイト化学合成法のような当技術分野で周知のオリゴデオキシリボヌクレオチドの化学的合成法が含まれる。またＲＮＡ分子は、アンチセンスＲＮＡ分子をコードするＤＮＡ配列をインビトロやインビボで転写することによって生じさせることができる。このようなＤＮＡ配列は、Ｔ７またはＳＰ６ポリメラーゼプロモーターのような適当なＲＮＡポリメラーゼープロモーターを持っている広く多様なベクターに導入できる。また、使用したプロモーターに応じてアンチセンスＲＮＡを構成的に、または誘導的に合成するアンチセンスｃＤＮＡ構築物を細胞系に安定に導入できる。
【０５０６】
細胞内の安定性と半減期を増加させる手段として、ＤＮＡ分子にさまざまな修飾を導入できる。可能な修飾として、その分子の５’及び／または３’末端にリボヌクレオチドまたはデオキシヌクレオチドの隣接配列を付加することや、オリゴデオキシリボヌクレオチド骨格にあるホスホジエステラーゼ結合ではなく、ホスホロチオネートまたは２’−Ｏ−メチルを利用することが含まれるがそれらに限定されるわけでない。
【０５０７】
このような細胞または組織にポリヌクレオチドを導入する方法には、例えば裸の（ｎａｋｅｄ）ポリヌクレオチドの挿入、即ち組織への注入、エキソビボでの細胞内のＣｌａｓｐ−１ポリヌクレオチドの導入、ウイルス（レトロウイルス、アデノウイルス、アデノ関連ウイルスなど）、ファージもしくはプラスミドなどのようなベクターの利用、またはエレクトロポレーションもしくはリン酸カルシウム沈降法のような技術によってポリヌクレオチドをインビトロで導入する方法が含まれる。
【０５０８】
Ｃｌａｓｐ−１タンパク質の利用
目的の遺伝子をＣｌａｓｐ−１ポリペプチドの全て又は一部を産生するために使用できる。対象の断片には、ポリペプチドの安定性及び／または活性に影響しうるグリコシル化部位、タンパク質相互作用部位などが含まれる。このようなドメインは、通常は採用された配列の少なくとも約２０個のアミノ酸を含み、より通常は少なくとも約５０個のアミノ酸を含み、そして１００個またはそれ以上で完全なドメインまでのアミノ酸を含むであろう。結合性の接触は、タンパク質が三次構造をとることで近位になる非隣接性の配列から構成されてもよい。このような断片の配列は、上記に記載したようにコード配列を操作することで修飾できる。例えば生物作用に必要な最少の配列を決定するために、断片のカルボキシ末端またはアミノ末端における切断を行うことが出来る。
【０５０９】
特に関心対象のポリペプチドには、Ｃｌａｓｐ−１タンパク質の成熟部分、即ちシグナルペプチドの開裂後に残っている断片、またはプロペプチド配列が含まれる。この開裂部位の決定は、そのような開裂を行う能力のある発現系でポリペプチドを産生し、続いて成熟タンパク質の末端を決定することによって実験的に検出できる。またその開裂部位は、既知の開裂部位と比較してから推理して決定してもよい。例えばマウスのＣｌａｓｐ−１ポリペプチドの開裂部位は１２０残基と１２１残基の間である。ヒト相同体においては、推定開裂部位（ａｒｇ ｐｒｏ ｇｌｎ ａｒｇ）は１０４残基と１０５残基の間である。
【０５１０】
タンパク質またはその断片の生物的活性についてのアッセイは、当技術分野で記載されているように決定されうる。リンパ球の活性化を調べるためのインビトロでの多くのアッセイが、当技術分野で公知であるか、又は実施例において提供されている。細胞接着や細胞−細胞接触の阻害はインビボまたはインビトロでのモデルによって検出される（概論として、Ｆｕｋｕｄａ （１９９５） Ｂｉｏｏｒｇ Ｍｅｄ Ｃｈｅｍ ３ （３）： ２０７−２１５、Ｚａｎｅｔｔａらの（１９９４） Ｈｉｓｔｏｌ Ｈｉｓｔｏｐａｔｈｏｌ ９ （２）： ３８５−４１２参照）。
【０５１１】
そのタンパク質またはその断片を大量に入手できる可能性を持つ発現宿主を用いて、従来の方法によってタンパク質を単離し精製することができる。溶解物を発現宿主から調製し、ＨＰＬＣ、圧排（ｅｘｃｌｕｓｉｏｎ）クロマトグラフィー、ゲル電気泳動、親和性クロマトグラフィー、または他の精製手段によって精製することができる。精製されたタンパク質は一般に少なくとも約８０％の純度、好ましくは少なくとも約９０％の純度であって、そして１００％の純度を含むまで上昇させるとよい。純度は細胞の破壊物の残骸だけでなく他のタンパク質も含まないことを意味すると解釈される。
【０５１２】
Ｃｌａｓｐ−１タンパク質はリンパ球で発現し、Ｔ細胞−Ｂ細胞相互作用の境界面に特に局在している。したがって可溶性Ｃｌａｓｐ−１、即ち細胞外ドメインまたは抗Ｃｌａｓｐ−１抗体を含むＣｌａｓｐ−１断片を用いてＴ細胞−Ｂ細胞相互作用を阻害することができ、そのため免疫応答が抑制される。Ｔ細胞−Ｂ細胞の接触におけるＣｌａｓｐ−１の介入は、ＴＨによるＢ細胞の活性化の前に起こると考えられており、したがって、Ｃｌａｓｐ−１結合を阻害すると免疫応答の初期段階を妨害できる。Ｃｌａｓｐ−１機能を妨害することによって治療できる自己免疫疾患には、限定するわけでないが多発性硬化症、糖尿病、慢性関節リウマチ、天疱瘡、類天疱瘡、後天的表皮水疱症、狼瘡、Ｒｈ断片親和性などが含まれる。
【０５１３】
さらにＣｌａｓｐ−１が細胞内シグナルを形質導入する能力のあるドメインを含むため、細胞表面のＣｌａｓｐ−１は、リンパ球の活性化状態を高める目的で抗Ｃｌａｓｐ−１抗体または可溶性Ｃｌａｓｐ−１もしくはその断片によって刺激されうる。
【０５１４】
製剤及び投与ルート
Ｃｌａｓｐ−１ポリペプチド、その断片または抗Ｃｌａｓｐ−１抗体は、それ自体が、又は薬学的もしくは治療的な組成物の形態で被験者に投与されうる。本発明のタンパク質を含む薬学的組成物は、従来の混合段階、溶解段階、顆粒化段階、糖衣錠作製段階、すりつぶし段階、乳化段階、カプセル化段階、包括段階、または凍結乾燥段階からなる手段によって製造されうる。薬学的組成物は、一つ又は複数の生理学的に許容されうる担体、希釈剤、賦形剤、またはタンパク質もしくは活性なペプチドの薬学的に用いられうる調製物への加工段階を容易にする補助剤を用いた従来のやり方で製剤化されうる。適当な製剤は選択される投与ルートによって変わる。
【０５１５】
本発明のタンパク質を局所投与するために、当技術分野で周知の溶液、ゲル、軟膏、クリーム、懸濁液などとして製剤化することができる。
【０５１６】
全身性の製剤には、例えば経皮投与、経粘膜投与、経口投与または肺投与のために設計された製剤だけでなく、皮下注入、静脈内注入、筋肉内注入、胞膜内注入または腹腔内注入といった注入によって投与するために設計された製剤も含まれる。
【０５１７】
注入のために、本発明のタンパク質は、水性溶液、即ち好ましくはハンクス溶液、リンゲル溶液、または生理食塩緩衝液のような生理学的に許容される緩衝液に製剤化されうる。溶液は、懸濁剤、安定化剤及び／または分散剤のような製剤を含むこともある。またタンパク質は、使用する前は適当なビヒクル、例えば滅菌性の発熱物質を含まない水を用いて構成物を作れる粉末形態になっていてもよい。
【０５１８】
経粘膜投与のためには、透過すべき障壁に適切な浸透剤を製剤に入れて用いるとよい。このような浸透剤は当技術分野では一般的に知られている。
【０５１９】
経口投与を行うためには組成物は、そのタンパク質を当技術分野で周知の薬学的に許容される担体と組み合わせることによって容易に製剤化することができる。このような担体は、治療すべき患者が経口摂取できるようにこのタンパク質を錠剤、丸薬、糖衣錠、カプセル剤、液剤、ゲル、シロップ、スラリー剤、懸濁剤などとして製剤化されるのを可能にする。例えば粉末、カプセル及び錠剤のような経口用の固形状製剤に対しては、適当な賦形剤として、ラクトース、ショ糖、マンニトール及びソルビトールのような糖、またトウモロコシデンプン、小麦デンプン、米デンプン、ポテトデンプン、ゼラチン、トラガカントガム、メチルセルロース、ヒドロキシプロピルメチルセルロース、カルボキシメチルセルロースナトリウム、及び／またはポリビニルピロリドン（ＰＶＰ）のようなセルロース調製物、また顆粒化剤、また結着剤などのフィラー（ｆｉｌｌｅｒ）が含まれる。望ましいならば、架橋されたポリビニルピロリドン、寒天、またはアルギン酸もしくはその塩である例えばアルギン酸ナトリウムのような崩壊剤を添加してもよい。望ましいならば、固形剤形は標準的な手法を用いて糖被覆されていてもよいし、また腸溶性被覆されていてもよい。
【０５２０】
例えば、懸濁剤、エリキシル剤及び溶液剤のような経口用の液状製剤に対しては、適当な担体、賦形剤または希釈剤として水、グリコール、オイル、アルコールなどが含まれる。さらに風味剤、保存剤、着色剤などを添加してもよい。
【０５２１】
口内投与のためには、タンパク質は、従来のやり方で製剤化された錠剤、トローチ剤などの形態でありうる。
【０５２２】
吸入によって投与する際には本発明によって使用するためのタンパク質は、例えばジクロロジフロロメタン、トリクロロフロロメタン、ジクロロテトラフロロエタン、二酸化炭素または他の適当なガスを適切な推進剤として利用している加圧パック、またはネブライザーから、エアロゾルスプレーの形態で簡単に供給される。加圧されたエアロゾルの場合には、投与ユニットは測定量を供給するためのバルブを用いることによって測定すればよい。吸入器または吹き入れ器で使用される例えばゼラチンのカプセルや容器は、化合物からなる粉末混合物とラクトースまたはデンプンのような適当な粉末ベースを含有させて製剤化されるとよい。
【０５２３】
このタンパク質をまた、例えばココアバターやタンパク質のグリセリドのような従来よりある坐剤の基剤を用いた坐剤や停留性の浣腸といった、直腸用または膣用の組成物に製剤化することもできる。
【０５２４】
前述した製剤とは別に、このタンパク質はまた、貯蔵式組成物として製剤化することもできる。このような長期にわたって作用する製剤は、埋め込むことによって（例えば皮下や筋肉内に）、または筋肉内に注入することによって投与できる。したがって例えばこのタンパク質は、適当なポリマー状もしくは疎水性の材料（例えば許容されるオイルに入れた乳濁剤として）、またはイオン交換樹脂とともに製剤化されていたり、あるいは例えば可溶性に乏しい塩のような可溶性の小さな誘導体として製剤化されることができる。
【０５２５】
また他の薬学的供給システムを用いることもできる。リポソーム及び乳濁剤は、本発明のタンパク質またはペプチドを供給するのに利用できる供給用ビヒクルについての周知の例である。しかし通常、毒性が大きいという代償を払って、ジメチルスルホキシドのようなある種の有機溶媒も利用されうる。さらにこのタンパク質は、例えば治療用薬物を含む固体状ポリマーからなる半透性のマトリックスのような徐放性システムを用いて供給することもできる。さまざまな徐放性材料が確立されており、それらは当業者に周知である。徐放性カプセルは、その化学的性質に応じて数週間から１００日以上もの間、患者にそのタンパク質を放出させることが可能である。その治療用薬剤の化学的性質及び生物学的安定性によっては、タンパク質の安定化のために更なる戦略を講じるとよい。
【０５２６】
本発明のタンパク質及びペプチドは荷電された側鎖や末端を含んでいる可能性があるため、それらは遊離の酸または塩基として、または薬学的に許容される塩として任意の上述の製剤に含有されうる。薬学的に許容される塩は、遊離の塩基の生物学的活性を実質的保持しているそれらの塩や、無機酸と反応することによって調製される塩である。薬学的な塩は、対応する遊離の塩基の形態よりも、水性であってかつ他のプロトン性の溶媒に対して可溶性が大きくなる傾向がある。
【０５２７】
効果的な用量
Ｃｌａｓｐ−１ポリペプチド、Ｃｌａｓｐ−１断片及び抗Ｃｌａｓｐ−１抗体は一般に、意図した目的を達成するために有効量で用いられうる。免疫応答を阻害するために使用する場合には、本発明のタンパク質、またはその薬学的組成物は治療上有効な量で投与、又は適用される。治療上有効量とは、治療される患者の症状を効果的に緩和もしくは抑制したり、また患者の生存率を長くしたりできる量を意味する。治療上有効量を決定することは、特に本明細書において提供された詳細な開示の視点から、十分に当業者の能力の範囲内である。
【０５２８】
全身性投与のための治療上有効量は、インビトロのアッセイからまず見積もられうる。例えば投与量は、細胞培養物において決定されたＩＣ５０（即ち、Ｃｌａｓｐ−１結合相互作用の５０％を阻害する試験化合物の濃度）を含む循環濃度範囲が得られるように、動物モデルで製剤化されうる。このような情報は、ヒトで有効な投与量をより正確に決定するために利用できる。
【０５２９】
また最初の投与量は、当技術分野で周知の方法を用いてインビボのデータから、例えば動物モデルで見積もることも可能である。当業者であれば動物データに基づいてヒトに対する投与を容易に最適化できる。
【０５３０】
投与の量と間隔は、治療効果を維持するのに充分なタンパク質レベルに血漿がなるように個別に調節できる。注入によって投与する場合の通常の患者の投与量は、約０．１ｍｇ／ｋｇ／日から５ｍｇ／ｋｇ／日、好ましくは約０．５ｍｇ／ｋｇ／日から１ｍｇ／ｋｇ／日の範囲である。治療上有効量の血清レベルは、毎日多数回の投与で行うことによって達成できるであろう。
【０５３１】
局所投与、即ち選択的に取り込ませる場合には、そのタンパク質の効果的な局所濃度は血漿濃度とは関連しないであろう。当業者は過度の実験を行わなくても治療上有効な局所投与を最適化できるであろう。投与されるＣｌａｓｐ−１の量はもちろん、治療される患者によって、即ち患者の体重、苦痛の激しさ、投与方法、及び処方する医者の判断によって異なるであろう。
【０５３２】
治療は、症状が検出可能な間、あるいは症状が検出できない場合であっても間欠的に繰り返すとよい。この治療法は単独で適用したり、あるいは他の薬物と組み合わせて適用したりできる。自己免疫疾患の場合には、Ｃｌａｓｐ−１またはその断片と組み合わせて用いることのできる薬物には、限定するわけでないが、ステロイドや非ステロイド性の免疫抑制剤である。
【０５３３】
毒性
ここに記載されたタンパク質の治療上有効な投与量は、実質的に毒性を生じることなく治療的恩典を与えることが好ましい。ここに記載されたタンパク質の毒性は、細胞培養物または実験動物で標準的な薬学的方法を行うことによって、例えばＬＤ５０（その集団の５０％が死に至る用量）またはＬＤ１００（その集団の１００％が死に至る用量）を測定することによって決定できる。毒性と治療効果の間の用量比率が治療指数である。これらの細胞培養アッセイと動物実験から得られるデータは、ヒトで使用する場合に毒性のない投与範囲を計画する際に用いることができる。ここの記載されたタンパク質の投与量は、毒性がほとんどないか全くない有効な投与量を含む範囲の循環濃度にあると好ましい。この投与量は、用いた投与形態と用いた投与経路に応じてこの範囲内で変化させるとよい。正確な処方、投与ルート及び投与量は、患者の状態を見て個々の医者が選択できる。（例えば、Ｆｉｎｇｌら、１９７５， Ｉｎ： Ｔｈｅ Ｐｈａｒｍａｃｏｌｏｇｉｃａｌ Ｂａｓｉｓ ｏｆ Ｔｈｅｒａｐｅｕｔｉｃｓ， Ｃｈ．１， ｐ．１参照）。
【０５３４】
スクリーニングアッセイ法
インビトロの研究では阻害性薬物についての大きな化合物ライブラリーをスクリーニングするために精製Ｃｌａｓｐ−１マクロ分子を用いることができ、即ち精製した標的分子を関連する薬物設計プログラムで用いることができるが、それは標的の構造、即ち通例の基質またはリガンドと関連するマクロ分子標的の構造をまず決定することが必要である。この情報はその後、合成してさらに試験する必要のある阻害性化合物を設計するために用いられる。試験結果は、主役の化合物が出現するまで相互作用させる方式で、分子モデルと薬物設計段階を精錬するために用いられる。
【０５３５】
薬物のスクリーニングは、インビトロのモデル、遺伝的に変化させた細胞、または精製したタンパク質を用いて行うことができる。標的の遺伝子配列またはその産物の作用を調節したり擬態したりできるように結合するリガンドまたは基質を同定できる。非常にさまざまなアッセイをこの目的で用いることができるであろうが、そのアッセイには、インビトロでの標識化タンパク質−タンパク質結合アッセイ、電気泳動移動度シフトアッセイ、タンパク質結合性の免疫アッセイなどが含まれる。またこの精製したタンパク質は、模擬的な分子間相互作用で用いることのできる三次元結晶構造を決定するためにも利用できる。
【０５３６】
ここで用いられる「薬剤」という用語は、ＲＡＢの生理学的機能を変化させたり、擬態したりする能力を持つ何らかの分子、例えばタンパク質や製薬剤のことを指す。一般に複数のアッセイ混合物は、種々の濃度に対して異なる反応が得られるように、試薬濃度を変えて平行に展開させる。通常これらの濃度の一つは陰性対照として、即ち濃度がゼロか、検出レベル以下で用いられる。
【０５３７】
候補となる薬剤は数多くの化学物質のクラスを包含するが、通常は有機分子、好ましくは分子量が５０ダルトン以上で約２，５００ダルトン以下の小さな有機化合物であると好ましい。候補となる薬剤はタンパク質と構造的な相互作用をするのに必要な官能基、特に水素結合をするのに必要な官能基を含んでおり、通常それは、少なくとも一つのアミン基、カルボニル基、水酸基またはカルボキシル基を含んでいて、好ましは二つの化学的な官能基を含んでいる。候補となる薬物は、上記の官能基のうちの一つまたはそれ以上で置換された炭素環もしくはヘテロ環構造及び／または芳香族もしくは多環性芳香族構造からなることもよくある。また候補となる薬剤は、ペプチド、サッカライド、脂肪酸、ステロイド、プリン、ピリミジン、それらの誘導体、構造アナログまたは組み合わせを含む生物分子から見出されることもある。
【０５３８】
候補となる薬剤は、合成化合物または天然の化合物からなるライブラリーを含む非常に種類の多い供給源から得られる。例えば多くの手段を、不揃いのオリゴヌクレオチド及びオリゴペプチドを発現させるためといった、非常に種類の多い有機化合物と生物分子を無作為に指向させて合成するために利用できる。また、細菌、真菌、植物及び動物の抽出物の形態になっている天然の化合物からなるライブラリーが入手可能、即ち容易に作成できる。さらに天然または合成して作成したライブラリー及び化合物は、従来の化学的、物理的、及び生化学的方法によって容易に修飾でき、そしてコンビナトリアルライブラリーを作成するために利用できる。既知の薬学的薬剤を、アシル化、アルキル化、エステル化、アミド化などのような指向されていたり無作為であったりする化学的修飾にかけることによって、構造的アナログを作成してもよい。
【０５３９】
スクリーニングアッセイが結合性アッセイである場合には、一種またはそれ以上の分子を標識に結合すればよいのであるが、この際のその標識は、直接的または非直接的に検出可能なシグナルを提供できる。種々の標識には、放射性同位元素、蛍光剤、化学的発光剤、酵素、特異的結合分子、粒子、例えば磁気粒子などが含まれる。特異的な結合分子には、例えばビオチンとストレプトアビジン、ジゴキシンと抗ジゴキシンなどのようなペアが含まれる。特異的結合性物質に対しては、相補的な物質が通常、検出のために用いられる分子を用いて、既知の段階で標識されうる。
【０５４０】
さまざまな他の反応物がこのスクリーニングアッセイに含まれていてもよい。これらには、適切なタンパク質−タンパク質結合性を容易にするため、及び／または非特異的な相互作用やバックグラウンドの相互作用を小さくするために用いられる塩、中性のタンパク質、例えばアルブミン、洗浄剤などのような反応物が含まれる。プロテアーゼ阻害剤、ヌクレアーゼ阻害剤、抗菌剤などのこのアッセイの効力を高める反応物が用いられることもある。成分の混合は、必須の結合を起こさせる順番で添加される。インキュベートは適当な温度で、一般的には４℃と４０℃の間で行われる。インキュベートの期間は最適な活性が得られるように選択されるが、迅速で処理量の大きなスクリーニングを容易に行うためにも最適化されうる。通常は０．１時間と１時間の間で十分であろう。
【０５４１】
望ましい生物学的作用を持つ化合物は許容される担体に入れられて真菌感染症の治療のためや感染症の抑制のためなどの目的で宿主に投与されうる。この阻害剤はいろいろな様式で投与できる。導入手段に応じてその化合物は、さまざまな様式に製剤化すればよい。その製剤に含まれる治療上活性な化合物の濃度は約０．０１−１００重量％の間で変えることができる。
【０５４２】
記載された本発明及び、続く実施例は例示のために提示されたのであって、限定を意図したものではない。
【０５４３】
実験
実施例１
Ｃｌａｓｐ−１のｃＤＮＡクローニング
変性したオリゴヌクレオチドプライマーは、配列ＴＡＰＰＹＤ及びＦＫＫＬＡＤに対応するクラシックカドヘリンの高度に保存された細胞質ドメインを基本として設計した。５’センスプライマーは配列、ＧＧＡＡＴＴＣＣＡＣＮＧＣＮＣＣＮＣＣＮＴＡ（ＣＴ）ＧＡ（配列番号：５）を持っていて、３’アンチセンスプライマーは配列ＧＣＴＣＴＡＧＡＴＣＮＧＣＮＡ（ＡＧ）（ＣＴ）ＴＴ（ＣＴ）ＴＴ（ＡＧ）ＡＡ（配列番号：６）を持っていた。
【０５４４】
全ＲＮＡは、コムクジンスキー（Ｃｈｏｍｃｚｙｎｓｋｉ）及びサッチ（Ｓａｃｃｈｉ）（１９８７， Ａｎａｌ．Ｂｉｏｃｈｅｍ．１６２： １５６−５９）の方法によってマウスの胸腺細胞から調製し、またそのＲＮＡは、オリゴｄＴを用いてプライムし、スズキ（Ｓｕｚｕｋｉ）ら（１９８８， Ｃｅｌｌ Ｒｅｇｕｌ．２： ８０７−１６）の方法によりＭＭＴＶ逆転写酵素（ＢＲＬ， ＮＹ）を用いて逆転写した。その後ｃＤＮＡを、Ｍｇ（１．５ｍＭ〜３．０ｍＭ）、１μｇのそれぞれのプライマー、２．５ユニットのＡｍｐｌｉＴａｑ（Ｐｅｒｋｉｎ Ｅｌｍｅｒ， ＣＡ）を含むＰｒｏｍｅｇａ ＰＣＲ緩衝液（Ｐｒｏｍｅｇａ， ＷＩ）中で行われるホットスタート（Ａｍｐｌｉ−ｗａｘ， Ｐｅｒｋｉｎ Ｅｌｍｅｒ， ＣＡ）ポリメラーゼ連鎖反応（ＰＣＲ）法で用いた。パーキンエルマーサーモサイクラー（Ｐｅｒｋｉｎ Ｅｌｍｅｒ， ＣＡ）を、９４℃で３０秒間変性を行い、３７℃で２分間アニーリング反応を行い、そして６５℃まで２分間かけて温度を下げ、３分間の伸張反応を維持し、これを３５回繰り返すようにセットした。ＰＣＲ産物を、３％のＮｕＳｉｅｖｅアガロース（ＦＭＣ， ＭＥ）：１％のアガロース（ＢＲＬ， ＮＹ）で分解した。予測されたサイズのバンドを切り取ってＳｅｐｈａｇｌａｓ（Ｐｈａｒｍａｃｉａ， ＮＪ）を用いて精製し、同じプログラムを用いて２０ラウンド再増幅した。
【０５４５】
最終生成物をゲルで精製し、ＥｃｏＲ１及びＸｂａ１（Ｎｅｗ Ｅｎｇｌａｎｄ Ｂｉｏｌａｂｓ， ＭＡ）を用いて消化し、対応する部位でｐＢｌｕｅｓｃｒｉｐｔ ＫＳ（Ｓｔｒａｔａｇｅｎｅ， Ｌａ Ｊｏｌｌａ， ＣＡ）にクローニングしてからそのヌクレオチド配列を決定した。配列決定したＰＣＲクローンの半分は同一であった。生まれたばかりのマウス胸腺ライブラリーのスクリーニングに代表的なクローンを用い、Ｃｌａｓｐ−１を設計する完全なｃＤＮＡ配列を入手した。
【０５４６】
結果
カドヘリンと他の接着性分子ファミリーの共通配列に対応する変性オリゴヌクレオチドは、マウスの胸腺細胞から調製したｃＤＮＡのＰＣＲで使用するために作成した。数種のクラシックカドヘリン分子とは別に、クローンの半分で報告され、かつクラシックカドヘリンのいくつかの特徴を示した配列を単離した（図１ａ〜図１ｂ）。完全長のｃＤＮＡクローン（配列番号：２）は、カドヘリンタンパク質分解プロセシングシグナル（Ｐｉｇｏｔｔ及びＰｏｗｅｒ， １９９３， Ｔｈｅ Ａｄｈｅｓｉｏｎ Ｍｏｌｅｃｕｌｅ Ｆａｃｔｓ Ｂｏｏｋ， Ａｃａｄｅｍｉｃ Ｐｒｅｓｓ Ｌｉｍｉｔｅｄ）、グリコシル化部位、膜貫通ドメインに近いシステインのクラスター（Ｈｏｆｍａｎ及びＳｔｏｆｆｅｌ， １９９３， Ｂｉｏｌ．Ｃｈｅｍ．Ｈｏｐｐｅ−Ｓｅｙｌｅｒ ３７４： １６６）、及び数個のカドヘリン配列のモチーフを示す細胞質ドメインを含む、多くのカドヘリンの特徴を共有し、１，２８９個のアミノ酸のタイプＩ膜貫通タンパク質をコードするオープンリーディングフレームを持っている（図２）。処理されたポリペプチドは、アミノ酸配列ＲＡＱＲの後の１２１アミノ酸残基から始まる（図１ａ）。この遺伝子は、カドヘリン様の非対称タンパク質に対してＣｌａｓｐ−１と命名した。
【０５４７】
典型的なカドヘリンは、細胞外ドメインによってホモ型カルシウム依存性の接着を仲介し、また細胞質ドメインによってカドヘリンを介する細胞骨格と連結する膜貫通性の糖タンパク質である（Ｋｅｍｌｅｒ， １９９３， Ｔｒｅｎｄｓ Ｇｅｎｅｔ．９： ３１７−２１、Ｇｅｉｇｅｒ及びＡｙａｌｏｎ， １９９２， Ａｎｎｕ．Ｒｅｖ．Ｃｅｌｌ Ｂｉｏｌ．８： ３０７−３２、Ｔａｋｅｉｃｈｉ， １９９１， Ｓｃｉｅｎｃｅ ２５１： １４５１−５５）。カドヘリンと共有されないＣｌａｓｐ−１の特有の特徴としては、ＳＨ３結合性ドメイン（Ｋｎｕｄｓｅｎら、１９９４， Ｊ．Ｂｉｏｌ．Ｃｈｅｍ．２６９： ３２７８１−８７）、数個の潜在的なチロシンリン酸化部位、及びコイルド／コイルドメイン（Ｌｕｐａｓら、１９９１， Ｓｃｉｅｎｃｅ ２５２： １１６２−６４）が挙げられる（図１ａ及び１ｂ）。その構造的特徴に基づくとＣｌａｓｐ−１は、シグナル変換経路と細胞骨格との間に直接的相互作用をもたらすであろう。Ｃｌａｓｐ−１の相同性検索（ＦＡＳＴＡ）（Ｐｅａｒｓｏｎ及びＬｉｐｍａｎ， １９８８， Ｐｒｏｃ．Ｎａｔｌ．Ａｃａｄ．Ｓｃｉ．ＵＳＡ ８５： ２４４４−４８、Ｌａｄｕｇａら、１９９６， Ｊ．Ｍｏｌ．Ｂｉｏｌ．２５９： ８４０−５４）は、機能が判明していない二つのｃＤＮＡ、即ちラットのＲＮＴＲＧ（ＧｅｎＢａｎｋ Ｘ６８１０１）及び複数のＣ．ｅｌｅｇａｎｓ遺伝子であるＣＥＬＥＦ４６ｆＨ５．４ （ＧｅｎＢａｎｋ Ｕ４１５４３）と類似していることを示した。ＲＮＴＲＧは約７５％がＣｌａｓｐ−１と同一である。したがってＣｌａｓｐ−１は、シグナル変換経路で関与していることがわかっているドメインを含む細胞表面のカドヘリン様タンパク質である。
【０５４８】
実施例２
Ｃｌａｓｐ−１の発現パターンとそのコード産物の細胞局在性
Ｔｈ１細胞（５ＣＣ７）、ｐｒｏ−ＧＭＢ細胞（ＨＡＦＴＬＪ）、ｐｒｅ−Ｂ細胞（ＮＦＳ４０， ＨＳＩＣ５， ＢＡＣ１４）、成熟Ｂ細胞（ＢＡＬ１７）、及び形質細胞腫（Ｓ１９４， Ｊ５９８Ｌ）を、培養した細胞系として維持した。ＲＮＡをノーザンブロット分析を行うためにこれらの細胞から抽出した。
ノーザンブロット分析：  それぞれの細胞試料から得た１０マイクログラム（μｇ）の全ＲＮＡを１％アガロースホルムアルデヒドゲルに載せ、ＢｉｏＢｌｏｔニトロセルロースペーパー（Ｃｏｓｔａｒ， ＭＡ）に移してからＳｔｒａｔａｌｉｎｋ（Ｓｔｒａｔａｇｅｎｅ， Ｌａ Ｊｏｌｌａ， ＣＡ）を用いて架橋した。プレハイブリダイゼーション及びハイブリダイゼーションを５０％のホルムアルデヒド、２５ｍＭのリン酸ナトリウム（ｐＨ６．５）、１×デンハルト溶液、２００μｇ／ｍｌのニシン精子のＤＮＡ、及び５×ＳＳＣ中で６５℃で行った。Ｃｌａｓｐ−１のコード配列に対応するプローブは、製造元の指示書に従ってＲｅａｄｙ−Ｔｏ−Ｇｏ Ｌａｂｅｌｉｎｇ Ｋｉｔ （Ｐｈａｒｍａｃｉａ， ＮＪ）を用いて調製し、パスツールピペットＧ−５０セファデックスカラムを用いてＴＥＮ（１０ｍＭのトリスＨＣｌ、ｐＨ８、１ｍＭのＥＤＴＡ、及び１００ｍＭのＮａＣｌ）中で脱塩した。そのブロットの最終的な洗浄は、０．１×ＳＣＣ中、６０℃で行った。オートラジオグラフィーは、強化スクリーンを用いて−８０℃でＫｏｄａｋ ＸＯＭＡＴフィルム上にて行った。
【０５４９】
サイトスピン及び免疫蛍光：
細胞をポリ−Ｌ−リジン（Ｓｉｇｍａ ＃Ｐ２６３６， ＭＡ）スライドにサイトスピン（Ｃｙｔｏｓｐｉｎ １， Ｓｈａｎｄｏｎ）し、過ヨウ素酸リジンパラホルムアルデヒド（ＭｃＬｅａｎ及びＮａｋａｎｅ， １９７４， Ｊ．Ｈｉｓｔｏｃｈｅｍ．Ｃｙｔｏｃｈｅｍ．２２： １０７７−８３）で固定した。一次抗体を、１０％の正常ロバ血清、ＴＢＳ−Ｃ（５０ｍＭ トリスＨＣｌ、ｐＨ７．４、１５０ｍＭのＮａＣｌ、１ｍＭのＣａＣｌ２）及び、０．４％のサポニン中、２０μｇ／ｍｌ〜３０μｇ／ｍｌで添加し、一晩４℃でインキュベートした。洗浄した後で二次抗体（Ｊａｃｋｓｏｎ Ｉｍｍｕｎｏｒｅｓｅａｒｃｈ， ＰＡ）を添加して３７℃で３０分間インキュベートした。細胞外を染色するために三段階のサンドウィッチアッセイ法を用いた。その第１段階は、１０％の正常マウス血清、１０％の正常ラット血清、ＴＢＳ−Ｃにおいてヤギ抗血清を、加湿チャンバー中で４℃にて一晩、ガンマ−バインド精製を行い、第２段階は、室温で２時間、１／５０に希釈してモノクローナル抗ヤギ抗体（Ｓｉｇｍａ， ＭＯ）をビオチンで標識し、そして最後の段階は室温で１時間、１／５０にしてストレプトアビジン−ＰＥ（Ｍｏｌｅｃｕｌａｒ Ｐｒｏｂｅｓ， ＯＲ）を行った。ＦＩＴＣ標識した抗Ｂ２００または抗ＣＤ３抗体も最終段階で添加した。
【０５５０】
免疫組織化学：
生後４週間のマウスを麻酔して、０．１Ｍのカコディレートに入れた４％のパラホルムアルデヒド（ｐＨ７．４）を用いて灌流固定した。脾臓の細胞断片（５−７μｍ）をＣＳＫ（５０ｍＭのＮａＣｌ、３００ｍＭのスクロース、ｐＨ６．８の１０ｍＭのピペス（Ｐｉｐｅｓ）、３ｍＭのＭｇＣｌ２、０．５％のトリトンＸ−１００、及び１ｍＭのＰＭＳＦ）を用いて１０分間透過し、そしてＰＢＳ＋２０％の正常ヤギ血清、０．２％のＢＳＡ、５０ｍＭのＮＨ４Ｃｌ、２５ｍＭのグリシン、及び２５ｍＭのリジンを用いて室温で２時間かけてブロックした（Ｇｒｅｅｎｂｅｒｇ及びＥｄｅｌｍａｎ， １９８３， Ｃｅｌｌ ３３： ７６７−７９）。断片を、ＴＢＳ−Ｃ＋２５％の正常ヤギ血清に入れた１００μｌの一次抗体中、４℃で一晩インキュベートし、ＴＢＳ−Ｃで３回洗浄した。１００μｌの二次抗体（Ｊａｃｋｓｏｎ Ｉｍｍｕｎｏｒｅｓｅａｃｈ， ＰＡ）を室温で２時間添加した。染色した断片をニコンバイオホット（Ｎｉｋｏｎ Ｂｉｏｐｈｏｔ）またはゼイスアキソホト（Ｚｅｉｓｓ Ａｘｉｏｐｈｏｔ）蛍光顕微鏡を用いて検査し、写真をコダックエライト（Ｋｏｄａｋ Ｅｌｉｔｅ）ＡＳＡ １００を用いて撮った。
【０５５１】
結果
リンパ球組織（胸腺、脾臓、リンパ節及び骨髄）をＲＮＡブロット分析によってＣｌａｓｐ−１発現について試験すると、１３ｋｂのＣｌａｓｐ−１転写物が検出された。また同じ転写物は脳でも観察されたが、肝臓、肺、筋肉、腎臓、及び皮膚では見られなかった（図３ａ）。リンパ細胞系を更に分析すると、Ｃｌａｓｐ−１転写物がＴ細胞及びＢ細胞系統のリンパ球に存在していることを示した（図３ｂ）。しかしながらその転写物は、数種の形質細胞腫系（Ｓ１９４及びＪ５５８Ｌ）では発現しないか、ほんの少ししか発現せず、そのことは遺伝子が最終的に分化したＢ細胞で生産されるらしいことを示唆している。
【０５５２】
抗Ｃｌａｓｐ−１抗血清を用いて凍結断片を免疫染色すると、タンパク質の発現が脾臓の縁部ゾーン（図４ｃ、Ｍ）で、また動脈周囲のリンパ鞘（ＰＡＬＳ）のＴ（図４ａ、Ｔ）及びＢ（図４ｂ、Ｂ）細胞ゾーンで最も顕著であることを示した。抗Ｃｌａｓｐ−１抗体はまた、縁部ゾーンのＨＯＭＡ−１サブ領域、即ちＴ細胞依存性体液応答の際に重要な部位にあるマクロファージも染色した（Ｃｌａａｓｓｅｎら、１９８６， Ｅｕｒ．Ｊ．Ｉｍｍｕｎｏｌ．１６： ４９２−９７）が、ＨＯＭＡ−１マクロファージ自体は染色しなかった（ｖａｎ Ｖｌｉｅｔら、１９８５， Ｊ．Ｈｉｓｔｏｃｈｅｍ．Ｃｙｔｏｃｈｅｍ．３３： ４０−４４、Ｋｒａａｌら、１９８８， Ｉｍｍｕｎｏｌ．Ｌｅｔｔ．１７： １３９−４４）（図４ｃ、４ｆ）。ＰＡＬＳでは、Ｔ細胞のほとんどがＣｌａｓｐ−１を発現したが、これに対してＢ細胞のほとんどは発現しなかった（図４ｄ、４ｅ）。Ｔリンパ球の染色パターンが頂点であって、そこでは細胞が群を形成して並んでいて、それらの頂点がＢ細胞ゾーンを指摘することは注目すべきである（図４ｄ、矢印の先端）。
【０５５３】
脾臓から単離されたリンパ球も、インビボでのリンパ球と同じ頂点の分布を示した（図４ｇ、４ｈ）。抗原のないところで増殖したＴ細胞（Ｄ１０）も、Ｂ細胞（ＣＨ２７、図４ｊ）と同様に同じ表面極性の分布（図４ｉ）を示したが、このことは頂点グループが抗原誘導性の架橋を行った結果ではなく、Ｃｌａｓｐ−１自体の固有の性質であることを示している。その構造を細胞下の指標（即ち、微小管形成中心）にし向けるために、Ｔ細胞（Ｄ１０及び２Ｂ４）をαチューブリン（緑色）とＣｌａｓｐ−１（赤色）の両方について染色した。頂点のＣｌａｓｐ−１構造は、微小管形成中心と同様に核（青色）と同じ側で常に観察された（図４ｋ）。検査したほとんどの細胞型では、中心体がリーディングエッジとして核の同じ側に常に存在していて、このことはＣｌａｓｐ−１の極がリーディングエッジと関連していることを示している。
【０５５４】
Ｂ細胞によって抗原が表示する場合に細胞複合体が形成される際のＣｌａｓｐ−１の役割を調べるために、雌鳥の卵のリゾチーム（ＨＥＬ ４６ペプチド〜６１ペプチド：Ｉ−Ａｋ）にＴＣＲについて遺伝子導入した３Ａ９マウスから得られる脾臓のリンパ球を、ＨＥＬペプチドの存在下で培養して複合体Ｔ−Ｂ細胞ペアを形成させた（Ｓａｇｅｒｓｔｒｏｍら、１９９３， Ｐｒｏｃ．Ｎａｔｌ．Ａｃａｄ．Ｓｃｉ．ＵＳＡ ９０： ８９８７−９１）。培養した細胞を４時間、１０時間、及び３６時間で取り出した。しっかりとしたＴ−Ｂ細胞ペアは４時間までに観察され、１０時間では９５％以上のしっかりとしたＴ−Ｂ細胞ペアがあるため、早期に急激に形質転換する（核膜の境界とヘテロクロマチンの喪失）ことが証明された。産生性の相互作用細胞ペアでは、Ｃｌａｓｐ−１は常に細胞−細胞境界面に存在していた（図５ａ）。
【０５５５】
実施例３
抗Ｃｌａｓｐ−１抗体によるＴ細胞−Ｂ細胞結合性の阻害
融合タンパク質及び抗体：
Ｃｌａｓｐ−１のアミノ酸残基１２１−３２７のコード配列（配列番号：１及び２）はＢａｍＨ１／Ｎｏｔ １部位でｐＧＥＸ−４Ｔ−１（Ｐｈａｒｍａｃｉａ， ＮＪ）にクローニングされ、それはＧＳＴ−Ｃｌａｓｐ−ＥＣ１２Ａと言われた。ＧＳＴ−Ｃｌａｓｐ−ｃｙｔｏは、Ｃｌａｓｐ−１のアミノ酸残基９６９−１２８９をコードするＤＮＡを含み、Ｎｏｔｌ／ＥｃｏＲＩ部位でｐＧＥＸ−４Ｔ−３（Ｐｈａｒｍａｃｉａ， ＮＪ）にクローニングされた構築物であった。融合タンパク質は、グルタチオン−セファロースカラム（Ｐｈａｒｍａｃｉａ， ＮＪ）を用いてファルマシア（Ｐｈａｒｍａｃｉａ）の使用説明書にしたがって発現させて精製し、そしてウサギとヤギの抗血清の生成のために免疫原として用いた。抗体のＭＯＭＡ−１（Ｋｒａａｌ及びＪａｎｓｅ， １９８６， Ｉｍｍｕｎｏｌｏｇｙ ５８： ６６５−６６９）とＥＲ−ＴＲ−９（ｖａｎ Ｖｌｉｅｔら、１９８５， Ｊ．Ｈｉｓｔｏｃｈｅｍ．Ｃｙｔｏｃｈｅｍ．３３： ４０−４４）を記載されたとおりに用いた。抗ＣＤ４−ＦＩＴＣ、ＣＤ８−ＦＩＴＣ、ＣＤ３−ＦＩＴＣ、ＣＤ４５Ｒ （Ｂ２２０）−ＦＩＴＣ抗体はカルタグ（Ｃａｌｔａｇ， ＣＡ）から購入した。ＹＯＬ １／３４はセラテック（Ｓｅｒａ−Ｔｅｃ、ＮＣ）より購入した。
【０５５６】
ウエスタンブロット分析：
細胞を５０ｍＭのヘペス（ｐＨ７．４）、１５０ｍＭのＮａＣｌ、１０％のグリセロール、１％のトリトンＸ−１００、アプロチニン（１Ｕ／ｍｌ）、ロイペプシン（２μｇ／ｍｌ）、ペプスタチン（１μｇ／ｍｌ）、アンチペイン（２μｇ／ｍｌ）、ＰＭＳＦ（１ｍＭ）、及び６Ｌの１００μｌ／ｍｌセファロースに溶解することによって溶解物の安全性を保証した。細胞溶解物を１０％のＳＤＳ−ＰＡＧＥ上で電気泳動し、ＰＶＤＦ膜（Ｍｉｌｌｉｐｏｒｅ， ＭＡ）にブロットし（Ｈａｒｌｏｗ及びＬａｎｅ， １９８８， 「抗体：実験マニュアル（Ａｎｔｉｂｏｄｉｅｓ： Ａ Ｌａｂｏｒａｔｏｒｙ Ｍａｎｕａｌ）」， Ｃｏｌｄ Ｓｐｒｉｎｇ Ｈａｒｂｏｒ Ｌａｂｏｒａｔｏｒｙ）、５％の無脂肪ミルクと２％のＢＳＡを入れたＴＢＳ−Ｃ中で一晩ブロックした。プロテイン−Ａ、即ちγ結合法（Ｐｈａｒｍａｃｉａ， ＮＪ）で精製した抗Ｃｌａｓｐ抗体を、０．５％の無脂肪ミルク、０．２％のＢＳＡ、５０ｍＭのＰＯ４（ｐＨ７．４）、０．３ＭのＮａＣｌ、０．１％のツイーン２０中に１０μｇ／ｍｌで加え、室温で２時間インキュベートした。洗浄後、ヤギ抗ウサギＨＲＰ標識抗体（Ｂｉｏｍｅｄａ）を室温で１時間かけて１／５，０００に希釈して添加し、ＥＣＬ（Ａｍｅｒｓｈａｍ， ＩＬ）を用いて可視化した。
【０５５７】
細胞複合化と阻害のアッセイ法：
２Ｂ４またはＤ１０のＴ細胞とＣＨ２７のＢ細胞（１０μＭの蛾（ｍｏｔｈ）のチトクロームｃペプチド８８〜ペプチド１０３を用いて、またはコンアルブミンを用いて一晩負荷した）をＲＰＭＩ＋１０％のＦＣＳに３．４×１０５細胞／ｍｌで再懸濁した。それぞれの細胞型の１２０μｌを８ウェルのカバースリップスライドチャンバー（Ｎｕｎｃ， ＮＹ）で混合し、γ結合法（Ｐｈａｒｍａｃｉａ， ＮＹ）で精製したヤギ抗Ｃｌａｓｐ−ＥＣ１２Ａまたは抗Ｃｌａｓｐ−ｃｙｔｏ抗体を最終濃度が０、５０、及び１５０μｇ／ｍｌ（４５０μｇ／ｍｌまでの前免疫血清）になるように添加した。細胞を３７℃で５時間〜７時間結合させてから、血球計算板で係数した。それぞれの試料について１００−１５０カップルがカウントされ、細胞の全体数に対して標準化した（一般的な頻度は７％〜１０％の間であった）。阻害のパーセントは、ＣＨ２７のＢ細胞が蛾のチトクロームｃペプチドで負荷されなかった試料における非特異性の結合頻度を差し引いた後、ポジティブな対照における結合頻度に対して算出した。
【０５５８】
結果
抗体はＣｌａｓｐ−１融合タンパク質に対して産生させた。ウエスタンブロット分析をＣＨ２７（成熟Ｂ細胞系）と２Ｂ４（Ｔ細胞ハイブリドーマ）からの抽出物を用いて行うと、細胞外ドメイン（Ｃｌａｓｐ−ＥＣ１２Ａ）または細胞質ドメイン（Ｃｌａｓｐ−ｃｙｔｏ）のいずれかを含むＧＳＴ−融合タンパク質に対して生じた抗体は分子量が約１３０ｋＤのバンドであると確認したが、それはＣｌａｓｐ−１の推定分子量１３４ｋＤ（図３ｃ）と一致した。
【０５５９】
Ｔ細胞及びＢ細胞の間で物理的結合が確立する場合のＣｌａｓｐ−１の役割を探るために、Ｔ−Ｂ細胞の結合を抑制するＣｌａｓｐ−１の細胞外ドメインに対して指向する抗体の能力を評価した（Ｓｔｏｗｅｒｓら、１９９５， Ｐｒｏｃ．Ｎａｔｌ．Ａｃａｄ．Ｓｃｉ．ＵＳＡ ９２： ５０２７−５０３１）。Ｔ細胞ハイブリドーマの２Ｂ４は、Ｂ細胞のＣＨ２７と混合した場合の蛾のチトクロームｃ：Ｉ−Ｅｋに特異的であり、抗Ｃｌａｓｐ−ＥＣ１２Ａ ＩｇＧ抗血清の存在下で蛾のチトクロームｃペプチドで負荷した。図６ａに示されているようにＴ−Ｂ細胞のペア形成は抗Ｃｌａｓｐ−ＥＣ１２Ａ抗血清によって用量依存的な様式で阻止されたが、これに対して前免疫血清は、抗体が高濃度であっても細胞の結合形成に最少の影響しか与えなかった。同様の知見は、別の抗原特異的システム（Ｄ１０のＴ細胞系、コンアルブミン：Ｉ−Ａｋに特異的）で得られた。そのうえ、Ｔ細胞の活性化についてのＩＬ−２アッセイの結果は、結合形成結果を反映していた（図６ｂ）。このようにそのＣｌａｓｐ−１の頂点の表面ドメインは、抗原と出会う前のＴ細胞の機能的な極性をマークすることに関係するとともに、後にＴ細胞の会合が起こる、Ｔ細胞及びＢ細胞間の細胞−細胞相互作用を仲介することに関係している。
【０５６０】
本発明の一局面を説明することを意図している例示的な態様によって、本発明の範囲は制限されるべきではなく、機能的に等価なクローン、ＤＮＡまたはアミノ酸配列は本発明の範囲に入る。実際に本明細書において記載された改変とは別の本発明の種々の改変が、前述した説明と添付した図面から当業者に明らかになるであろう。このような改変は、添付の特許請求の範囲の範囲内に入ると意図されている。ヌクレオチドに対して用いられた全ての塩基対の大きさはおおよそであり、それらは説明の目的で用いられている。
【０５６１】
ここで引用した全ての刊行物は、その全体が参照として組み入れられる。
【図面の簡単な説明】
【図１】ＣＬＡＳＰ−２Ａ ｃＤＮＡのヌクレオチドおよび推定アミノ酸配列。顕著なタンパク質モチーフをヌクレオチド配列の上に太字で示す。可能性がある開始メチオニンに下線を引いて示す。顕著な予想タンパク質モチーフは、ヌクレオチド８５４〜８６８位によってコードされるカドヘリン切断部位；ヌクレオチド１２５３〜１２６４位によってコードされるカドヘリンエクトドメイン（ＥＣ）、ヌクレオチド２８６１〜２９１７位によってコードされる膜貫通ドメイン、ヌクレオチド３５７９〜３６８２位によってコードされる多重らせんドメイン、ヌクレオチド３８２７〜３９３７位によってコードされる第二の多重らせんドメイン、およびヌクレオチド４０４６〜４０５７位によってコードされるＰＤＺ結合モチーフ（ＰＢＭ）である。
【図２】Ａ．ＣＬＡＳＰ−２スプライシング変種の図。スプライシング変種をヒト（ｈ）ＣＬＡＳＰ−２Ａと比較する。ｈＣＬＡＳＰ−２Ａの図の上の数値は、ｈＣＬＡＳＰ−２Ａと比較して欠失および挿入を含むスプライシング変種が認められる部位を示す。略語：「ＫＩＡＡ」、ＫＩＡＡ１０５８配列（ゲンバンクアクセッション番号ＡＢ０２８９８１）。Ｂ．ＣＬＡＳＰ−２Ａ ｃＤＮＡのヌクレオチドおよび推定アミノ酸配列。顕著なタンパク質モチーフはヌクレオチド配列の上に太字で示す。挿入および欠失の正確な位置は、ＣＬＡＳＰ−２Ａ配列の上にそれぞれ、矢印および「ｘ」によって示す。図２Ａにおいて示した挿入のヌクレオチド配列は、矢印の上に示す。挿入および欠失は以下の通りである（計算はヒトＣＬＡＳＰ−２Ａヌクレオチド配列を参考とする）：ＣＬＡＳＰ−２Ｄではヌクレオチド１９６６〜２０３４位が欠失している。ＣＬＡＳＰ−２Ｂではヌクレオチド２２１９〜２２２４位が欠失している。ＣＬＡＳＰ−２Ｄでは、ヌクレオチド２９２７位でアミノ酸６９個の挿入が認められる。この挿入のヌクレオチド配列は：
2004535751.tif 000010
であり、アミノ酸
2004535751.tif 000011
をコードする（一文字アミノ酸記号）。このアミノ酸配列は、推定のＳＨ３結合ドメインをコードする。ＣＬＡＳＰ−２Ｅには、ヌクレオチド３０１１〜３０７９位のあいだにもう一つの欠失を認める。ＣＬＡＳＰｓ ２Ｂ、２Ｃ、２Ｄ、および２Ｅは、ヌクレオチド３１５３位で
2004535751.tif 000012
のヌクレオチド配列による挿入を含む。完全な配列はＣＬＡＳＰ−２Ｄにおいて認められ、アミノ酸配列
2004535751.tif 000013
をコードするが、下線の配列はＣＬＡＳＰｓ ２Ｂ、２Ｃ、２Ｄ、および２Ｅに認められ、アミノ酸
2004535751.tif 000014
をコードする。このアミノ酸配列は、推定の免疫受容体チロシン骨格活性化モチーフ（ＩＴＡＭ）をコードする。ヒトＣＬＡＳＰ−２Ｃでは、ヌクレオチド３５８６位とヌクレオチド３５８７位に２つのヌクレオチド欠失が存在する。ヌクレオチド３９３７位で配列：ＣＴＧＧＧＡＴＧのヌクレオチド８個の挿入はヒトＣＬＡＳＰ−２Ｄに限って認められる。この挿入は、ＣＬＡＳＰ−２Ｄヌクレオチド配列に停止コドンを挿入する。
【図３】Ａ．ＣＬＡＳＰ−２アイソフォームのヌクレオチド配列のアライメント。配列は、クラスタルＷを用いて配置した。Ｂ．ＣＬＡＳＰ−２アイソフォームのアミノ酸配列のアライメント。配列は、クラスタルＷを用いて配置した。一文字アミノ酸記号を用いる。
【図４】ノーザンハイブリダイゼーションによって決定したヒト細胞株およびヒト組織におけるＣＬＡＳＰ−２の発現。ＣＬＡＳＰ−２特異的ＤＮＡ断片は、プライマーＨＣ２ＡＳ２およびＨＣ２Ｓ１を用いて、ＣＬＡＳＰ−２ ｃＤＮＡクローン（ＨＣ２−５’）からＰＣＲによって産生した。断片は、放射活性３２Ｐ ｄＣＴＰを組み入れることによって標識した。Ａ．ヒト組織における発現。標識したＤＮＡ断片をヒト多組織ノーザン（クロンテック社、ＭＴＮ ブロット、＃７７８０−１）上でプローブとして用いた。多組織ノーザンにおいて胎盤、心臓、腎臓、および肺では、約７．５ ｋｂに移動する単一のバンドを明らかに検出する。肝臓、骨格筋および脳では、わずかな発現を検出する。Ｂ．造血細胞株における発現。多細胞株からのＲＮＡによるノーザンを、同じｈＣＬＡＳＰ−２プローブとハイブリダイズさせた。類似のように移動するバンドがジャーカット（Ｔ細胞由来）、９Ｄ１０（Ｂ細胞由来）、および２９３（ヒト腎臓由来）細胞株において検出される。９Ｄ１０のレーンでは多数のより弱いバンドが存在し、これは、おそらくｈＣＬＡＳＰ−２のスプライシング変種を示している。弱い発現はまた、マウス細胞株ＣＨ２７（Ｂ細胞リンパ腫）および３Ａ９（Ｔ細胞ハイブリドーマ）においても検出される。ハイブリダイゼーションおよび洗浄は、高ストリンジェンシーで行ったため、これは、ヒトＣＬＡＳＰ−２プローブがマウスＣＬＡＳＰ ｍＲＮＡと交叉反応する可能性を示している。
【図５】Ａ．ヒトおよびラットＣＬＡＳＰタンパク質のアミノ酸配列。配列は、クラスタルＷを用いて配置した。一文字アミノ酸記号を用いた。タンパク質モチーフは表示した枠の中に認められる。「−」は最善の全体的なアライメントを得るために配置する空白を意味する。その他の略語：「ＨＣ２Ａ」ヒトＣＬＡＳＰ−２配列、「ＫＩＡＡ」ＫＩＡＡ１０５８配列（ゲンバンクアクセッション番号ＡＢ０２８９８１、「ラット」ＴＲＧ遺伝子（ゲンバンクアクセッション番号Ｘ６８１０１）、「ＨＣ４」ヒトＣＬＡＳＰ−４配列、「ＨＣ１」ヒトＣＬＡＳＰ−１配列、「ＨＣ３」ヒトＣＬＡＳＰ−３配列、「ＨＣ５」ヒトＣＬＡＳＰ−５配列。Ｂ．ヒトＣＬＡＳＰｓ内に認められ、基準ＤＯＣＫモチーフと比較したＤＯＣＫモチーフのアライメント。全てのＤＯＣＫモチーフ内に認められるコンセンサスアミノ酸についても示す。
【図６】Ａ．ＣＬＡＳＰ−２Ａ ｃＤＮＡのヌクレオチドおよび推定アミノ酸配列。顕著なタンパク質モチーフを示す（詳しくは図１の説明文を参照）。さらに、エキソンとイントロンの境界を矢印で示す。これらの境界は、ＣＬＡＳＰ−２に対応するゲノムＤＮＡを含む細菌人工染色体（ＢＡＣｓ）をシークエンシングすることによって定義された。ＢＡＣｓは、ＣＬＡＳＰ−２ ｃＤＮＡに対応するエキソン配列に由来するプライマーを用いてシークエンシングした。各エキソン／イントロン境界は、ｃＤＮＡ配列の上に記す（適当な参考番号と共に「Ｒｅｆ」として）。参考配列は、イントロンの正確なヌクレオチドの位置を含む。配列反応において用いたプライマーの名称およびヌクレオチド数も同様に示す。全てのヌクレオチドの数はＣＬＡＳＰ−２Ａ ｃＤＮＡ配列を意味する。参考配列に示したように、シークエンシング反応からの必ずしも全ての配列がｃＤＮＡにマッチする配列を生じたわけではない。ＣＬＡＳＰ−２のエキソン配列にマッチしなかったこれらのヌクレオチド配列は、イントロン配列であると見なされた。Ｂ．クラスタルＷによるヒトおよびラットＣＬＡＳＰアミノ酸配列のアライメント。顕著なタンパク質モチーフを示す（さらに詳しくは図１の説明文を参照のこと）。さらに、Ａにおいて説明したエキソン／イントロン境界は、適当なもののあいだの垂直の線によって示す。参考数値を右端に示し、これらは図６Ａおよび図６Ｂにおける参考配列に対応する。
【図７】ＣＬＡＳＰ−２のサザンハイブリダイゼーション分析。ＨｅＬａ細胞からのゲノムＤＮＡまたはＢＡＣ ＤＮＡクローンを、ＥｃｏＲＩもしくはＨＩｎｄＩＩＩ（ゲノムＤＮＡ）またはＰｓｔＩ（ＢＡＣ ＤＮＡ）によって消化し、電気泳動して、標準的な方法によってナイロンメンブレンに転写した。プローブとするために、プライマーＨＣ２ＡＳ２およびＨＣ２Ｓ１を用いて、ＣＬＡＳＰ−２特異的ＤＮＡ断片をＣＬＡＳＰ−２ ｃＤＮＡクローン（ＨＣ２−５’）からＰＣＲによって作製した。断片は、放射活性３２Ｐ ｄＣＴＰを組み入れることによって標識した。プローブＨＣ２．１は、長さが８００ ｂｐであり、Ｅｃｏ ＲＩ消化ゲノムＤＮＡ上の２つの断片を認識する（〜４．５ ｋｂおよび１．８５ ｋｂ）。ＢＡＣｓ ４および６の消化したＤＮＡとハイブリダイズさせると、３つの断片がこのプローブによって明らかになり、２つの大きい断片は、ゲノムＤＮＡ上で検出された断片と大きさが同一である。
【図８】ヒトＣＬＡＳＰ−１（ｈＣＬＡＳＰ−１）ＣＬＡＳＰ−１およびＣＬＡＳＰ−２グルタチオン−Ｓ−トランスフェラーゼ（ＧＳＴ）融合タンパク質の発現。ｈＣＬＡＳＰ−２Ａ細胞内ドメインの一部をコードするヌクレオチド（ヌクレオチド３２３０〜４０６５位）を、ｐＧＥＸベクター（ファルマシア社）にサブクローニングした。組換えプラスミドを大腸菌（株ＤＨ５α）に形質転換して、形質転換株を標準的な条件で増殖させた。対数増殖期の細胞を（Ｉ）ＩＰＴＧ（０．１ ｍＭ最終濃度）によって誘導するか、または（Ｕ）誘導しなかった。数時間増殖させた後、細胞を回収して、標準的な方法によって可溶性タンパク質溶解物を作製した。タンパク質溶解物の一部をＳＤＳ−ＰＡＧＥ上で分子量標準物質と共に電気泳動した。ゲルをクーマシーブルーで染色すると、融合タンパク質が、ｈＣＬＡＳＰ−１およびｈＣＬＡＳＰ−２に関してそれぞれ、推定される分子量５９ｋＤａおよび５７ｋＤａで移動することが示される。
【図９】Ａ．ＣＬＡＳＰ−２のＣ末端アミノ酸２０個のＰＤＺドメインに対する結合。ＣＬＡＳＰ−２のＣ末端アミノ酸２０個に対応する２０ μＭビオチン結合合成ペプチドを、表示のプレートに結合したＧＳＴ融合タンパク質と反応させた（なし＝プレート上にＧＳＴ融合タンパク質のコーティングなし）。誤差のバーは２回測定の標準偏差を示す。Ｂ．ＣＬＡＳＰ ２−ＰＤＺ相互作用の親和性。ビオチン結合ＣＬＡＳＰ−２ペプチドをプレートに結合させたＧＳＴ単独、ＧＳＴ−ＤＬＧ１、ＧＳＴ−ＮｅＤＬＧ、およびＧＳＴ−ＰＳＤ９５融合タンパク質と反応させた。ＧＳＴ単独に対する結合（＜０．１ ＯＤ単位）を融合タンパク質に対する結合から差し引いて、残りのシグナルを、３０ μＭ ＣＬＡＳＰ−２ペプチドを各ＰＤＺドメイン含有タンパク質（０．４〜１．０ ＯＤ単位）のそれぞれに加えた際に認められたシグナルによって除して、プロットした。プロットしたデータを飽和結合曲線に適合させて、ＮｅＤＬＧ−ＣＬＡＳＰ−２相互作用に関して見かけの親和性７．５ μＭ、ＤＬＧ１−ＣＬＡＳＰ−２相互作用に関して２１ μＭ、およびＰＳＤ９５−ＣＬＡＳＰ−２相互作用に関して４５ μＭを得た。データはデータポイント２点の平均値であり、データポイント２点間の標準誤差は＜１０％である。Ｃ．ＣＬＡＳＰ−２−ＰＤＺ結合の阻害。ＣＬＡＳＰ−２のＣ末端アミノ酸２０個に対応する５μＭビオチン結合合成ペプチドを、１００ μＭ競合ペプチドの存在下または非存在下で、表示の、プレートに結合したＰＤＺドメイン含有ＧＳＴ融合タンパク質と反応させた。ＣＬＡＳＰ−２阻害剤は、ＣＬＡＳＰ−２のＣ末端アミノ酸８個からなる合成ペプチドを意味する。ＫＶ１．３阻害剤は、リンパ球カリウムチャネルであるＫＶ１．３のＣ末端アミノ酸１９個からなる合成ペプチドを意味する。ＫＶ１．３阻害剤のアミノ酸配列は、ＴＴＮＮＮＰＮＳＡＶＮＩＫＫＩＦＴＤＶである。Ｄ．ＫＶ１．３−ＰＤＺ結合の阻害。ＫＶ１．３のＣ末端アミノ酸１９個に対応する５μＭビオチン結合合成ペプチドを、１００ μＭ ＣＬＡＳＰ−２阻害剤の存在下または非存在下でＧＳＴ融合タンパク質を含む表示のプレート結合ＰＤＺドメインと反応させた（図９Ｃの説明文を参照のこと）。
【図１０】ＣＬＡＳＰ−２ ｃＤＮＡｓの予備的ヌクレオチド配列。
【図１】
2004535751.tif 000015
2004535751.tif 000016
2004535751.tif 000017
2004535751.tif 000018
2004535751.tif 000019
2004535751.tif 000020
【図２Ａ】
2004535751.tif 000021
【図２Ｂ】
2004535751.tif 000022
2004535751.tif 000023
2004535751.tif 000024
2004535751.tif 000025
2004535751.tif 000026
2004535751.tif 000027
2004535751.tif 000028
【図３Ａ】
2004535751.tif 000029
2004535751.tif 000030
2004535751.tif 000031
2004535751.tif 000032
2004535751.tif 000033
2004535751.tif 000034
2004535751.tif 000035
2004535751.tif 000036
2004535751.tif 000037
2004535751.tif 000038
2004535751.tif 000039
2004535751.tif 000040
2004535751.tif 000041
2004535751.tif 000042
2004535751.tif 000043
2004535751.tif 000044
2004535751.tif 000045
2004535751.tif 000046
2004535751.tif 000047
【図３Ｂ】
2004535751.tif 000048
2004535751.tif 000049
2004535751.tif 000050
2004535751.tif 000051
2004535751.tif 000052
【図４Ａ】
2004535751.tif 000053
【図４Ｂ】
2004535751.tif 000054
【図５Ａ】
2004535751.tif 000055
2004535751.tif 000056
2004535751.tif 000057
2004535751.tif 000058
2004535751.tif 000059
【図５Ｂ】
2004535751.tif 000060
2004535751.tif 000061
【図６Ａ】
2004535751.tif 000062
2004535751.tif 000063
2004535751.tif 000064
2004535751.tif 000065
2004535751.tif 000066
2004535751.tif 000067
2004535751.tif 000068
2004535751.tif 000069
2004535751.tif 000070
2004535751.tif 000071
2004535751.tif 000072
2004535751.tif 000073
2004535751.tif 000074
【図６Ｂ】
2004535751.tif 000075
2004535751.tif 000076
2004535751.tif 000077
2004535751.tif 000078
2004535751.tif 000079
【図７】
2004535751.tif 000080
【図８】
2004535751.tif 000081
【図９Ａ】
2004535751.tif 000082
【図９Ｂ】
2004535751.tif 000083
【図９Ｃ】
2004535751.tif 000084
【図９Ｄ】
2004535751.tif 000085
【図１０Ａ】
2004535751.tif 000086
2004535751.tif 000087
【図１０Ｂ】
2004535751.tif 000088
2004535751.tif 000089
【図１０Ｃ】
2004535751.tif 000090
2004535751.tif 000091
【図１０Ｄ】
2004535751.tif 000092
2004535751.tif 000093
【図１０Ｅ】
2004535751.tif 000094
2004535751.tif 000095
【図１０Ｆ】
2004535751.tif 000096
2004535751.tif 000097
【図１０Ｇ】
2004535751.tif 000098
2004535751.tif 000099
【図１０Ｈ】
2004535751.tif 000100
2004535751.tif 000101
【国際公開パンフレット】
2004535751.tif 000102
2004535751.tif 000103
2004535751.tif 000104
2004535751.tif 000105
2004535751.tif 000106
2004535751.tif 000107
2004535751.tif 000108
2004535751.tif 000109
2004535751.tif 000110
2004535751.tif 000111
2004535751.tif 000112
2004535751.tif 000113
2004535751.tif 000114
2004535751.tif 000115
2004535751.tif 000116
2004535751.tif 000117
2004535751.tif 000118
2004535751.tif 000119
2004535751.tif 000120
2004535751.tif 000121
2004535751.tif 000122
2004535751.tif 000123
2004535751.tif 000124
2004535751.tif 000125
2004535751.tif 000126
2004535751.tif 000127
2004535751.tif 000128
2004535751.tif 000129
2004535751.tif 000130
2004535751.tif 000131
2004535751.tif 000132
2004535751.tif 000133
2004535751.tif 000134
2004535751.tif 000135
2004535751.tif 000136
2004535751.tif 000137
2004535751.tif 000138
2004535751.tif 000139
2004535751.tif 000140
2004535751.tif 000141
2004535751.tif 000142
2004535751.tif 000143
2004535751.tif 000144
2004535751.tif 000145
2004535751.tif 000146
2004535751.tif 000147
2004535751.tif 000148
2004535751.tif 000149
2004535751.tif 000150
2004535751.tif 000151
2004535751.tif 000152
2004535751.tif 000153
2004535751.tif 000154
2004535751.tif 000155
2004535751.tif 000156
2004535751.tif 000157
2004535751.tif 000158
2004535751.tif 000159
2004535751.tif 000160
2004535751.tif 000161
2004535751.tif 000162
2004535751.tif 000163
2004535751.tif 000164
2004535751.tif 000165
2004535751.tif 000166
2004535751.tif 000167
2004535751.tif 000168
2004535751.tif 000169
2004535751.tif 000170
2004535751.tif 000171
2004535751.tif 000172
2004535751.tif 000173
2004535751.tif 000174
2004535751.tif 000175
2004535751.tif 000176
2004535751.tif 000177
2004535751.tif 000178
2004535751.tif 000179
2004535751.tif 000180
2004535751.tif 000181
2004535751.tif 000182
2004535751.tif 000183
2004535751.tif 000184
2004535751.tif 000185
2004535751.tif 000186
2004535751.tif 000187
2004535751.tif 000188
2004535751.tif 000189
2004535751.tif 000190
2004535751.tif 000191
2004535751.tif 000192
2004535751.tif 000193
2004535751.tif 000194
2004535751.tif 000195
2004535751.tif 000196
2004535751.tif 000197
2004535751.tif 000198
2004535751.tif 000199
2004535751.tif 000200
2004535751.tif 000201
2004535751.tif 000202
2004535751.tif 000203
2004535751.tif 000204
2004535751.tif 000205
2004535751.tif 000206
2004535751.tif 000207
2004535751.tif 000208
2004535751.tif 000209
2004535751.tif 000210
2004535751.tif 000211
2004535751.tif 000212
2004535751.tif 000213
2004535751.tif 000214
2004535751.tif 000215
2004535751.tif 000216
2004535751.tif 000217
2004535751.tif 000218
2004535751.tif 000219
2004535751.tif 000220
2004535751.tif 000221
2004535751.tif 000222
2004535751.tif 000223
2004535751.tif 000224
2004535751.tif 000225
2004535751.tif 000226
2004535751.tif 000227
2004535751.tif 000228
2004535751.tif 000229
2004535751.tif 000230
2004535751.tif 000231
2004535751.tif 000232
2004535751.tif 000233
2004535751.tif 000234
2004535751.tif 000235
2004535751.tif 000236
2004535751.tif 000237
2004535751.tif 000238
2004535751.tif 000239
2004535751.tif 000240
2004535751.tif 000241
2004535751.tif 000242
2004535751.tif 000243
2004535751.tif 000244
2004535751.tif 000245
2004535751.tif 000246
2004535751.tif 000247
2004535751.tif 000248
2004535751.tif 000249
2004535751.tif 000250
2004535751.tif 000251
2004535751.tif 000252
2004535751.tif 000253
2004535751.tif 000254
2004535751.tif 000255
2004535751.tif 000256
2004535751.tif 000257
2004535751.tif 000258
2004535751.tif 000259
2004535751.tif 000260
2004535751.tif 000261
2004535751.tif 000262
2004535751.tif 000263
2004535751.tif 000264
2004535751.tif 000265
2004535751.tif 000266
2004535751.tif 000267
2004535751.tif 000268
2004535751.tif 000269
2004535751.tif 000270
2004535751.tif 000271
2004535751.tif 000272
2004535751.tif 000273
2004535751.tif 000274
2004535751.tif 000275
2004535751.tif 000276
2004535751.tif 000277
2004535751.tif 000278
2004535751.tif 000279
2004535751.tif 000280
2004535751.tif 000281
2004535751.tif 000282
2004535751.tif 000283
2004535751.tif 000284
2004535751.tif 000285
2004535751.tif 000286
2004535751.tif 000287
2004535751.tif 000288
2004535751.tif 000289
2004535751.tif 000290
2004535751.tif 000291
2004535751.tif 000292
2004535751.tif 000293
2004535751.tif 000294
2004535751.tif 000295
2004535751.tif 000296
2004535751.tif 000297
2004535751.tif 000298
2004535751.tif 000299
2004535751.tif 000300
2004535751.tif 000301
2004535751.tif 000302
2004535751.tif 000303
2004535751.tif 000304
2004535751.tif 000305
2004535751.tif 000306
2004535751.tif 000307
2004535751.tif 000308
2004535751.tif 000309
2004535751.tif 000310
2004535751.tif 000311
2004535751.tif 000312
2004535751.tif 000313
2004535751.tif 000314
2004535751.tif 000315
2004535751.tif 000316
2004535751.tif 000317
2004535751.tif 000318
2004535751.tif 000319
2004535751.tif 000320
2004535751.tif 000321
2004535751.tif 000322
2004535751.tif 000323
2004535751.tif 000324
2004535751.tif 000325
2004535751.tif 000326
2004535751.tif 000327
2004535751.tif 000328
2004535751.tif 000329
2004535751.tif 000330
2004535751.tif 000331
2004535751.tif 000332
2004535751.tif 000333
2004535751.tif 000334
2004535751.tif 000335
2004535751.tif 000336
2004535751.tif 000337
2004535751.tif 000338
2004535751.tif 000339
2004535751.tif 000340
2004535751.tif 000341
2004535751.tif 000342
2004535751.tif 000343
2004535751.tif 000344
2004535751.tif 000345
2004535751.tif 000346
2004535751.tif 000347
2004535751.tif 000348
2004535751.tif 000349
2004535751.tif 000350
2004535751.tif 000351
2004535751.tif 000352
2004535751.tif 000353
2004535751.tif 000354
2004535751.tif 000355
2004535751.tif 000356
2004535751.tif 000357
2004535751.tif 000358
2004535751.tif 000359
2004535751.tif 000360
2004535751.tif 000361
2004535751.tif 000362
2004535751.tif 000363
2004535751.tif 000364
2004535751.tif 000365
2004535751.tif 000366
2004535751.tif 000367
2004535751.tif 000368
2004535751.tif 000369
2004535751.tif 000370
2004535751.tif 000371
2004535751.tif 000372
2004535751.tif 000373
2004535751.tif 000374
2004535751.tif 000375
2004535751.tif 000376
2004535751.tif 000377
2004535751.tif 000378
2004535751.tif 000379
2004535751.tif 000380
2004535751.tif 000381
2004535751.tif 000382
2004535751.tif 000383
2004535751.tif 000384
2004535751.tif 000385
2004535751.tif 000386
2004535751.tif 000387
【国際公開パンフレット（コレクトバージョン）】
2004535751.tif 000388
2004535751.tif 000389
【国際公開パンフレット（コレクトバージョン）】
2004535751.tif 000390
2004535751.tif 000391
2004535751.tif 000392
2004535751.tif 000393
2004535751.tif 000394
2004535751.tif 000395
2004535751.tif 000396
2004535751.tif 000397
2004535751.tif 000398
2004535751.tif 000399
2004535751.tif 000400
2004535751.tif 000401
2004535751.tif 000402
2004535751.tif 000403
2004535751.tif 000404
2004535751.tif 000405
2004535751.tif 000406
2004535751.tif 000407
2004535751.tif 000408
2004535751.tif 000409
2004535751.tif 000410
2004535751.tif 000411
2004535751.tif 000412
2004535751.tif 000413
2004535751.tif 000414
2004535751.tif 000415
2004535751.tif 000416
2004535751.tif 000417
2004535751.tif 000418
2004535751.tif 000419
2004535751.tif 000420
2004535751.tif 000421
2004535751.tif 000422
2004535751.tif 000423
2004535751.tif 000424
2004535751.tif 000425
2004535751.tif 000426
2004535751.tif 000427
2004535751.tif 000428
2004535751.tif 000429
2004535751.tif 000430
2004535751.tif 000431
2004535751.tif 000432
2004535751.tif 000433
2004535751.tif 000434
2004535751.tif 000435
2004535751.tif 000436
2004535751.tif 000437
2004535751.tif 000438
2004535751.tif 000439
2004535751.tif 000440
2004535751.tif 000441
2004535751.tif 000442
2004535751.tif 000443
2004535751.tif 000444
2004535751.tif 000445
2004535751.tif 000446
2004535751.tif 000447
2004535751.tif 000448
2004535751.tif 000449
2004535751.tif 000450
2004535751.tif 000451
2004535751.tif 000452
2004535751.tif 000453
2004535751.tif 000454
2004535751.tif 000455
2004535751.tif 000456
2004535751.tif 000457
2004535751.tif 000458
2004535751.tif 000459
2004535751.tif 000460
2004535751.tif 000461
2004535751.tif 000462
2004535751.tif 000463
2004535751.tif 000464
2004535751.tif 000465
2004535751.tif 000466
2004535751.tif 000467
2004535751.tif 000468
2004535751.tif 000469
2004535751.tif 000470
2004535751.tif 000471
2004535751.tif 000472
2004535751.tif 000473
2004535751.tif 000474
2004535751.tif 000475
2004535751.tif 000476
2004535751.tif 000477
2004535751.tif 000478
2004535751.tif 000479
2004535751.tif 000480
2004535751.tif 000481
2004535751.tif 000482
2004535751.tif 000483
2004535751.tif 000484
2004535751.tif 000485
2004535751.tif 000486
2004535751.tif 000487
2004535751.tif 000488
2004535751.tif 000489
2004535751.tif 000490
2004535751.tif 000491
2004535751.tif 000492
2004535751.tif 000493
2004535751.tif 000494
2004535751.tif 000495
2004535751.tif 000496
2004535751.tif 000497
2004535751.tif 000498
2004535751.tif 000499
2004535751.tif 000500
2004535751.tif 000501
2004535751.tif 000502
2004535751.tif 000503
2004535751.tif 000504
2004535751.tif 000505
2004535751.tif 000506
2004535751.tif 000507
2004535751.tif 000508
2004535751.tif 000509
2004535751.tif 000510
2004535751.tif 000511
2004535751.tif 000512
2004535751.tif 000513
2004535751.tif 000514
2004535751.tif 000515
2004535751.tif 000516
2004535751.tif 000517
2004535751.tif 000518
2004535751.tif 000519
2004535751.tif 000520
2004535751.tif 000521
2004535751.tif 000522
2004535751.tif 000523
2004535751.tif 000524
2004535751.tif 000525
2004535751.tif 000526
2004535751.tif 000527
2004535751.tif 000528
2004535751.tif 000529
2004535751.tif 000530
2004535751.tif 000531
2004535751.tif 000532
2004535751.tif 000533
2004535751.tif 000534
2004535751.tif 000535
2004535751.tif 000536
2004535751.tif 000537
2004535751.tif 000538
2004535751.tif 000539
2004535751.tif 000540
2004535751.tif 000541
2004535751.tif 000542
2004535751.tif 000543
2004535751.tif 000544
2004535751.tif 000545
2004535751.tif 000546
2004535751.tif 000547
2004535751.tif 000548
2004535751.tif 000549
2004535751.tif 000550
2004535751.tif 000551
2004535751.tif 000552
2004535751.tif 000553
2004535751.tif 000554
2004535751.tif 000555
2004535751.tif 000556
2004535751.tif 000557
2004535751.tif 000558
2004535751.tif 000559
2004535751.tif 000560
2004535751.tif 000561
2004535751.tif 000562
2004535751.tif 000563
2004535751.tif 000564
2004535751.tif 000565
2004535751.tif 000566
2004535751.tif 000567
2004535751.tif 000568
2004535751.tif 000569
2004535751.tif 000570
2004535751.tif 000571
2004535751.tif 000572
2004535751.tif 000573
2004535751.tif 000574
2004535751.tif 000575
2004535751.tif 000576
2004535751.tif 000577
2004535751.tif 000578
2004535751.tif 000579
2004535751.tif 000580
2004535751.tif 000581
2004535751.tif 000582
2004535751.tif 000583
2004535751.tif 000584
2004535751.tif 000585
2004535751.tif 000586
2004535751.tif 000587
2004535751.tif 000588
2004535751.tif 000589
2004535751.tif 000590
2004535751.tif 000591
2004535751.tif 000592
2004535751.tif 000593
2004535751.tif 000594
2004535751.tif 000595
2004535751.tif 000596
2004535751.tif 000597
2004535751.tif 000598
2004535751.tif 000599
2004535751.tif 000600
2004535751.tif 000601
2004535751.tif 000602
2004535751.tif 000603
2004535751.tif 000604
2004535751.tif 000605
2004535751.tif 000606
2004535751.tif 000607
2004535751.tif 000608
2004535751.tif 000609
2004535751.tif 000610
2004535751.tif 000611
2004535751.tif 000612
2004535751.tif 000613
2004535751.tif 000614
2004535751.tif 000615
2004535751.tif 000616
2004535751.tif 000617
2004535751.tif 000618
2004535751.tif 000619
2004535751.tif 000620
2004535751.tif 000621
2004535751.tif 000622
2004535751.tif 000623
2004535751.tif 000624
2004535751.tif 000625
2004535751.tif 000626
2004535751.tif 000627
2004535751.tif 000628
2004535751.tif 000629
2004535751.tif 000630
2004535751.tif 000631
2004535751.tif 000632
2004535751.tif 000633
2004535751.tif 000634
2004535751.tif 000635
2004535751.tif 000636
2004535751.tif 000637
2004535751.tif 000638
2004535751.tif 000639
2004535751.tif 000640
2004535751.tif 000641
2004535751.tif 000642
2004535751.tif 000643
2004535751.tif 000644
2004535751.tif 000645
2004535751.tif 000646
2004535751.tif 000647
2004535751.tif 000648
2004535751.tif 000649
2004535751.tif 000650
2004535751.tif 000651
2004535751.tif 000652
2004535751.tif 000653
2004535751.tif 000654
2004535751.tif 000655
2004535751.tif 000656
2004535751.tif 000657
2004535751.tif 000658
2004535751.tif 000659
2004535751.tif 000660
2004535751.tif 000661
2004535751.tif 000662
2004535751.tif 000663
2004535751.tif 000664
2004535751.tif 000665
2004535751.tif 000666
2004535751.tif 000667
2004535751.tif 000668
2004535751.tif 000669
2004535751.tif 000670
2004535751.tif 000671
2004535751.tif 000672
2004535751.tif 000673
2004535751.tif 000674
2004535751.tif 000675
【国際調査報告】
2004535751.tif 000676
2004535751.tif 000677
2004535751.tif 000678
2004535751.tif 000679